(57)【要約】本発明は、カチオン［Ｃｔ］＋及びアニオン［Ａ］−を含む組成物に関する。当該アニオンは、一部又は完全にフッ素化されたフルオロアリール配位子に結合した１３族原子を含み、少なくとも１つのフルオロアリール配位子が、１５族元素上に電子吸引基が置換されることにより不対電子が、後述する化学反応に対して本質的に不活性である１５族元素に置換されている。［Ｃｔ］＋は、アニリニウム及びアンモニウムカチオン、即ちトリチルカルベニウムカチオン、１１族金属カチオン、シリリウムカチオン、１族若しくは２族の含水塩のカチオン、並びに前記カチオンの１以上の水素原子に対して、Ｃ１−Ｃ２０のヒドロカルビル、ヒドロカルビルシリル、又は、ヒドロカルビルアミン置換基を含有する前記アニリニウム、アンモニウム、トリチルカルベニウム、及びシリリニウムカチオンの誘導体から選ばれ得る。当該組成は、活性オレフィン重合触媒を用い得、及び脂肪族系溶媒中で溶解し調製され得る。合成及び重合が、述べられている。【特許請求の範囲】
【請求項１】
カチオン［Ｃｔ］＋及びアニオン［Ａ］−を含む組成物であって、アニオンが、少なくとも１つのフルオロアリール配位子に結合した第１３族元素のコア（ｃｏｒｅ）を含み、フルオロアリール配位子が、第１５族元素の不対電子を実質的に非反応性にする電気吸引性基に結合した第１５族元素を含む置換を有する、当該組成物。
【請求項２】
式：［Ｃｔ］＋［Ｍ（ＡｒＦ）ｎ｛（ＡｒＦ）Ｅ（ＡｒＦ）（Ｒ）｝４−ｎ］］−，
で表される、請求項１に記載の組成物であって、式中、
（ａ）［Ｃｔ］＋が活性化カチオンであり；
（ｂ）Ｍが第１３族元素であり；
（ｃ）各ＡｒＦが、独立してフルオロアニル基であり、各フルオロアニル基が少なくとも１つのフッ素置換を有し；
（ｄ）Ｅが第１５族元素であり；
（ｅ）Ｒが、Ｃ１−Ｃ２０のヒドロカルビル又はヒドロカルビルシリル置換基であり、及び
（ｆ）ｎが０，１，２、又は３
である、当該組成物。
【請求項３】
各フルオロアニル基が、フェニル、ビフェニル、ナフチル、インデニル、アントラセニル、フルオレニル、アズレニル、フェナントレニル、又はピレニルのうちの１である請求項２に記載の組成物。
【請求項４】
各フルオロアニル基が、フェニル、ビフェニル、又はナフチルのうちの１である請求項３に記載の組成物。
【請求項５】
Ｒが、Ｃ１−Ｃ１０の線状、分岐、又は環状の脂肪族ヒドロカルビル又はヒドロカルビルシリル置換基である請求項３に記載の組成。
【請求項６】
Ｒがトリアルキルシリルであり、当該アルキル基が１乃至２０の炭素原子を含み，当該アルキル基が同一又は異なり得る、請求項５に記載の組成物。
【請求項７】
前記第１５族元素が、窒素又はリンである請求項１に記載の組成物。
【請求項８】
各フルオロアニル基が、ペルフルオロ化されている請求項２に記載の組成物。
【請求項９】
各位置にあるＡｒＦがペルフルオロフェニルであって、Ｅは窒素で、Ｍに結合したＡｒＦの配位子のパラ位にあり、Ｒは、Ｃ３−Ｃ１２のヒドロカルビル又はヒドロカルビルシリル置換基である請求項２に記載の組成物。
【請求項１０】
式：［Ｃｔ］＋［Ｂ（ＡｒＦ）ｎ｛（ＡｒＦ）Ｎ（ＡｒＦ）（Ｒ）｝４−ｎ］］−，
で表される請求項１に記載の組成物であって、式中、
（ａ）［Ｃｔ］＋が活性化カチオンであり；
（ｂ）Ｂが硼素であり；
（ｃ）各ＡｒＦが、独立してフルオロアニル基であり、各フッ素化アリール基が少なくとも１つのフッ素置換基を有し；
（ｄ）Ｎが窒素であり；
（ｅ）Ｒが、Ｃ１−Ｃ２０のヒドロカルビル又はヒドロカルビルシリル置換基であり；及び
（ｆ）ｎが１，２、又は３
である、当該組成物。
【請求項１１】
各フルオロアニル基のアリール部分が、独立して、フェニル、ビフェニル、ナフチル、インデニル、アントラセニル、フルオレニル、アズレニル、フェナントレニル、又はピレニルのうちの１である請求項１０に記載の組成物。
【請求項１２】
各フルオロアニル基のアリール部分が、独立して、フェニル、ビフェニル、ナフチルのうちの１である請求項１１に記載の組成。
【請求項１３】
Ｒが、Ｃ１−Ｃ２０の線状、分岐、又は環状の脂肪族ヒドロカルビル又はヒドロカルビルシリル置換基である請求項１２に記載の組成物。
【請求項１４】
Ｒが、多数の同一又は異なる、１乃至２０の炭素原子のアルキル基で置換されたシリル基である請求項１３に記載の組成物。
【請求項１５】
カチオン［Ｃｔ］＋及びアニオン［Ａ］−からなる組成物であって、アニオンが、少なくとも１つのフルオロアリール配位子に結合した第１３族元素のコアを含み、フルオロアリール配位子が、フルオロアリール−トリアルキルシリル−３級アミノ基でパラ位に置換されている、当該組成物。
【請求項１６】
第１３族元素が、硼素又はアルミニウムであり、アミノ基のフルオロアリール配位子が、ペルフルオロフェニルである請求項１５に記載の組成物。
【請求項１７】
各フルオロアリール配位子が、フルオロアリール−トリアルキルシリル−３級アミノ基でパラ位に置換されている請求項１６に記載の組成物。
【請求項１８】
（ａ）少なくとも１つの安定化配位子と、オレフィンの挿入、及び切断時に、少なくとも１つの活性なオレフィン重合の触媒中心で生成する、容易に切断可能な金属−炭素結合に適した、少なくとも１つの配位子を有する遷移金属化合物であり、
（ｂ）カチオン［Ｃｔ］＋及びアニオン［Ａ］−を含む第１３族元素に基づく助触媒であって、アニオンが、少なくとも１つのフルオロアリール配位子に結合した第１３族元素のコアを含み、少なくとも１つのフルオロアリール配位子が、第１５族の不対電子を実質的に非反応性にする電気吸引性基に結合した第１５族元素を含む置換を有する、
当該助触媒の反応生成物であるオレフィン重合触媒。
【請求項１９】
助触媒化合物が、
式：［Ｃｔ］＋［Ｍ（ＡｒＦ）ｎ｛（ＡｒＦ）Ｅ（ＡｒＦ）（Ｒ）｝４−ｎ］］−，
で表され；
（ａ）［Ｃｔ］＋が活性化カチオンであり；
（ｂ）Ｍが第１３族元素であり；
（ｃ）各ＡｒＦが、独立してフルオロアニル基であり、各フルオロアニル基が少なくとも１つのフッ素置換基を有し；
（ｄ）Ｅが第１５族元素であり；
（ｅ）Ｒが、Ｃ１−Ｃ２０のヒドロカルビル又はヒドロカルビルシリル置換基であり；及び、
（ｆ）ｎが１，２、又は３である、
請求項１８に記載の触媒組成物。
【請求項２０】
各フルオロアニル基が、ペルフルオリル化されている請求項１９に記載の組成物。
【請求項２１】
遷移金属化合物が、オレフィンの重合においてカチオンを活性化し得る第３−１０族の金属触媒先駆体である請求項１８−２０のいづれか１項に記載の組成物。
【請求項２２】
遷移金属化合物が、
式：ＬＡＬＢＬＣｉＭＣＤＥ
で表されるメタロセン触媒の先駆体であって、
ＬＡは、ＭＣに結合した置換又は未置換のシクロペンタジエニル配位子；ＬＢは、ＬＡについて定義される配位子の種類の１つ、又はＭＣに結合したヘテロ原子の配位子Ｊであり、ＬＡ及びＬＢの配位子は、第１３−１６族元素を含有する結合基を通して架橋され得、ＬＣｉ（ｉは０乃至３）は、ＭＣと結合した、任意の中性の非酸化性配位子；ＭＣは、第３−６族の遷移金属；及び、Ｄ及びＥは独立して反応活性な配位子であり、各々、Ｍと金属−炭素の結合を有し、所望により、互いに、又はＬＡ又はＬＢと橋かけされ、ＤとＭ又はＥとＭの結合は、第１３族元素助触媒により切断され、モノマー又はマクロマーが重合において挿入され得る、請求項２１に記載の組成物。
【請求項２３】
Ｍがチタン、ＬＢがＭに結合したハロゲン化配位子Ｊである請求項２２に記載の組成物。
【請求項２４】
Ｍが、ジルコニウム又はハフニウムであり、ＬＢが、独立して、Ｍと結合した置換又は未置換のシクロペンタジエニル配位子である請求項２２に記載の組成物。
【請求項２５】
（ａ）少なくとも１つの安定化配位子及びオレフィンの挿入に適した少なくとも１つの反応活性な配位子を有する有機遷移金属触媒化合物及び、
（ｂ）請求項１−２０のいずれか１項に記載の組成物、
の反応生成物を含むオレフィンの重合における触媒。
【請求項２６】
（ａ）少なくとも１つの安定化配位子、及びオレフィンの挿入に適した少なくとも１つの配位子を有する遷移金属化合物及び、
（ｂ）請求項１−２０に記載の組成物、
の反応生成物である触媒と、１以上のオレフィンを重合条件下で、組み合わせることを含む、ポリオレフィンを調製する方法。
【請求項２７】
遷移金属化合物が、オレフィンの重合を活性し得、第３−１０族の金属を含む請求項２６に記載の方法。
【請求項２８】
遷移金属化合物が、
式：ＬＡＬＢＬＣｉＭＣＤＥ
を有し、ＬＡは、ＭＣに結合した置換又は未置換のシクロペンタジエニル配位子；ＬＢは、ＬＡについて定義される配位子の種類の１つ、又はＭＣに結合したヘテロ原子の配位子Ｊであり、ＬＡ及びＬＢの配位子は、第１３−１６族元素を含有した結合基を通して架橋され得、ＬＣｉ（ｉは０乃至３）は、ＭＣと結合した、任意の中性の非酸化性配位子；ＭＣは、第３−６族の遷移金属；及び、Ｄ及びＥは独立して反応活性な配位子であって、Ｍに結合しており、所望により、互いに、又はＬＡ又はＬＢと橋かけされ、ＤとＭ又はＥとＭの結合は、第１３族元素助触媒により切断され、モノマー又はマクロマーが重合において挿入され得る、請求項２７に記載の方法。
【請求項２９】
Ｍが、チタン及びＬＢがＭに結合したハロゲン化配位子Ｊである請求項２７に記載の方法。
【請求項３０】
Ｍが、ジルコニウム又はハフニウムであり、ＬＢが、独立して、Ｍに結合した置換又は未置換のシクロペンタジエニル配位子である請求項２７に記載の方法。
【請求項３１】
重合条件が、３０℃以上乃至３００℃未満の温度及び０以上から２０００ｂａｒ以上までの圧力にて行われる溶液、超臨界圧、バルク、スラリー、又は気相法を含む請求項２９に記載の方法。
【請求項３２】
前記方法が、４０℃以上乃至２５０℃以上である温度にて行われる断熱溶液法である請求項３０に記載の方法。
【請求項３３】
前記方法が、バルク、スラリー、又は気相法であり、遷移金属化合物が、オレフィンの重合の活性化後、粒状のキャリアーに担持し又は吸着される請求項３０に記載の方法。
【請求項３４】
モノマーが、エチレン、Ｃ３−Ｃ２０のオレフィン類、Ｃ５−Ｃ２０のジオレフィン類、Ｃ７−Ｃ２０のビニル芳香族モノマー類、Ｃ４−Ｃ２０の一対の二置換オレフィン類、及びＣ５−Ｃ２０の環状オレフィン類のうちの１以上である請求項３０に記載の方法。
【請求項３５】
前記アニオンが、少なくとも１のフルオロアリール配位子に結合した第１３元素のコアを含み、フルオロアリール配位子が、電子吸引基に結合した第１５族元素（これにより第１５族の不対電子を本質的に非反応性にする）を含む置換を有する、アニオンの使用。
【請求項３６】
前記先駆体が、第１３族元素系のアニオンを含み、前記アニオンが、フルオロアリール配位子に結合した第１３族元素のコアを含み、少なくとも１つのフルオロアリール配位子が、電子吸引基に結合した第１５族元素（第１５族の不対電子を本質的に非反応性にする）を含む置換を有する、ポリオレフィン調製のための先駆体の使用。
【請求項３７】
前記先駆体が、第１３族元素系のアニオンを含み、前記アニオンが、フルオロアリール配位子に結合した第１３族元素のコアを含み、少なくとも１つのフルオロアリール配位子が、電子吸引基に結合した第１５族元素（第１５族の不対電子を本質的に非反応性にする）を含む置換を有する、オレフィン重合触媒を調製するための先駆体の使用。
【請求項３８】
（ａ）少なくとも１つの安定化配位子、及びオレフィンの挿入に適した少なくとも１つの配位子を有する遷移金属化合物及び、
（ｂ）請求項１−１９に記載の組成物、
を含むオレフィン重合のための触媒系。
【請求項３９】
遷移金属化合物が、周期表の第３乃至６族の金属を含む請求項３７に記載の触媒系。
【請求項４０】
遷移金属化合物が、メタロセンである請求項３７記載の触媒系。
【請求項４１】
遷移金属化合物が、メタロセンである請求項３８記載の触媒系。
【発明の詳細な説明】
【０００１】
【発明の属する技術分野】
本発明は、弱配位性の第１３族元素のアニオンを含む重合助触媒化合物、及び当該アニオンにより安定化された有機金属遷移金属カチオン化合物に基づく触媒系を用いてオレフィンポリマー類を調製することに関する。
【０００２】
【従来技術】
“非配位性アニオン（ＮＣＡ）”という用語は、オレフィンとビニルモノマーの、配位、挿入、及びカルボカチオン重合の分野において、現在受け入れられている用語である。例えば、欧州特許第０２７７００３号、欧州特許第０２７７００４号、米国特許第５，１９８，４０１号、米国特許第５，２７８，１１９号、及びＢａｉｒｄ、ＭｉｃｈａｅｌらによるＪ．Ａｍ．Ｃｈｅｍ．Ｓｏｃ．１９９４，１１６，６４３５−６４３６を参照されたい。非配位性アニオンは、本質的に活性なカチオンのメタロセン重合触媒のため、電子的に安定化する助触媒又は対イオンとして作用すると述べられている。前記非配位性アニオンという用語は、実際に非配位性アニオン及び十分に活性であるため挿入位で、オレフィン又はアセチレンの不飽和モノマーにより置換され得る配位性アニオンの両方に適用される。これらの非配位性アニオンは、電荷を平衡に保つ対カチオンを含むブレンステッド酸塩として、即ちイオン性助触媒化合物として重合媒体に効率的に導入され得、又は当該アニオンを重合媒体に添加する前に有機金属触媒と効率的に混合され得る。Ｓ．Ｈ．Ｓｔｒａｕｓｓらによる総説論文“Ｔｈｅ　Ｓｅａｒｃｈ　Ｆｏｒ　Ｌａｒｇｅｒ　ａｎｄ　Ｍｏｒｅ　Ｗｅａｋｌｙ　Ｃｏｏｒｄｉｎａｔｉｎｇ　Ａｎｉｏｎｓ”，Ｃｈｅｍ，Ｒｅｖ．，９３，９２７−９４２（１９９３）参照されたい。
【０００３】
Ｍａｒｋｓらの米国特許第５，５０２，０１７号は、好ましくはｔｅｒｔ−ブチルジメチル−シリルのような、シリルアルキル置換を含むハロゲン化アリール置換基で置換された硼素を含む弱配位性アニオンを含むオレフィン重合イオン性メタロセン重合触媒について述べている。Ｍａｒｋｓらは、助触媒として弱配位性のアニオンを開示している。シリルアルキル置換は、生成したメタロセン塩の溶解性及び熱安定性を増すと述べられている。
【０００４】
実施例３乃至５は、助触媒化合物であるトリフェニルカルベニウム テトラキス（４−ジメチル−ｔ−ブチルシリル−２，３，５，６−テトラフルオロフェニル）ボラートの合成及びこれを用いた重合について述べられている。
【０００５】
上述より、オレフィン重合活性体においては、溶液重合の工業的な経済問題を改善、オレフィンのイオン重合触媒系において代わりの活性化化合物を提供するという両方の継続的な必要性がある。
【０００６】
【発明の概略】
本発明は、有機金属触媒の先駆化合物と結合し得る，アニオン含有助触媒の先駆化合物を提供し、これにより挿入，配位又はカルボカチオン重合において活性なオレフィンの重合触媒を形成する。オレフィンの重合は、触媒の適切なモノマーとの接触（接近できるエチレン又はアセチレンの不飽和を有する又はカチオン重合できるオレフィンの不飽和を有するモノマー）に続く触媒形成又は、接触と同時に発生する現場（ｉｎ　ｓｉｔｕ）での触媒形成により進行し得る。本発明の触媒は、オレフィン及びアセチレンの不飽和モノマーからポリマー及びコポリマーを調製するために適している。助触媒の先駆体であるアニオン［Ａ］−は、フルオロアリール配位子が結合した第１３族原子を含み、少なくともこれらのフルオロアリール配位子の１つは、不対電子対を含む第１５族の元素で置換されている。更に、第１５族元素は、不対電子が本質的に不活性となる（即ち活性化された触媒と強く配位しない）電気吸引性の配位子に結合している。
【０００７】
好ましい本発明の助触媒の先駆化合物は、次の式で表され得る。
式：［Ｃｔ］＋［Ｍ（ＡｒＦ）ｎ｛（ＡｒＦ）Ｅ（ＡｒＦ）（Ｒ）｝４−ｎ）］−，
［Ｃｔ］＋は、アルキル基から選ばれ得るカチオン、又は炭素−炭素結合の切断により生じ得るカチオンである。Ｍは第１３族元素、ＡｒＦはフッ素化されたアリール基、Ｅは第１５族元素、ｎは０乃至３、及びＲはＣ１乃至Ｃ２０のヒドロカルビル又はヒドロカルビルシリル置換基である。
【０００８】
詳細な説明
【化１】
2004501228.tif 000002
上記発明の典型的なＡｒＦ及び配位子は、特にフッ素化アリール（フルオロアリール）基、好ましくはペルフルオロ化アリール基を含み、フッ素に加えてフッ素化ヒドロカルビル基のような置換基を有する置換ＡｒＦ基を含む。好ましいフッ素化アリール基は、フェニル、ビフェニル、ナフチル、及びそれらの誘導体を含む。米国特許第５，１９８，４０１号、第５，２９６，４３３号、第５，２７８，１１９号、第５，４４７，８９５号、第５，６８８，６３４号、第５，８９５，７７１号、ＷＯ９３／０２０９９、ＷＯ９７／２９８４５、ＷＯ９９／４３７１７、ＷＯ９９／４２４６７及びＷＯ９９／４５０４２における開示は、適したＡｒＦ基を教示する。芳香族配位子に結合した水素原子の少なくとも３分の１がフッ素置換されていることが好ましく、アリール配位子がペルフルオロ化されていることがより好ましい。ペルフルオロ化とは、アリールの水素原子の各々がフッ素又はフルオロカルビル置換基（例えば、トリフルオロメチル）で置換されていることを意味する。フッ素化することの目的は、ＮＣＡから引抜き可能な水素を取除くことである。上の化学式は、硼素上の代表的な配位子を例示する。Ｅは好ましくは窒素、Ｒは行う重合について所望により選択される。Ｅとして窒素を用いる別の配位子は以下に例示される。
【０００９】
【化２】
2004501228.tif 000003
【００１０】
本質的に、定義されたＲ基は、溶液、塊状、スラリー、及び気相重合法によるようなオレフィン重合に有効である。典型的なＲ基は、メチル、エチル、ｎ−プロピル、イソ−プロピル、ｎ−ブチル、シクロヘキシル、ベンジル、トリメチルシリル、トリエチルシリル、トリ−ｎ−プロピルシリル、トリ−イソプロピルシリル等を含む。溶液重合における特有の利点は、脂肪族溶媒での溶解性が有効に達成されるようにＲを選択することにより実現可能である。本明細書において、「有効溶解度」（ｅｆｆｅｃｔｉｖｅ ｓｏｌｕｂｉｌｉｔｙ）の用語及び同義語は、スラリー技術及び芳香族溶媒を回避しながら、助触媒先駆体が、脂肪族溶媒（ヘキサン等）に十分に溶解して工業的に有用な量の触媒先駆体を活性化するように十分な溶解度を有することを意味する。例えば、トリエチルシリル、又は珪素上の高級炭素数アルキルの選択は、有効溶解度を付与し、一方トリメチルシリルはその付与にはあまり有効ではない。
【００１１】
【化３】
2004501228.tif 000004
上記のイオン助触媒は、［Ｎ，Ｎ，Ｎ−トリエチルアンモニウム］＋（４’−（（ペルフルオロフェン−１−イル）（オクチル）アミノ）ペルフルオロビフェン−４−イル）トリス（ペルフルオロフェン−１−イル）ボラートと呼ばれる。アニオンはボラートと命名され、この場合、トリスペルフルオロフェニルボラートである。（“−１−イル”の記載は通常、命名されるときはフェニルから省略されることに注意すること。“−１−イル”の名称は、基の部分が、基の１つの位置で中心元素に結合していることを示すために用いられる。フェニル基の場合、慣習上、常に１と名付けた結合点を有し、従って結合点を名付ける必要はない。）ボラートは、４番目の配位子、即ち置換されたアミノ基でそれ自身置換されたペルフルオロ化ビフェニル配位子を有する。このビフェニル基は、基の“４”の位置で硼素原子に結合する。これで“ペルフルオロビフェン−４−イル”となる。ビフェニル配位子は、その“４”の位置においてアミノ基で置換される。詳細には、アミノ基は（オクチル）−（ペルフルオロフェン−１−イル）アミノである。従って、名前の一部は“（４’−（ペルフルオロフェン−１−イル）（オクチル）アミノ）”と表される。
【００１２】
【化４】
2004501228.tif 000005
上述のイオン助触媒は、［Ｎ，Ｎ，Ｎ−トリシクロヘキシルアンモニウム］＋［（４−（（ペルフルオロビフェン−４−イル）（トリエチルシリルメチル）アミノ）ペルフルオロフェン−１−イル）トリス（ペルフルオロフェニル）ボラート］と呼ばれる。この場合、アニオンは再度、ボラート、即ちトリス（ペルフルオロフェニル）ボラートと命名される。ボラートは４番目の配位子、即ち、置換されたアミノ基でそれ自身置換されたペルフルオロ化フェニル配位子を有する。このフェニル基は、基の“１”の位置で硼素原子に結合している。これで“ペルフルオロフェン−１−イル”となる。フェニル配位子は、その“４”の位置でアミノ基により置換される。詳細には、アミノ基は（トリエチル（シリル）メチル）（ペルフルオロビフェン−４−イル）アミノである。従って、名前の一部は“（４−（トリエチル（シリル）メチル）（ペルフルオロビフェン−４−イル）アミノ）”と表される。
【００１３】
【化５】
2004501228.tif 000006
上述のイオン助触媒は、［Ｎ，Ｎ，Ｎ−トリエチルアンモニウム］＋［（７−（（ペルフルオロフェニル）（オクチル）ホスフィノ）ペルフルオロナフチル−２−イルビス（ペルフルオロフェニル）（ペルフルオロナフチル）アルミネート）と呼ばれる。この場合、アニオンはアルミネート、即ち、ビスペルフルオロフェニル（ペルフルオロナフチル）アルミネートと命名される。アルミネートは４番目の配位子、即ち、置換されたホスフィノ基でそれ自身置換されたペルフルオロ化ナフチル配位子を有する。このナフチル基は、基の“２”の位置でアルミニウム原子に結合している。これで“ペルフルオロナフト−２−イル”となる。詳細には、ホスフィノ基は（オクチル）（ペルフルオロフェン−１−イル）ホスフィノである。従って、名前の一部は“（７−（ペルフルオロフェン−１−イル）−（オクチル）ホスフィノ）”と表される。
【００１４】
有効なカチオン基（Ｃｔ＋）（活性化カチオン（ａｃｔｉｖａｔｉｎｇ ｃａｔｉｏｎ）と呼ばれる）は、有機金属触媒先駆体からモノアニオンヒドリド、アルキル、又は他のヒドロカルビル、又はヒドロカルビルシリル配位子のような配位子Ｑを引抜き活性触媒とする公知のものである。活性化カチオンは、アルキル基を引抜き又オレフィン重合触媒先駆体の炭素−金属結合を切断するのに適している。好ましくは、Ｃｔ＋は重合を阻害しない。本発明に有用なカチオン基は、米国特許第５，１９８，４０１号及びＷＯ９７／３５８９３のアンモニウム塩のような窒素含有基、米国特許第５，３８７，５６８号にあるトリチルカルベニウム基、ＷＯ９６／０８５１９にあるシリリウムカチオン基を含むが、これらに限定されない。更に、適するカチオンは、ＷＯ９７／３５８９３、及び同時係属米国特許出願０９／６９４．５９５（１９９９年１０月２２日優先権）、６０／１６０，９４２（１９９９年１０月２２日優先権）、０９／７３４，２９６（１９９９年１２月９日優先権）、及び６０／１６９，７６８（１９９９年１２月９日優先権）に記載された、窒素系及び炭素系カチオンを含む。従って、ヒドロカルビル、ヒドロカルビル−アミン、ヒドロカルビル−シリル、好ましくはＣ１−Ｃ２０及び第１、２、１１、及び１１族系のカチオン基が本発明に適している。ヒドロカルビル−アミンの例は、［Ｎ−ペンタフルオロフェニルピロリジン］である。第１５族元素に基づく場合、カチオン部分は３級アミン又はホスフィンであるべきであるが、特殊な２級アミン又はホスフィンも考えられ得る。
【００１５】
本発明の助触媒組成物は、有機及び有機金属化学の技術の範囲内の合成手法で調製され得る。典型的な手順では、非プロトン性極性溶媒中のペンタフルオロアニリンが、塩基の存在下でペンタフルオロブロモベンゼンと組み合わされる。他に可能なアミンが使用され得る。例えば、４−アミノ−ノナフルオロビフェニル又は２−アミノ−ヘプタフルオロナフチルが有用な代替品である。ワークアップ後、フルオロアミンハロベンゼンの組合わせがＮ−（４−ブロモテトラフルオロフェニル）−ペンタフルオロアニリンを与える。この２級アミンの金属ヒドリドとのメタレーションは、対応する２級金属アミドを提供し、それから、これは塩化アルキル、臭化アルキル、又は塩化アルキルシランで処理される。得られる生成物は、対応するテトラアミンである。ワンポット（ｏｎｅ−ｐｏｔ）の手順では、この３級アミンは、最初にアルキルリチウム（例えば、ｎ−ブチルリチウム）と、それから４分の１当量の三塩化硼素と反応させられる。この反応の連続が、Ｌｉ（Ｅｔ２Ｏ）２．５［４−（Ｃ６Ｆ５Ｎ｛ＳｉＲ３｝）−Ｃ６Ｆ４］４Ｂを与える。このリチウム塩を塩化ジアルキルアニリニウムと反応させると、対応するジアルキルアニリニウムボラートを与える。この反応順序の特定の例は図式１に示される。
【００１６】
【化６】
2004501228.tif 000007
【００１７】
配位又は挿入重合によるオレフィン重合触媒に適する触媒先駆体化合物は、従来的なチーグラー・ナッタ重合で有用な、公知の有機金属、遷移金属化合物、特に、重合において有用であることが知られているメタロセンを含む。触媒先駆体に対する要件は、本発明の助触媒による活性化に影響を受けやすくなければならないということである。本発明の助触媒先駆体とともに一般的に有用な触媒先駆体は、第３−１０族の遷移金属化合物を含む。該化合物において、１以上の金属配位子を、助触媒先駆体、特にヒドリド、ヒドロカルビル、及びヒドロカルビルシリルを含む配位子、及びこれらの低級アルキル置換（Ｃ１−Ｃ１０）誘導体により引抜くことができる。例として、ヒドリド、メチル、ベンジル、ジメチル−ブタジエン等を含有する。引抜き可能な配位子及びそれらを含む遷移金属化合物は、例えば、米国特許第５，１９８，４０１号及びＷＯ９２／００３３３に記載されているメタロセンを含む。これらの化合物の合成は、公開された文献から周知である。更に、金属配位子が、化学変化を受けやすいハロゲン、アミド、又はアルコキシ配位子（例えば、ビスシクロペンタジエニルジルコニウムジクロライド）（本発明の助触媒先駆体で容易な引抜きがし得ない）を含む場合、該配位子は、水素化リチウム、アルキルリチウム又は水素化アルミニウム、アルキルアルミニウム、アルキルアルミノキサン、グリニャー試薬等によるアルキル化のような公知のルートで引抜き可能な配位子に転換することができる。触媒活性化の前の、ジハロ置換メタロセンとの有機アルミニウム化合物の反応については、欧州特許第０５００９４４号及び欧州特許第０５７０９８２号も参照のこと。
【００１８】
触媒的に活性な遷移金属カチオンを形成する、１以上の引抜き可能な配位子のある（又は、アルキル化されて含むこととなる）メタロセン化合物の別の記載は、例えば、ＥＰ−Ａ−０１２９３６８、米国特許第４，８７１，７０５号、第４，９３７，２９９号、第５，３２４，８００号、第５，４７０，９９３号、第５，４９１，２４６号、第５，５１２，６９３号、ＥＰ−Ａ−０４１８０４４、ＥＰ−Ａ−０５９１７５６、ＷＯ−Ａ−９２／００３３３、ＷＯ−Ａ−９４／０１４７１、及びＷＯ９７／２２６３５の特許文献に載っている。このようなメタロセンは、本発明については、配位子自体が１以上の基で置換され、そしてお互いに又はヘテロ原子によって遷移金属と架橋し得る、モノ又はビスシクロペンタジエニル置換の第３、４、５、又は６族遷移金属として記載することができる。配位子の大きさと成分及び架橋原子は、本発明の触媒系の調製には重要ではないが、活性を高め、所望のポリマー特性を選択するため、文献記載の方法で選ばれるべきである。好ましくは、シクロペンタジエニル環（インデニル、フルオレニル、アズレニル、又はそれらの置換類似体のような、置換されたシクロペンタジエニル系縮合環を含む）は、互いに架橋した場合には、２位で低級アルキル（Ｃ１−Ｃ６）置換される（縮合環に４位の類似の置換体がある、なしの場合）。シクロペンタジエニル環は、更に、アルキル、シクロアルキル、アリール、アルキルアリール、及びアリールアルキル置換体を含み得、後者は、線状、分岐、又は多重環構造を含む環状構造であり得、例えば米国特許第５，２７８，２６４号及び第５，３０４，６１４号に記載のものである。このような置換体は各々、本質的にヒドロカルビルの特性を有し、典型的に３０までの炭素原子を含むが、１−５の非水素又は非炭素原子（例えば、Ｎ、Ｓ、Ｏ、Ｐ、Ｇｅ及びＳｉ）のようなヘテロ原子を含み得る。
【００１９】
本質的に、任意の公知のメタロセン触媒は、線状ポリエチレン又はエチレン含有コポリマー（ここで、コポリマーは２以上の異なるモノマーを用いて調製されたポリマーを意味する）を調製するのに適している。再度、ＷＯ−Ａ−９２／００３３３及び米国特許第５，０００１，２０５号、第５，１９８，４０１号、第５，３２４，８００号、５，３０４，６１４号及び第５，３０８，８１６号を特定のリストについて参照のこと。アイソタクチック又はシンジオタクチックポリプロピレン製造に適するメタロセン触媒を選択する基準は本技術分野での特許及び学術文献において周知であり、例えば、Ｊｏｕｒｎａｌ ｏｆ Ｏｒｇａｎｏｍｅｔａｌｌｉｃ Ｃｈｅｍｉｓｔｒｙ ３６９，３５９−３７０（１９８９年）を参照のこと。同様に、これらのメタロセンの合成方法も公知である。典型的に、触媒は立体的に剛直で、非対称、キラル又は架橋したキラルなメタロセンである。例えば、米国特許第４，８９２，８５１号、第５，０１７，７１４号、第５，２９６，４３４号、第５，２７８，２６４号、ＷＯ−Ａ−（ＰＣＴ／ＵＳ９２／１００６６）ＷＯ−Ａ−９３／１９１０３、ＥＰ−Ａ２−０５７７５８１、ＥＰ−Ａ１−０５７８８３８及び学術文献“Ｔｈｅ Ｉｎｆｌｕｅｎｃｅ ｏｆ Ａｒｏｍａｔｉｃ Ｓｕｂｓｔｉｔｕｅｎｔｓ ｏｎ ｔｈｅ Ｐｏｌｙｍｅｒｉｚａｔｉｏｎ Ｂｅｈａｖｉｏｒ ｏｆ Ｂｒｉｄｇｅｄ Ｚｉｒｃｏｎｏｃｅｎｅ Ｃａｔａｌｙｓｉｓ”、Ｓｐａｌｅｃｋ、Ｗ．等、Ｏｒｇａｎｏｍｅｔａｌｌｉｃｓ　１９９４，１３，９５４−９６３、及び“ａｎｓａ−Ｚｉｒｃｏｎｏｃｅｎｅ Ｐｏｌｙｍｅｒｉｚａｔｉｏｎ Ｃａｔａｌｙｓｉｓ ｗｉｔｈ Ａｎｎｅｌａｔｅｄ Ｒｉｎｇ　Ｌｉｇａｎｄｓ−Ｅｆｆｅｃｔｓ ｏｎ Ｃａｔａｌｙｔｉｃ Ａｃｔｉｖｉｔｙ ａｎｄ Ｐｏｌｙｍｅｒ Ｃｈａｉｎ Ｌｅｎｇｈｔｓ”、Ｂｒｉｎｚｉｎｇｅｒ，Ｈ．等、Ｏｒｇａｎｏｍｅｔａｌｌｉｃｓ　１９９４，１３，９６４−９７０、及びこれらで引用されている文献を参照のこと。これらの引用の多くがアルミノキサン活性化触媒系を論じているが、類似のメタロセンを本発明の助触媒で活性化することができる。引抜き可能な配位子のない触媒系において、まず１以上の非引抜き可能な配位子が引抜き可能な配位子で置換されなければならない。上述のような、アルキル化による置換が一例として役立つ。更に、メタロセンは、エチレン基−Ｃ＝Ｃ−が入る基（例えば、ヒドリド、アルキル、アルケニル、又はシリル）を含む。Ｇ．Ｇ．Ｈｌａｔｋｙの“Ｍｅｔａｌｌｏｃｅｎｅ ｃａｔａｌｙｓｔｓ ｆｏｒ ｏｌｅｆｉｎ ｐｏｌｙｍｅｒｉｚａｔｉｏｎ Ａｎｎｕａｌ ｒｅｖｉｅｗ ｏｆ １９９６”、Ｃｏｏｒｄｉｎａｔｉｏｎ Ｃｈｅｍｉｓｔｒｙ Ｒｅｖｉｅｗｓ，１８１，２４３−２９６（Ｅｌｓｅｖｉｅｒ Ｓｃｉｅｎｃｅ，１９９９）中の更なる記載を参照のこと。
【００２０】
代表的なメタロセン化合物は以下の式を有する。
【００２１】
ＬＡＬＢＬＣｉＭｃＤＥ
式中、Ｍｃは第３−１０族の金属、好ましくは第３−６族の金属；ＬＡは、Ｍｃに結合した置換又は未置換のシクロペンタジエニル配位子；及びＬＢは、ＬＡで定義した配位子、又はＭｃに結合したヘテロ原子配位子Ｊである。ＬＡとＬＢ配位子は、第１３−１６族元素を含有する架橋を通してお互いに架橋していてもよい。ＬＣｉ（ｉは０乃至３）は、Ｍｃに結合した、任意の中性の非酸化性配位子；Ｄ及びＥは同一又は異なる不安定な配位子であって、所望により、お互い又はＬＡ或いはＬＢと架橋している。Ｄ及びＥの各々はＭｃに結合している。
【００２２】
Ｄ及びＥの同一性は機能的に束縛されている。第１の束縛は、活性化の際、Ｄ−Ｍｃ又はＥ−Ｍｃ結合の何れかが切断しなければならず、これを促進するようにＤ又はＥが選ばれるべきである。もう１つの束縛は、重合可能な分子が、Ｍｃと、Ｄ又はＥの残っている何れかの間に挿入可能でなければならない点である。
【００２３】
シクロペンタジエニルは、置換及び未置換の、５炭素の芳香族環配位子及びそれらのヘテロ原子同族体を包含する。シクロペンタジエニルは、インデニル及びフルオレニルを含む（これらに限定されないが）縮合環系も包含する。また、ヘテロ原子含有環又は縮合環（ここでは、非炭素の、第１３、１４、１５又は１６族の原子が環の炭素を置換する）の使用は、本明細書では“シクロペンタジエニル”の用語の範囲内にあると考えられる。例えば、１９９７年１２月２９日に出願された米国特許出願第０８／９９９，２１４につき優先権を有するＷＯ９８／３７１０６、１９９８年３月１３日に出願された米国特許出願第０９／０４２，３７８につき優先権を有するＷＯ９８／４１５３０を参照のこと。置換シクロペンタジエニル構造とは、１以上の水素原子がヒドロカルビル、ヒドロカルビルシリル、又はヘテロ原子含有の類似構造で置換されることを意味する。ヒドロカルビル構造は、Ｃ１−Ｃ３０の線状、分岐、環状のアルキル、及びシクロ芳香族の縮合及びペンダント環を明確に含む。これらの環も類似の構造で置換され得る。
【００２４】
非限定的な代表的なメタロセン化合物は、ペンタメチルシクロペンタジエニルチタニウム・イソプロポキシド、ペンタメチルシクロペンタジエニルトリベンジル・チタニウム、ジメチルシリルテトラメチル−シクロペンタジエニル−ｔ−ブチルアミド・チタニウムジクロリド、ペンタメチルシクロペンタジエニル・チタニウムトリメチル、ジメチルシリルテトラメチルシクロペンタジエニル−ドデシルアミド・ハフニウムジヒドリド、ジメチルシリルテトラメチルシクロペンタジエニルドデシルアミド・ハフニウムジメチルのようなモノシクロペンタジエニル化合物、ビス（１，３−ブチル、メチルシクロペンタジエニ）ジルコニウムジメチル、ペンタメチルシクロペンタジエニル−シクロペンタジエニルジルコニウムジメチル、（テトラメチルシクロペンタジエニル）−（ｎ−プロピルシクロペンタジエニル）ジルコニウムジメチルのような未架橋のビスシクロペンタジエニル化合物；ジメチルシリルビス（テトラヒドロインデニル）ジルコニウムジクロリド及びシラシクロペンタジエニル（テトラメチルシクロペンタジエニル）（ｎ−プロピル−シクロペンタジエニル）ジルコニウムジメチルのような架橋シクロペンタジエニル化合物；ジメチルシリル−ビスインデニルジルコニウムジクロリド、ジメチルシリル−ビスインデニルハフニウムジメチル、ジメチルシリルビス（２−メチルベンジンデニル）ジルコニウムジクロリド、ジメチルシリルビス（２−メチルベンジンデニル）ジルコニウムジメチルのような架橋ビスインデニル化合物；及びフルオレニル配位子含有化合物（例えば、ジフェニルメチル（フルオレニル）（シクロペンタジエニル）ジルコニウムジメチル）；及び米国特許第５，０１７，７１４号、第５，３２４，８００号、ＷＯ９２／００３３３及びＥＰ−Ａ−０５９１７５６に掲載及び記載されているような別のモノ及びビスシクロペンタジエニル化合物である。
【００２５】
溶液重合での特別の利点は、脂肪族溶媒可溶な先駆体化合物を使用することにより達成することができ、例えばビス（パラ−トリエチルシリル−フェニル）メチレン（２，７−（ジ−ｔｅｒｔ−ブチル）フルオレニル）（シクロペンタジエニル）ハフニウムジメチルは、溶液重合では特に卓越している。しかし、本発明の脂肪族溶媒可溶なアニオン化合物の溶解効果は、オレフィン重合で有用な典型的な有機金属カチオンの低い溶解度を相殺する傾向にある。本発明に有用な、溶解性触媒及び特定のメタロセン並びに先駆体助触媒に関する背景として、米国特許出願０９／４２６，０９９（優先権が１９９９年１０月２２日）、０９／６９４，５９５（優先権が１９９９年１０月２２日）、及び６０／１６０，９４２（優先権が１９９９年１０月２２日）を参照のこと。
【００２６】
代表的な従来的チーグラー・ナッタ遷移金属化合物は、テトラベンジルジルコニウム、テトラビス（トリメチルシリルメチル）ジルコニウム、オキソトリス（トリメチルシリルメチル）バナジウム、テトラベンジルハフニウム、テトラベンジルチタニウム、ビス（ヘキサメチルジシラジド）ジメチルチタニウム、トリス（トリメチルシリルメチル）ニオビウムジクロリド、トリス（トリメチルシリルメチル）タンタルジクロリドを含む。再度、配位重合でのこれら組成物の重要な特徴は、引抜き可能な配位子を有し、エチレン（オレフィン）基が挿入できる配位子を有することである。これらの特徴により、本発明の触媒を形成する、触媒先駆体からの配位子の引抜きが可能となる。
【００２７】
本発明によるオレフィン重合触媒として適する別の有機金属遷移金属化合物は、配位子引抜き又はσ結合切断により触媒的に活性なカチオンに転化され、非配位性又は弱配位性アニオンにより、電荷状態がエチレンのようなオレフィン不飽和モノマーにより置換されるほど不安定であるように安定化され得る、任意の第３−１０族の化合物である。
【００２８】
典型的な化合物は特許文献に記載されたものを含む。国際特許出願公開 ＷＯ９６／２３０１０、ＷＯ９７／４８７３５及びＧｉｂｓｏｎ等のＣｈｅｍ Ｃｏｍｍ．、８４９−８５０頁（１９９８年）は、イオン活性化を経てオレフィンを重合する、第８−１０族の化合物に対するジイミン系配位子を開示する。第５−１０族金属からの遷移金属重合触媒系（遷移金属の活性中心が、低配位数のポリアニオンの配位子系により非常に酸化され安定化される）が、米国特許第５，５０２，１２４号及びその分割米国特許第５，５０４，０４９号に開示されている。また、米国特許第５，８５１，９４５号の第５族有機金属触媒化合物、及び１９９９年４月２９日出願の同時係属米国特許出願第０９／３０２２４３及びこれに対応するＰＣＴ／ＵＳ９９／０９３０６のトリデンテート配位子含有第５−１０族の有機金属触媒を参照のこと。オレフィン及びビニル基含有極性モノマーに有用な、イオン化助触媒で活性化可能な第１１族触媒先駆体化合物が、ＷＯ９９／３０８２２及びその優先権書類である１９９７年１２月１６日出願の米国特許出願第０８／９９１，１６０に記載及び例示されている。
【００２９】
米国特許第５，３１８，９３５号は、α−オレフィンの挿入重合が可能な、架橋及び未架橋の第４族金属のビスアミド遷移金属触媒化合物を記載する。オレフィン重合用の架橋ビス（アリルアミド）第４族化合物は、Ｄ．Ｈ．ＭｃＣｏｎｖｉｌｌｅ等によりＯｒｇａｎｏｍｅｔａｌｌｉｃｓ １９９５，１４，５４７８−５４８０頁に記載された。合成法及び化合物の特性決定が示された。Ｄ．Ｈ．ＭｃＣｏｎｖｉｌｌｅ等のＭａｃｒｏｍｏｌｅｃｕｌｅｓ １９９６，２９，５２４１−５２４３頁に載っている更なる研究は、１−ヘキセンの重合触媒である架橋ビス（アリルアミド）第４族化合物を記載する。別の発明である適する遷移金属化合物は、ＷＯ９６／４０８０５に記載されたものを含む。オレフィン類のオレフィン配位重合用の第３族のカチオン又はランタニド金属錯体は、１９９９年９月２９日出願の同時係属米国特許出願第０９／４０８０５０及びその対応出願ＰＣＴ／ＵＳ９９／２２６９０に開示されている。触媒先駆体は、モノアニオンビデンテート配位子と２つのモノアニオン配位子で安定化され、本発明のイオン助触媒で活性化することができる。
【００３０】
文献は、適した有機金属及び有機メタロイド触媒先駆体化合物についての多くの別の記載を含む。引抜き可能な配位子を含み又アルキル化されて引抜き可能な配位子を含む化合物は、本発明の実施ひ適している。例えば、Ｖ．Ｃ．Ｇｉｂｓｏｎ等の“Ｔｈｅ Ｓｅａｒｃｈ ｆｏｒ Ｎｅｗ−Ｇｅｎｅｒａｔｉｏｎ Ｏｌｅｆｉｎ Ｐｏｌｙｍｅｒｉｚａｔｉｏｎ Ｃａｔａｌｙｓｔｓ：Ｌｉｆｅ Ｂｅｙｏｎｄ Ｍｅｔａｌｌｏｃｅｎｅｓ”、Ａｎｇｅｗ．Ｃｈｅｍ．Ｉｎｔ．Ｅｄ．，３８，４２８−４４７頁（１９９９年）を参照のこと。
【００３１】
本発明の上記の触媒を用いる場合、該触媒系は、反応環境からの極性の不純物を取除き、触媒活性を増大させる１以上の掃去剤を一般に用いる。任意の重合反応成分、特に溶媒、モノマー及び触媒供給物は、偶然に不純物を導入し得、そして触媒活性と安定性に悪影響を及ぼす。不純物は、特にイオン化アニオン活性された（ｉｏｎｉｚｉｎｇ−ａｎｉｏｎ−ａｃｔｉｖａｔｅｄ）触媒系においては、触媒活性を低減又は除去する。極性の不純物又は触媒毒は、水、酸素、金属不純物等を含む。好ましくは、これらの不純物は、反応容器への反応成分の添加前に、それら成分から取除かれ又は低減される。不純物は、該成分を化学的に処理すること又は不純物分離工程により取除くことが出来る。このような処理又は分離は、該成分の合成の間又は後に行うことができる。いずれの場合においても、重合法は通常少量の掃去剤を用いる。典型的には、これらの掃去剤は、米国特許第５，１５３，１５７号、第５，２４１，０２５号及びＷＯ−Ａ−９１／０９８８２、ＷＯ−Ａ−９４／０３５０６、ＷＯ−Ａ−９３／１４１３２に記載された第１３族化合物及びＷＯ９５／０７９４１の化合物のような有機金属である。典型的な化合物は、トリエチルアルミニウム、トリエチルボラン、トリイソブチルアルミニウム、メチルアルミノキサン、及びイソブチルアルミノキサンを含む。金属又はメタロイド中心に結合した嵩高な又はＣ６−Ｃ２０線状ヒドロカルビル置換基を有する化合物が好ましい。なぜなら、それらは活性触媒にあまり配位しないからである。例としては、トリエチルアルミニウムを含むが、より好ましくは、トリイソブチルアルミニウム、トリイソプレニルアルミニウムのような嵩高い化合物；トリ−ｎ−ヘキシルアルミニウム、トリ−ｎ−オクチルアルミニウム、又はトリ−ｎ−ドデシルアルミニウムのような長鎖線状アルキル置換のアルミニウム化合物を含む。アルミノキサンが活性剤として使用される場合、触媒を活性化するの必要量より超過量は毒掃去剤として働き、追加の有機金属化合物は必要ではない。アルミノキサンも他の活性化手段とともに掃去量で使用され得、例えば、ボロン系活性化剤とともにメチルアルミノキサン及びトリイソブチル−アルミノキサンがある。このような化合物の使用されるべき量は、重合の間、活性化を高めるのに有効な量まで（また、二重の役割で用いられる場合、触媒化合物の活性化に必要な量で）最小化される。なぜなら、過剰量は触媒を該するからである。
【００３２】
本発明の触媒系は、メタロセンを用いて配位重合可能であると従来から認められている不飽和モノマーを重合することができる。典型的な条件は、溶液、スラリー、気相及び高圧重合を含む。触媒は無機酸化物又はポリマーの支持体で担持され、それ自体は、単一、連続、又は平行反応器で行われる、固定床、移動床、流動床、スラリー、又は溶液法を用いる運転モードにおいて特に有用である。本発明の触媒予備重合も、技術分野で認められているスラリー又は気相反応法で更なるポリマー粒子のモルフォロジー制御のため使用され得る。ＷＯ９８／５５５１８は、気相又はスラリー重合についての、本発明の好ましい担持法を記載する。
【００３３】
本発明のオレフィン重合法のもう１つの態様は、液相（溶液、スラリー、懸濁、塊状相、又はそれらの組合わせ）、高圧液相又は超臨界流動相、或いは気相の触媒系を用いる。これらの方法も、単一、平行、又は連続反応器中で使用され得る。液体法は、オレフィンモノマーを上述の適した希釈剤又は溶媒中で触媒系と接触させ、これらのモノマーを十分長く反応させて本発明のコポリマーを生成させることを含む。脂肪族及び芳香族ヒドロカルビル溶媒の両方が適しており、ヘキサンが好ましい。塊状及びスラリー法は、典型的に、担持触媒を液体モノマースラリーと接触させることにより行われる。気相法は、典型的に、担持触媒を使用し、エチレンホモポリマー又はコポリマーが配位重合により調製されるのに適する方法で行われる。実例が米国特許第４，５４３，３９９号、第４，５８８，７９０号、第５，０２８，６７０号、５，３８２，６３８号、第４，３５２，７４９号、第５，４０８，０１７号、第５，４３６，３０４号、第５，４５３，４７１号及び第５，４６３，９９９号、第５，７６７，２０８号、及びＷＯ９５／０７９４２に見出され得る。
【００３４】
重合温度は、約４０℃くらいまで低くすることができる。好ましくは、最低の反応温度は約６０℃である。温度は、約２５０℃くらいまで高くすることができるが、好ましくは２２０℃を越えない。最低の反応圧力は約１ｍｍＨｇであるが、好ましくは約０．１バール、最も好ましくは１．０バールである。最大圧力は、約２５００バール以下、好ましくは１６００バール以下、最も好ましくは５００バール以下である。
【００３５】
均一溶液重合については、触媒を導入する時に用いられる溶媒の量と種類が、導入法と同様に、制御されると最良の結果が得られ場合がある。一般に、完全な溶液を得てスラリー系を避けることが好ましく、従って、低温で、相当高濃度の触媒で、少量の溶媒の使用が好ましいと考えられている。これらの目標を満たす困難さは、非配位性アニオンと遷移金属成分の溶解度により変わる。
【００３６】
本発明は、弾性オレフィンコポリマーについては１１０℃より高く、プラストマーエチレンコポリマーについては、より好ましくは１６０℃より高く２５０℃までの重合温度で、架橋フルオレニルメタロセンハフニウム化合物を用いて、溶液重合での使用に特に適している。
【００３７】
本発明の触媒系は、ホモポリマー及び他のアルファ−オレフィンモノマー、又はアルファ−オレフィンの又は非共役のジオレフィン（例えば、Ｃ３−Ｃ２０オレフィン、ジオレフィン、又は環状オレフィン）とのコポリマーの両方を含む、高分子量及び超高分子量のポリエチレンを含む様々な種類の線状ポリエチレンを製造することができる。ポリエチレンは、エチレン及び所望により１以上の他のモノマーを、ヘキサン又はトルエン等の溶媒に懸濁した本発明の触媒とともに、低圧（典型的に＜５０バール）下、４０―２５０℃の典型的な温度で反応器に添加することにより製造される。冷却は一般に重合熱を除去する。気相重合は、例えば、最低で２０００ｋＰａ、高くて３０００ｋＰａで運転される連続式流動床気相反応器で行うことができる。最低温度は６０℃、最高温度は１６０℃である。気相反応は、反応改質剤として水素を１００ＰＰＭもの濃度で使用する。水素ガス濃度は２００ＰＰＭを越えるべきではない。この反応は、Ｃ４−Ｃ８コモノマーの供給物流れとＣ２供給物流れを使用する。Ｃ４−Ｃ８供給物流れは０．５モル％まで下がる。これは１．２モル％までも上がり得る。最後に、Ｃ２供給物流れは２５モル％の最低濃度を有する。その最高濃度は３５モル％である。米国特許第４，５４３，３９９号、第４，５８８，７９０号、第５，０２８，６７０号、第５，４０５，９２２号、及び第５，４６２，９９９号を参照のこと。
【００３８】
高分子量の、低結晶化度のエチレン−α−オレフィンエラストマー（エチレン−環状オレフィン及びエチレン−α−オレフィン−ジオレフィンエラストマーを含む）は、従来の溶液重合法の下で本発明の触媒を用いて、又はα−オレフィン、環状オレフィン、又は重合希釈剤として働く、他の重合可能な及び重合可能でない化合物と混合されたその何れか又は両方との本発明の触媒のスラリーにエチレンガスを導入することにより、調製することができる。典型的なエチレンの圧力は１０と１０００ｐｓｉｇ（６９−６８９５ｋＰａ）で、重合希釈剤温度は、典型的に、４０と１６０℃の間である。該方法は、個々に、連続して又は平行に運転される１以上の攪拌タンク反応器で行われ得る。一般的なプロセス条件については、米国特許第５，００１，２０５号の一般的開示を参照のこと。また、国際出願ＷＯ９６／３３２２７及びＷＯ９７／２２６３９を参照のこと。
【００３９】
上で明確に記載されているもの以外の他のオレフィン系不飽和モノマーは、本発明の触媒を用いて重合され得、例えば、スチレン、アルキル置換スチレン、イソブチレン及び他の対で二置換したオレフィン、エチリデン、ノルボルネン、ノルボルナジエン、ジシクロペンタジエン、及びシクロペンテン、ノルボルネン、アルキル置換ノルボルネン、及び配位重合可能なビニル基含有極性モノマーを含む、他のオレフィン系不飽和モノマーである。例えば、米国特許第５，６３５，５７３号、第５，７６３，５５６号、及びＷＯ９９／３０８２２を参照のこと。更に、１０００以上のモノマー単位からなるアルファ−オレフィンマクロモノマーが共重合に取込まれ得、分岐含有オレフィンポリマーをもたらす。更に、オリゴマー化、ダイマー化、水素化、オレフィン／一酸化炭素の共重合、ヒドロホルミル化、ヒドロシリル化、ヒドロアミン化、及び有機金属カチオンを用いる関連する触媒反応を、本技術分野で公知な適切に選択された有機金属化合物とともに本発明の助触媒を用いて成し遂げることができる。
【００４０】
本発明の触媒組成物は、配位重合に対して上述のように個々に用いることができ、又ポリマーブレンドを調製するため他の公知のオレフィン重合触媒化合物と混合することができる。モノマーと配位触媒化合物の選択により、個々の触媒組成物を用いるのと類似した重合条件下でポリマーブレンドを調製することができる。従って、増大したＭＷＤを有するポリマーが、混合触媒系で製造されるポリマーから得られる改良された加工性及び他の従来の利益を得ることができる。
【００４１】
ブレンドしたポリマーの形成は、機械的ブレンドによる現場外で又は混合触媒系の使用により現場において達成することができる。現場でのブレンドは、より均一な生成物を与え、ブレンドが一工程で製造できると一般に考えられている。混合触媒系との現場でのブレンドは、同じ反応器で１以上の触媒を組合わせて、複数の別のポリマー生成物を同時に製造することを含む。この方法は、追加の触媒合成を必要とし、種々の触媒成分は、その活性、特定の条件で触媒が生成するポリマー生成物、及び重合条件の変化に対する触媒の応答に対して調和されなければならない。
【００４２】
非配位性アニオンの非限定リスト
２’−（（プロピル）（４，５，６−トリ−フルオロ−ナフチル）ホスフィノ）ペル−フルオロ−ビフェン−４−イル）（ペンタルフルオロピレニル）−（テトラフルオロ−フルオレニル）−（ペンタフルオロ−アントラセニル）−ボラ−ト；２’−（（トリ−イソ−プロピル−シリル−オクチル）−（ペル−フルオロ−ビフェニル）アミノ）ペル−フルオロ−ビフェン−４−イル）（ペル−フルオロ−ナフチル）−（ペンタルフルオロ−ピレニル）−（２，３，５−トリ−フルオロ−フェニル）−ボラ−ト；２’−（（トリ−ｎ−プロピル−シリル）（ペンタルフルオロ−ピレニル）アルシノ）ペル−フルオロビフェン−４−イル）（ペル−フルオロ−フェニル）−（２’，３’，５’−トリ−フルオロ−ビフェニル）−（ペル−フルオロ−ナフチル）−ボラ−ト；３−（（３エチル−ノニル）（ペル−フルオロ−アントラセニル）アミノ）ペル−フルオロ−フェニル）（ペル−フルオロ−ピレニル）−（ペル−フルオロ−ビフェニル）−（ペル−フルオロ−ナフチル）−ボラ−ト；
３−（（３−エチル−ノニル）ペル−フルオル−フルオレニル）アミノ）ペル−フルオロフェニル）（ペル−フルオロ−フェニル）−（４，５，６−トリ−フルオロ−ナフチル）−（ペル−フルオロ−ナフチル）−ボラ−ト；３−（（トリエチルシリル−プロピル）（２，３，４−トリ−フルオロ−フェニル）アミノ）ペル−フルオロ−フェニル）（ペル−フルオロ−ビフェニル）−（ペル−フルオロ− フェニル）−（ペンタルフルオロ−ピレニル）−アルミネート；３’−（（ベンジル）（ペンタルフルオロ−ピレニル）アミノ）ペル−フルオロビフェン−４−イル）（５，６，７，８−テトラフルオロ−ナフチル）−（ペル−フルオロ−フェニル）−（ペンタフルオル−アントラセニル）−アルミネート；３−（（ブチル）（ペル−フルオロ−フェニル）アミノ）ペル−フルオロ−フェニル）（２’，３’，４’−トリ−フルオロ−ビフェニル）（ペル−フルオロ−ビフェニル）−（ペンタフルオロ−アントラセニル）−ボラ−ト；３’−（（ジエチル−ノンリ−シリル）（ペル−フルオロ− フェニル）アミノ）ペル−フルオロ−ビフェン−４−イル）（ペル−フルオロ−アントラセニル）−（２’，３’，４’−トリ−フルオロ−ビフェニル）−（２，３，５トリ−フルオロ−フェニル）−ボラ−ト；３−（（ヘキシル）（ペル−フルオロ−ビフェニル）アミノ）ペル−フルオロ−フェニル）（ペル−フルオロ− フルオレニル）−（ペル−フルオロ−アントラセニル）−（４，５，６−トリ−フルオロ−ナフチル）−ボラ−ト；３−（（イソ−プロピル）（２’，３’，４’−トリフルオロ−ビフェニル）アミノ）ペル−フルオロ−フェニル）（２，３，４−トリ−フルオロ−フェニル）−（２’，３’，４’−トリ−フルオロ−ビフェニル）（２’，３’，５’−トリ−フルオロ−ビフェニル）−ボラ−ト；
３’−（（イソ−プロピル）（ペル−フルオロ−ビフェニル）ホスフィノ）ペル−フルオロビフェン−４−イル）（ペンタルフルオロ−ピレニル）−（５，６，７，８−テトラフルオロ−ナフチル）−（ペル−フルオロ−ビフェニル）−ボラ−ト；３’−（（メチル）（ペル−フルオロ−ビフェニル）アミノ）ペル−フルオロ−ビフェン−４−イル）（２，３，６−トリ−フルオロ−フェニル）−２’，３’，４’−トリ−フルオロ−ビフェニル）−（ペル−フルオロ−フェニル）−アルミネート；３’−（（メチル−ジエチル−シリル−オクチル）（ペル−フルオロ− フルオレニル）アミノ）ペル−フルオロ−ビフェン−４−イル）（ペル−フルオロ−ピレニル）−（ペンタルフルオロ−ピレニル）−（ペル−フルオロ−フェニル）−アルミネート；３−（（メチル−エチル−ヘキシル−シリル）（２’，３’，４’−トリ−フルオロ−ビフェニル）アミノ）ペル−フルオロフェニル）（ペル−フルオロ−ピレニル）−（ペル−フルオロ−ビフェニル）−（ペンタフルオロ−アントラセニル）−ボラ−ト；３−（（ｎ−ブチル）（２’，３’，５’−トリ−フルオロ−ビフェニル）アミノ）ペル−フルオロ−フェニル）（２，３，５−トリ−フルオロ−フェニル）−（ペル−フルオロナフチル）−（ペル−フルオロ−フルオレニル）−アルミネート；３−（（ｎ−ブチル）（ペル−フルオロ−ナフチル）アミノ）ペル−フルオロフェニル）（５，６，７，８−テトラフルオロ−ナフチル）−（ペル−フルオロ−フェニル）−（ペル−フルオロ−フルオレニル）−ボラ−ト；３−（（オクチル）（ペル−フルオロ−フェニル）アミノ）ペル−フルオロ−フェニル）（２，３，６−トリ−フルオロ−フェニル）−（２’，３’，５’−トリ−フルオロビフェニル）−（ペル−フルオロ−ビフェニル）−ボラ−ト；３−（（オクチル）（ペル−フルオロ−フェニル）ホスフィノ）ペル−フルオロフェニル）（ペンタルフルオロ−ピレニル）−（２，３，４−トリ−フルオロ−フェニル）−（ペル−フルオロ−フェニル）−アルミネート；３−（（プロピル）（ペル−フルオロ−ビフェニル）ホスフィノ）ペル−フルオロ−フェニル）ビス（２，３，６−トリ−フルオロ−フェニル）−（ペルフルオロ−フェニル）−ボラ−ト；３’−（（プロピル）（ペル−フルオロ−ピレニル）アミノ）ペル−フルオロ−ビフェン−４−イル）（２，３，６−トリフルオロ−フェニル）−（４，５，６，７−テトラフルオル−ナフチル）−（ペル−フルオロ−フェニル）−ボラ−ト；３−（（トリエチル−シリル−エチル）−（４，５，６−トリ−フルオロ−ナフチル）ホスフィノ）ペル−フルオロ−フェニル）ビス （ペル−フルオロ−ビフェニル）−（４，５，６−トリ−フルオロ−ナフチル）−ボラ−ト；３’−（（トリエチル−シリル−エチル）（ペンタルフルオロ−ピレニル）アミノ）ペル−フルオロ−ビフェン−４−イル）（２，３，５−トリ−フルオロ−フェニル）−（ペル−フルオロ−フェニル）−（４，５，６−トリ−フルオロ−ナフチル）−アルミネート；３’−（（トリエチル−シリル−エチル）（ペル−フルオロ−ビフェニル）アミノ）ペル−フルオロ−ビフェン−４−イル）（２’，３’，４’−トリ−フルオロ−ビフェニル���（ペンタルフルオロ−ピレニル）−（ペル−フルオロ−ピレニル）−ボラ−ト；３−（（トリ−イソ−プロピル−シリル−オクチル）（ペル−フルオロアントラセニル）ホスフィノ）ペル−フルオロ−フェニル）（２’，３’，５’−トリ−フルオロ−ビフェニル）−（４，５，７−トリ−フルオロ− ナフチル）−（２，３，４−トリ−フルオロ−フェニル）−ボラ−ト；３’−（（トリメチル−シリル）（ペル−フルオロ−ビフェニル）アミノ）ペルフルオロ−ビフェン−４−イル）（ペンタルフルオロ−ピレニル）−（４，５，６，７−テトラフルオロ−ナフチル）−（ペル−フルオロ−ビフェニル）ボラ−ト；３’−（（トリ−ｎ−プロピル−シリル）（４，５，６，７−テトラフルオロ−ナフチル）アミノ）ペル−フルオロ−ビフェン−４−イル）−（ペンタフルオロ−アントラセニル）−（ペル−フルオロ−ビフェニル）−（２，３，４−トリ−フルオロ−フェニル）−アルミネート；
３−（（トリ−ｎ−プロピル−シリル）（ペンタフルオロ−アントラセニル）アミノ）フルオロ−フェン−１−イル）（２，３，４−トリ−フルオロ−フェニル）−（ペル−フルオロ−ナフチル）−（２’，３’，４’−トリ−フルオロ−ビフェニル）−ボラ−ト；３−（（トリ−ｎ−プロピル−シリル）（ペル−フルオロ−ビフェニル）アルシノ）ペル−フルオロ−フェニル）（４，５，６，７−テトラフルオロ−ナフチル）−（ペル−フルオロ−アントラセニル）−（５，６，７，８テトラフルオロ−ナフチル）−ボラ−ト；３−（（トリ−ｎ−プロピル−シリル−ヘキシル）（ペル−フルオロ−フェニル）ホスフィノ）ペルフルオロ−フェニル）（２，３，６−トリ−フルオロ−フェニル）−（ペンタフルオロ−アントラセニル）−（４，５，７−トリ−フルオロ−ナフチル）−ボラ−ト；３−（（トリ−ｎ−プロピル−シリル−ヘキシル）（ペル−フルオロ−ピレニル）ホスフィノ）ペル−フルオロ−フェニル）（ペル−フルオロ− フェニル）−（２’，３’，５’−トリ−フルオロ−ビフェニル）−（ペル−フルオロ−アントラセニル）−ボラ−ト；４’−（（３−エチル−ノニル）−（ペンタルフルオロ−ピレニル）アミノ）ペル−フルオロ−ビフェン−４−イル）（５，６，７，８−テトラフルオロ−ナフチル）−（ペル−フルオロナフチル）−（ペンタルフルオロ−ピレニル）−ボラ−ト；４−（（３−エチル−ノニル）（ペル−フルオロ−フェニル）ホスフィノ）ペルフルオロ−フェニル）（２，３，４−トリ−フルオロ−フェニル）−（５，６，７，８−テトラフルオロ−ナフチル）−（４，５，７−トリ−フルオロ−ナフチル）−アルミネート；４’−（（トリエチル−シリル−プロピル）（ペル−フルオロ−フェニル）アミノ）フルオロ−ビフェン−４−イル）（ペル−フルオロ−アントラセニル）−（２’，３’，５’−トリ−フルオロ−ビフェニル）−（ペル−フルオロ−フェニル）−ボラ−ト；４−（（トリエチル−シリル−プロピル）−（ペル−フルオロ−フェニル）アミノ）ペル−フルオロ−フェニル）（ペル−フルオロ−ナフチル）−（ペル−フルオロ−ビフェニル）−（ペル− フルオロ−フルオレニル）−アルミネート；
４−（（２，２−ジメチル−オクチル）（２’，３’，５’−トリ−フルオロ−ビフェニル）ホスフィノ）ペルフルオロ−フェニル）（ペル−フルオロ−ピレニル）−（ペル−フルオロ−ビフェニル）−（ペル−フルオロ−フェニル）−ボラ−ト；４’−（（２，２−ジメチル−オクチル）（ペル−フルオロ−フェニル）アミノ）ペル−フルオロ−ビフェン−４−イル）（ペル−フルオロ−アントラセニル）（２’，３’，４’−トリ−フルオロ−ビフェニル）−（２，３，５−トリ−フルオロ−フェニル）−ボラ−ト；４’−（（２，２−ジメチル−オクチル）（ペル−フルオロ−フェニル）アルシノ）ペル−フルオロ−ビフェン−４−イル）（２，３，６−トリ−フルオル−フェニル）−（２’，３’，５’−トリ−フルオロ−ビフェニル）−（２，３，４−トリ−フルオロ−フェニル）−ボラ−ト；４’−（（ベンジル）（４，５，６−トリ−フルオロ−ナフチル）アミノ）ペル−フルオロ−ビフェン−３−イル）（４，５，７−トリ−フルオロ−ナフチル）−（ペル−フルオロ−フルオレニル）−（４，５，６−トリ−フルオロ−ナフチル）−アルミネート；４’−（（ベンジル）（５，６，７，８−テトラフルオロ−ナフチル）アミノ）ペル−フルオロ−ビフェン−４−イル）（ペル−フルオロ−ビフェニル）−（ペル−フルオロ−アントラセニル）−（４，５，７−トリ−フルオロ−ナフチル）−ボラ−ト；４’−（（ベンジル）（ペル−フルオロ−ピレニル）アミノ）ペルフルオロ−ビフェン−３−イル）（２’，３’，５’−トリフルオル−ビフェニル）−（ペンタフルオロ−ピレニル）−（ペル−フルオル−フルオレニル）アルミネート；４’−（（ブチル）（ペル−フルオロ−アントラセニル）アミノ）ペル−フルオロ−ビフェン−４−イル）ビス（４，５，６−トリ−フルオロナフチル）−（ペル−フルオロ−フェニル）−ボラ−ト；４’−（（ジエチル−ノンリ−シリル）（２，３，６−トリ−フルオロ−フェニル）アミノ）ペルフルオロ−ビフェン−４−イル）（４，５，６，７−テトラフルオロ−ナフチル）−（テトラフルオロ−フルオレニル）−（ペル−フルオロ−ビフェニル）−ボラ−ト；４−（（ジエチル−ノンリ−シリル）（４，５，７−トリ−フルオロ−ナフチル）ホスフィノ）ペル−フルオロ−フェニル）（２’，３’，５’−トリフルオロ−ビフェニル）−（ペル−フルオロ−アントラセニル）−（ペル−フルオロ−フルオレニル）−ボラ−ト；４’−（（ヘキシル）（２’，３’，４’−トリフルオロ−ビフェニル）アミノ）フルオロ−ビフェン−４−イル）（４，５，６，７−テトラフルオロ−ナフチル）−（ペル−フルオロアントラセニル）−（ペル−フルオロ−フルオレニル）−ボラ−ト；４’−（（ヘキシル）（ペル−フルオロ−アントラセニル）アミノ）ペル−フルオロビフェン−４−イル）（２，３，６−トリ−フルオロ−フェニル）−（ペル−フルオロ−フェニル）−（４，５，６，７−テトラフルオロ−ナフチル）−ボラ−ト；４’−（（イソ−プロピル）（ペル−フルオロ−アントラセニル）ホスフィノ）ペル−フルオロ−ビフェン−３−イル）（ペル−フルオロ−ビフェニル）−（ペル−フルオロ−アントラセニル）−（テトラフルオロ−フルオレニル）−アルミネート；４−（（メチル−ジエチル−シリル−オクチル）（２’，３’，５’−トリ−フルオロ−ビフェニル）アミノ）ペル−フルオロ−フェニル）（ペル−フルオロ−フェニル）−（ペル−フルオロ−ピレニル）−（ペル−フルオロ− フルオレニル）−ボラ−ト；４’−（（メチル−ジエチル−シリル−コチル）（ペンタルフルオロ−ピレニル）アミノ）ペル−フルオロ−ビフェン−３−イル）（ペル−フルオロ−フェニル）−（ペル−フルオロ−ピレニル）−（４，５，６，７−テトラフルオロ−ナフチル）−ボラ−ト；４’−（（メチルジエチル−シリル−オクチル）（ペル−フルオロ−アントラセニル）ホスフィノ）ペル−フルオロ−ビフェン−４−イル）（ペル−フルオロフルオレニル）−（ペル−フルオロ−フェニル）−（ペンタフルオロ−アントラセニル）−アルミネート；４’−（（メチル−ジエチル−シリル−オクチル）（ペル−フルオロ−ビフェニル）アミノ）ペル−フルオロ−ビフェン−４−イル）（２，３，４−トリ−フルオル−フェニル）−（テトラフルオロフルオレニル）−（５，６，７，８−テトラフルオロ−ナフチル）−ボラ−ト；４−（（メチル−エチル−ヘキシル−シリル）（ペンタルフルオロピレニル）アミノ）ペル−フルオロ−フェニル）（ペンタフルオロ−アントラセニル）−（２，３，６−トリ−フルオロ−フェニル）−（ペル−フルオロ− ナフチル）−ボラ−ト；
４’−（（メチル−エチル−ヘキシル−シリル）（ペル−フルオロ−フェニル）アミノ）ペル−フルオロ−ビフェン−４−イル）（テトラフルオロ−フルオレニル）−（２，３，４−トリ−フルオロ−フェニル）−（ペル−フルオロ−アントラセニル）−ボラ−ト；４’（（メチル−エチルヘキシル−シリル）（ペル−フルオロ−フェニル）アルシノ）ペル−フルオロ−ビフェン−３−イル）（５，６，７，８−テトラフルオロ−ナフチル）−（ペルフルオロ−ビフェニル）−（２，３，５−トリ−フルオロ−フェニル）−アルミネート；４’−（（メチル−エチル−ヘキシル−シリル）（ペル−フルオロ− ピレニル）アミノ）ペル−フルオロ−ビフェン−３−イル）（ペル−フルオロ−アントラセニル）−（２，３，６−トリ−フルオロ−フェニル）−（２，３，４−トリ−フルオロ−フェニル）−ボラ−ト；４’−（（ノニル）（４，５，７−トリ−フルオロ−ナフチル）アミノ）ペル−フルオロ−ビフェン−３−イル）（ペルフルオロ−ビフェニル）−（４，５，７−トリ−フルオロ−ナフチル）−（２，３，５−トリ−フルオロ−フェニル）−ボラ−ト；４’−（（オクチル）（５，６，７，８−テトラフルオロ−ナフチル）アミノ）ペル−フルオロ−ビフェン−３−イル）（ペル−フルオロ−ビフェニル）−（５，６，７，８−テトラフルオロナフチル）−（ペル−フルオロ−フルオレニル）−アルミネート；４−（（オクチル）（ペンタフルオロ−アントラセニル）アミノ）ペル−フルオロフェニル）（ペル−フルオロ−アントラセニル）−（ペル−フルオロ−ピレニル）−２，３，５−トリ−フルオロ−フェニル）−ボラ−ト；４’−（（プロピル）（２’，３’，５’−トリ−フルオロ−ビフェニル）アミノ）ペル−フルオロ−ビフェン−４−イル）（２’，３’，４’−トリ−フルオロ−ビフェニル）（ペル−フルオロ−ナフチル）−（ペル−フルオロ−フェニル）−アルミネート；
４−（（プロピル）（ペル−フルオロ−アントラセニル）アミノ）ペル−フルオロ−フェニル）（４，５，６−トリ−フルオロ−ナフチル）−（ペル−フルオロ−ピレニル）−（４，５，６，７−テトラフルオロ−ナフチル）ボラ−ト；４’−（（トリエチルシリル）（２’，３’，５’−トリ−フルオロ−ビフェニル）アミノ）ペル−フルオロ−ビフェン−３−イル）（２，３，５−トリ−フルオロフェニル）−（ペンタルフルオロ−ピレニル）−（ペル−フルオロ−フェニル）−アルミネート；４’−（（トリエチルシリル）（ペンタルフルオロ− ピレニル）アミノ）ペル−フルオロ−ビフェン−３−イル）（ペル−フルオロ−フェニル）−（４，５，７−トリ−フルオル−ナフチル）−（テトラフルオロフルオレニル）−ボラ−ト；４’−（（トリエチルシリル）（ペル−フルオロ−ビフェニル）アミノ）ペル−フルオロ−ビフェン−３−イル）ビス （ペルフルオロ−アントラセニル）−（ペル−フルオロ−ピレニル）−ボラ−ト；４’−（（トリエチル−シリル−エチル）（２，３，５−トリ−フルオロ−フェニル）アミノ）ペル−フルオロ−ビフェン−４−イル）（ペル−フルオロ−ナフチル）−（ペル−フルオロ−ビフェニル）−（ペル−フルオロ−フェニル）ボラ−ト；４−（（トリエチル−シリル−エチル）（４，５，７−トリ−フルオロ−ナフチル）アミノ）ペル−フルオロ−フェニル）（ペンタルフルオロピレニル）−（ペル−フルオロ−ビフェニル）−（ペンタフルオロ−アントラセニル）−ボラ−ト；４’−（（トリエチル−シリル−エチル）（ペルフルオロ−アントラセニル）ホスフィノ）フルオロ−ビフェン−３−イル）（テトラフルオロ−フルオレニル）−（ペル−フルオロ−ビフェニル）（２，３，６−トリ−フルオロ−フェニル）−ボラ−ト；４−（（トリエチル−シリル−エチル）（ペル−フルオロ−ビフェニル）アミノ）ペル−フルオロフェニル）（２’，３’，５’−トリ−フルオロ−ビフェニル）−（４，５，６，７−テトラフルオロ−ナフチル）−（ペル−フルオロ−ピレニル）−ボラ−ト；４’−（（トリ−イソ−プロピル−シリル）（２’，３’，４’−トリ−フルオロ−ビフェニル）ホスフィノ）ペル−フルオロ−ビフェン−３−イル）（５，６，７，８−テトラフルオロ−ナフチル）−（ペル−フルオロ−ピレニル）−（ペンタルフルオロ−ピレニル）−アルミネート；４−（（トリ−イソ−プロピル−シリル）（ペル−フルオロ−ビフェニル）アミノ）ペル−フルオロ−フェニル）（４，５，７−トリ−フルオロ−ナフチル）−（ペル−フルオロ−ナフチル）−（２’，３’，５’−トリ−フルオロ−ビフェニル）−ボラ−ト；４−（（トリ−イソ−プロピル−シリル）（ペル−フルオロ−ビフェニル）アミノ）ペル−フルオロ−フェニル）ビス（ペンタルフルオロ−ピレニル）−（ペル−フルオロ−ピレニル）−ボラ−ト；４’−（（トリ−イソ−プロピル−シリルオクチル）（２，３，４−トリ−フルオロ−フェニル）ホスフィノ）ペル−フルオロ−ビフェン−３−イル）（２，３，５−トリ−フルオロ−フェニル）（４，５，６，７−テトラフルオロ−ナフチル）−（テトラフルオロ−フルオレニル）−ボラ−ト；
４’−（（トリ−イソ−プロピル−シリル−オクチル）（ペルフルオロ−フェニル）アミノ）フルオロ−ビフェン−４−イル）（ペル−フルオロ−ビフェニル）−（２，３，４−トリ−フルオロ−フェニル）（テトラフルオロ−フルオレニル）−ボラ−ト；４−（（トリ−イソ−プロピル−シリル−オクチル）（ペル−フルオロ−フェニル）アミノ）ペル−フルオロフェニル）（２，３，４−トリ−フルオロ−フェニル）−（４，５，６−トリ−フルオロ−ナフチル）−（ペル−フルオロ−フェニル）−ボラ−ト；４’−（（トリメチル−シリル）（２，３，４−トリ−フルオロ−フェニル）アルシノ）フルオロ−ビフェン−４−イル）（４，５，６，７−テトラフルオロ−ナフチル）（ペル−フルオロ−ビフェニル）−（４，５，７−トリ−フルオロ−ナフチル）−アルミネート；４’−（（トリメチル−シリル）（４，５，６−トリ−フルオロナフチル）アミノ）ペル−フルオロ−ビフェン−４−イル）（ペル−フルオロ−アントラセニル）−（ペル−フルオロ−ナフチル）−（２’，３’，４’−トリ−フルオロ−ビフェニル）−アルミネート；４−（（トリメチル−シリル）（ペル−フルオロ−フェニイ）アミノ）ペル−フルオロ−フェニル）（ペル−フルオロ−ピレニル）−（５，６，７，８−テトラフロロ−ナフチル）−（２’，３’，４’−トリ−フルオロ−ビフェニル）−ボラ−ト；４’−（（トリ−ｎ− プロピル−シリル）（ペル−フルオロ−フェニル）アミノ）ペル−フルオロ−ビフェン−４−イル）（ペル−フルオロ−フェニル）−（ペル−フルオロ− ビフェニル）−（４，５，６−トリ−フルオロ−ナフチル）−ボラ−ト；４’−（（トリ−ｎ−プロピル−シリル−ヘキシル）（ペル−フルオロ−アントラセニル）アミノ）ペル−フルオロ−ビフェン−４−イル）ビス （２，３，５−トリ−フルオロ−フェニル）−（ペル−フルオロ−フルオレニル）−ボラ−ト；
４’−（（トリ−ｎ−プロピル−シリル−ヘキシル）（ペル−フルオロ−フェニル）アルシノ）ペル−フルオロ−ビフェン−３−イル）（５，６，７，８−テトラフルオロナフチル）−（ペル−フルオロ−フェニル）−（４，５，６−トリ−フルオロ−ナフチル）−ボラ−ト；５−（（３−エチル−ノニル）（ペル−フルオロフルオレニル）アミノ）ペル−フルオロ−インデン−２−イル）（ペル−フルオロ−フルオレニル）−（ペル−フルオロ−ビフェニル）−（４，５，６−トリフルオロ−ナフチル）−アルミネート；５−（（３−エチル−ノニル）（ペル−フルオロ−フェニル）ホスフィノ）フルオロ−インデン−１−イル）−（２，３，６−トリ−フルオロ−フェニル）−（４，５，７−トリ−フルオロ−ナフチル）−（ペル−フルオロ−フェニル）−アルミネート；５−（（トリエチルシリル−プロピル）（４，５，６，７−テトラフルオロ−ナフチル）ホスフィノ）ペル−フルオロ−ナフト−１−イル）（４，５，６−トリ−フルオロナフチル）−（５，６，７，８−テトラフルオロ−ナフチル）−（ペル−フルオロ−フェニル）−ボラ−ト；５−（（トリエチル−シリル−プロピル）（ペンタフルオロ−アントラセニル）アミノ）ペル−フルオロ−ナフト−３−イル）（ペル−フルオロ−ビフェニル）−（２，３，５−トリ−フルオロフェニル）−（２’，３’，４’−トリ−フルオロ−ビフェニル）−ボラ−ト；５−（（トリエチル−シリル−プロピル）（ペル−フルオロ−ビフェニル）アミノ）ペル−フルオロ−インデン−２−イル）（４，５，６，７−テトラフルオロ−ナフチル）−（ペル−フルオロ−ピレニル）−（ペンタルフルオロ−ピレニル）ボラ−ト；５−（（トリエチル−シリル−プロピル）（ペル−フルオロ−フルオレニル）アミノ）ペル−フルオロ−ナフト−１−イル）（ペンタルフルオロピレニル）−（テトラフルオロ−フルオレニル）−（２’，３’，５’−トリ−フルオロ−ビフェニル）−ボラ−ト；５−（（２，２−ジメチル−オクチル）（ペルフルオロ−ナフチル）アミノ）ペル−フルオロ−インデン−１−イル）（ペル−フルオロ−ビフェニル）−（テトラフルオロ−フルオレニル）−（ペル−フルオロ−フェニル）−アルミネート；５−（（２，２−ジメチル−オクチル）（ペル−フルオロ−フェニル）アミノ）フルオロ−インデン−２−イル）−（ペル−フルオロ−フルオレニル）−（ペル−フルオロ−ビフェニル）−（４，５，６−トリ−フルオロ−ナフチル）−アルミネート；５−（（２，２−ジメチル−オクチル）（ペル−フルオロ−フェニル）アミノ）ペル−フルオロ−ナフト−２−イル）（４，５，７−トリ−フルオロ−ナフチル）−（ペルフルオロ−フルオレニル）−（ペル−フルオロ−ビフェニル）−ボラ−ト；５−（（ベンジル）（２，３，６−トリ−フルオロ−フェニル）ホスフィノ）ペル−フルオロ−インデン−２−イル）（ペル−フルオロ−ビフェニル）−（ペル−フルオロ−フルオレニル）−（ペンタルフルオロ−ピレニル）−ボラ−ト；５−（（ベンジル）（ペル−フルオロ−アントラセニル）アミノ）ペル−フルオロ−ナフト−２−イル）（ペル−フルオロ−フルオレニル）−（２，３，５−トリフルオロ−フェニル）−（２’，３’，４’−トリ−フルオロ−ビフェニル）−ボラ−ト；
５−（（シクロ−ヘキシル）（２’，３’，４’−トリ−フルオロ−ビフェニル）アミノ）ペル−フルオロ−ナフト−２−イル）（ペル−フルオロ−ナフチル）−（ペル−フルオロ−ビフェニル）−（ペンタルフルオロ−ピレニル）ボラ−ト；５−（（シクロ−ヘキシル）（２，３，４−トリ−フルオロ−フェニル）アミノ）ペル−フルオロ−ナフト−３−イル）（ペル−フルオロ− フェニル）−（２，３，５−トリ−フルオロ−フェニル）−（２’，３’，５’−トリ−フルオロ−ビフェニル）−ボラ−ト；５−（（シクロ−ヘキシル）（ペル−フルオロビフェニル）アミノ）ペル−フルオロ−ナフト−３−イル）（ペル−フルオロ−フェニル）−（ペル−フルオロ−ナフチル）−（ペル−フルオロ−フルオレニル）−アルミネート；５−（（ジエチル−ノンリ−シリル）（ペル−フルオロ−フルオレニル）ホスフィノ）ペル−フルオロ−ナフト−３−イル）（５，６，７，８−テトラフルオロ−ナフチル）−（４，５，６，７−テトラフルオロ−ナフチル）−（テトラフルオロ−フルオレニル）−ボラ−ト；５−（（ジエチル−ノンリ−シリル）（ペル−フルオロ−フェニル）アミノ）ペル−フルオロ−ナフト−３−イル）（ペル−フルオロ−フェニル）−（ペル−フルオロ−フルオレニル）−（４，５，６−トリ−フルオロ−ナフチル）−ボラ−ト；５−（（エチル）（ペル−フルオロ−ビフェニル）アミノ）ペルフルオロ−ナフト−１−イル）（４，５，６−トリ−フルオロ−ナフチル）−（ペル−フルオロ−ナフチル）−（２’，３’，５’−トリ−フルオロ−ビフェニル）ボラ−ト；５−（（エチル）（ペル−フルオロ−ビフェニル）アルシノ）ペル−フルオロ−インデン−２−イル）（２’，３’，４’−トリ−フルオロ−ビフェニル）（ペル−フルオロ−ビフェニル）−（ペル−フルオロ−ピレニル）−ボラ−ト；５−（（エチル）（ペル−フルオロ−フルオレニル）アミノ）ペルフルオロ−ナフト−２−イル）（２，３，４−トリ−フルオロ−フェニル）−（ペル−フルオロ−フルオレニル）−（ペル−フルオロ−ナフチル）−ボラ−ト；５−（（エチル）（ペル−フルオロ−フェニル）アルシノ）ペル−フルオロ−ナフト−３−イル）（２，３，５−トリ−フルオロ−フェニル）−（ペル−フルオロビフェニル）−（ペル−フルオロ−フェニル）−アルミネート；５−（（ヘキシル）（ペル−フルオロ−ビフェニル）ホスフィノ）ペル−フルオロインデン−２−イル）（５，６，７，８−テトラフルオロ−ナフチル）−（２’，３’，５’−トリ−フルオロ−ビフェニル）−（ペンタルフルオロ−ピレニル）ボラ−ト；
５−（（ヘキシル）（ペル−フルオロ−ビフェニル）ホスフィノ）ペル−フルオロ−ナフト−１−イル）（４，５，７−トリ−フルオロナフチル）−（ペル−フルオロ−フェニル）−（ペル−フルオロ−フルオレニル）−ボラ−ト；５−（（ヘキシル）（ペル−フルオロ−フェニル）アミノ）ペル−フルオロ−ナフト−２−イル）（ペル−フルオロ−フェニル）−（２’，３’，５’−トリ−フルオロ−ビフェニル）−（ペル−フルオロ−フルオレニル）−ボラ−ト；５−（（イソ−プロピル）（２’，３’，４’−トリ−フルオロ−ビフェニル）アミノ）ペル−フルオロ−インデン−１−イル）（２，３，４−トリ−フルオロ− フェニル）−（ペル−フルオロ−フェニル）−（ペンタルフルオロ−ピレニル）−アルミネート；５−（（イソ−プロピル）（ペル−フルオロ−フェニル）アミノ）ペル−フルオロ−インデン−１−イル）（２，３，６−トリ−フルオロ−フェニル）−（ペル−フルオロ−フェニル）−（テトラフルオロ−フルオレニル）アルミネート；５−（（メチル）（４，５，６，７−テトラフルオロ−ナフチル）アミノ）ペル−フルオロ−ナフト−１−イル）（ペル−フルオロビフェニル）−（２’，３’，５’−トリ−フルオロ−ビフェニル）−（ペンタルフルオロ−ピレニル）−ボラ−ト；５−（（メチル）（４，５，６，７−テトラフルオロ−ナフチル）アミノ）ペル−フルオロ−ナフト−２−イル）（ペンタルフルオロ−ピレニル）−（ペル−フルオロ−ナフチル）（ペル−フルオロ−アントラセニル）−ボラ−ト；５−（（メチル）（４，５，６−トリ−フルオロ−ナフチル）ホスフィノ）ペル−フルオロナフト−１−イル）（４，５，６，７−テトラフルオロ−ナフチル）−（２，３，６−トリ−フルオロ−フェニル）−（２，３，５−トリ−フルオロ−フェニル）ボラ−ト；
５−（（メチル）（４，５，７−トリ−フルオロ−ナフチル）アルシノ）ペル−フルオロ−ナフト−２−イル）（ペル−フルオロ− アントラセニル）−（ペル−フルオロ−ビフェニル）−（２，３，５−トリ−フルオロ−フェニル）−ボラ−ト；５−（（メチル）（ペル−フルオロフルオレニル）アミノ）ペル−フルオロ−ナフト−３−イル）（２，３，４−トリ−フルオロ−フェニル）−（２，３，６−トリ−フルオロ−フェニル）−（ペルフルオロ−フェニル）−アルミネート；５−（（メチル）（ペル−フルオロ−フルオレニル）ホスフィノ）ペル−フルオロ−インデン−２−イル）（２’，３’，４’−トリ−フルオロ−ビフェニル）−（４，５，７−トリ−フルオロ−ナフチル）−（ペル−フルオロ−フェニル）−アルミネート；５−（（メチル）（ペル−フルオロ−フェニル）アミノ）ペル−フルオロ−ナフト−２−イル）ビス （ペル−フルオロ−ビフェニル）−（２，３，４−トリ−フルオロ−フェニル）ボラ−ト；５−（（メチル−ジエチル−シリル−オクチル）（２’，３’，５’−トリ−フルオロ−ビフェニル）ホスフィノ）ペル−フルオロ−ナフト−１−イル）（４，５，６−トリ−フルオロ−ナフチル）−（ペル−フルオロ−フルオレニル）−（ペル−フルオロ−フェニル）−ボラ−ト；５−（（メチル−ジエチルシリル−オクチル）（ペル−フルオロ−ビフェニル）アミノ）ペル−フルオロ−ナフト−２−イル）（２，３，５−トリ−フルオロ−フェニル）−（テトラフルオロフルオレニル）−（ペル−フルオロ−ビフェニル）−ボラ−ト；５−（（メチル−エチル−ヘキシル−シリル）（ペンタフルオロ−アントラセニル）アミノ）ペル−フルオロ−インデン−１−イル）（ペンタルフルオロ−ピレニル）−（ペル−フルオロ−ビフェニル）−（２，３，５−トリ−フルオロフェニル）−ボラ−ト；５−（（ｎ−ブチル）（４，５，７−トリ−フルオロ−ナフチル）ホスフィノ）ペル−フルオロ−ナフト−２−イル）ビス （２，３，６トリ−フルオロ−フェニル）−（ペル−フルオロ−アントラセニル）−ボラ−ト；５−（（オクチル）（ペル−フルオロ−アントラセニル）アミノ）ペルフルオロ−インデン−１−イル）（ペル−フルオロ−ビフェニル）−（２’，３’，５’−トリ−フルオロ−ビフェニル）−（ペンタフルオル−アントラセニル）ボラ−ト；
５−（（トリエチルシリル）（ペンタフルオロ−ピレニル）アミノ）ペル−フルオロ−ナフト−２−イル）（ペンタルフルオロ−ピレニル）（テトラフルオロ−フルオレニル）−（ペンタフルオロ−アントラセニル）−ボラ−ト；５−（（トリエチルシリル）（ペル−フルオロ−アントラセニル）アミノ）ペル−フルオロ−ナフト−２−イル）（ペル−フルオロ−アントラセニル）−（４，５，６−トリ−フルオロ−ナフチル）−（ペル−フルオロ− ピレニル）−ボラ−ト；５−（（トリエチルシリル）（ペル−フルオロ−ナフチル）アミノ）ペル−フルオロ−ナフト−３−イル）（４，５，７−トリフルオロ−ナフチル）−（テトラフルオロ−フルオレニル）−（２’，３’，４’−トリ−フルオロ−ビフェニル）−アルミネート；５−（（トリエチルシリル）（ペル−フルオロ−ピレニル）アミノ）ペル−フルオロ−インデン−２−イル）ビス （ペル−フルオロ−ビフェニル）−（５，６，７，８−テトラフルオロナフチル）−ボラ−ト；５−（（トリエチル−シリル−エチル）（ペンタルフルオロ−ピレニル）ホスフィノ）ペル−フルオロ−ナフト−２−イル）（ペル−フルオロ−ビフェニル）−（４，５，６−トリ−フルオロ−ナフチル）−（２，３，４−トリ−フルオロ−フェニル）−アルミネート；５−（（トリエチルシリル−エチル）（ペル−フルオロ−ビフェニル）アミノ）ペル−フルオロ−インデン−２−イル）（５，６，７，８−テトラフルオロ−ナフチル）−（２，３，５トリ−フルオロ−フェニル）−（テトラフルオロ−フルオレニル）−アルミネート；５−（（トリ−イソ−プロピル−シリル）（２’，３’，４’−トリ−フルオロビフェニル）アルシノ）フルオロ−ナフト−２−イル）（２’，３’，５’−トリ−フルオロ−ビフェニル）−（４，５，６，７−テトラフルオロ−ナフチル）（２，３，５−トリ−フルオロ−フェニル）−ボラ−ト；
５−（（トリ−イソ−プロピル−シリル）（４，５，６−トリ−フルオロ−ナフチル）アルシノ）ペルフルオロ−ナフト−１−イル）（４，５，６−トリ−フルオロ−ナフチル）−（ペル−フルオロ−アントラセニル）−（ペル−フルオロ−フルオレニル）アルミネート；５−（（トリ−イソ−プロピル−シリル）（ペル−フルオロ−フェニル）アミノ）フルオロ−ナフト−２−イル）（ペンタルフルオロピレニル）−（２，３，５−トリ−フルオロ−フェニイ）−（４，５，６−トリ−フルオロ−ナフチル）−ボラ−ト；５−（（トリ−イソ−プロピル−シリル）（ペルフルオロ−ピレニル）アミノ）ペル−フルオロ−ナフト−３−イル）ビス（ペル−フルオロ−ビフェニル）−（２，３，５−トリ−フルオロ−フェニル）アルミネート；５−（（トリ−イソ−プロピル−シリル−オクチル）（２’，３’，５’−トリ−フルオロ−ビフェニル）ホスフィノ）フルオロ−ナフト−１−イル）−（５，６，７，８−テトラフルオロ−ナフチル）−（ペル−フルオロ−フェニル）−（４，５，７−トリ−フルオロ−ナフチル）−アルミネート；５−（（トリ−イソ−プロピル−シリル−オクチル）（５，６，７，８−テトラフルオロ−ナフチル）アミノ）ペル−フルオロ−インデン−１−イル）（ペル−フルオロ− アントラセニル）−（ペル−フルオロ−ピレニル）−（２，３，５−トリ−フルオロ−フェニル）−アルミネート；５−（（トリ−イソ−プロピル−シリル−オクチル）（ペル−フルオロ−フルオレニル）アミノ）ペル−フルオロ−ナフト−３−イル）（ペル−フルオロ−フェニル）−（４，５，６−トリ−フルオロナフチル）−（ペル−フルオロ−アントラセニル）−アルミネート；５−（（トリ−イソ−プロピル−シリル−オクチル）（ペル−フルオロナフチル）ホスフィノ）ペル−フルオロ−ナフト−３−イル）（４，５，７−トリ−フルオロ−ナフチル）−（２’，３’，４’−トリ−フルオロビフェニル）−（ペル−フルオロ−ビフェニル）−ボラ−ト；５−（（トリメチル−シリル）（ペル−フルオロ−フルオレニイ）アミノ）ペル−フルオロ インデン−２−イル）（ペル−フルオロ−フェニル）−（ペル−フルオロ−アントラセニル）−（ペル−フルオロ−ビフェニル）−アルミネート；５−（（トリ−ｎ−プロピル−シリル）（２’，３’，４’−トリ−フルオロ−ビフェニル）アミノ）フルオロ−インデン−１−イル）（ペル−フルオロ−アントラセニル）−（ペルフルオロ−フルオレニル）−（２’，３’，５’−トリ−フルオロ−ビフェニル）−ボラ−ト；
５−（（トリ−ｎ−プロピル−シリル）（ペル−フルオロ−フェニル）アミノ）ペル−フルオロ−ナフト−３−イル）（５，６，７，８−テトラフルオル−ナフチル）−（２，３，４−トリ−フルオロ−フェニル）−（ペル−フルオロフルオレニル）−アルミネート；５−（（トリ−ｎ−プロピル−シリル）（ペル−フルオロ−ピレニル）アミノ）ペル−フルオロ−ナフト−１−イル）−（２’，３’，５’−トリ−フルオロ−ビフェニル）−（ペンタルフルオロ−ピレニル）−（ペル−フルオロ−フェニル）−ボラ−ト；５−（（トリ−ｎ−プロピル−シリル−ヘキシル）（２’，３’，４’−トリ−フルオロ−ビフェニル）アミノ）ペル−フルオロ−インデン−２−イル）（ペル−フルオロ−フェニル）−（ペンタフルオロ−アントラセニル）−（テトラフルオロ−フルオレニル）−ボラ−ト；５−（（トリ−ｎ−プロピル−シリル−ヘキシル）（ペンタルフルオロピレニル）ホスフィノ）ペル−フルオロ−インデン−１−イル）（ペル−フルオロ−ナフチル）−（テトラフルオロ−フルオレニル）−（ペル−フルオロ−アントラセニル）−アルミネート；５−（（トリ−ｎ−プロピル−シリル−ヘキシル）（ペル−フルオロ−アントラセニル）アミノ）ペルフルオロ−インデン−１−イル）（２’，３’，４’−トリ−フルオロ−ビフェニル）−（２，３，４−トリ−フルオロ−フェニル）−（ペル−フルオロ−ビフェニル）ボラ−ト；５−（（トリ−ｎ−プロピル−シリル−ヘキシル）（ペル−フルオロ−ビフェニル）アミノ）ペル−フルオロ−ナフト−２−イル）（ペル−フルオロ−ビフェニル）−（ペル−フルオロ−ナフチル）−（２，３，５−トリ−フルオロ−フェニル）−アルミネート；５−（（トリ−ｎ−プロピル−シリル−ヘキシル）（ペル−フルオロ−ピレニル）アミノ）ペル−フルオロ−インデン−２−イル）（ペル−フルオロ−フェニル）−（ペル−フルオロ−アントラセニル）（４，５，６，７−テトラフルオロ−ナフチフ）−ボラ−ト；
６−（（３−エチル−ノニル）（ペンタルフルオロ−ピレニル）アミノ）ペル−フルオロナフト−２−イル）（ペル−フルオロ−フェニル）−（２’，３’，４’−トリ−フルオロ−ビフェニル）−（テトラフルオロ−フルオレニル）−ボラ−ト；６−（（３− エチル−ノニル）（ペル−フルオロ−フェニル）ホスフィノ）ペル−フルオロ−ナフト−２−イル）（５，６，７，８−テトラフルオロ−ナフチル）（ペンタフルオロ−アントラセニル）−（４，５，７−トリ−フルオロ−ナフチル）−アルミネート；６−（（トリエチル−シリル−プロピル）（２’，３’，５’−トリ−フルオロ−ビフェニル）アミノ）ペル−フルオロ−フルオレン−１−イル）（ペル−フルオロ−フェニル）−（４，５，６，７−テトラフルオロナフチル）−（２，３，５−トリ−フルオロ−フェニル）−ボラ−ト；６−（（トリエチル−シリル−プロピル）（ペンタルフルオロ−ピレニル）ホスフィノ）ペル−フルオロ−ナフト−３−イル）（２’，３’，５’−トリ−フルオロ−ビフェニル）−（ペル−フルオロ−フオレニル）−（ペル−フルオロピレニル）−アルミネート；６−（（トリプチル−シリル−プロピル）（ペル−フルオロ−ビフェニル）ホスフィノ）ペル−フルオロ−ナフト−３−イル）（ペル−フルオロ−アントラセニル）−（４，５，７−トリ−フルオロ−ナフチル）−（２，３，４−トリ−フルオロ−フェニル）−ボラ−ト；６−（（トリエチル−シリル−プロピル）（ペル−フルオロ−ナフチル）アミノ）フルオロ−ナフト−３−イル）ビス（ペル−フルオロ−アントラセニル）−（２’，３’，５’−トリ−フルオロ−ビフェニル−アルミネート；６−（（トリエチル−シリル−プロピル）（ペル−フルオロ−フェニル）アミノ）ペルフルオロ−フルオレン−１−イル）（ペル−フルオロ−アントラセニル）−（２’，３’，５’−トリ−フルオロ−ビフェニル）−（ペル−フルオロ−ナフチル）ボラ−ト；６−（（トリエチル−シリル−プロピル）（ペル−フルオロ−ピレニル）ホスフィノ）ペル−フルオロ−アントラセン−２−イル）−（２’，３’，５’−トリ−フルオロ−ビフェニル）−（５，６，７，８−テトラフルオロ−ナフチル）−（ペル−フルオロ−フェニル）−ボラ−ト；６−（（２，２−ジメチル−オクチル）（ペル−フルオロ−フルオレニル）ホスフィノ）ペル−フルオロ−ナフト−２−イル）（ペル−フルオロ−フェニル）（４，５，６，７−テトラフルオロ−ナフチル）−（ペル−フルオロ−アントラセニル）−ボラ−ト；６−（（ベンジル）（５，６，７，８−テトラフルオロ−ナフチル）アミノ）ペル−フルオロ−アントラセン−２−イル）（ペル−フルオロ−フェニル）−（ペル−フルオロ−ナフチル）−（２’，３’，４’−トリフルオロ−ビフェニル）−アルミネート；
６−（（ベンジル）（ペル−フルオロ−ビフェニル）アミノ）ペル−フルオロ−ナフト−２−イル）（ペルフルオロ−フルオレニル）−（ペル−フルオロ−アントラセニル）−（テトラフルオロ−フルオレニル）−アルミネート；６−（（ベンジル）（ペルフルオロ−フェニル）アミノ）ペル−フルオロ−ナフト−３−イル）（ペル−フルオロ−アントラセニル）−（ペル−フルオロ−ビフェニル）−（４，５，６−トリ−フルオロ−ナフチル）−ボラ−ト；６−（（ブチル）（２，３，６−トリ−フルオロ−フェニル）アミノ）フルオロ−フルオレン−２−イル）（ペルフルオロ−ビフェニル）−（ペル−フルオロ−アントラセニル）−（ペンタフルオロ−アントラセニル）−ボラ−ト；６−（（ブチル）（ペンタフルオロ−アントラセニル）アミノ）フルオロ−ナフト−３−イル）（２’，３’，５’−トリ−フルオロ−ビフェニル）−（ペル−フルオロビフェニル）−（ペル−フルオロ−フェニル）−アルミネート；６−（（ブチル）（ペル−フルオロ−フェニル）アミノ）ペル−フルオロ−フルオレン−２−イル）（ペル−フルオロ−ピレニル）−（ペンタフルオロ−アントラセニル）−（ペル−フルオロ−フルオレニル）−ボラ−ト；６−（（ブチル）（ペルフルオロ−フェニフ）アミノ）ペル−フルオロ−ナフト−２−イル）（４，５，７−トリ−フルオロ−ナフチル）−（ペル−フルオロ−フェニル）−（ペル−フルオロ−フルオレニル）−ボラ−ト；６−（（ブチル）（ペル−フルオロ−フェニル）ホスフィノ）ペル−フルオロ−アントラセン−２−イル）（２，３，４−トリ−フルオロ−フェニル）−（ペル−フルオロ−ビフェニル）−（２，３，６−トリ−フルオロ−フェニル）−アルミネート；６−（（シクロ−ヘキシル）（２，３，６−トリ−フルオロ−フェニル）ホスフィノ）ペルフルオロ−アントラセン−２−イル）（２，３，４−トリ−フルオロ−フェニル）（ペンタフルオロ−アントラセニル）−（ペル−フルオロ−ビフェニル）−ボラ−ト；６−（（シクロ−ヘキシル）（４，５，６，７−テトラフルオロ−ナフチル）アミノ）ペル−フルオロ−インデン−２−イル）ビス（ペル−フルオロ−アントラセニル）−（ペル−フルオロ−ピレニル）−アルミネート；６−（（シクロ−ヘキシル）（ペル−フルオロ−フルオレニル）アミノ）ペル−フルオル−アントラセン−２−イル）ビス（５，６，７，８−テトラフルオロ−ナフチル）−（ペル−フルオロ−フルオレニル）−アルミネート；６−（（シクロ−ヘキシル）（ペル−フルオロ−ナフチル）アルシノ）ペル−フルオロ−インデン−２−イル）（４，５，６，７−テトラフルオロ−ナフチル）−（２’，３’，５’−トリ−フルオロ−ビフェニル）−（ペルフルオロ−フェニル）−ボラ−ト；６−（（シクロ−ヘキシル）（ペル−フルオロ−フェニル）アミノ）ペル−フルオロ−アントラセン−１−イル）（ペルフルオロ−ビフェニル）−（２’，３’，４’−トリ−フルオロ−ビフェニル）−（４，５，６−トリ−フルオロ−ナフチル）−ボラ−ト；６−（（シクロ−ヘキシル）（ペル−フルオロ−フェニル）アミノ）ペル−フルオロ−アントラセン−２−イル）（ペル−フルオロ−ナフチル）−（ペンタルフルオロピレニル）−（２，３，５−トリ−フルオロ−フェニル）−ボラ−ト；
６−（（シクロ−ヘキシル）（ペル−フルオロ−フェニル）アミノ）ペル−フルオロナフト−２−イル）（４，５，６，７−テトラフルオロ−ナフチル）−（ペル−フルオロ−ビフェニル）−（ペル−フルオロ−フェニル）−ボラ−ト；６−（（シクロ−ヘキシル）（ペル−フルオロ−フェニル）アルシノ）フルオロ−フルオレン−１−イル）（ペル−フルオロ−アントラセニル）−（ペル−フルオロフェニル）−（ペル−フルオロ−ナフチル）−ボラ−ト；６−（（ジエチル−ノンリ−シリル）（２，３，４−トリ−フルオロ−フェニル）アミノ）ペルフルオロ−フルオレン−２−イル）（ペル−フルオロ−ナフチル）−（ペンタフルオロ−アントラセニル）−（ペル−フルオロ−ビフェニル）アルミネート；６−（（ジエチル−ノンリ−シリル）（ペル−フルオロ−フェニル）アミノ）ペル−フルオロ−インデン−２−イル）（ペル−フルオロフェニル）−（２，３，４−トリ−フルオロ−フェニル）−（４，５，６−トリ−フルオロ−ナフチル）−ボラ−ト；６−（（ジエチル−ノンリ−シリル）（ペルフルオロ−フェニル）アルシノ）ペル−フルオロ−ナフト−３−イル）（ペル−フルオロ−アントラセニル）−（４，５，６，７−テトラフルオロナフチル）−（２’，３’，４’−トリ−フルオロ−ビフェニル）−ボラ−ト；６−（（ジエチル−ノンリ−シリル）（ペル−フルオロ−フェニル）ホスフィノ）ペル−フルオロ−アントラセン−１−イル）（２，３，５−トリ−フルオロ−フェニル）−（４，５，６−トリ−フルオロ−ナフチル）−（ペル−フルオロ−ナフチル）−ボラ−ト；６−（（ジエチル−ノンリ−シリル）（ペル−フルオロ−フェニル）ホスフィノ）ペル−フルオロ−アントラセン−１−イル）（２，３，６−トリ−フルオロ−フェニル）−（ペル−フルオロ−ピレニル）−（ペル−フルオロ−フルオレニル）−ボラ−ト；６−（（ジエチル−ノンリシリル）（ペル−フルオロ−ピレニル）ホスフィノ）ペル−フルオロ−ナフト−２−イル）（２，３，４−トリ−フルオロ−フェニル）−（４，５，７−トリフルオロ−ナフチル）−（ペル−フルオロ−アントラセニル）−ボラ−ト；６−（（ジエチル−ノンリ−シリル）（テトラフルオロ−フルオレニル）アミノ）ペル−フルオロ−フルオレン−１−イル）（ペル−フルオロ−ビフェニル）−（５，６，７，８−テトラフルオロ−ナフチル）−（ペル−フルオロフェニル）−ボラ−ト；６−（（エチル）（２’，３’，４’−トリ−フルオロ−ビフェニル）ホスフィノ）ペル−フルオロ−アントラセン−１−イル）（４，５，６，７−テトラフルオロ−ナフチル）−（２’，３’，４’−トリ−フルオロ−ビフェニル）−（ペル−フルオロ−フェニフ）−ボラ−ト；
６−（（エチル）−（ペル−フルオロ−ビフェニル）アミノ）ペル−フルオロ−フルオレン−１−イル）（ペル−フルオロ−ピレニル）−（ペル−フルオロ−フルオレニル）−（テトラフルオロ−フルオレニル）−ボラ−ト；６−（（ヘキシル）（２’，３’，４’−トリ−フルオロ−ビフェニル）アミノ）ペル−フルオロ−ナフト−１−イル）−（ペル−フルオロ−ナフチル）−（ペル−フルオロ−ビフェニル）−（ペンタルフルオロ−ピレニル）−ボラ−ト；６−（（ヘキシル （２，３，４−トリフルオロ−フェニル）アミノ）フルオロ−ナフト−３−イル）（ペル−フルオロ−ピレニル）−（ペンタフルオロ−ピレニル）−（ペル−フルオロ−アントラセニル）−ボラ−ト；６−（（ヘキシル）（ペル−フルオロ−アントラセニル）アミノ）ペル−フルオロ−アントラセン−１−イル）（ペルフルオロ−ナフチル）−（ペル−フルオロ−ビフェニル）−（４，５，６，７−テトラフルオロ−ナフチル）−アルミネート；６−（（ヘキシル）（ペル フルオロ−アントラセニル）アミノ）ペル−フルオロ−ナフト−１−イル）（ペンタルフルオロ−ピレニル）−（４，５，７−トリ−フルオロナフチル）−（ペル−フルオロ−フェニル）−ボラ−ト；６−（（ヘキシル）（ペル−フルオロ−ビフェニル）アミノ）ペル−フルオロ−アントラセン−１−イル）（ペル−フルオロ−ビフェニル）−（４，５，６，７−テトラフルオロ−ナフチル）−（テトラフルオロ−フルオレニル）−アルミネート；６−（（ヘキシル）（ペル−フルオロ−ビフェニル）ホスフィノ）ペル−フルオロ−フルオレン−２−イル）（４，５，６−トリ−フルオロ−ナフチル）（２，３，４−トリ−フルオロ−フェニル）−（ペル−フルオロ−ビフェニル）−ボラ−ト；６−（（ヘキシル）（ペル−フルオロ−フェニル）アミノ）ペルフルオロ−アントラセン−２−イル）（ペル−フルオロ−フェニル）−（ペンタルフルオロ−ピレニル）−（２’，３’，４’−トリ−フルオロ−ビフェニル）−ボラ−ト；６−（（ヘキシル）（ペル−フルオロ−フェニル）ホスフィノ）ペル−フルオロ−ナフト−１−イル）ビス （４，５，７−トリ−フルオロナフチル）−（ペル−フルオロ−ビフェニル−アルミネート；
６−（（ヘキシル）（ペル−フルオロ−ピレニル）アミノ）ペル−フルオロフルオレン−２−イル）（２，３，５−トリ−フルオロ−フェニル）−（ペル−フルオロ−ビフェニル）−（ペル−フルオロ−フェニル）−ボラ−ト；６−（（ヘキシル）（ペル−フルオロ−ピレニル）アミノ）ペル−フルオロ−フルオレン−２−イル）（ペル−フルオロ−フェニフ）−（ペル−フルオロ−フルオレニル）−（４，５，７−トリ−フルオロ−ナフチル）−ボラ−ト；６−（（ヘキシル）（テトラフルオロ−フルオレニル）アミノ）フルオロ−フルオレン−２−イル）（ペルフルオロ−フェニル）−（ペル−フルオロ−アントラセニル）−（ペル−フルオロ−ピレニル）−アルミネート；６−（（イソ−プロピル）（ペルフルオロ−アントラセニル）アミノ）ペル−フルオロ−インデン−２−イル）（２’，３’，５’−トリ−フルオロ−ビフェニル）−（ペル−フルオロ−ピレニル）−（ペンタフルオロ−アントラセニル）−ボラ−ト；６−（（イソ−プロピル）（ペル−フルオロ−ビフェニル）アミノ）ペル−フルオロ−フルオレン−２−イル）ビス （ペル−フルオロ−アントラセニル）−（ペル−フルオロ−ピレニル）−ボラ−ト；６−（（イソ−プロピル）（ペル−フルオロナフチル）ホスフィノ）フルオロ−インデン−２−イル）（４，５，６−トリ−フルオロ−ナフチル）−（テトラフルオロ−フルオレニル）−（ペルフルオロ−ビフェニル）−ボラ−ト；６−（（イソ−プロピル）（ペル−フルオロ−フェニル）アミノ）ペル−フルオロ−フルオレン−１−イル）（ペルフルオロ−フェニル）−（ペル−フルオロ−アントラセニル）−（ペル−フルオロ−ピレニル）−アルミネート；６−（（イソ−プロピル）（ペルフルオロ−フェニル）アミノ）ペル−フルオロ−ナフト−３−イル）（ペル−フルオロ−フェニル）−（ペル−フルオロ−ピレニル）−（ペンタルフルオロ−ピレニル）−ボラ−ト；６−（（イソ−プロピル）（ペル−フルオロ−フェニル）アルシノ）ペル−フルオロ−フルオレン−２−イル）（４，５，７−トリ−フルオロ−ナフチル）−（４，５，６，７−テトラフルオロ−ナフチル）−（２’，３’，４’−トリ−フルオロ−ビフェニル）−ボラ−ト；
６−（（メチル）（２，３，４−トリ−フルオロ−フェニル）アミノ）フルオロ−フルオレン−２−イル）（２，３，６−トリフルオロ−フェニル）（ペル−フルオロナフチル）−（４，５，６−トリ−フルオロ−ナフチル）−ボラ−ト；６−（（メチル）（ペル−フルオロ−ビフェニル）ホスフィノ）ペルフルオロ−フルオレン−１−イル）（ペル−フルオロ−フルオレニル）−（４，５，６−トリ−フルオロ−ナフチル）−（５，６，７，８−テトラフルオロナフチル）−ボラ−ト；６−（（メチル）（ペル−フルオロ−ビフェニル）ホスフィノ）ペル−フルオロ−ナフト−１−イル）（ペル−フルオロ−ビフェニル）−（ペル−フルオロ−フェニル）−（ペル−フルオロ−フルオレニル）−アルミネート；６−（（メチル）（ペル−フルオロ−フルオレニル）−アルシノ）ペル−フルオロ−インデン−２−イル）（ペル−フルオロ−フェニル）−（ペンタフルオロ−アントラセニル）−（ペル−フルオロ− ナフチル）−ボラ−ト；６−（（メチル）（ペル−フルオロ−フェニル）アミノ）ペル−フルオロ−アントラセン−２−イル）（５，６，７，８−テトラフルオロ−ナフチル）−（ペル−フルオロ−ナフチル）−（ペンタルフルオロ−ピレニル）−ボラ−ト；
６−（（メチル）（ペル−フルオロフェニル）アミノ）ペル−フルオロ−ナフト−２−イル）（５，６，７，８−テトラフルオロ−ナフチル）−（２，３，４−トリ−フルオロ−フェニル）−（４，５，７−トリ−フルオロ−ナフチル）−ボラ−ト；６−（（メチル）（ペル−フルオロ−フェニル）ホスフィノ）フルオロ−ナフト−３−イル）−（ペル−フルオロ−フルオレニル）−（ペンタルフルオロ−ピレニル）−（２，３，４−トリ−フルオロ−フェニル）−ボラ−ト；６−（（メチル）（ペルフルオロ−ピレニル）アミノ）ペル−フルオロ−フルオレン−２−イル）（ペンタルフルオロ−ピレニル）−（２’，３’，４’−トリ−フルオロ−ビフェニル）（２，３，４−トリ−フルオロ−フェニル）−ボラ−ト；
６−（（メチル−ジエチル−シリル−オクチル）（２’，３’，５’−トリ−フルオロ−ビフェニル）アミノ）フルオロ−フルオレン−２−イル）（２，３，６−トリ−フルオロ−フェニル）−（２’，３’，５’−トリ−フルオロ−ビフェニル）−（ペル−フルオロ−フルオレニル）−ボラ−ト；６−（（メチル−ジエチル−シリル−オクチル）（ペル−フルオロ−ビフェニル）アミノ）フルオロ−アントラセン−２−イル）（ペルフルオロ−フェニル）−（４，５，７−トリ−フルオロ−ナフチル）−（ペンタフルオロ−アントラセニル）−アルミネート；６−（（メチルジエチル−シリル−オクチル）（ペル−フルオロ−フェニル）アミノ）ペル−フルオロ−ナフト−３−イル）（５，６，７，８−テトラフルオロナフチル）−（２，３，５−トリ−フルオロ−フェニル）−（テトラフルオロ−フルオレニル）−アルミネート；６−（（メチル−ジエチル−シリルオクチル）（ペル−フルオロ−フェニル）アミノ）ペル−フルオロ−ナフト−３−イル）（２，３，６−トリ−フルオロ−フェニル）−（テトラフルオロ−フルオレニル）−（ペル−フルオロ−アントラセニル）−ボラ−ト；６−（（メチル−ジエチル−シリル−オクチル）（ペル−フルオロ−ピレニル）−アミノ）ペル−フルオロ−ナフト−２−イル）（４，５，６，７−テトラフルオロ−ナフチル）−（ペル−フルオロ−ピレニル）−（４，５，６−トリ−フルオロナフチル）−ボラ−ト；６−（（メチル−エチル−ヘキシル−シリル）（２，３，４−トリ−フルオロ−フェニル）ホスフィノ）ペル−フルオロナフト−３−イル）ビス（ペンタルフルオロ−ピレニル）−（２，３，５−トリ−フルオル−フェニル−アルミネート；６−（（メチル−エチル−ヘキシル−シリル）（４，５，６，７−テトラフルオロ−ナフチル）アルシノ）ペル−フルオロ−ナフト−１−イル）（４，５，６−トリ−フルオロ−ナフチル）（５，６，７，８−テトラフルオロ−ナフチル）−（ペル−フルオロ−フルオレニル）−ボラ−ト；６−（（メチル−エチル−ヘキシル−シリル）（４，５，７−トリフルオロ−ナフチル）アミノ）フルオロ−アントラセン−２−イル）（ペル−フルオロ−ビフェニル）−（ペル−フルオロ−フルオレニル）−（ペル−フルオロ−ピレニル）−ボラ−ト；６−（（メチル−エチル−ヘキシル−シリル）（ペル−フルオロ−ビフェニル）アミノ）ペル−フルオロ−ナフト−３−イル）（ペル−フルオロ−フェニル）−（ペル−フルオロ−アントラセニル）−（２’，３’，５’−トリ−フルオロ−ビフェニル）−ボラ−ト；６−（（ｎ−ブチル）（２’，３’，４’−トリ−フルオロ−ビフェニル）アミノ）ペル−フルオロ−ナフト−１−イル）（ペンタフルオロ−アントラセニル）−（２，３，４−トリ− フルオロ−フェニル）−（ペル−フルオロ−ビフェニル）−ボラ−ト；６−（（ｎ−ブチル）（２，３，４−トリ−フルオロ−フェニル）アルシノ）ペルフルオロ−フルオレン−１−イル）（テトラフルオロ−フルオレニル）−（ペル−フルオロ−ビフェニル）−（ペル−フルオロ−ピレニル）−ボラ−ト；６−（（ｎ−ブチル）（５，６，７，８−テトラフルオロ−ナフチル）アルシノ）ペル−フルオロ−ナフト−１−イル）（ペル−��ルオロ−フェニル）−（４，５，６，７−テトラフルオロ−ナフチル）−（ペル−フルオロ−ナフチル）−アルミネート；６−（（ｎ−ブチル）（ペル−フルオロ−ビフェニル）アミノ）ペル−フルオロ−アントラセン−１−イル）（２’，３’，４’−トリ−フルオロ−ビフェニル）−（４，５，６−トリ−フルオロ−ナフチル）−（ペル−フルオロ−フェニル）−ボラ−ト；６−（（ｎ−ブチル）（ペル−フルオロ−ビフェニル）アミノ）ペル−フルオロ−ナフト−２−イル）（ペル−フルオロ−フルオレニル）−（ペル−フルオロ−アントラセニル）−（テトラフルオロ−フルオレニル）−アルミネート；６−（（ｎ−ブチル）（ペル−フルオロ−フルオレニル）アミノ）ペル−フルオロ−アントラセン−１−イル）（ペル−フルオロ−ピレニル）−（ペル−フルオロ−ビフェニル）−（２，３，４−トリフルオロ−フェニル）−ボラ−ト；６−（（ｎ−ブチル）（ペル−フルオロ−フェニル）ホスフィノ）ペル−フルオロ−フルオレン−２−イル）ビス （ペルフルオロ−ビフェニル）−（ペンタフルオロ−アントラセニル）−ボラ−ト；
６−（（ノニル）（ペル−フルオロ−アントラセニル）アミノ）ペルフルオロ−ナフト−３−イル）（４，５，６−トリ−フルオロ−ナフチル）−（ペル−フルオロ−ピレニル）−（２，３，６−トリ−フルオロ−フェニル）ボラ−ト；６−（（ノニル）（ペル−フルオロ−ビフェニル）アミノ）ペル−フルオロ−アントラセン−１−イル）（ペル−フルオロアントラセニル）−（２’，３’，４’−トリ−フルオロ−ビフェニル）−（ペル−フルオロ−フルオレニル）−ボラ−ト；６−（（ノニル）（ペル−フルオロビフェニル）アミノ）ペル−フルオロ−アントラセン−２−イル）（５，６，７，８−テトラフルオロ−ナフチル）−（２，３，６−トリ−フルオロフェニル）−（ペル−フルオロ−ピレニル）−ボラ−ト；
６−（（ノニル）（ペル−フルオロ−ビフェニル）アルシノ）ペル−フルオロ−ナフト−３−イル）（４，５，６−トリ−フルオロ−ナフチル）−（５，６，７，８−テトラフルオロ−ナフチル）−（ペル−フルオロ−フェニル）−ボラ−ト；６−（ （ノニル）（ペル−フルオロ−ビフェニル）ホスフィノ）ペル−フルオロ−アントラセン−２−イル）（ペル−フルオロ−フェニル）−（４，５，６，７テトラフルオロ−ナフチル）−（ペル−フルオロ−ナフチル）−アルミネート；６−（（ノニル）（ペル−フルオロ−フルオレニル）アミノ）ペルフルオロ−アントラセン−１−イル）（２’，３’，５’−トリ−フルオロ−ビフェニル）−（ペル−フルオロ−ピレニル）−（４，５，６−トリ−フルオロナフチル）−ボラ−ト；６−（（ノニル）（ペル−フルオロ−ナフチル）アミノ）ペル−フルオロ−フルオレン−２−イル）（２，３，５−トリ−フルオロ−フェニル）−（５，６，７，８−テトラフルオロ−ナフチル）−（４，５，６−トリ−フルオロ−ナフチル）−ボラ−ト；６−（（ノニル）（ペル−フルオロピレニル）アミノ）ペル−フルオロ−インデン−２−イル）（ペル−フルオロ−ビフェニル）−（２’，３’，４’−トリ−フルオル−ビフェニル）−（ペルフルオロ−フルオレニル）−ボラ−ト；６−（（ノニル）（テトラフルオロ−フルオレニル）アミノ）ペル−フルオロ−ナフト−１−イル）（ペル−フルオロ−ピレニル）−（ペンタルフルオロ−ピレニル）−（ペル−フルオロ−アントラセニル）−アルミネート；６−（（オクチル）（４，５，６，７−テトラフルオロ−ナフチル）ホスフィノ）ペル−フルオロ−フルオレン−２−イル）（２，３，６−トリ−フルオロ−フェニル）−（ペル−フルオロ−フェニル）−（４，５，６，７−テトラフルオロ−ナフチル）−ボラ−ト；６−（（オクチル）（４，５，７−トリ−フルオロ−ナフチル）アルシノ）ペルフルオロ−ナフト−３−イル）（ペル−フルオロ−フルオレニル）−（４，５，６−トリ−フルオロ−ナフチル）−（ペンタルフルオロ−ピレニル）−ボラ−ト；６−（（オクチル）（ペル−フルオロ−ビフェニル）アルシノ）ペル−フルオロ−ナフト−２−イル）（ペル−フルオロ−フェニル）−（ペル−フルオロ−ビフェニル）−（ペンタフルオロ−アントラセニル）−アルミネート；６−（（オクチル）（テトラフルオロ−フルオレニル）アミノ）ペル−フルオロナフト−２−イル）（２’，３’，４’−トリ−フルオロ−ビフェニル）−（４，５，６，７−テトラフルオロ−ナフチル）−（４，５，７−トリ−フルオロ−ナフチル）アルミネート；
６−（（オクチル）（テトラフルオロ−フルオレニル）ホスフィノ）ペル−フルオロ−インデン−２−イル）ビス（ペル−フルオロアントラセニル）−（５，６，７，８−テトラフルオロ−ナフチル）−ボラ−ト；６−（（プロピル）（２’，３’，４’−トリ−フルオロ−ビフェニル）アミノ）ペル−フルオロ−ナフト−１−イル）（２’，３’，４’−トリ−フルオロ−ビフェニル）−（２，３，５−トリ−フルオロ−フェニル）−（ペル−フルオロ−フェニル）アルミネート；６−（（プロピル）（２，３，４−トリ−フルオロ−フェニル）アミノ）ペル−フルオロ−アントラセン−２−イル）（２’，３’，４’−トリフルオロ−ビフェニル）−（ペル−フルオロ−フルオレニル）−（ペル−フルオロ−フェニル）−ボラ−ト；６−（（プロピル）（ペル−フルオロフルオレニル）アミノ）ペル−フルオロ−フルオレン−２−イル）（テトラフルオロ−フルオレニル）−（ペル−フルオロ−フェニル）−（４，５，６−トリフルオロ−ナフチル）−ボラ−ト；６−（（プロピル）（ペル−フルオロ−フルオレニル）ホスフィノ）ペル−フルオロ−フルオレン−２−イル）−（４，５，６，７−テトラフルオロ−ナフチル）−（４，５，６−トリ−フルオロ−ナフチル）−（ペル−フルオロ−フルオレニル）−アルミネート；６−（（プロピル）（ペル−フルオロ−フェニル）ホスフィノ）ペル−フルオロ−ナフト−３−イル）（４，５，６−トリ−フルオロ−ナフチル）−（ペルフルオロ−フェニル）−（ペル−フルオロ−ビフェニル））−アルミネート；６−（（プロピル）（ペル−フルオロ−ピレニル）アミノ）ペル−フルオロ−アントラセン−２−イル）（４，５，７−トリ−フルオロ−ナフチル）−（ペンタフルオロ−アントラセニル）−（ペル−フルオロ−フェニル）−ボラ−ト；６−（（プロピル）（ペル−フルオロ−ピレニル）アルシノ）フルオロ−ナフト−１−イル）（ペル−フルオロ−ピレニル）−（ペル−フルオロ−フェニル）（４，５，６−トリ−フルオロ−ナフチル）−ボラ−ト；６−（（プロピル）（テトラフルオロ−フルオレニル）アミノ）ペル−フルオロ−フルオレン−２−イル）（ペル−フルオロ−アントラセニル）−（４，５，６−トリ−フルオロ−ナフチル）−（ペル−フルオロ−ピレニル）−ボラ−ト；６−（（トリエチルシリル）（ペンタルフルオロ−ピレニル）アルシノ）ペル−フルオロ−インデン−２−イル）（ペル−フルオロ−ビフェニル）−（２，３，４−トリ−フルオロ−フェニル）−（ペル−フルオロ−フェニル）−アルミネート；６−（（トリエチルシリル）（ペル−フルオロ−ビフェニル）アミノ）ペルフルオロ−アントラセン−２−イル）（２，３，４−トリ−フルオロ−フェニル）−（２，３，５−トリ−フルオロ−フェニル）−（４，５，６−トリ−フルオロナフチル）−ボラ−ト；６−（（トリエチルシリル）（ペル−フルオロ−フルオレニル）ホスフィノ）フルオロ−アントラセン−２−イル）（ペルフルオロ−ビフェニル）−（ペル−フルオロ−フェニル）−（４，５，６，７−テトラフルオロ−ナフチル）−ボラ−ト；６−（（トリエチル−シリル−エチル）−（４，５，６，７−テトラフルオロ−ナフチル）アミノ）ペル−フルオロ−フルオレン−２−イル）（ペル−フルオロ−アントラセニル）−（ペル−フルオロナフチル）−（４，５，６−トリ−フルオロ−ナフチル）−ボラ−ト；
６−（（トリエチル−シリル−エチル）（４，５，６，７−テトラフルオロ−ナフチル）ホスフィノ）ペル−フルオロ−インデン−２−イル）（ペル−フルオロ−ナフチル）−（ペル−フルオロ−フルオレニル）−（ペルフルオロ−フェニル）−ボラ−ト；６−（（トリエチル−シリル−エチル）（ペル−フルオロ−ビフェニル）アミノ）ペル−フルオロ−フルオレン−２−イル）−（ペル−フルオロ−ビフェニル）−（ペンタフルオロ−アントラセニル）−（ペル−フルオロ−フェニル）−ボラ−ト；６−（（トリエチル−シリルエチル）（ペル−フルオロ−フェニル）ホスフィノ）ペル−フルオロ−アントラセン−１−イル）ビス（ペル−フルオロ−ビフェニル）−（４，５，６−トリ−フルオロ−ナフチル）−ボラ−ト；６−（（トリ−イソ−プロピル−シリル）（２’，３’，５’−トリ−フルオロ−ビフェニル）アミノ）ペル−フルオロ− アントラセン−１−イル）（２’，３’，４’−トリ−フルオロ−ビフェニル）−（ペル−フルオロ−アントラセニル）−（２，３，４−トリ−フルオロ−フェニル）ボラ−ト；６−（（トリ−イソ−プロピル−シリル）（ペル−フルオロ−フェニル）アミノ）ペル−フルオロ−ナフト−２−イル）（ペル−フルオロ− ピレニル）−（ペンタフルオロ−アントラセニル）−（ペル−フルオロ−フェニル）−ボラ−ト；
６−（（トリ−イソ−プロピル−シリル）（テトラフルオロ−フルオレニル）ホスフィノ）ペル−フルオロ−アントラセン−１−イル）（ペル−フルオロ−フルオレニル）−（４，５，７−トリフルオロ−ナフチル）−（ペル−フルオロ−ピレニル）−ボラ−ト；６−（（トリ−イソ−プロピル−シリル−オクチル）（ペル−フルオロアントラセニル）アルシノ）ペル−フルオロ−フルオレン−１−イル）（２’，３’，４’−トリ−フルオル−ビフェニル）−（ペル−フルオロ−フルオレニル）（４，５，６，７−テトラフルオロ−ナフチル）−アルミネート；６−（（トリ−イソ−プロピル−シリル−オクチル）（ペル−フルオロ−フェニル）アミノ）ペル−フルオロ−アントラセン−１−イル）（ペル−フルオロ−フルオレニル）−（４，５，６，７−テトラフルオロ−ナフチル）−（ペル−フルオロナフチル）−ボラ−ト；６−（（トリ−イソ−プロピル−シリル−オクチル）（ペル−フルオロ−フェニル）ホスフィノ）ペル−フルオロ−ナフト−２−イル）（ペル−フルオロ−フェニル）−（２’，３’，４’−トリ−フルオロ−ビフェニル）−（２，３，６−トリ−フルオロ−フェニル）−ボラ−ト；６−（（トリメチルシリル）（２，３，６−トリ−フルオロ−フェニル）アミノ）ペル−フルオロ−アントラセン−２−イル）（ペル−フルオロ−ビフェニル）−（２，３，４−トリフルオロ−フェニル）−（テトラフルオロ−フルオレニル）−ボラ−ト；６−（（トリメチル−シリル）（４，５，７−トリ−フルオロ−ナフチル）アミノ）ペル−フルオロ−アントラセン−１−イル）（２，３，６−トリ−フルオロ−フェニル）−（２，３，４−トリ−フルオロ−フェニル）−（ペル−フルオロ−ビフェニル）−アルミネート；６−（（トリメチル−シリル）（ペル−フルオロ−アントラセニル）アミノ）ペル−フルオロ−アントラセン−２−イル）（４，５，６，７−テトラフルオロ−ナフチル）−（ペル−フルオロ−フルオレニル）−（２’，３’，４’−トリ−フルオロ−ビフェニル）−ボラ−ト；６−（トリメチル−シリル）（ペル−フルオロ−ビフェニル）アミノ）フルオロ−ナフト−３−イル）（ペル−フルオロ−ビフェニル）−（４，５，７−トリフルオロ−ナフチル）−（２’，３’，５’−トリ−フルオロ−ビフェニル）−アルミネート；６−（（トリメチル−シリル）（ペル−フルオロピレニル）ホスフィノ）ペル−フルオロ−ナフト−３−イル）（２，３，６−トリ−フルオロ−フェニル）−（４，５，６，７−テトラフルオロ−ナフチル）（４，５，６−トリ−フルオロ−ナフチル）−ボラ−ト；
６−（（トリ−ｎ−プロピル−シリル）（２，３，５−トリ−フルオロ−フェニル）アミノ）ペル−フルオロナフト−３−イル）（ペル−フルオロ−ピレニル）−（４，５，７−トリ−フルオロ−ナフチル）−（ペル−フルオロ−フルオレニル）−アルミネート；６（（トリ−ｎ−プロピル−シリル）（ペンタフルオロ−アントラセニル）アミノ）ペル−フルオロ−ナフト−２−イル）（ペル−フルオロ−フェニル）−（ペル−フルオロ−ビフェニル）−（２，３，５−トリ−フルオロ−フェニル）−ボラ−ト；６−（（トリ−ｎ−プロピル−シリル）（ペル−フルオロアントラセニル）アミノ）ペル−フルオロ−アントラセン−２−イル）（２’，３’，５’−トリ−フルオロ−ビフェニル）−（２，３，６−トリ−フルオロフェニル）−（ペル−フルオロ−ビフェニル）−ボラ−ト；６−（（トリ−ｎ−プロピル−シリル）（ペル−フルオロ−フルオレニル）アミノ）ペル−フルオロフルオレン−１−イル）（２，３，４−トリ−フルオロ−フェニル）−（２，３，６−トリ−フルオロ−フェニル）（ペル−フルオロ−フェニル）−ボラ−ト；６−（（トリ−ｎ−プロピル−シリル）（ペル−フルオロ−フェニル）ホスフィノ）ペル−フルオロ−ナフト−３−イル）（ペル−フルオロ−フェニル）−（ペンタイフルオロ−ピレニル）−（２，３，４−トリ−フルオロ−フェニル）−アルミネート；６−（（トリ−ｎ−プロピル−シリル−ヘキシル）（２，３，４−トリフルオロ−フェニル）アミノ）ペル−フルオロ−ナフト−１−イル）（ペル−フルオロ−ナフチル）−（５，６，７，８−テトラフルオロ−ナフチル）（ペル−フルオロ−ピレニル）−アルミネート；６−（（トリ−ｎ−プロピル−シリル−ヘキシル）（４，５，６，７−テトラフルオロ−ナフチル）アミノ）ペル−フルオロ−アントラセン−１−イル）ビス （ペル−フルオロ−ビフェニル）−（４，５，６，７−テトラフルオロ−ナフチル）−アルミネート；６−（（トリ−ｎ−プロピル−シリル−ヘキシル）（４，５，６，７−テトラフルオロ−ナフチル）ホスフィノ）フルオロ−アントラセン−１−イル）（ペルフルオロ−フェニル）−（テトラフルオロ−フルオレニル）−（ペル−フルオロ−アントラセニル）−ボラ−ト；６−（（トリ−ｎ−プロピル−シリル−ヘキシル）（ペル−フルオロ−ビフェニル）ホスフィノ）ペル−フルオロ−アントラセン−１−イル）（ペル−フルオロ−ピレニル）−（２’，３’，４’−トリ−フルオロ−ビフェニル）−（ペル−フルオロ−ナフチル）−ボラ−ト；
６−（（トリ−ｎ−プロピル−シリル−ヘキシル）（ペル−フルオロ−フェニル）−アミノ）ペル−フルオロ−ナフト−３−イル）ビス （ペル−フルオロ−アントラセニル）−（ペル−フルオロ−ピレニル）−ボラ−ト；６−（（トリ−ｎ−プロピル−シリル−ヘキシル）（ペル−フルオロ−ピレニル）アミノ）ペル−フルオロ−ナフト−３−イル）ビス（２’，３’，４’−トリ−フルオロ−ビフェニル）（ペル−フルオロ−ピレニル）−ボラ−ト；７−（（３−エチル−ノニル）（５，６，７，８−テトラフルオロ−ナフチル）アルシノ）ペル−フルオロナフト−２−イル）（４，５，６−トリ−フルオロ−ナフチル）−（５，６，７，８−テトラフルオロ−ナフチル）−（２’，３’，５’−トリ−フルオロ−ビフェニル）ボラ−ト；７−（（３−エチル−ノニル）（ペンタルフルオロ−ピレニル）アミノ）ペル−フルオロ−フルオレン−１−イル）（ペル−フルオロ−フルオレニル）−（ペル−フルオロ−フェニル）−（ペル−フルオロ−ビフェニル）−ボラ−ト；７−（（３−エチル−ノニル）（ペンタルフルオロピレニル）アルシノ）ペル−フルオロ−インデン−２−イル）（２，３，６−トリ−フルオロ−フェニル）−（テトラフルオロ−フルオレニル）−（ペル−フルオロ−アントラセニル）−ボラ−ト；７−（（３−エチル−ノニル）（ペル−フルオロ−ビフェニル）ホスフィノ）ペル−フルオロ−フルオレン−１−イル）−（ペル−フルオロ−アントラセニル）−（ペル−フルオロ−フルオレニル）−（４，５，６−トリ−フルオロ−ナフチル）−ボラ−ト；７−（（３−エチルノニル）（ペル−フルオロ−フェニル）アルシノ）ペル−フルオロ−ナフト−３−イル）（２，３，６−トリ−フルオロ−フェニル）（ペル−フルオロビフェニル）−（２，３，４−トリ−フルオロ−フェニル）−ボラ−ト；７−（（トリエチル−シリル−プロピル）（２，３，４−トリ−フルオロ−フェニル）−アミノ）ペル−フルオロ−ピレン−２−イル）（ペル−フルオロ−フェニル）−（ペル−フルオロ−ビフェニル）−（ペル−フルオロ−アントラセニル）−ボラ−ト；７−（（トリエチル−シリル−プロピル）（２，３，６−トリ−フルオロ−フェニル）アミノ）ペル−フルオロ−アントラセン−１−イル）−（２’，３’，５’−トリ−フルオロ−ビフェニル）−（ペル−フルオロ−フェニル）−（２’，３’，４’−トリ−フルオロ−ビフェニル）−アルミネート；７−（（トリエチル−シリル−プロピル）（４，５，６−トリ−フルオロ−ナフチル）アミノ）ペル−フルオロ−ピレン−２−イル）（ペル−フルオロ−ビフェニル）（ペル−フルオロ−ナフチル）−（ペル−フルオロ−フェニル）−ボラ−ト；７−（（トリエチル−シリル−プロピル）（ペル−フルオロ−フルオレニル）アミノ）ペル−フルオロ−ナフト−３−イル）（ペル−フルオロ−フェニル）−（４，５，７−トリ−フルオロ−ナフチル）−（ペンタフルオロ−アントラセニル）−アルミネート；
７−（（トリエチル−シリル−プロピル）（ペル−フルオロ−フルオレニル）ホスフィノ）ペル−フルオロナフト−１−イル）（ペンタルフルオロ−ピレニル）−（ペル−フルオロ−アントラセニル）−（２，３，６−トリ−フルオロ−フェニル）−アルミネート；７−（（トリエチル−シリル−プロピル）（ペル−フルオロ−フェニル）アミノ）ペル−フルオロ−ナフト−１−イル）（２，３，４−トリ−フルオロ−フェニル）（４，５，６−トリ−フルオロ−ナフチル）−（４，５，６，７−テトラフルオロ−ナフチル）−アルミネート；７−（（ トリエチル−シリル−プロピル）（ペルフルオロ−フェニル）アミノ）ペル−フルオロ−ナフト−３−イル）（２，３，５−トリ−フルオロ−フェニル）−（ペル−フルオロ−フェニル）−（ペルフルオロ−ビフェニル）−ボラ−ト；７−（（２，２−ジメチル−オクチル）（２，３，５−トリ−フルオロ−フェニル）アミノ）ペル−フルオロ−フルオレン−２−イル）（ペンタフルオロ−アントラセニル）−（ペル−フルオロ−フェニル）−（ペル−フルオロ−ビフェニル）−ボラ−ト；７−（（２，２ジメチル−オクチル）（４，５，６，７−テトラフルオロ−ナフチル）アミノ）ペル−フルオロ−アントラセン−１−イル）（ペル−フルオロ−アントラセニル）−（２’，３’，４’−トリ−フルオロ−ビフェニル）−（ペル−フルオロ−フェニル）−アルミネート；７−（（２，２−ジメチル−オクチル）（４，５，６−トリ−フルオロ−ナフチル）ホスフィノ）ペル−フルオロ−アントラセン−１−イル）（２，３，４−トリ−フルオロ−フェニル）−（ペル−フルオロ−ビフェニル）−（ペンタフルオロ−アントラセニル）−ボラ−ト；７−（（２，２−ジメチル−オクチル）（ペンタフルオロ−アントラセニル）ホスフィノ）ペル−フルオロ−ナフト−１−イル）（ペル−フルオロ−フルオレニル）−（５，６，７，８−テトラフルオロナフチル）−（ペル−フルオロ−アントラセニル）−アルミネート；７−（（２，２−ジメチル−オクチル）（ペンタルフルオロ−ピレニル）アミノ）ペル−フルオロ−ナフト−１−イル）（ペル−フルオロ−ナフチル）−（テトラフルオロ−フルオレニル）−（ペンタルフルオロ−ピレニル）−ボラ−ト；７−（（２，２−ジメチル−コチル）（ペル−フルオロ−フルオレニル）アルシノ）フルオロ−ナフト−１−イル）（ペル−フルオロ−フェニル）（ペル−フルオロ−ナフチル）−（ペンタルフルオロ−ピレニル）−ボラ−ト；７−（（２，２−ジメチル−オクチル）（ペル−フルオロ−ナフチル）アミノ）ペル−フルオロ−アントラセン−１−イル）ビス（ペル−フルオロ−アントラセニル）−（ペンタルフルオロ−ピレニル−アルミネート；７−（（２，２−ジメチル−オクチル）（ペル−フルオロ−ピレニル）ホスフィノ）ペル−フルオロ−フルオレン−１−イル）ビス（５，６，７，８−テトラフルオロ−ナフチル）−（ペル−フルオロ−フェニル）−ボラ−ト；７−（（ベンジル）（ペル−フルオロ−アントラセニル）アミノ）ペルフルオロ−アントラセン−１−イル）（ペル−フルオロ−ピレニル）−（ペル−フルオロ−アントラセニル）−（２，３，５−トリ−フルオロ−フェニル）ボラ−ト；７−（（ベン��ル）（ペル−フルオロ−ビフェニル）アミノ）ペル−フルオロ−ナフト−ｌ−イル）（テトラフルオロ−フルオレニル）−（ペンタルフルオロ−ピレニル）−（２，３，５−トリ−フルオロ−フェニル）−ボラ−ト；７−（（ベンジル）（ペル−フルオロ−ビフェニル）アミノ）ペル−フルオロ−ピレン−１−イル）（２’，３’，４’−トリ−フルオロ−ビフェニル）−（テトラフルオロ−フルオレニル）−（４，５，６，７−テトラフルオロ−ナフチル）−ボラ−ト；７−（（ブチル）（ペンタルフルオロ−ピレニル）アミノ）ペル−フルオロ−フルオレン−２−イル）（ペンタフルオロ−アントラセニル）−（ペル−フルオロ−ビフェニル）−（２，３，４−トリ−フルオロ−フェニル）−アルミネート；７−（（ブチル）（ペル−フルオロフェニル）アミノ）ペル−フルオロ−アントラセン−１−イル）（ペル−フルオロ−ピレニル）−（２’，３’，４’−トリ−フルオロ−ビフェニル）−（ペル−フルオロ−ビフェニル）−アルミネート；７−（（シクロ−ヘキシル）（２’，３’，４’−トリ−フルオロ−ビフェニル）アミノ）ペル−フルオロ−ピレン１−イル）（４，５，６，７−テトラフルオロ−ナフチル）−（テトラフルオロ−フルオレニル）−（ペンタフルオロ−アントラセニル）−ボラ−ト；７−（ （シクロ−ヘキシル）（２’，３’，４’−トリ−フルオロ−ビフェニル）ホスフィノ）ペル−フルオロ−ピレン−２−イル）（ペル−フルオロ−フルオレニル）−（テトラフルオロ−フルオレニル）−（ペル−フルオロ−フェニル）−アルミネート；７−（（シクロ−ヘキシル）（２，３，４−トリ−フルオロ−フェニル）アミノ）ペル−フルオロ−インデン−２−イル）（ペル−フルオロ−フルオレニル）−（２，３，６−トリ−フルオロ−フェニル）−（ペル−フルオロ−ビフェニル）アルミネート；７−（（シクロ−ヘキシル）（２，３，４−トリ−フルオロ−フェニル）アミノ）ペル−フルオロ−ピレン−２−イル）（２，３，４−トリ−フルオロフェニル）−（ペル−フルオロ−フルオレニル）−（ペル−フルオロ−ナフチル）−ボラ−ト；７−（（シクロ−ヘキシル）（４，５，６−トリ−フルオロナフチル）アミノ）ペル−フルオロ−フルオレン−２−イル）（ペル−フルオロ−ビフェニル）−（テトラフルオロ−フルオレニル）−（ペル−フルオロフェニル）−アルミネート；
７−（（シクロ−ヘキシル）（５，６，７，８−テトラフルオロ−ナフチル）アルシノ）ペル−フルオロ−フルオレン−２−イル）−（ペル−フルオロ−ビフェニル）−（ペンタフルオロ−ピレニル）−（ペル−フルオロ−フェニル）−アルミネート；７−（（シクロ−ヘキシル）−（５，６，７，８−テトラフルオロ−ナフチル）アルシノ）ペル−フルオロ−ナフト−３−イル）（ペル−フルオロ−アントラセニル）−（４，５，６，７−テトラフルオロ−ナフチル）−（ペル−フルオロ−ビフェニル）−ボラ−ト；７−（（シクロ−ヘキシル）（５，６，７，８−テトラフルオロナフチル）ホスフィノ）フルオロ−インデン−２−イル）ビス（ペンタフルオロ−アントラセニル）−（４，５，６，７−テトラフルオロ−ナフチル）−ボラ−ト；７−（（シクロ−ヘキシル）（ペンタルフルオロ−ピレニル）アミノ）ペル−フルオロ−ピレン−２−イル）ビス（ペルフルオロ−ビフェニル）−（２，３，４−トリ−フルオロ−フェニル）−ボラ−ト；７−（（シクロ−ヘキシル）（ペル−フルオロ−ビフェニル）アミノ）ペルフルオロ−フルオレン−１−イル）（ペル−フルオロ−ナフチル）−（２’，３’，４’−トリ−フルオロ−ビフェニル）−（ペル−フルオロ−フルオレニル）−ボラ−ト；７−（（シクロ−ヘキシル）（ペル−フルオロ−ビフェニル）アミノ）ペル−フルオロ−フルオレン−１−イル）ビス（ペル−フルオロ アントラセニル）−（ペル−フルオロ−フルオレニル−アルミネート；７−（（シクロ−ヘキシル）（ペル−フルオロ−ビフェニル）アルシノ）ペルフルオロ−ナフト−１−イル）ビス （４，５，６，７−テトラフルオロ−ナフチル）−（４，５，６−トリ−フルオロ−ナフチル）−ボラ−ト；
７−（（シクロヘキシル）（ペル−フルオロ−フルオレニル）アミノ）フルオロ−ピレン−１−イル）（２，３，４−トリ−フルオロ−フェニル）（ペル−フルオロナフチル）−（ペル−フルオロ−フェニル）−アルミネート；７−（（シクロ−ヘキシル）（ペル−フルオロ−フェニル）アミノ）ペル−フルオロアントラセン−１−イル）（ペル−フルオロ−フルオレニル）−（５，６，７，８−テトラフルオロ−ナフチル）−（ペル−フルオロ−アントラセニル）ボラ−ト；７−（（シクロ−ヘキシル）（ペル−フルオロ−フェニル）アミノ）ペル−フルオロ−フルオレン−１−イル）ビス （２，３，４−トリ−フルオロフェニル）−（４，５，７−トリ−フルオロ−ナフチル−アルミネート；７−（（シクロ−ヘキシル）（テトラフルオロ−フルオレニル）アミノ）ペルフルオロ−ピレン−１−イル）（２，３，６−トリ−フルオロ−フェニル）−（２，３，４−トリ−フルオロ−フェニル）−（ペル−フルオロ−フェニル）−ボラ−ト；７−（（ジエチル−ノンリ−シリル）（５，６，７，８−テトラフルオロ−ナフチル）アミノ）ペル−フルオロ−ナフト−２−イル）（テトラフルオロ− フルオレニル）−（ペル−フルオロ−ナフチル）−（ペル−フルオロ−ビフェニル）−ボラ−ト；７−（（ジエチル−ノンリ−シリル）（ペンタルフルオロ−ピレニル）アミノ）ペル−フルオロ−ナフト−１−イル）（ペル−フルオロ−ナフチル）−（ペル−フルオロ−フェニル）−（ペル−フルオロ−ビフェニル）−ボラ−ト；７−（（ジエチル−ノンリ−シリル）（ペル−フルオロ−フルオレニル）アミノ）ペル−フルオロ−インデン−２−イル）（ペル−フルオロ−フェニル）−（ペル−フルオロ−ナフチル）−（２’，３’，５’−トリ−フルオロ−ビフェニル）−ボラ−ト；７−（（ジエチル−ノンリ−シリル）（ペル−フルオロ−フェニル）ホスフィノ）ペル−フルオロ−ピレン−２−イル）（テトラフルオロ−フルオレニル）−（ペルフルオロ−ナフチル）−（ペル−フルオロ−ビフェニル）−ボラ−ト；７−（（ジエチル−ノンリ−シリル）（ペル−フルオロ−ピレニル）アミノ）ペル−フルオロ−インデン−２−イル）（４，５，６−トリ−フルオロ−ナフチル）−（ペル−フルオロ−アントラセニル）−（ペル−フルオロ−フェニル）ボラ−ト；
７−（（エチル）（２，３，６−トリ−フルオロ−フェニル）アミノ）ペル−フルオロ−ナフト−１−イル）（２，３，４−トリ−フルオロ−フェニル）（テトラフルオロ−フルオレニル）−（５，６，７，８−テトラフルオロ−ナフチル）−ボラ−ト；７−（（エチル）（４，５，７−トリ−フルオロ−ナフチル）アミノ）ペル−フルオロ−ナフト−２−イル）（ペンタフルオロ−アントラセニル）−（２’，３’，５’−トリ−フルオロ−ビフェニル）−（ペル−フルオロビフェニル）−ボラ−ト；７−（（エチル）（ペル−フルオロ−アントラセニル）アミノ）ペル−フルオロ−インデン−２−イル）（２，３，６−トリ−フルオロフェニル）−（４，５，６−トリ−フルオロ−ナフチル）−（ペル−フルオロ−フルオレニル）−アルミネート；７−（（エチル）（ペル−フルオロ−ナフチル）アミノ）ペル−フルオロ−ナフト−１−イル）（（ペル−フルオロ−フルオレニル）−（２，３，４−トリ−フルオロ−フェニル）−（２’，３’，５’−トリフルオロ−ビフェニル）−アルミネート；７−（（エチル）（ペル−フルオロ−ピレニル）アミノ）ペル−フルオロ−アントラセン−１−イル）（ペルフルオロ−フェニル）−（ペル−フルオロ−アントラセニル）−（２’，３’，５’−トリ−フルオロ−ビフェニル）−ボラ−ト；７−（（エチル）（ペル−フルオロ− ピレニル）アミノ）ペル−フルオロ−フルオレン−１−イル）（２，３，４−トリ−フルオロ−フェニル）−（２，３，６−トリ−フルオロ−フェニル）−（ペルフルオロ−フェニル）−ボラ−ト；７−（（ヘキシル）（ペル−フルオロ−ビフェニル）ホスフィノ）ペル−フルオロ−ナフト−２−イル）（ペンタフルオロ−アントラセニル）−（ペル−フルオロ−ビフェニル）−（２，３，４−トリ−フルオロ−フェニル）−ボラ−ト；
７−（（ヘキシル）（ペルフルオロ−フェニル）アミノ）フルオロ−ナフト−３−イル）（２，３，５−トリ−フルオロ−フェニル）−（ペル−フルオロ−フェニル）−（４，５，７−トリフルオロ−ナフチル）−アルミネート；７−（（ヘキシル）（ペル−フルオロ−フェニル）アミノ）ペル−フルオロ−フルオレン−１−イル）（ペル−フルオロ−ピレニル）−（４，５，６，７−テトラフルオロ−ナフチル）−（ペル−フルオロ−フェニル）−ボラ−ト；７−（（ヘキシル）（ペル−フルオロフェニル）アミノ）ペル−フルオロ−ナフト−１−イル）ビス（ペル−フルオロ−ビフェニル）−（４，５，６−トリ−フルオロ−ナフチルアルミネート；７−（（ヘキシル）（ペル−フルオロ−フェニル）アミノ）ペル−フルオロ−ナフト−２−イル）（ペンタフルオロ−ピレニル）−（４，５，７−トリ−フルオロ−ナフチル）−（ペル−フルオロ−フェニル）−ボラ−ト；７−（（ヘキシル）（ペル−フルオロ−フェニル）アミノ）ペルフルオロ−ナフト−３−イル）（テトラフルオロ−フルオレニル）−（ペンタフルオロ−アントラセニル）−（ペル−フルオロ−ナフチル）−ボラ−ト；７−（（ヘキシル）（テトラフルオロ−フルオレニル）アミノ）ペル−フルオロ−ナフト−１−イル）（２，３，４−トリ−フルオロ−フェニル）−（５，６，７，８テトラフルオロ−ナフチル）−（ペル−フルオロ−ピレニル）−ボラ−ト；７−（（イソ−プロピル）（ペンタルフルオロ−ピレニル）アルシノ）ペル−フルオロ−ナフト−１−イル）ビス（ペル−フルオロ−アントラセニル）−（ペル−フルオロ−ビフェニル）−ボラ−ト；７−（（イソ−プロピル）（ペル−フルオロ−ビフェニル）アミノ）ペル−フルオロ−インデン−２−イル）（ペル−フルオロ−フェニル）−（ペル−フルオロ−フルオレニル）−（２’，３’，５’−トリ−フルオロ−ビフェニル）−アルミネート；７−（（イソ−プロピル）（ペル−フルオロ−ビフェニル）アミノ）ペル−フルオロナフト−３−イル）（ペル−フルオロ−フェニル）−（４，５，６，７−テトラフルオロ−ナフチル）−（ペル−フルオロ−ナフチル）−アルミネート；７−（（メチル）（２，３，５−トリ−フルオロ−フェニル）アミノ）ペル−フルオロ−アントラセン−１−イル）（ペル−フルオロ−フルオレニル）−（ペル−フルオロ−アントラセニル）−（テトラフルオロ−フルオレニル）−アルミネート；７−（（メチル）（２，３，５−トリ−フルオロ−フェニル）アミノ）ペル−フルオロ−ナフト−１−イル）ビス （２，３，６−トリ−フルオロ−フェニル）−（ペル−フルオロ−ピレニル）−ボラ−ト；７−（（メチル）（４，５，６，７−テトラフルオロ−ナフチル）アミノ）ペル−フルオロ−ピレン−２−イル）（２，３，５−トリ−フルオロ−フェニル）−（ペル−フルオロフルオレニル）−（５，６，７，８−テトラフルオロ−ナフチル）−ボラ−ト；７−（（メチル）（ペル−フルオロ−フェニル）アミノ）ペル−フルオロピレン−２−イル）（ペル−フルオロ−ナフチル）−（ペル−フルオロ−フルオレニル）−（ペル−フルオロ−フェニル）−アルミネート；７−（（メチル）（ペル−フルオロ−ピレニル）アミノ）ペル−フルオロ−ピレン−��−イル）（ペル−フルオロ−ビフェニル）−（ペル−フルオロナフチル）−（テトラフルオロ−フルオレニル）−ボラ−ト；
７−（（メチル−ジエチル−シリル−オクチル）（５，６，７，８−テトラフルオロナフチル）アミノ）ペル−フルオロ−インデン−２−イル）（２’，３’，４’−トリ−フルオロ−ビフェニル）−（ペル−フルオロ−フェニル）−（２，３，４−トリフルオロ−フェニル）−アルミネート；７−（（メチル−ジエチル−シリル−オクチル）（ペル−フルオロ−アントラセニル）アミノ）ペルフルオロ−ナフト−２−イル）（２，３，５−トリ−フルオロ−フェニル）−（ペル−フルオロ−フルオレニル）−（ペル−フルオロ−ビフェニル）−ボラ−ト；７−（（メチル−ジエチル−シリル−オクチル）（ペル−フルオロ−ビフェニル）アミノ）ペル−フルオロ−ナフト−１−イル）（ペル−フルオロ−アントラセニル）−（ペンタフルオロ−アントラセニル）−（ペル−フルオロ−フェニル）−アルミネート；７−（（メチル−ジエチル−シリルオクチル）（ペル−フルオロ−フルオレニル）アミノ）ペル−フルオロ−ピレン−１−イル）（ペル−フルオロ−アントラセニル）−（２’，３’，５’−トリ−フルオロ−ビフェニル）−（ペル−フルオロ−ビフェニル）−アルミネート；７−（（メチル−ジエチル−シリル−オクチル）（ペル−フルオロ−フェニル）アミノ）ペル−フルオロ−ナフト−３−イル）（ペル−フルオロ−ピレニル）−（２，３，４−トリ−フルオロ−フェニル）−（ペル−フルオロアントラセニル）−ボラ−ト；７−（（メチル−ジエチル−シリル−オクチル）（ペル−フルオロ−フェニル）アルシノ）フルオロ−ナフト−２−イル）（ペル−フルオロ−ピレニル）−（ペル−フルオロ−フェニル）−（２，３，４−トリ−フルオロ−フェニル）−ボラ−ト；７−（（メチル−ジエチル−シリル−オクチル）（ペル−フルオロ−フェニル）アルシノ）ペル−フルオロ−ナフト−３−イル）（２’，３’，５’−トリ−フルオロ−ビフェニル）−（ペル−フルオロピレニル）−（ペル−フルオロ−ビフェニル）−アルミネート；７−（（メチル−エチル−ヘキシル−シリル）（４，５，６，７−テトラフルオロナフチル）アルシノ）ペル−フルオロ−ナフト−２−イル）（ペル−フルオロ−フェニル）−（２，３，４−トリ−フルオロ−フェニル）−（ペル−フルオロビフェニル）−ボラ−ト；７−（（メチル−エチル−ヘキシル−シリル）（ペル−フルオロ−フェニル）アミノ）ペル−フルオロ−インデン−２−イル）−（２，３，５−トリ−フルオロ−フェニル）−（ペル−フルオロ−ピレニル）−（２’，３’，４’−トリ−フルオロ−ビフェニル）−ボラ−ト；７−（（メチルエチル−ヘキシル−シリル）（ペル−フルオロ−フェニル）アミノ）ペル−フルオロ−ピレン−２−イル）（ペル−フルオロ−フルオレニル）−（ペル− フルオロ−ピレニル）−（２，３，４−トリ−フルオロ−フェニル）−ボラ−ト；７−（（ｎ−ブチル）（２，３，５−トリ−フルオロ−フェニル）アミノ）ペルフルオロ−フルオレン−１−イル）（ペル−フルオロ−アントラセニル）−（２，３，４−トリ−フルオロ−フェニル）−（ペル−フルオロ−ビフェニル）ボラ−ト；７−（（ｎ−ブチル）（５，６，７，８−テトラフルオロ−ナフチル）アミノ）ペル−フルオロ−フルオレン−２−イル）（ペル−フ��オロアントラセニル）−（４，５，６，７−テトラフルオロ−ナフチル）−（ペル−フルオロ−ビフェニル）−アルミネート；
７−（（ｎ−ブチル）（ペルフルオロ−ビフェニル）アミノ）ペル−フルオロ−インデン−２−イル）（２’，３’，５’−トリ−フルオロ−ビフェニル）−（４，５，６−トリ−フルオロナフチル）−（２，３，６−トリ−フルオロ−フェニル）−ボラ−ト；７−（（ｎ−ブチル）（ペル−フルオロ−ピレニル）アミノ）ペル−フルオロピレン−１−イル）（ペル−フルオロ−フェニル）−（テトラフルオロ−フルオレニル）−（４，５，７−トリ−フルオロ−ナフチル）−アルミネート；７− （（ノニル）（４，５，６，７−テトラフルオロ−ナフチル）アミノ）ペル−フルオロ−ナフト−３−イル）（２，３，５−トリ−フルオロ−フェニル）（４，５，６，７−テトラフルオロ−ナフチル）−（２，３，６−トリ−フルオロ−フェニル）−アルミネート；７−（（ノニル）（４，５，６−トリ−フルオロ−ナフチル）アルシノ）ペル−フルオロ−フルオレン−２−イル）（ペル−フルオロ−ナフチル）−（ペル−フルオロ−フルオレニル）−（ペル−フルオロピレニル）−ボラ−ト；
７−（（ノニル）（ペル−フルオロ−フェニル）ホスフィノ）ペル−フルオロ−フルオレン−２−イル）（ペル−フルオロナフチル）−（ペル−フルオロ−フェニル）−（４，５，６，７−テトラフルオロ−ナフチル）−アルミネート；７−（（ノニル）（ペル−フルオロピレニル）アミノ）ペル−フルオロ−ナフト−１−イル）（２’，３’，５’−トリ−フルオロ−ビフェニル）−（ペル−フルオロ−アントラセニル）−（ペルフルオロ−フルオレニル）−ボラ−ト；７−（（オクチル）（２，３，４−トリ−フルオロ−フェニル）アミノ）ペル−フルオロ−ピレン−２−イル）（ペルフルオロ−フェニル）−（２’，３’，４’−トリ−フルオロ−ビフェニル）−（ペル−フルオロ−ナフチル）−ボラ−ト；７−（（オクチル）（４，５，６，７テトラフルオロ−ナフチル）アミノ）ペル−フルオロ−ナフト−１−イル）（２’，３’，５’−トリ−フルオロ−ビフェニル）−（４，５，６−トリ−フルオロ−ナフチル）−（ペル−フルオロ−アントラセニル）−ボラ−ト；７−（（オクチル）（４，５，７−トリ−フルオロ−ナフチル）アミノ）ペル−フルオロピレン−２−イル）（ペル−フルオロ−フェニル）−（４，５，７−トリ−フルオロ−ナフチル）−（ペル−フルオロ−ナフチル）−アルミネート；７−（（オクチル）（ペル−フルオロ−アントラセニル）アミノ）ペル−フルオロ−アントラセン−１−イル）（ペル−フルオロ−フェニル）−（ペル−フルオロフルオレニル）−（４，５，７−トリ−フルオロ−ナフチル）−ボラ−ト；７−（（オクチル）（ペル−フルオロ−ビフェニル）アミノ）ペル−フルオロナフト−２−イル）ビス（４，５，７−トリ−フルオロ−ナフチル）−（ペル−フルオロ−ビフェニル）−ボラ−ト；７−（（オクチル）（ペル−フルオロビフェニル）アルシノ）ペル−フルオロ−インデン−２−イル）（ペル−フルオロ−フルオレニル）−（テトラフルオロ−フルオレニル）−（ペル−フルオロ−フェニル）−ボラ−ト；７−（（オクチル）（ペル−フルオロ−ビフェニル）ホスフィノ）ペル−フルオロ−ナフト−３−イル）ビス（ペンタフルオロアントラセニル）−（ペル−フルオロ−フェニル）−ボラ−ト；７−（（オクチル）（ペル−フルオロ−ナフチル）アルシノ）ペル−フルオロ−アントラセン−１−イル）（４，５，７−トリ−フルオロ−ナフチル）−（ペル−フルオロ−ビフェニル）−（ペル−フルオロ−フェニル）−ボラ−ト；７−（（オクチル）（ペル−フルオロ−フェニル）アミノ）ペル−フルオロ−ナフト−２−イル）（ペル−フルオロ−ビフェニル）−（４，５，６，７−テトラフルオロ−ナフチル）−（ペル−フルオロ−フェニル）−アルミネート；７−（（オクチル）（ペル−フルオロ−フェニル）アミノ）ペル−フルオロ−ナフト−３イル）（５，６，７，８−テトラフルオロ−ナフチル）−（４，５，６，７−テトラフルオロ−ナフチル）−（ペル−フルオロ−フェニル）−アルミネート；７−（（プロピル）（２，３，４−トリ−フルオロ−フェニル）ホスフィノ）ペル−フルオロ−フルオレン−２−イル）（ペル−フルオロ−ピレニル）−（ペル−フルオロ−ナフチル）−（ペル−フルオロ−アントラセニル）−ボラ−ト；７−（（プロピル）（ペンタフルオロ−アントラセニル）ホスフィノ）ペル−フルオロ−フルオレン−２−イル）（ペル−フルオロ−フェニル）−（ペル−フルオロ−ビフェニル）−（４，５，６−トリ−フルオロナフチル）−ボラ−ト；７−（（プロピル）（ペンタフルオロ−アントラセニル）ホスフィノ）ペル−フルオロ−インデン−２−イル）（２，３，５−トリ−フルオロ−フェニル）−（４，５，６−トリ−フルオロ−ナフチル）−（ペル−フルオロ−ナフチル）−ボラ−ト；７−（（プロピル）（ペル−フルオロビフェニル）アルシノ）ペル−フルオロ−インデン−２−イル）（ペル−フルオロ−フェニル）−（２，３，６−トリ−フルオロ−フェニル）−（ペンタルフルオロピレニル）−ボラ−ト；７−（（プロピル）（ペル−フルオロ−フルオレニル）アミノ）ペル−フルオロ−ナフト−２−イル）（２，３，５−トリ−フルオロ− フェニル）−（４，５，６，７−テトラフルオロ−ナフチル）−（テトラフルオロ−フルオレニル）−ボラ−ト；７−（（トリエチルシリル）（２’，３’，４’−トリフルオロ−ビフェニル）アルシノ）ペル−フルオロ−ナフト−３−イル）（４，５，６，７−テトラフルオロ−ナフチル）−（２，３，４−トリ−フルオロフェニル）−（ペル−フルオロ−フルオレニル）−ボラ−ト；７−（（トリエチルシリル）（４，５，７−トリ−フルオロ−ナフチル）ホスフィノ）ペルフルオロ−ピレン−２−イル）（ペル−フルオロ−フェニル）−（ペル−フルオロ−アントラセニル）−（ペル−フルオロ−ナフチル）−アルミネート；
７−（（トリエチルシリル）（ペル−フルオロ−ビフェニル）ホスフィノ）ペル−フルオロ−ピレン−１−イル）（ペル−フルオロ−アントラセニル）（２，３，４−トリ−フルオロ−フェニル）−（ペル−フルオロ−ビフェニル）−ボラ−ト；７−（（トリエチルシリル）（ペル−フルオロ−フェニル）アミノ）ペル−フルオロ−ピレン−２−イル）（ペル−フルオロ−アントラセニル）−（ペル−フルオロ−ビフェニル）−（ペル−フルオロ−フェニル）−ボラ−ト；７−（（トリエチル−シリル−エチル）（２’，３’，４’−トリ−フルオロ−ビフェニル）アミノ）ペル−フルオロ−ナフト−３−イル）（ペル−フルオロ−フェニル）（ペル−フルオロ−ピレニル）−（ペル−フルオロ−フルオレニル）−ボラ−ト；７−（（トリエチル−シリル−エチル）（ペル−フルオロ−ビフェニル）アミノ）ペル−フルオロ−ナフト−１−イル）ビス（ペル−フルオロ−ビフェニル）−（２，３，４−トリ−フルオロ−フェニル）−ボラ−ト；７−（（トリエチルシリル−エチル）（ペル−フルオロ−ビフェニル）ホスフィノ）ペル−フルオロ−ピレン−１−イル）（ペル−フルオロ−フルオレニル）−（ペル− フルオロ−アントラセニル）−（５，６，７，８−テトラフルオロ−ナフチル）−アルミネート；７−（（トリエチル−シリル−エチル）（ペル−フルオロフルオレニル）アミノ）ペル−フルオロ−ナフト−１−イル）（ペル−フルオロ−ピレニル）−（４，５，６，７−テトラフルオロ−ナフチル）−（４，５，７−トリ−フルオロ−ナフチル）−ボラ−ト；７−（（トリエチル−シリル−エチル）（ペル−フルオロ−フェニル）アミノ）ペル−フルオロ−ナフト−１− イル）（ペル−フルオロ−アントラセニル）−（２’，３’，４’−トリ−フルオロ−ビフェニル）−（ペル−フルオロ−フェニル）−アルミネート；７−（（トリ−イソプロピル−シリル）（２’，３’，４’−トリ−フルオロ−ビフェニル）アミノ）フルオロ−インデン−２−イル）（２，３，４−トリ−フルオロ−フェニル）−（４，５，６−トリフルオロ−ナフチル）−（ペル−フルオロ−ビフェニル）−アルミネート；７−（（トリ−イソ−プロピル−シリル）（ペンタルフルオロ− ピレニル）ホスフィノ）ペル−フルオロ−ピレン−１−イル）（ペル−フルオロ−フルオレニル）−（ペンタルフルオロ−ピレニル）（ペンタフルオロ−アントラセニル）−ボラ−ト；７−（（トリ−イソ−プロピル−シリル）（ペル−フルオロ−ピレニル）アルシノ）ペル−フルオロナフト−１−イル）（テトラフルオロ−フルオレニル）−（ペル−フルオロ−ナフチル）−（ペンタフルオロ−アントラセニル）−ボラ−ト；７−（（トリ− イソ−プロピル−シリル−オクチル）（２’，３’，５’−トリ−フルオロ−ビフェニル）アミノ）ペル−フルオロ−ピレン−２−イル）（ペル−フルオロ ピレニル）−（ペンタルフルオロ−ピレニル）−（ペル−フルオロ−フェニル）−アルミネート；７−（（トリ−イソ−プロピル−シリル−オクチル）−（ペンタルフルオロ−ピレニル）アミノ）ペル−フルオロ−アントラセン−１−イル）ビス（４，５，７−トリ−フルオロ−ナフチル）−（ペル−フルオロフェニル）−アルミネート；７−（（トリ−イ���−プロピル−シリル−オクチル）（ペル−フルオロ−アントラセニル）アミノ）ペル−フルオロ−ナフト−３−イル）（２’，３’，５’−トリ−フルオロ−ビフェニル）−（ペル−フルオロ−ピレニル）−（２，３，４−トリ−フルオロ−フェニル）−アルミネート；
７−（（トリイソ−プロピル−シリル−オクチル）（ペル−フルオロ−ビフェニル）ホスフィノ）ペル−フルオロ−ピレン−２−イル）（ペル−フルオロ−フェニル）（４，５，６−トリ−フルオロ−ナフチル）−（ペル−フルオロ−アントラセニル）−ボラ−ト；７−（（トリ−イソ−プロピル−シリル−オクチル）（ペルフルオロ−フェニル）アミノ）ペル−フルオロ−フルオレン−１−イル）（２，３，５−トリ−フルオロ−フェニル）−（４，５，６，７−テトラフルオロナフチル）−（テトラフルオロ−フルオレニル）−ボラ−ト；７−（（トリ−イソ−プロピル−シリル−オクチル）（ペル−フルオロ−フェニル）アルシノ）ペル−フルオロ−フルオレン−１−イル）（４，５，７−トリ−フルオロ−ナフチル）−（ペル−フルオロ−フルオレニル）−（ペンタフルオロ− アントラセニル）−ボラ−ト；７−（（トリ−イソ−プロピル−シリル−オクチル）（ペル−フルオロ−ピレニイ）アミノ）ペル−フルオロ−ナフト−１− イル）（ペル−フルオロ−フルオレニル）−（５，６，７，８−テトラフルオロ−ナフチル）−（ペル−フルオロ−アントラセニル）−アルミネート；７−（（トリメチル−シリル）（２’，３’，４’−トリ−フルオロ−ビフェニル）ホスフィノ）ペル−フルオロ−フルオレン−１−イル）（ペル−フルオロ− ピレニル）−（２’，３’，５’−トリ−フルオロ−ビフェニル）−（ペル−フルオロ−ビフェニル）−ボラ−ト；７−（（トリメチル−シリル）（４，５，６，７−テトラフルオロ−ナフチル）ホスフィノ）ペル−フルオロ−ナフト−２−イル）（ペル−フルオロ−ビフェニル）−（ペンタフルオロアントラセニル）−（ペル−フルオロ−フェニル）−アルミネート；７−（（トリメチル−シリル）（ペル−フルオロ−ビフェニル）ホスフィノ）ペル−フルオロ−ピレン−２−イル）（ペンタフルオロ−アントラセニル）−（ペル−フルオロ−アントラセニル）−（ペル−フルオロ−フェニル）ボラ−ト；７−（（トリメチル−シリル）（ペル−フルオロ−フルオレニル）アミノ）ペル−フルオロ−ピレン−２−イル）（５，６，７，８−テトラフルオロナフチル）−（２，３，４−トリ−フルオロ−フェニル）−（ペル−フルオロ−アントラセニル）−ボラ−ト；７−（（トリメチル−シリル）（ペル−フルオロフェニル）ホスフィノ）ペル−フルオロ−ナフト−２−イル）（ペル−フルオロ−フルオレニル）−（ペル−フルオロ−フェニル）−（４，５，７−トリフルオロ−ナフチル）−ボラ−ト；７−（（トリメチル−シリル）（ペル−フルオロ−ピレニル）アミノ）ペル−フルオロ−ナフト−３−イル）（ペルフルオロ−ビフェニル）−（２，３，６−トリ−フルオロ−フェニル）−（ペル−フルオロ−ピレニル）−ボラ−ト；７−（（トリ−ｎ−プロピル−シリル）（２，３，５−トリ−フルオロ−フェニル）アミノ）ペル−フルオロ−ピレン−１−イル）（ペル−フルオロ−ナフチル）−（２，３，５−トリ−フルオロ−フェニル）−（ペルフルオロ−アントラセニル）−アルミネート；７−（（トリ−ｎ−プロピル−シリル）（２，３，６−トリ−フルオロ−フェニル）アミノ）ペル−フルオロインデン−２−イル）（２’，３’，５’−トリ−フルオロ−ビフェニル）−（ペル−フルオロ−アントラセニル）−（ペル−フルオロ−ピレニル）−ボラ−ト；７−（（トリ−ｎ−プロピル−シリル）（ペル−フルオロ−フルオレニル）アミノ）ペル−フルオロ−ナフト−２−イル）（ペル−フルオロ−フルオレニル）−（ペル−フルオロ−ピレニル）−（２，３，５−トリ−フルオロ−フェニル）−ボラ−ト；７−（（トリ−ｎ−プロピル−シリル）（ペル−フルオロ−フルオレニル）アミノ）ペル−フルオロ−ピレン−２−イル）（ペル−フルオロ−フルオレニル）−（ペンタフルオロ−アントラセニル）−（ペル−フルオロ−ピレニル）ボラ−ト；
７−（（トリ−ｎ−プロピル−シリル）（ペル−フルオロ−フェニル）アミノ）フルオロ−ナフト−３−イル）（２，３，４−トリ−フルオロ−フェニル）（ペル−フルオロ−ビフェニル）−（ペンタフルオロ−アントラセニル）−ボラ−ト；７−（（トリ−ｎ−プロピル−シリル）（ペル−フルオロ−フェニル）アミノ）ペル−フルオロ−ピレン−１−イル）（２’，３’，５’−トリ−フルオロ−ビフェニル）−（テトラフルオロ−フルオレニル）−（ペル−フルオロピレニル）−アルミネート；７−（（トリ−ｎ−プロピル−シリル）（ペル−フルオロ−フェニル）ホスフィノ）フルオロ−ナフト−２−イル）（２’，３’，５’−トリ−フルオロ−ビフェニル）−ペル−フルオロ−ビフェニル）−（ペル−フルオロ−アントラセニル）−ボラ−ト；７−（（トリ−ｎ−プロピル−シリル−ヘキシル）（ペル−フルオロ−ビフェニル）アミノ）フルオロ−ピレン−２−イル）（４，５，７−トリ−フルオロ−ナフチル）−（２’，３’，４’−トリ−フルオロ−ビフェニル）−（ペル−フルオロ−ビフェニル）−ボラ−ト；７−（（トリ−ｎ−プロピル−シリル−ヘキシル）（ペル−フルオロビフェニル）ホスフィノ）フルオロ−ナフト−２−イル）（ペル−フルオロ−フェニル）−（ペンタフルオロ−アントラセニル）−（５，６，７，８テトラフルオロ−ナフチル）−アルミネート；７−（（トリ−ｎ−プロピル−シリル−ヘキシル）（ペル−フルオロ−フルオレニル）アミノ）フルオロピレン−２−イル）（テトラフルオロ−フルオレニル）−（ペル−フルオロ−ビフェニル）−（ペル−フルオロ−ピレニル）−ボラ−ト；
７−（（トリ−ｎ−プロピル−シリル−ヘキシル）（ペル−フルオロ−フルオレニル）アミノ）ペル−フルオロ−アントラセン−１−イル）ビス（ペル−フルオロビフェニル）−（ペル−フルオロ−フェニル）−ボラ−ト；７−（（トリ−ｎ−プロピル−シリル−ヘキシル）（ペル−フルオロ−フルオレニル）ホスフィノ）ペル−フルオロ−フルオレン−２−イル）（ペル−フルオロ−フェニル）−（テトラフルオロ−フルオレニル）−（４，５，７−トリ−フルオロ ナフチル）−アルミネート；７−（（トリ−ｎ−プロピル−シリル−ヘキシル）（ペル−フルオロ−フルオレニル）アミノ）ペル−フルオロ−ナフト−１−イル）（４，５，７−トリ−フルオロ−ナフチル）−（ペル−フルオロ−フルオレニル）−（テトラフルオロ−フルオレニル）−ボラ−ト；７−（（トリ−ｎ−プロピルシリル−ヘキシル）（ペル−フルオロ−フェニル）アミノ）ペル−フルオロ−ナフト−２−イル）（ペル−フルオロ−ビフェニル）−（ペル−フルオロアントラセニル）−（ペンタルフルオロ−ピレニル）−アルミネート；７−（（トリ−ｎ−プロピル−シリル−ヘキシル）（ペル−フルオロ−フェニル）アルシノ）フルオロ−フルオレン−１−イル）（５，６，７，８−テトラフルオロ−ナフチル）−（４，５，６，７−テトラフルオロ−ナフチル）−（ペルフルオロ−フェニル）−アルミネート；７−（（トリ−ｎ−プロピル−シリル−ヘキシル）（ペル−フルオロ−フルオレニル）アルシノ）ペル−フルオロ−ナフト−２−イル）（テトラフルオロ−フルオレニル）−（２，３，６−トリ−フルオロ−フェニル）−（２’，３’，５’−トリ−フルオロ−ビフェニル）−ボラ−ト；７−（（トリ−ｎ−プロピル−シリル−ヘキシル）（ペル−フルオロ−ピレニル）ホスフィノ）ペル−フルオロ−インデン−２−イル）（テトラフルオロ−フルオレニル）（ペル−フルオロ−アントラセニル）−（ペル−フルオロ−フルオレニル）−アルミネート；８−（（２，２−ジメチル−オクチル）（ペンタルフルオロピレニル）アルシノ）ペル−フルオロ−ナフト−３−イル）（ペル−フルオロ−ピレニル）−（２’，３’，４’−トリ−フルオロ−ビフェニル）−（ペル−フルオロビフェニル）−アルミネート；８−（（２，２−ジメチル−オクチル）（ペル−フルオロ−ピレニル）アミノ）ペル−フルオロ−ナフト−３−イル）−（２’，３’，４’−トリ−フルオロ−ビフェニル）−（ペル−フルオロ−アントラセニル）−（ペル−フルオロ−ピレニル）−アルミネート；８−（（２，２−ジメチル−オクチル）（テトラフルオロ−フルオレニル）ホスフィノ）ペル−フルオロ−ナフト−３−イル）（ペル−フルオロ−フェニル）−（ペル− フルオロ−ビフェニル）−（ペンタフルオロ−アントラセニル）−アルミネート；
８−（（ベンジル）（ペル−フルオロ−アントラセニル）アミノ）ペル−フルオロ−ナフト−３−イル）（５，６，７，８−テトラフルオロ−ナフチル）−（２’，３’，４’−トリ−フルオロ−ビフェニル）−（ペル− フルオロ−フェニル）−アルミネート；８−（（ブチル）（２’，３’，５’−トリ−フルオロ−ビフェニル）アミノ）ペル−フルオロ−ナフト−３−イル）−（２，３，６−トリ−フルオロ−フェニル）−（２，３，５−トリ−フルオロ−フェニル）−（ペル−フルオロ−ビフェニル）−アルミネート；８−（（シクロヘキシル）（ペル−フルオロ−アントラセニル）ホスフィノ）ペル−フルオロ−ピレン−２−イル）ビス（４，５，７−トリ−フルオロ−ナフチル）（ペル−フルオロ−ビフェニル）−ボラ−ト；８−（（ヘキシル）（ペル−フルオロ−フルオレニル）アミノ）ペル−フルオロ−ピレン−２−イル）ビス（ペル−フルオロ−アントラセニル）−（２，３，４−トリ−フルオロ−フェニル）−ボラ−ト；８−（（ヘキシル）（ペル−フルオロ− フェニル）ホスフィノ）ペル−フルオロ−ピレン−２−イル）（４，５，６−トリ−フルオロ−ナフチル）−（２，３，６−トリ−フルオロ−フェニル）−（ペル−フルオロ−ピレニル）−アルミネート；８−（（イソ−プロピル）（２’，３’，５’−トリ−フルオロ−ビフェニル）アミノ）ペル−フルオロナフト−３−イル）（ペル−フルオロ−フェニル）−（２，３，４−トリ−フルオロ−フェニル）−（ペル−フルオロ−ビフェニル）−ボラ−ト；８−（（イソ−プロピル）（４，５，６−トリ−フルオロ−ナフチル）アルシノ）ペル−フルオロ−ピレン−２−イル）（ペンタフルオロ−アントラセニル）−（ペル− フルオロ−ビフェニル）−（４，５，６，７−テトラフルオロ−ナフチル）−ボラ−ト；８−（（メチル）（４，５，６−トリ−フルオロ−ナフチル）アルシノ）ペル−フルオロ−ピレン−２−イル）ビス（ペル−フルオロ−ビフェニル）−（ペル−フルオロ−フルオレニル）−ボラ−ト；
８−（（メチル）−（５，６，７，８−テトラフルオロ−ナフチル）アルシノ）ペル−フルオロ−ナフト−３−イル）（ペンタルフルオロ−ピレニル）−（５，６，７，８テトラフルオロ−ナフチル）−（ペル−フルオロ−フェニル）−ボラ−ト；８−（（メチル−エチル−ヘキシル−シリル）（２，３，４−トリ−フルオロ− フェニル）アミノ）ペル−フルオロ−ナフト−３−イル）ビス（ペンタフルオロ−アントラセニル）−（２，３，５−トリ−フルオロ−フェニル）ボラ−ト；８−（（メチル−エチル−ヘキシル−シリル）（４，５，６−トリ−フルオロ−ナフチル）アミノ）ペル−フルオロ−ナフト−３−イル）（ペルフルオロ−ピレニル）−（テトラフルオロ−フルオレニル）−（４，５，６，７−テトラフルオロ−ナフチル）−ボラ−ト；８−（（メチル−エチル−ヘキシル−シリル）（５，６，７，８−テトラフルオロ−ナフチル）アミノ）ペル−フルオロ−ナフト−３−イル）（２’，３’，５’−トリ−フルオロ−ビフェニル）（ペル−フルオロ−ビフェニル）−（５，６，７，８−テトラフルオロ−ナフチル）−ボラ−ト；８−（（メチル−エチル−ヘキシル−シリル）（ペルフルオロ−ナフチル）ホスフィノ）ペル−フルオロ−ピレン−２−イル）（ペンタルフルオロ−ピレニル）−（ペンタフルオロ− アントラセニル）−（４，５，６，７−テトラフルオロ−ナフチル）−ボラ−ト；８−（（ｎ−ブチル）（ペル−フルオロ−フェニル）アルシノ）ペルフルオロ−ナフト−３−イル）（ペル−フルオロ−アントラセニル）−（ペル−フルオロ−フェニル）−（ペル−フルオロ−ナフチル）−ボラ−ト；８−（（ノニル）（ペル−フルオロ−アントラセニル）ホスフィノ）ペル−フルオロ−ピレン−２−イル）（ペル−フルオロ−ビフェニル）−（ペル−フルオロ−フルオレニル）−（ペル−フルオロ−アントラセニル）−ボラ−ト；８−（（ノニル）（ペル−フルオロ−フェニル）アミノ）ペル−フルオロ−ナフト−３−イル）（ペル−フルオロ−ビフェニル）−（２，３，５−トリ−フルオロ−フェニル）−（４，５，７−トリ−フルオロ−ナフチル）−ボラ−ト；
８−（（オクチル）（２，３，６−トリ−フルオロ−フェニル）ホスフィノ）ペル−フルオロ−ナフト−３−イル）（テトラフルオロ−フルオレニル）−（２，３，４−トリ フルオロ−フェニル）−（ペンタルフルオロ−ピレニル）−アルミネート；８−（（プロピル）（ペンタフルオロ−アントラセニル）アミノ）ペルフルオロ−ピレン−２−イル）（ペル−フルオロ−アントラセニル）−（２，３，６−トリ−フルオロ−フェニル）−（２’，３’，４’−トリ−フルオロ−ビフェニル）ボラ−ト；８−（（プロピル）（ペル−フルオロ−フェニル）ホスフィノ）ペル−フルオロ−ナフト−３−イル）（ペル−フルオロ−ピレニル）（ペル−フルオロ−フルオレニル）−（ペンタフルオロ−アントラセニル）−ボラ−ト；８−（（トリエチルシリル）（ペル−フルオロ−アントラセニル）アミノ）ペル−フルオロ−ピレン−２−イル）（ペル−フルオロ−ピレニル）−（５，６，７，８−テトラフルオロ−ナフチル）−（ペル−フルオロアントラセニル）−ボラ−ト；８−（（トリエチルシリル）（ペル−フルオロ−フェニル）アミノ）ペル−フルオロ−ピレン−２−イル）（２’，３’，５’−トリフルオロ−ビフェニル）−（ペル−フルオロ−フェニル）−（ペンタルフルオロ−ピレニル）−アルミネート；８−（（トリエチル−シリル−エチル）−（ペンタフルオロ−アントラセニル）アミノ）ペル−フルオロ−ピレン−２−イル）（ペル−フルオロ−ビフェニル）−（ペンタルフルオロピレニル）−（ペル−フルオロ−フルオレニル）−アルミネート；８−（（トリ−イソ−プロピル−シリル−オクチル）（４，５，６，７−テトラフルオロナフチル）アルシノ）ペル−フルオロ−ピレン−２−イル）（２，３，４−トリ−フルオロ−フェニル）−（２，３，５−トリ−フルオロ−フェニル）−（ペルフルオロ−ナフチル）−ボラ−ト；８−（（トリメチル−シリル）（ペル−フルオロ−フルオレニル）アミノ）ペル−フルオロ−ナフト−３−イル）（４，５，７−トリ−フルオロ−ナフチル）−（ペンタルフルオロ−ピレニル）−（ペル−フルオロ−ビフェニル）−アルミネート；８−（（トリメチル− シリル）（ペル−フルオロ−フェニル）アミノ）ペル−フルオロ−ピレン−２−イル）ビス（２，３，４−トリ−フルオロ−フェニル）−（４，５，７−トリ−フルオロナフチル−アルミネート；８−（（トリ−ｎ−プロピル−シリル）（４，５，６，７−テトラフルオロ−ナフチル）アミノ）ペル−フルオロ−ピレン−２−イル）（ペル−フルオロ−フルオレニル）−（ペル−フルオロ−ビフェニル）−（ペル−フルオロ−アントラセニル）−アルミネート；８−（（トリ−ｎ−プロピル−シリル−ヘキシル）（２’，３’，４’−トリ−フルオロ−ビフェニル）ホスフィノ）ペル−フルオロ−ナフト−３−イル）（ペル−フルオロフェニル）−（４，５，６−トリ−フルオロ−ナフチル）−（ペル−フルオロ−アントラセニル）−ボラ−ト
【００４３】
本発明における触媒先駆体の非限定リスト
［Ｎ，Ｎ，Ｎ−（エチル）（メチル）（オクチル）アンモニウム］＋［５−（（ベンジル）（ペルフルオロフェニル）ホスフィノ）ペルフルオロナフト−１−イル）（テトラフルオロフルオレニル）（２’，３’，４’−トリフルオロビフェニル）（ペルフルオロビフェニル）アルミネート］−；［トリ−Ｎ−（ｎ−ブチル）アンモニウム］＋［７−（トリエチルシリルエチル）（ペルフルオロピレニル）ホスフィノ］ペルフルオロピレン−２−イル）（ペルフルオロフェニル）（ペルフルオロビフェニル）（ペルフルオロフルオレニル）アルミネート］−；［Ｎ，Ｎ，Ｎ−（エチル）（メチル）（イソプロピル）アンモニウム］＋［６−（（ヘキシル）（ペルフルオロビフェニル）アルシノ）フルオロフルオレン−１−イル）（ペルフルオロピレニル）（ペルフルオロアントラセニル）（ペルフルオロビフェニル）アルミネート］−；［トリ−Ｎ−オクチルアンモニウム］＋［６−（（トリエチルシリル）（ペルフルオロアントラセニル）アミノ）ペルフルオロインデン−２−イル）（ペルフルオロビフェニル）（２，３，６−トリフルオロフェニル）（ペンタフルオロアントラセニル）アルミネート］−；［Ｎ，Ｎ，Ｎ−（ジメチル）（ｔ−ブチル）アンモニウム］＋［７−（（トリ−イソプロピルシリルオクチル）（テトラフルオロフルオレニル）ホスフィノ）ペルフルオロナフト−３−イル）（ペルフルオロ−アントラセニル）（ペルフルオロビフェニル）（ペルフルオロナフチル）アルミネート］−；［トリ−Ｎ−（ｎ−ブチル）アンモニウム］＋［７−（（エチル）（２’，３’，４’−トリフルオロビフェニル）アミノ）ペルフルオロアントラセン−１−イル）（ペルフルオロビフェニル）（ペルフルオロ−アントラセニル）（４，５，６，７−テトラフルオロナフチル）アルミネート］−；［トリ−Ｎ−（ジメチルフェニルアンモニウム］＋［７−（（シクロヘキシル）（ペルフルオロアントラセニル）ホスフィノ）ペルフルオロナフト−２−イル）（ペルフルオロアントラセニル）（ペルフルオロフルオレニル）（２，３，４−トリフルオロフェニル）アルミネート］−；［Ｎ，Ｎ，Ｎ−（エチル）（メチル）（ｔ−ブチル）−アンモニウム］＋［８−（（トリメチルシリル）（ペルフルオロフェニル）アルシノ）ペルフルオロピレン−２−イル）（ペルフルオロフルオレニル）（２’，３’，４’−トリフルオロビフェニル）（５，６，７，８−テトラフルオロナフチル）アルミネート］−；［トリ−Ｎ−オクチルアンモニウム］＋［６−（（ｎ−ブチル）（ペルフルオロビフェニル）ホスフィノ）ペルフルオロアントラセン−１−イル）ビス（５，６，７，８−テトラフルオロナフチル）（ペルフルオロフルオレニル）アルミネート］−；［トリ−Ｎ−（ｔ−ブチル）アンモニウム］＋［３−（（ノニル）（ペルフルオロ−ピレニル）ホスフィノ）ペルフルオロフェニル］ビス（ペルフルオロビフェニル）（２，３，５−トリフルオロフェニルアルミネート］−；
［Ｎ，Ｎ，Ｎ−（エチル）（メチル）（イソプロピル）アンモニウム］＋［５−（（エチル）（４，５，７−トリフルオロナフチル）アミノ）ペルフルオロナフト２−イル）（ペンタルフルオロピレニル）（ペルフルオロフェニル）（ペルフルオロアントラセニル）アルミネート］−；［Ｎ，Ｎ，Ｎ−（エチル）（メチル）（オクチル）アンモニウム］＋［４’−（（ベンジル）（ペルフルオロフェニル）アミノ）ペルフルオロビフェン−４−イル）（４，５，７−トリフルオロナフチル）（ペルフルオロフェニル）（テトラフルオロフルオレニル）アルミネート］−；［トリ−Ｎ−メチルアンモニウム］＋［６−（（ノニル）（２，３，５−トリフルオロフェニル）ホスフィノ）ペルフルオロアントラセン−２−イル）ビス（ペルフルオロアントラセニル）（ペルフルオロピレニル）アルミネート］−；［トリ−Ｎ−プロピルアンモニウム］＋［８−（（３−エチルノニル）（ペルフルオロフェニル）アミノ）ペルフルオロナフト３−イル）（２，３，４−トリフルオロフェニル）（２，３，６−トリフルオロフェニル）（ペルフルオロフェニル）アルミネート］−；［トリ−Ｎ−エチルアンモニウム］＋［７−（（トリメチルシリル）（ペルフルオロビフェニル）アミノ）ペルフルオロアントラセン−１−イル）（ペルフルオロピレニル）（ペルフルオロフルオレニル）（ペルフルオロフェニル）アルミネート］−；［トリ−Ｎ−エチルアンモニウム］＋［７−（（エチル）（ペルフルオロフルオレニル）アミノ）ペルフルオロピレン−２−イル）（ペルフルオロピレニル）（ペルフルオロフルオレニル）（４，５，６−トリフルオロナフチル）アルミネート］−；［Ｎ，Ｎ，Ｎ−（ジメチル）（ｔ−ブチル）アンモニウム］＋［５−（（トリ−イソプロピルシリル）（ペルフルオロビフェニル）アミノ）ペルフルオロナフト−１−イル）（ペルフルオロ− アントラセニル）（ペルフルオロビフェニル）（２，３，５−トリフルオロフェニル）アルミネート］−；［トリ−Ｎ−（ジメチルフェニルアンモニウム）＋［６−（（トリ−Ｎ−プロピルシリルヘキシル）（ペルフルオロフェニル）ホスフィノ）ペルフルオロフルオレン−２−イル）（ペルフルオロフェニル）（ペルオロビフェニル）（４，５，６−トリフルオロナフチル）アルミネート］−；［トリ−Ｎ−メチルアンモニウム］＋［６−（（エチル）（４，５，６，７−テトラフルオロナフチル）アミノ）ペルフルオロナフト−１−イル）ビス（ペルフルオロアントラセニル）（２，３，６−トリフルオロフェニル）アルミネート］−；［トリ−Ｎ−（ｔ−ブチル）アンモニウム］＋［５−（（トリ−イソプロピルシリルオクチル）（２，３，５−トリフルオロフェニル）アミノ）ペルフルオロインデン−１−イル）（ペルフルオロピレニル）（ペルフルオロフェニル）（２’，３’，４’−トリフルオロビフェニル）アルミネート］−；［Ｎ，Ｎ，Ｎ−（エチル）（メチル）（イソプロピル）アンモニウム］＋［６−（（ジエチルノンリシリル）（４，５，６，７−テトラフルオロナフチル）アミノ）フルオロナフト−３−イル）（２，３，４−トリフルオロフェニル）（ペルフルオロフェニル）（ペルフルオロアントラセニル）アルミネート］−；［トリ−Ｎ−（��メチルフェニルアンモニウム］＋［５−（（プロピル）（ペルフルオロフェニル）アミノ）ペルフルオロインデン−２−イル）（ペンタフルオロアントラセニル）（ペルフルオロナフチル）（ペルフルオロビフェニル）アルミネート］−；［Ｎ，Ｎ，Ｎ−（エチル）（ジオクチル）アンモニウム］＋［６−（（ヘキシル）（テトラフルオロフルオレニル）ホスフィノ）ペルフルオロナフト１−イル）（ペンタルフルオロピレニル）（２’，３’，４’−トリフルオロ−ビフェニル）（４，５，７−トリフルオロナフチル）アルミネート］−；［Ｎ，Ｎ，Ｎ−（エチル）（メチル）（イソプロピル）アンモニウム］＋［４’−（（ヘキシル）（ペルフルオロフェニル）アルシノ）ペルフルオロビフェン−３−イル）（ペルフルオロフェニル）（ペルフルオロビフェニル）（ペルフルオロフルオレニル）アルミネート］−；［Ｎ，Ｎ，Ｎ−（エチル）（メチル）（オクチル）アンモニウム］ ＋ ［３’−（（トリエチルシリルプロピル）（２’，３’，４’−トリフルオロビフェニル）アミノ）ペルフルオロビフェン−４−イル）ビス（ペンタフルオロアントラセニル）（ペルフルオロフェニルアフミナ−ト］−；［トリ−Ｎ−メチルアンモニウム］＋［５−（（エチル）（ペルフルオロアントラセニル）アミノ）ペルフルオルナフト−２−イル）（４，５，７−トリフルオロナフチル）（ペルフルオロフェニル）（ペルフルオロフルオレニル）アルミネート］−； ［Ｎ，Ｎ，Ｎ−（エチル）（ジオクチル）アンモニウム］＋［４’−（（トリ−Ｎ−プロピルシリルヘキシル）（ペルフルオロナフチル）アミノ）ペルフルオルビフェン−４−イル）（４，５，７−トリフルオロナフチル）（ペルフルオロフェニル）（２’，３’，４’−トリフルオロビフェニル）アルミネート］−；［トリ−Ｎ−エチルアンモニウム］＋［６−（（トリエチルシリルエチル）（ペルフルオロフェニル）ホスフィノ）ペルフルオロナフト−１−イル）（４，５，７−トリフルオロナフチル）（ペルフルオロフェニル）（ペルフルオロピレニル）アルミネート］−；［Ｎ，Ｎ，Ｎ−（エチル）（メチル）（オクチル）アンモニウム］＋［５−（（イソプロピル）（ペルフルオロフルオレニル）アミノ）ペルフルオロナフト−１−イル）（ペンタフルオロアントラセニル）（２，３，５−トリフルオロフェニル）（ペルフルオロフェニル）アルミネート］−；［Ｎ，Ｎ，Ｎ−（エチル）（メチル）（ｔ−ブチル）アンモニウム］＋［８−（（イソプロピル）（ペルフルオロフェニル）アミノ）フルオロナフト−３−イル）（５，６，７，８−テトラフルオロナフチル）（４，５，６−トリフルオロナフチル）（テトラフルオロフルオレニル）アルミネート］−［トリ−Ｎ−（ｔ−ブチル）−アンモニウム］＋［５−（（Ｎ−ブチル）（ペルフルオロフェニル）アミノ）ペルフルオロナフト−２−イル）（２，３，４−トリフルオロフェニル）（ペルフルオロピレニル）（２’，３’，４’−トリフルオロビフェニル）アルミネート］−；［Ｎ，Ｎ，Ｎ−（エチル）（メチル）（ｎ−ブチル）アンモニウム］＋［３’−（（トリ−Ｎ−プロピルシリルヘキシル）（ペルフルオロフェニル）アミノ）ペルフルオロビフェン−４−イル）（ペルフルオロビフェニル）��テトラフルオロフルオレニル）（ペルフルオロフルオレニル）アルミネート］−；［トリ−Ｎ−オクチルアンモニウム］＋［５−（（トリ−イソプロピルシリルオクチル）（ペルフルオロビフェニル）アルシノ）ペルフルオロインデン−２−イル）（ペルフルオロフェニル）（ペルフルオロアントラセニル）（ペルフルオロビフェニル）アルミネート］−；［Ｎ，Ｎ，Ｎ−（エチル）（メチル）（ｔ−ブチル）アンモニウム］＋［６−（（トリ−イソプロピルシリル）（２，３，４−トリフルオロフェニル）アミノ）ペルフルオロフルオレン−１−イル）（ペンタフルオロアントラセニル）（２，３，４−トリフルオロフェニル）（ペルフルオロビフェニル）アルミネート］−；［Ｎ，Ｎ，Ｎ−（エチル）（ジオクチル）アンモニウム］ ＋ ［７−（（メチル）（４，５，６−トリフルオロナフチル）アミノ）ペルフルオロナフト３−イル）（ペンタルフルオロピレニル）（ペルフルオロナフチル）（ペルフルオロアントラセニル）アルミネート］−；
［Ｎ，Ｎ，Ｎ−（ジメチル）（ｔ−ブチル）アンモニウム］＋［５−（（メチイジエチル− シリルオクチル）（４，５，６−トリフルオロナフチル）アミノ）ペルフルオロインデン−２−イル）（ペルフルオロアントラセニル）（ペンタフルオロ−アントラセニル）（ペルフルオロフェニル）アルミネート］−；［トリ−Ｎ−（メチルフェニル）アンモニウム］＋［５−（（イソプロピル）（ペルフルオロビフェニル）アミノ）ペルフルオロインデン−１−イル）（２，３，５−トリフルオロフェニル）（４，５，６，７−テトラフルオロナフチル）（２’，３’，５’−トリフルオロビフェニル）アルミネート］−； ［トリ−Ｎ−プロピルアンモニウム］＋［３’−（（メチルエチルヘキシルシリル）（ペルフルオロビフェニル）アミノ）ペルフルオロビフェン−４−イル）（ペルフルオロフルオレニル）（ペルフルオロビフェニル）（ペルフルオロフェニル）アルミネート］−；［Ｎ，Ｎ，Ｎ−（エチル）（メチル）（イソプロピル）アンモニウム］ ＋ ［５−（（３−エチルノニル）（ペンタルフルオロピレニル）アミノ）ペルフルオロナフト−３−イル）（ペンタルフルオロピレニル）（ペルフルオロビフェニル）（５，６，７，８−テトラフルオロナフチル）アルミネート］−；［トリ−Ｎ−（ジメチルフェニルアンモニウム）＋ ［３’−（（オクチル）（５，６，７，８−テトラフルオロナフチル）アミノ）ペルフルオロビフェン−４−イル）（ペルフルオロピレニル）（ペルフルオロアントラセニル）（ペルフルオロフルオレニル）アルミネート］−；［トリ−Ｎ−プロピルアンモニウム］＋［６−（（トリ−イソプロピルシリル）（ペンタルフルオロピレニル）ホスフィノ）ペルフルオロフルオレン−１−イル）（２，３，４−トリフルオロフェニル）（ペルフルオロフェニル）（ペンタルフルオロピレニル）アルミネート］−；［トリ−Ｎ−オクチルアンモニウム］＋［６−（（ヘキシル）（２，３，６−トリフルオロフェニル）アミノ）ペルフルオルナフト−２−イル）（ペルフルオロビフェニル）（２，３，６−トリフルオロフェニル）（ペルフルオロフルオレニル）アルミネート］−；［トリ−ンメチルアンモニウム］＋［８−（（トリ−ｎ−プロピルシリルヘキシル）（ペルフルオロアントラセニル）アミノ）ペルフルオロピレン−２−イル）（５，６，７，８−テトラフルオロナフチル）（ペルフルオロビフェニル）（４，５，６−トリフルオロナフチル）アルミネート］−；［トリ−Ｎ−（ｎ−ブチル）アンモニウム］＋［７−（ペンタフルオロアントラセニル）ホスフィノ］ペルフルオロアントラセン−１−イル）（ペルフルオロナフチル）（ペルフルオロフルオレニル）（ペルフルオロアントラセニル）アルミネート］−；［Ｎ，Ｎ，Ｎ−（エチル）（メチル）（ｎ−ブチル）アンモニウム］＋［３’−（（ジエチルノンリシリル）（ペルフルオロフェニル）アルシノ）ペルフルオロビフェン−４−イル）（ペルフルオロフェニル）（２，３，６−トリフルオロフェニル）（ペルフルオロピレニル）アルミネート］−；［Ｎ，Ｎ，Ｎ−（エチル）（メチル）（オクチル）アンモニウム］ ＋ ［７−（（トリエチルシリルプロピル）（ペルフルオロフェニル）アミノ）ペルフルオロナフト−２−イ��）（５，６，７，８−テトラフルオロナフチル）（２，３，４−トリフルオロフェニル）（ペルフルオロアントラセニル）アルミネート］−； ［Ｎ，Ｎ，Ｎ −（エチル）（メチル）（オクチル）アンモニウム］＋［６−（（トリエチルシリルプロピル）（テトラフルオロフルオレニル）ホスフィノ）ペルフルオロアントラセン−１−イル）（２，３，５−トリフルオロフェニル）（４，５，６，７−テトラフルオロナフチル）（２’，３’，５’−トリフルオロビフェニル）アルミネート］−；［Ｎ，Ｎ，Ｎ−（エチル）（ジオクチル）アンモニウム］＋［３−（（ベンジル）（ペルフルオロフルオレニル）ホスフィノ）ペルフルオロフェニル］（ペルフルオロピレニル）（ペンタフルオロアントラセニル）（２’，３’，４’−トリフルオロビフェニル）アルミネート］−；［Ｎ，Ｎ，Ｎ−（ジメチル）（ｔ−ブチル）アンモニウム］＋［２’−（（ノニル）（ペンタフルオロアントラセニル）アミノ）−ペルフルオロビフェン−４−イル）（ペルフルオロフェニル）（４，５，６，７−テトラフルオロナフチル）（ペンタルフルオロピレニル）アルミネート］−；［トリ−Ｎ−メチルアンモニウム］＋［３−（（トリ−イソプロピルシリルオクチル）（ペルフルオロビフェニル）アミノ）フルオロフェン−１−イル）（ペルフルオロフルオレニル）（ペルフルオロアントラセニル）（２’，３’，５’−トリフルオロビフェニル）アルミネート ］−；［Ｎ，Ｎ，Ｎ−（ジメチル）（ｔ−ブチル）アンモニウム］＋［７−（（プロピル）（４，５，７−トリフルオロナフチル）アルシノ）ペルフルオルピレン−１−イル）（ペルフルオロピレニル）（５，６，７，８−テトラフルオロナフチル）（４，５，６−トリフルオロナフチル）アルミネート］−；［トリ−Ｎ−プロピルアンモニウム］＋［５−（（メチルエチルヘキシルシリル）（４，５，７−トリフルオロナフチル）ホスフィノ）ペルフルオルナフト−２−イル）（ペルフルオロビフェニル）（ペルフルオロピレニル）（ペルフルオロフェニル）アルミネート］−；［トリ−Ｎ−メチルアンモニウム］＋［３’−（（エチル）（ペルフルオロビフェニル）アミノ）ペルフルオロビフェン−４−イル）（ペルフルオロフルオレニル）（ペンタフルオロアントラセニル）（ペルフルオロピレニル）アルミネート］−；［Ｎ，Ｎ，Ｎ−（エチル）（メチル）（イソプロピル）アンモニウム］＋［３’−（（２，２−ジメチルオクチル）（４，５，７−トリフルオロナフチル）アミノ）ペルフルオロビフェン−４−イル）−（５，６，７，８−テトラフルオロナフチル）（ペンタルフルオロピレニル）（ペルフルオロフルオレニル）アルミネート］−；
［トリ−Ｎ−（メチルフェニル）アンモニウム］＋［７−（（イソプロピル）（４，５，６−トリフルオロナフチル）ホスフィノ）ペルフルオロインデン−２−イル）ビス （２，３，４−トリフルオロフェニル）（ペルフルオロピレニルアルミネート］−；［トリ−Ｎ−（ｎ−ブチル）アンモニウム］＋［４’− （（オクチル）（ペンタルフルオロピレニル）アルシノ）ペルフルオロビフェン−３−イル）（ペルフルオロビフェニル）（４，５，６−トリフルオロナフチル）（２，３，４−トリフルオロフェニル）アルミネート］−；［トリ−Ｎ−（ｔ−ブチル）アンモニウム］＋［６−（（トリ−イソプロピルシリルオクチル）（ペルフルオロフルオレニル）アミノ）ペルフルオロナフト−３−イル）（ペルフルオロビフェニル）（４，５，６−トリフルオロナフチル）（ペルフルオロアントラセニル）アルミネート］−；［Ｎ，Ｎ，Ｎ−（ジメチル）（ｔ−ブチル）アンモニウム］＋［５−（（２，２−ジメチルオクチル）（ペンタルフルオロピレニル）アミノ）ペルフルオロナフト−３−イル）（５，６，７，８−テトラフルオロナフチル）（４，５，６−トリフルオロナフチル）（テトラフルオロフルオレニル）アルミネート］−；［トリ−Ｎ−（メチルフェニル）アンモニウム］＋［７−（（メチル− エチルヘキシルシリル）（ペルフルオロフェニル）ホスフィノ）ペルフルオロナフト１−イル）（ペルフルオロアントラセニル）（ペルフルオロフルオレニル）（４，５，６−トリフルオロナフチル）アルミネート］−；［トリ−Ｎ−（ｎ−ブチル）アンモニウム］＋［６−（（３−エチル−ノニル）（ペルフルオロナフチル）アミノ）フルオロナフト−２−イル）（ペルフルオロナフチル）（ペルフルオロピレニル）（４，５，６，７テトラフルオロナフチル）アルミネート］−；［トリ−Ｎ−（ｎ−ブチル）アンモニウム］＋［７−（（トリ−ｎ−プロピルシリルヘキシル）（２，３，４−トリフルオロフェニル）アミノ）ペルフルオロナフト−２−イル）（テトラフルオロフルオレニル）（２’，３’，４’−トリフルオロビフェニル）（ペルフルオロフルオレニル）アルミネート］−；［トリ−Ｎ−（ジメチルフェニルアンモニウム）＋［７−（（メチルジエチルシリルオクチル）（２’，３’，４’−トリフルオロビフェニル）アミノ）ペルフルオロナフト−２−イル）（ペンタルフルオロピレニル）（ペルフルオロビフェニル）（２’，３’，４’−トリフルオロビフェニル）アルミネート］−；［トリ−Ｎ−エチルアンモニウム］＋［７−（（イソプロピル）（２，３，５−トリフルオロフェニル）ホスフィノ）ペルフルオロインデン−２−イル）（ペルフルオロビフェニル）（４，５，７−トリフルオロナフチル）（ペルフルオロアントラセニル）アルミネート］−；［トリ−Ｎ−プロピルアンモニウム］＋［６−（（ノニル）（ペルフルオロピレニル）アミノ）ペルフルオロインデン−２−イル）（２’，３’，５’−トリフルオロビフェニル）（ペルフルオロビフェニル）（ペルフルオロアントラセニル）アルミネート］−；［Ｎ，Ｎ，Ｎ−（ジメチル）（ｔ−ブチル）アンモニウム］＋［７−（（ｎ−ブチル）（２，３，４−トリフルオロフェニル）アミノ）ペルフルオロピレン２−イル）（ペルフルオロフルオレニル）（ペルフルオロナフチル）（ペルフルオロビフェニル）アルミネート］−；［トリ−Ｎ−メチル− アンモニウム］＋［８−（（オクチル）（ペルフルオロビフェニル）アルシノ）ペルフルオロナフト−３−イル）（テトラフルオロフルオレニル）（ペルフルオロフェニル）（ペルフルオロビフェニル）アルミネート］−；［Ｎ，Ｎ，Ｎ−（エチル）（メチル）（ｎ−ブチル）アンモニウム］＋［３−（（ブチル）（テトラフルオロフルオレニル）アミノ）ペルフルオロフェニル］（テトラフルオロフルオレニル）（ペルフルオロフェニル）（４，５，６トリフルオロナフチル）アルミネート］−；［トリ−Ｎ−エチルアンモニウム］＋［８−（（トリメチルシリル）（２，３，４−トリフルオロフェニル）ホスフィノ）ペルフルオロピレン−２−イル）（ペルフルオロアントラセニル）（２，３，５−トリフルオロフェニル）（ペルフルオロ−ピレニル）アルミネート］−；［トリ−Ｎ−（ｎ−ブチル）アンモニウム］＋［７−（（オクチル）（ペルフルオロアントラセニル）ホスフィノ）ペルフルオロピレン−２−イル）（５，６，７，８−テトラフルオロナフチル）（２’，３’，５’−トリフルオロビフェニル）（ペルフルオロフェニル）アルミネート］−；［トリ−Ｎ−メチルアンモニウム］＋［７−（（ノニル）（ペルフルオロフェニル）ホスフィノ）ペルフルオロフルオレン−２−イル）（ペンタフルオロアントラセニル）（２’，３’，４’−トリフルオロビフェニル）（ペルフルオロフルオレニル）アルミネート］−；［トリ−Ｎ−プロピルアンモニウム］＋［６−（（イソプロピル）（ペルフルオロフェニル）アミノ）ペルフルオロアントラセン−２−イル）ビス （５，６，７，８テトラフルオロナフチル）（ペルフルオロビフェニル）アルミネート］−；［Ｎ，Ｎ，Ｎ−（エチル）（メチル）（オクチル）アンモニウム］＋［７−（（メチルジエチルシリルオクチル）（ペルフルオロフェニル）ホスフィノ）ペルフルオロナフト−３−イル）ビス（ペルフルオロアントラセニル）（４，５，７−トリフルオロナフチル）アルミネート］−；［トリ−Ｎ，Ｎ−エチルアンモニウム］＋［７ −（（イソプロピル）（ペルフルオロビフェニル）アミノ）フルオロピレン−１−イル）ビス （ペルフルオロアントラセニル）（ペルフルオロ− ピレニルアルミネート］−；［Ｎ，Ｎ−ジエチルアニリウム］＋［５−（（メチルジエチルシリルオクチル）（２’，３’，５’−トリフルオロ− ビフェニル）アミノ）ペルフルオロナフト−１−イル）（２，３，６−トリフルオロフェニル）（２，３，５−トリフルオロフェニル）（ペルフルオロアントラセニル）アルミネート］−；
［Ｎ，Ｎ−ジエチルアニリニウム］＋［２’−（（ノニル）（ペルフルオロビフェニル）アミノ）ペルフルオルビフェン−４−イル）（テトラフルオロフルオレニル）（５，６，７，８−テトラフルオロナフチル）（２’，３’，５’−トリフルオロビフェニル）アルミネート］−；［Ｎ−メチル−Ｎ−ドデシルアニリニウム］＋［３’−（（ジエチルノンリシリル）（ペルフルオロフェニル）アミノ）ペルフルオロビフェン−４−イル）（ペルフルオロビフェニル）（ペルフルオロフェニル）（２，３，５−トリフルオロフェニル）アルミネート］−；［Ｎ，Ｎ−ジエチルアニリニウム］＋［４’−（（ベンジル）（ペンタフルオロピレニル）アミノ）ペルフルオロビフェン−３−イル）（４，５，６，７テトラフルオロナフチル）（ペルフルオロビフェニル）（ペルフルオロピレニル）アルミネート］−；［Ｎ，Ｎ−ジ （ドデシル）アニリニウム］＋［６−（（トリエチルシリル）（ペルフルオロアントラセニル）アミノ）ペルフルオロナフト−１−イル）（２’，３’，５’−トリフルオロビフェニル）（５，６，７，８−テトラフルオロナフチル）（ペルフルオロフェニル）アルミネート］−；［Ｎ，Ｎ−ジ （ドデシル）−アニリニウム］＋［７−（（トリエチルシリルプロピル）（ペンタフルオロアントラセニル）アミノ）ペルフルオロフルオレン−２−イル）（４，５，７−トリフルオロナフチル）（ペルフルオロフェニル）（テトラフルオロフルオレニル）アルミネート］−；［Ｎ，Ｎ−ジエチルアニリニウム］＋［３’−（（ ３−エチルノニル）（ペルフルオロフェニル）アミノ）ペルフルオロビフェン−４−イル）（ペルフルオロフェニル）（ペルフルオロビフェニル）（ペルフルオロフルオレニル）アルミネート］−；［Ｎ−メチル−Ｎ−ドデシルアニリニウム］＋［７−（（オクチル）（ペンタルフルオロピレニル）アミノ）ペルフルオロインデン−２−イル）（ペンタルフルオロピレニル）（テトラフルオロフルオレニル）（ペンタフルオロアントラセニル）アルミネート］−；［Ｎ，Ｎ−ジエチルアニリニウム］＋［８−（（イソプロピル）（ペルフルオロフェニル）ホスフィノ）ペルフルオロピレン−２−イル）（２’，３’，５’−トリフルオロビフェニル）（２，３，４−トリフルオロフェニル）（ペルフルオロビフェニル）アルミネート］−；［Ｎ，Ｎ−２，４，６，ペンタメチルアニリニウム］＋［７−（（メチル）（ペルフルオロアントラセニル）アミノ）ペルフルオロアントラセン−１−イル）（ペルフルオロフェニル）（ペルフルオロビフェニル）（ペルフルオロナフチル）アルミネート］−；［Ｎ，Ｎ−ジ（ドデシル）アニリニウム］＋［５−（（エチル）（４，５，７−トリフルオロナフチル）アミノ）ペルフルオロナフト−１−イル）（ペンタルフルオロピレニル）（ペルフルオロ− フルオレニル）（ペルフルオロビフェニル）アルミネート］−；［Ｎ，Ｎ−２，４，６，−ペンタメチルアニリニウム］＋［７−（（トリ−イソプロピルシリルオクチル）（ペルフルオロナフチル）ホスフィノ）ペルフルオロナフト−１−イル）（ペルフルオロピレニル）（ペルフルオロフルオレニル）（ペルフルオロビフェニル）アルミネート］−；［Ｎ，Ｎ−２，４，６，−ペンタメチルア��リニウム］＋［６−（（ジエチルノンリ−シリル）（ペルフルオロピレニル）アミノ）ペルフルオロナフト３−イル）（５，６，７，８−テトラフルオロナフチル）（ペンタルフルオロピレニル）（ペルフルオロビフェニル）アルミネート］−；［Ｎ，Ｎ−ジメチルアニリニウム］＋［６−（（オクチル）（２，３，４−トリフルオロフェニル）アミノ）ペルフルオロフルオレン−１−イル）（ペルフルオロフルオレニル）（２’，３’，５’−トリフルオロビフェニル）（２，３，４−トリフルオロフェニル）アルミネート］−；［Ｎ，Ｎ−ジ（ドデシル）アニリニウム］＋［４’−（（トリ−イソプロピルシリル）（ペルフルオロビフェニル）ホスフィノ）ペルフルオロビフェン−３−イル）（ペルフルオロピレニル）（ペルフルオロフルオレニル）（４，５，６，７−テトラフルオロナフチル）アルミネート］−；［Ｎ−メチル−Ｎ−ドデシルアニリニウム］＋［５−（（プロピル）（ペンタルフルオロピレニル）アミノ）ペルフルオリンデン−２−イル）（ペルフルオロビフェニル）（４，５，６，７−テトラフルオロナフチル）（ペンタルフルオロピレニル）アルミネート］；［Ｎ，Ｎ−ジ（ドデシル）アニリニウム］ ＋［６−（（２，２−ジメチルオクチル）（２’，３’，５’−トリフルオロビフェニル）アミノ）ペルフルオラントラセン−１−イル）（ペルフルオロビフェニル）（２，３，４−トリフルオロフェニル）（４，５，６，７−テトラフルオロナフチル）アルミネート］−；［Ｎ，Ｎ−ジ （ドデシル）アニリニウム］＋［８−（（トリ−イソプロピルシリル）（２，３，５−トリフルオロフェニル）アルシノ）ペルフルオロピレン−２−イル）（ペルフルオロビフェニル）（ペンタルフルオロピレニル）（ペルフルオロピレニル）アルミネート］−；［Ｎ−メチル−Ｎ−ドデシルアニリニウム］＋［６−（（トリエチルシリルプロピル）（ペルフルオロビフェニル）アミノ）ペルフィウオロアントラセン−１−イル）（ペルフルオロピレニル）（ペルフルオロアントラセニル）（４，５，６−トリフルオロナフチル）アルミネート］−；
［Ｎ，Ｎ−ジエチルアニリニウム］＋［６−（（ベンジル）（ペンタフルオロアントラセニル）アミノ）ペルフルオロフルオレン−１−イル）ビス（２，３，４−トリフルオロフェニル）（ペルフルオロフルオレニルアルミネート］−；［Ｎ，Ｎ−２，４，６−ペンタメチルアニリニウム］＋［６−（（トリエチルシリル）（ペンタフルオロアントラセニル）アミノ）ペルフルオロフルオレン−２−イル）（ペンタルフルオロピレニル）（４，５，７−トリフルオロナフチル）（ペルフィウオロアントラセニル）（ペルフルオロフェニル）アルミネート］−；［Ｎ，Ｎ−２，４，６−ペンタメチルアニリニウム］＋［５−（（イソプロピル）（ペルフルオロフルオレニル）アミノ）ペルフルオロナフト−１−イル）（ペルフルオロフルオレニル）（ペルフルオロフェニル）−（２，３，５−トリフルオロフェニル）アルミネート］−；［Ｎ，Ｎ−ジ（ドデシル）アニリニウム］＋［７−（（シクロヘキシル）（ペルフルオロ−ナフチル）アミノ）ペルフルオロナフト−１−イル）（ペルフルオロビフェニル）（テトラフルオロフルオレニル）（ペルフルオロ−アントラセニル）アルミネート］−；［Ｎ，Ｎ−ジエチルアニリニウム］＋［５−（（トリ−ｎ−プロピルシリル）（ペルフルオロビフェニル）アミノ）−ペルフルオロインデン−２−イル）（ペルフルオロアントラセニル）（５，６，７，８−テトラフルオロナフチル）（ペルフルオロフルオレニル）アルミネート］−；［Ｎ，Ｎ−ジエチルアニリニウム］＋［６−（（トリエチルシリルエチル）（ペルフルオロアントラセニル）アミノ）ペルフルオロフルオレン−１−イル）（ペルフルオロビフェニル）（２，３，６−トリフルオロフェニル）（ペルフルオロアントラセニル）アルミネート］−；［Ｎ−メチル−Ｎ−ドデシルアニリニウム］＋［６−（（トリエチルシリルエチル）（ペルフルオロフェニル）ホスフィノ）ペルフルオルナフト−２−イル）（４，５，７−トリフルオロナフチル）（ペルフルオロナフチル）（ペルフルオロビフェニル）アルミネート］−；［Ｎ，Ｎ，−ジエチルアニリニウム］＋［６−（（メチルエチルヘキシルシリル）（４，５，６−トリフルオロナフチル）アミノ）ペルフルオロインデン−２−イル）（ペルフルオロナフチル）（ペルフルオロフェニル）（４，５，６，７−テトラフルオロナフチル）アルミネート］−；［Ｎ，Ｎ−２，４，６−ペンタメチルアニリニウム］＋［７−（（トリエチルシリルエチル）（２，３，４−トリフルオロフェニル）アミノ）ペルフルオロナフト−３−イル）−（４，５，６−トリフルオロナフチル）（ペルフルオロナフチル）（ペルフルオロビフェニル）アルミネート］−；［Ｎ，Ｎ−ジ（ドデシル）アニリニウム］＋［４’−（（メチル）（４，５，７−トリフルオロナフチル）アミノ）ペルフルオロビフェン−４−イル）（４，５，７−トリフルオロナフチル）（ペルフルオロフェニル）（ペルフルオロピレニル）アルミネート］−；［Ｎ，Ｎ，Ｎ−（ジメチル）（ｔ−ブチル）ホスホニウム］＋［７−（（トリ−ｎ−プロピルシリルヘキシル）（ペルフルオロビフェニル）ホスフィノ）ペルフルオロナフト−３−イル）−（ペンタルフルオロピレニル）（ペルフルオロアントラセニル）（４，５，６，７−テトラフルオロナフチル）アルミネート］−；［Ｎ，Ｎ，Ｎ−（エチル）（メチル）（オクチル）ホスホニウム］＋［５−（（ヘキシル）（ペルフルオロピレニル）ホスフィノ）ペルフルオロナフト−２−イル）ビス（ペンタルフルオロピレニル）（ペルフルオロナフチル）アルミネート］−；［トリ−ｎ−オクチルホスホニウム］＋［４’−（（トリ−ｎ− プロピルシリルヘキシル）（ペルフルオロアントラセニル）アルシノ）ペルフルオロビフェン−４−イル）（４，５，６−トリフルオロナフチル）−（テトラフルオロフルオレニル）（ペルフルオロビフェニル）アルミネート］−；［トリ−Ｎ−プロピルホスホニウム］＋［５−（（イソプロピル）（５，６，７，８−テトラフルオロナフチル）アミノ）ペルフルオロインデン−１−イル）（ペルフルオロアントラセニル）（２，３，６−トリフルオロフェニル）（ペルフルオロピレニル）アルミネート］−；［Ｎ，Ｎ，Ｎ−（エチル）（ジオクチル）ホスホニウム］＋［５−（（トリ−イソプロピルシリルオクチル）（ペルフルオロビフェニル）アミノ）ペルフルオロインデン−１−イル）（ペルフルオロピレニル）（ペルフルオロフェニル）−（２，３，４−トリフルオロフェニル）アルミネート］−；［Ｎ，Ｎ，Ｎ−（ジメチル）（ｔ−ブチル）ホスホニウム］＋［７−（（トリ−ｎ−プロピル−シリル）（ペルフルオロフェニル）ホスフィノ）ペルフルオロピレン−２−イル）（ペルフルオロフェニル）（２’，３’，４’−トリフルオロビフェニル）（ペルフルオロアントラセニル）アルミネート］−；［トリ−Ｎ−（メチルフェニル）ホスホニウム］＋［６−（（メチルエチルヘキシルシリル）（５，６，７，８−テトラフルオロナフチル）アミノ）ペルフルオロアントラセン−１−イル）（ペンタフルオロアントラセニル）（２’，３’，５’−トリフルオロビフェニル）（ペルフルオロピレニル）アルミネート］−；［Ｎ，Ｎ，Ｎ−（ジメチル）（ｔ−ブチル）ホスホニウム］＋［７−（（ヘキシル）（ペルフルオロフェニル）アミノ）ペルフルオロフルオレン−１−イル）（２’，３’，４’−トリフルオロビフェニル）（ペンタフルオロアントラセニル）（４，５，７−トリフルオロナフチル）アルミネート］−；
［トリ−Ｎ−（メチルフェニル）ホスホニウム］＋［４’−（（ブチル）（ペルフルオロフルオレニル）アミノ）ペルフルオロビフェン−３−イル）（ペルフルオロフェニル）（２，３，６−トリフルオロフェニル）（ペルフルオロアントラセニル）アルミネート］−；［トリ−Ｎ−プロピルホスホニウム］＋［７−（（メチルジエチルシリルオクチル）（ペンタルフルオロピレニル）アミノ）フルオロインデン−２−イル）（ペルフルオロフェニル）（ペルフルオロアントラセニル）（２’，３’，５’−トリフルオロビフェニル）アルミネート］−；［トリ−Ｎ−メチルホスホニウム］＋［６−（（メチル）（ペルフルオロピレニル）ホスフィノ）フルオロフルオレン−２−イル）（ペルフルオロフルオレニル）（ペルフルオロフェニル）（４，５，７−トリフルオロナフチル）アルミネート］；［トリ−Ｎ−メチルホスホニウム］＋［６−（（３−エチルノニル）（５，６，７，８テトラフルオロナフチル）アミノ）ペルフルオロアントラセン−２−イル）（ペンタルフルオロピレニル）（ペルフルオロフェニル）−（２’，３’，４’−トリフルオロビフェニル）アルミネート］−；［トリ−Ｎ−（ｎ−ブチル）ホスホニウム］＋［６−（（シクロヘキシル）（４，５，７−トリフルオロナフチル）アルシノ）ペルフルオロナフト２−イル）（テトラフルオロフルオレニル）（ペルフルオロビフェニル）（２，３，５−トリフルオロフェニル）アルミネート］−；［Ｎ，Ｎ，Ｎ−（エチル）（メチル）（ｔ−ブチル）ホスホニウム］＋［６−（（オクチル）（ペルフルオロ− ナフチル）ホスフィノ）フルオロアントラセン−１−イル）ビス（ペルフルオロビフェニル）（２，３，５−トリフルオロフェニル）アルミネート］−；［トリ−Ｎ−（ジメチルフェニル）ホスホニウム］＋［６−（（ジエチルノンリシリル）（ペルフルオロフェニル）アミノ）ペルフルオロアントラセン−２−イル）（ペルフルオロフェニル）（ペンタフルオロアントラセニル）（２’，３’，５’−トリフルオロビフェニル）アルミネート］−；［トリ−Ｎ−エチルホスホニウム］＋［７−（（トリエチルシリルプロピル）（ペルフルオロ−ビフェニル）ホスフィノ）ペルフルオロアントラセン−１−イル）（ペンタルフルオロピレニル）（ペンタフルオロアントラセニル）−（４，５，６，７−テトラフルオロナフチル）アルミネート］−；［Ｎ，Ｎ，Ｎ−（エチル）（メチル）（ｎ−ブチル）ホスホニウム］＋［６（（メチル）（ペルフルオロビフェニル）アルシノ）ペルフルオロナフト−１−イル）（２，３，６−トリフルオロフェニル）（４，５，６−トリフルオロナフチル）（ペルフルオロフェニル）アルミネート］−；［Ｎ，Ｎ，Ｎ−（エチル）（メチル）（ｎ−ブチル）ホスホニウム］＋［７−（（エチル）（２，３，５−トリフルオロフェニル）ホスフィノ）ペルフルオロナフト−１−イル）（ペルフルオロビフェニル）（４，５，６−トリフルオロナフチル）（ペルフルオロフェニル）アルミネート］−；［トリ−Ｎ−エチルホスホニウム］＋［５−（（トリ−イソプロピルシリルオクチル）（ペンタフルオロアントラセニル）アミノ）ペルフルオロナフト−１−イル）（ペルフルオロアントラセニル）（ペルフルオロビフェ��ル）−（２，３，４−トリフルオロフェニル）アルミネート］−；［トリ−Ｎ−エチルホスホニウム］＋［４’−（（３−エチルノニル）（ペンタフルオロアントラセニル）アルシノ）フルオロビフェン−３−イル）（ペルフルオロピレニル）（ペンタルフルオロピレニル）（ペルフルオロフェニル）−アルミネート］−；［トリ−Ｎ−オクチルホスホニウム］＋［７−（（３−エチルノニル）（ペルフルオロビフェニル）アミノ）フルオロインデン−２−イル）（４，５，６−トリフルオロナフチル）（ペルフルオロビフェニル）（２’，３’，５’−トリフルオロビフェニル）アルミネート］−；［Ｎ，Ｎ，Ｎ−（エチル）（メチル）（オクチル）ホスホニウム］＋［７−（（プロピル）（ペルフルオロピレニル）アミノ）ペルフルオロナフト−２−イル）−（ペンタフルオロアントラセニル）（ペルフルオロピレニル）（２’，３’，５’−トリフルオロビフェニル）アルミネート］−；［トリ−Ｎ−エチルホスホニウム］＋［６−（（ トリエチルシリルプロピル）（ペルフルオロフルオレニル）アルシノ）ペルフルオロナフト−３−イル）（２，３，４−トリフルオロフェニル）（ペルフルオロフルオレニル）（ペルフルオロフェニル）アルミネート］−；［トリ−Ｎ−（ｔ−ブチル）ホスホニウム］＋［４’−（（プロピル）（ペルフルオロピレニル）アミノ）ペルフルオロビフェン−４−イル）ビス（ペルフルオロアントラセニル）（ペルフルオロビフェニルアルミネート］−；［トリ−Ｎ−プロピルホスホニウム］＋［７−（（トリエチルシリル）（ペルフルオロビフェニル）アミノ）ペルフルオロアントラセン−１−イル）（ペルフルオロアントラセニル）（２’，３’，４’−トリフルオロビフェニル）（４，５，６，７−テトラフルオロナフチル）アルミネート］−；
［Ｎ，Ｎ，Ｎ−（エチル）（メチル）（ｔ−ブチル）ホスホニウム］＋［４−（（ｎ−ブチル）（ペルフルオロフェニル）アミノ）ペルフルオロフェニル］（ペルフルオロビフェニル）（４，５，７−トリフルオロナフチル）（２’，３’，５’−トリフルオロビフェニル）アルミネート］−；［トリ−Ｎ−（メチルフェニル）ホスホニウム］＋［７−（（Ｎ−ブチル）（ペルフルオロビフェニル）ホスフィノ）ペルフルオロナフト−１−イル）（５，６，７，８−テトラフルオロナフチル）（４，５，６，７−テトラフルオロナフチル）（ペルフルオロピレニル）アルミネート］−；［トリ−Ｎ−（メチルフェニル）ホスホニウム］＋［６−（（ノニル）（ペルフルオロフェニル）ホスフィノ）ペルフルオロナフト−３−イル）ビス（４，５，６−トリフルオロナフチル）（ペルフルオロナフチルアルミネート］−；［Ｎ，Ｎ，Ｎ−（エチル）（ジオクチル）ホスホニウム］＋［５−（（ブチル）（ペルフルオロフルオレニル）アミノ）ペルフルオロナフト−１−イル）（ペルフルオロフルオレニル）（ペルフルオロピレニル）（ペルフルオロフェニル）アルミネート］−；［Ｎ，Ｎ，Ｎ−（エチル）（メチル）（イソプロピル）ホスホニウム］＋［６−（（トリ−イソプロピルシリル）（ペルフルオロビオフェニル）アミノ）ペルフルオロナフト−１−イル）−（ペンタフルオロアントラセニル）（ペルフルオロピレニル）（ペルフルオロフルオレニル）アルミネート］−；［トリ−Ｎ−プロピル−ホスホニウム］＋［６−（（ベンジル）（ペルフルオロフェニル）アルシノ）ペルフルオロアントラセン−２−イル）（５，６，７，８−テトラフルオロナフチル）（ペルフルオロフェニル）（２’，３’，４’−トリフルオロビフェニル）アルミネート］−；［トリ−Ｎ−（ｎ−ブチル）−ホスホニウム］＋ （７−（（ブチル）（２，３，６−トリフルオロフェニル）アミノ）ペルフルオロフルオレン−１−イル ）（ペルフルオロフルオレニル）−（２’，３’，５’−トリフルオロビフェニル）（２’，３’，４’−トリフルオロビフェニル）アルミネート］−；［トリ−Ｎ−（ジメチルフェニル）ホスホニウム］＋［３−（（ヘキシル）（ペルフルオロフェニル）アミノ）ペルフルオロフェニル］（ペルフルオロナフチル）（ペルフルオロビフェニル）（ペルフルオロフルオレニル）アルミネート］−；［トリ−Ｎ−（ｔ−ブチル）ホスホニウム］＋［７−（（トリエチルシリル−プロピル）（ペルフルオロビフェニル）アルシノ）ペルフルオロアントラセン−１−イル）（ペルフルオロナフチル）（ペルフルオロ−ビフェニル）（４，５，６，７−テトラフルオロナフチル）アルミネート］−；［Ｎ，Ｎ，Ｎ−（エチル）（ジオクチル）ホスホニウム］＋［８−（（トリ−Ｎ−プロピルシリル）（ペルフルオロピレニル）アミノ）ペルフルオロピレン−２−イル）ビス（ペルフルオロビフェニル）（４，５，６，７−テトラフルオロナフチル）アルミネート］−；［トリ−Ｎ−（ジメチルフェニル）ホスホニウム］＋［５−（（ブチル）（ペルフルオロ−ピレニル）アミノ）ペルフルオロインデン−１−イル）（ペルフルオロアントラセニル）（ペルフルオロフェニル）（４，５，６，７−テトラフルオロナフチル）アル���ネート］−；［トリ−Ｎ−プロピルホスホニウム］＋［８−（（ブチル）（ペルフルオロフェニル）アミノ）ペルフルオルピレン−２−イル）（ペルフルオロビフェニル）（ペルフルオロピレニル）（４，５，６，７−テトラフルオロナフチル）アルミネート］−；［トリ−Ｎ−オクチルホスホニウム］＋［５−（（トリ−イソプロピルシリルオクチル）（２’，３’，５’−トリフルオロビフェニル）アミノ）フルオロインデン−１−イル）−（ペルフルオロビフェニル）（テトラフルオロフルオレニル）（２，３，５−トリフルオロフェニル）アルミネート］−；［トリ−Ｎ−オクチル−ホスホニウム］＋［６−（（メチルエチルヘキシルシリル）（４，５，７−トリフルオロナフチル）アミノ）ペルフルオロアントラセン−１イル）（ペルフルオロビフェニル）（４，５，６−トリフルオロナフチル）（４，５，６，７−テトラフルオロナフチル）アルミネート］−；［トリ−Ｎ−（メチルフェニル）ホスホニウム］＋［８−（（トリ−イソプロピルシリル）（２，３，４−トリフルオロフェニル）アミノ）ペルフルオロナフト３−イル）（ペンタフルオロアントラセニル）（ペルフルオロフェニル）（５，６，７，８−テトラフルオロナフチル）アルミネート］−；［トリ−Ｎ−エチルホスホニウム］＋［６−（（トリエチルシリルプロピル）（４，５，７−トリフルオロナフチル）アミノ）ペルフルオルフルオレン−２−イル）（ペルフルオロフルオレニル）（ペルフルオロピレニル）（２，３，５−トリフルオロフェニル）アルミネート］−；［Ｎ，Ｎ，Ｎ−（ジメチル）（ｔ−ブチル）ホスホニウム］＋［６−（（イソプロピル）（ペルフルオロフェニル）アミノ）ペルフルオロナフト−３−イル）（５，６，７，８−テトラフルオロナフチル）（ペンタフルオロアントラセニル）（４，５，７−トリフルオロナフチル）アルミネート］−；［トリ−Ｎ−エチルホスホニウム］＋［４−（（ヘキシル）（ペルフルオロナフチル）アミノ）ペルフルオロフェニル］（ペンタルフルオロピレニル）（ペルフルオロナフチル）（ペルフルオロアントラセニル）アルミネート］−；［Ｎ，Ｎ，Ｎ−（ジメチル）（ｔ−ブチル）ホスホニウム］＋［４’−（（トリ−イソプロピルシリル）（２，３，６−トリフルオロフェニル）アミノ）ペルフルオロビフェン−４−イル）（２，３，６トリフルオロフェニル）（ペルフルオロフェニル）（４，５，６，７−テトラフルオロナフチル）アルミネート］−；［Ｎ，Ｎ，Ｎ−（エチル）−（ジオクチル）ホスホニウム］＋［６−（（プロピル）（ペルフルオロフェニル）アミノ）ペルフルオロナフト−２−イル）（ペルフルオロフルオレニル）（ペルフルオロアントラセニル）（４，５，６，７−テトラフルオロナフチル）アルミネート］−；［Ｎ，Ｎ，Ｎ−（エチル）（メチル）（オクチル）ホスホニウム］＋［４’−（（オクチル）（テトラフルオロフルオレニル）ホスフィノ）ペルフルオロビフェン−３−イル）−（ペンタルフルオロピレニル）（４，５，７−トリフルオロナフチル）（ペルフルオロフェニル）アルミネート］−；［トリ−Ｎ−（ジメチルフェニル）ホスホニウム］＋［４’−（（シクロヘキシル）（テトラフルオロフルオレニル）ホスフィノ）ペルフルオロ���ビフェン−３−イル）ビス（ペルフルオロアントラセニル）（ペンタフルオロアントラセニルアルミネート］−；［トリ−Ｎ−（ジメチルフェニル）ホスホニウム］＋［６−（（ベンジル）（ペルフルオロビフェニル）アミノ）ペルフルオロフルオレン−２−イル）−（ペルフルオロビフェニル）（ペルフルオロフルオレニル）（ペルフルオロナフチル）アルミネート］−；［トリ−Ｎ−エチル− ホスホニウム］＋［７−（（プロピル）（ペルフルオロフルオレニル）ホスフィノ）ペルフルオロピレン−１−イル）（ペンタルフルオロ− ピレニル）（ペルフルオロビフェニル）（２，３，４−トリフルオロフェニル）アルミネート］−；［Ｎ，Ｎ，Ｎ−（エチル）（メチル）（オクチル）ホスホニウム］＋［７−（（ノニル）（ペルフルオロフェニル）ホスフィノ）ペルフルオロピレン−１−イル）（４，５，６−トリフルオロナフチル）（ペルフルオロビフェニル）（２’，３’，５’−トリフルオロビフェニル）アルミネート］−；［トリ−Ｎ−オクチルホスホニウム］＋［５−（（トリエチルシリルエチル）（ペルフルオロフェニル）アミノ）ペルフルオロナフト−３−イル）（ペルフルオロフルオレニル）（ペンタルフルオロ−ピレニル）（ペンタフルオロアントラセニル）アルミネート］−；［Ｎ，Ｎ，Ｎ−（エチル）（ジオクチル）ホスホニウム］＋［７−（（ベンジル）（ペルフルオロナフチル）アミノ）ペルフルオロナフト−１−イル）（ペルフルオロビフェニル）（２，３，４−トリフルオロフェニル）（２’，３’，５’−トリフルオロビフェニル）アルミネート］−；［Ｎ，Ｎ，Ｎ−（エチル）（メチル）（ｎ−ブチル）ホスホニウム］＋［３−（（メチル）（ペルフルオロフェニル）アミノ）ペルフルオロフェニル］（ペルフルオロピレニル）（ペルフルオロナフチル）（ペルフルオロアントラセニル）アルミネート］−；［トリ−Ｎ−（ジメチルフェニル）ホスホニウム］＋［７−（（ベンジル）（５，６，７，８−テトラフルオロナフチル）アルシノ）ペルフルオロアントラセン−１−イル）ビス（ペルフルオロビフェニル）（ペルフルオロナフチルアルミネート］−；［Ｎ，Ｎ，Ｎ−（エチル）（メチル）（Ｎ−ブチル）ホスホニウム］＋［６−（（Ｎ−ブチル）（ペンタフルオロアントラセニル）アミノ）ペルフルオロアントラセン−１−イル）（５，６，７，８−テトラフルオロナフチル）（４，５，７−トリフルオロナフチル）（ペルフルオロフェニル）アルミネート］−；［トリ−Ｎ−（ジメチルフェニル）ホスホニウム］＋［６−（（トリ−ｎ−プロピルシリル）（２，３，５−トリフルオロフェニル）ホスフィノ）ペルフルオロアントラセン−１−イル）（ペルフルオロフェニル）（ペルフルオロ− アントラセニル）（２’，３’，５’−トリフルオロビフェニル）アルミネート］−；［トリ−Ｎ−（ジメチルフェニル）ホスホニウム］＋［７−（（メチル）（２’，３’，４’−トリフルオロビフェニル）アミノ）ペルフルオロインデン−２−イル）ビス（ペルフルオロアントラセニル）（５，６，７，８テトラフルオロナフチルアルミネート］−；［トリ−Ｎ−プロピルホスホニウム］＋［４−（（トリエチルシリルプロピル）（ペルフルオロ− フェニル）アミノ）ペルフルオロフェニル］（ペンタルフルオロピレニル）（２，３，６−トリフルオロフェニル）（２，３，５−トリフルオロフェニル）アルミネート］−；［トリ−Ｎ−（ジメチルフェニル）ホスホニウム］＋［６−（（プロピル）（ペルフルオロフェニル）アミノ）ペルフルオロフルオレン−２−イル）ビス（ペルフルオロアントラセニル）（５，６，７，８−テトラフルオロナフチルアルミネート］−；［Ｎ，Ｎ，Ｎ −（エチル）（ジオクチル）ホスホニウム］＋［６−（（ヘキシル）（ペルフルオロフルオレニル）アミノ）ペルフルオロフルオレン−２−イル）（ペルフルオロナフチル）（４，５，７−トリフルオロナフチル）（ペルフルオロビフェニル）アルミネート］−；［Ｎ，Ｎ，Ｎ−（エチル）（ジオクチル）ホスホニウム］＋［７−（（トリメチルシリル）（ペルフルオロビフェニル）アミノ）ペルフルオロインデン−２−イル）（ペルフルオロ− フルオレニル）（ペルフルオロピレニル）（５，６，７，８−テトラフルオロナフチル）アルミネート］−；［Ｎ，Ｎ，Ｎ−（エチル）（ジオクチル）ホスホニウム］＋［５−（（プロピル）（５，６，７，８−テトラフルオロナフチル）アミノ）ペルフルオロナフト３−イル）（テトラフルオロフルオレニル）（２，３，６−トリフルオロフェニル）（２’，３’，５’−トリフルオロビフェニル）アルミネート］−；［Ｎ，Ｎ，Ｎ−（エチル）（ジオクチル）ホスホニウム］＋［３−（（３−エチルノニル）（ペルフルオロフェニル）ホスフィノ）ペルフルオロフェニル）（４，５，７−トリフルオロナフチル）（ペルフルオロフェニル）（４，５，６−トリフルオロナフチル）アルミネート］−；［Ｎ，Ｎ，Ｎ−（エチル）（メチル）（Ｎ−ブチル）ホスホニウム］＋［６−（（トリエチルシリルプロピル）（５，６，７，８−テトラフルオロナフチル）アミノ）ペルフルオロアントラセン−２−イル）（ペルフルオロアントラセニル）（２’，３’，５’−トリフルオロビフェニル）（ペルフルオロフェニル）アルミネート］−；［トリ−Ｎ−オクチル− ホスホニウム］＋［７−（（ベンジル）（ペルフルオロフェニル）アミノ）ペルフルオロフルオレン−１−イル）（テトラフルオロフルオレニル）−（ペルフルオロアントラセニル）（４，５，６，７−テトラフルオロナフチル）アルミネート］−；［トリ−Ｎ−オクチルホスホニウム］＋［４−（（ノニル）（テトラフルオロフルオレニル）アルシノ）ペルフルオロフェニル］（ペンタフルオロアントラセニル）（２，３，４−トリフルオロフェニル）（ペルフルオロビフェニル）アルミネート］−；［トリ−Ｎ−（メチルフェニル）ホスホニウム］＋［８−（（トリ−ｎ−プロピル− シリル）（ペルフルオロナフチル）アミノ）フルオロナフト−３−イル）（ペルフルオロアントラセニル）（５，６，７，８−テトラフルオロ ナフチル）（ペルフルオロフルオレニル）アルミネート］−；［Ｎ，Ｎ，Ｎ−（エチル）（ジオクチル）ホスホニウム］＋［３’−（（オクチイ）（ペルフルオロピレニル）アミノ）ペルフルオロビフェン−４−イル）（ペンタルフルオロピレニル）（ペルフルオロフェニル）（４，５，６，７−テトラフルオロナフチル）アルミネート］−；［Ｎ，Ｎ，Ｎ−（エチル）（メチル）（イソ���ロピル）ホスホニウム］＋［６−（（オクチル ）−（４，５，６，７−テトラフルオロナフチル）ホスフィノ）ペルフルオロアントラセン−２−イル）（ペルフルオロアントラセニル）（ペルフルオロビフェニル）（２，３，４−トリフルオロフェニル）アルミネート］−；［トリ−Ｎ−（メチルフェニル）ホスホニウム］＋［３’−（（トリ− イソプロピルシリル）（ペルフルオロフェニル）アルシノ）ペルフルオロビフェン−４−イル）（ペンタルフルオロピレニル）（ペルフルオロアントラセニル）（４，５，７−トリフルオロナフチル）アルミネート］−；［Ｎ，Ｎ，Ｎ−（エチル）（メチル）（ｎ−ブチル）ホスホニウム］＋［８−（（トリ−イソプロピルシリル）（４，５，７−トリフルオロナフチル）ホスフィノ）ペルフルオロピレン−２−イル）ビス（４，５，６，７−テトラフルオロナフチル）（ペルフルオロピレニル）アルミネート］−；［トリ−Ｎ−（ジメチルフェニル）ホスホニウム］＋［７−（（メチルジエチルシリルオクチル）（ペルフルオロフェニル）アミノ）ペルフルオロフルオレン−２−イル）−（４，５，６，７−テトラフルオロナフチル）（ペンタルフルオロピレニル）（４，５，６−トリフルオロナフチル）アルミネート］−；［Ｎ，Ｎ，Ｎ −（エチル）（メチル）（ｔ−ブチル）ホスホニウム］＋［７−（（トリエチルシリル）（２’，３’，５’−トリフルオロビフェニル）アミノ）ペルフルオルナフト−１−イル）（ペルフルオロナフチル）（ペルフルオロビフェニル）（４，５，６，７−テトラフルオロナフチル）アルミネート］−；［トリ−Ｎ−オクチルホスホニウム］＋［６−（（ｎ−ブチル）（ペルフルオロフェニル）アミノ）ペルフルオロアントラセン−２−イル）ビス（ペルフルオロビフェニル）（ペルフルオロアントラセニルアルミネート］−；［トリ−Ｎ− （ｎ−ブチル）ホスホニウム］＋［５−（（トリメチル− シリル）（ペルフルオロアントラセニル）アミノ）ペルフルオロインデン−１−イル）ビス（２，３，６−トリフルオロフェニル）（ペルフルオロフェニル）アルミネート］−；［トリ−Ｎ−（ｔ−ブチル）ホスホニウム］＋［７−（（オクチル）（ペルフルオロビフェニル）アミノ）ペルフルオロ− ナフト２−イル）（ペルフルオロナフチル）（５，６，７，８−テトラフルオロナフチル）（ペルフルオロビフェニル）アルミネート］−；［Ｎ，Ｎ，Ｎ−（エチル）（メチル）（イソプロピル）ホスホニウム］＋［８−（（ジエチルノンリシリル）（５，６，７，８−テトラフルオロナフチル）アルシノ）ペルフルオロナフト−３−イル）（ペルフルオロフルオレニル）（５，６，７，８−テトラフルオロナフチル）（ペルフルオロフェニル）アルミネート］−；［トリ−Ｎ−オクチルホスホニウム］＋［４’−（（ヘキシル）（ペルフルオロビフェニル）アミノ）ペルフルオルビフェン−３−イル）（ペルフルオロビフェニル）（２’，３’，４’−トリフルオロビフェニル）（２，３，５−トリフルオロフェニフアルミネート］−；［トリ−Ｎ−エチルホスホニウム］＋［３’−（（トリ−イソプロピルシリルオクチル）（ペルフルオロフルオレニル）アミノ）ペルフルオロビフェン−４−イル）（ペルフルオロフェニル）（テトラフルオ���フルオレニル）（２，３，６−トリフルオロフェニル）アルミネート］−；［トリ−Ｎ−（ｎ−ブチル）ホスホニウム］＋［６−（（トリ−イソプロピルシリル）（ペルフルオロフェニル）アルシノ）ペルフルオロアントラセン−２−イル）（５，６，７，８−テトラフルオロナフチル）（２，３，４−トリフルオロフェニル）（４，５，７−トリフルオロナフチル）アルミネート］−；［トリ−Ｎ−メチルホスホニウム］＋［５−（（プロピル）（ペルフルオロビフェニル）アミノ）ペルフルオロナフト−３−イル）（ペルフルオロアントラセニル）（ペルフルオロピレニル）（２’，３’，５’−トリフルオロビフェニル）アルミネート］−；［トリ−Ｎ−（メチルフェニル）ホスホニウム］＋［８−（（トリエチルシリルプロピル）（４，５，６，７−テトラフルオロナフチル）ホスフィノ）ペルフルオロピレン−２−イル）（ペルフルオロフルオレニル）（４，５，７−トリフルオロナフチル）（ペンタフルオロアントラセニル）アルミネート］−；［トリ−Ｎ−（ジメチルフェニル）ホスホニウム］＋［７−（（エチル）（ペルフルオロアントラセニル）ホスフィノ）ペルフルオロピレン−１−イル）（ペルフルオロビフェニル）（ペルフルオロナフチル）（ペルフルオロフルオレニル）アルミネート］−；［トリチル］＋［７−（（３−エチル− ノニル）（２，３，５−トリフルオロフェニル）アルシノ）フルオロピレン−２−イル）ビス（ペルフルオロビフェニル）（ペンタフルオロアントラセニル）アルミネート］−；
［トリチル］＋［４’−（（ノニル（ペルフルオロフェニル）アミノ）ペルフルオロビフェン−４−イル）（ペルフルオロアントラセニル）（テトラフルオロフルオレニル）（ペルフルオロフルオレニル）アルミネート］−；［トリチル］＋［６−（（メチル）（ペルフルオロフェニル）アルシノ）ペルフルオロフルオレン−２−イル）（ペルフルオロフェニル）（ペルフルオロフルオレニル）（４，５，６−トリフルオロナフチル）アルミネート ］−；［トリ−Ｎ−（メチルフェニル）アンモニウム］＋［７−（（ノニル）（ペルフルオロフェニル）アルシノ）ペルフルオロフルオレン−２−イル）（ペンタルフルオロピレニル）（２，３，４−トリフルオロフェニル）（ペルフルオロフェニル）ボラ−ト］−；［トリ−Ｎ− メチルアンモニウム］＋［３−（（メチル）（ペルフルオロアントラセニル）アミノ）ペルフルオロフェニル］（ペンタルフルオロピレニル）（２，３，５−トリフルオロフェニル）（２，３，６−トリフルオロフェニル）ボラ−ト］−；［トリ−Ｎ−（ジメチルフェニル− アンモニウム］＋［６−（（ノニル）（ペルフルオロフルオレニル）アミノ）ペルフルオロフルオレン−１−イル）（４，５，６，７−テトラフルオロナフチル）（ペルフルオロピレニル）（ペルフルオロビフェニル）ボラート］−；［トリ−Ｎ− （ｎ−ブチル）アンモニウム］＋［５−（（オクチル）（４，５，６−トリフルオロナフチル）アミノ）ペルフルオロナフト−２−イル）（ペルフルオロビフェニル）（ペルフルオロフルオレニル）（ペルフルオロピレニル）ボラート］−；［Ｎ，Ｎ，Ｎ−（エチル）（メチル）（ｎ−ブチル）アンモニウム］＋［７−（（２，２−ジメチルオクチル）−（ペンタルフルオロピレニル）アミノ）ペルフルオロナフト−２−イル）（ペルフルオロビフェニル）（ペルフルオロアントラセニル）−（ペンタフルオロアントラセニル）ボラート］−；［トリ−Ｎ−メチルアンモニウム］＋［８−（（シクロヘキシル）（ペンタフルオロアントラセニル）アミノ）ペルフルオロナフト−３−イル）（ペルフルオロナフチル）（ペルフルオロビフェニル）（ペルフルオロフェニル）ボラート］−；［Ｎ，Ｎ，Ｎ−（エチル）（メチル）（イソプロピル）アンモニウム］＋［４’−（（トリ−イソプロピルシリルオクチル）（ペルフルオロビフェニル）アミノ）ペルフルオロビフェン−３−イル）（ペルフルオロフェニル）（ペルフルオロフルオロエニル）（４，５，６−トリフルオロナフチル）ボラート］−；［トリ−Ｎ−エチルアンモニウム］＋［５−（（トリ−イソプロピルシリル）（２，３，５−トリフルオロフェニル）アルシノ）ペルフルオロナフト−３−イル）ビス（ペルフルオロビフェニル）（ペルフルオロフルオレニル）ボラート］−；［トリ−Ｎ−メチルアンモニウム］＋［７−（（メチルエチルヘキシルシリル）（ペルフルオロビフェニル）アミノ）ペルフルオロナフト−３−イル）（ペルフルオロ−フェニル）（ペルフルオロフルオレニル）（５，６，７，８−テトラフルオロナフチル）ボラ−ト］−；［トリ−Ｎ−（メチルフェニル）アンモニウム］＋［４’−（（トリ−ｎ−プロピルシリルヘキシル）（４，５，７−トリフルオロナフチル）アミノ）ペルフルオロビフ��ン−３−イル）（ペルフルオロフルオレニル）（ペンタルフルオロピレニル）（２’，３’，５’−トリフルオロビフェニル）ボラート］−；［Ｎ，Ｎ，Ｎ−（エチル）（メチル）（ｔ−ブチル）アンモニウム］＋［８−（（トリエチルシリル）（２’，３’，４’−トリフルオロビフェニル）アルシノ）ペルフルオロナフト−３−イル）（ペルフルオロフルオレニル）（４，５，７−トリフルオロナフチル）（ペルフルオロフェニル）ボラート］−；［トリ−Ｎ−（ｔ−ブチル）アンモニウム］＋［７−（（２，２−ジメチルオクチル）（ペルフルオロフェニル）アミノ）ペルフルオロフルオレン−１−イル）（ペンタルフルオロピレニル）（５，６，７，８−テトラフルオロナフチル）（ペルフルオロビフェニル）ボラート］−；［トリ−Ｎ−メチルアンモニウム］＋［４’−（（イソプロピル）（ペルフルオロアントラセニル）アミノ）ペルフルオロビフェン−４−イル）（ペルフルオロアントラセニル）（２’，３’，５’−トリフルオロビフェニル）−（４，５，６，７−テトラフルオロナフチル）ボラート］−；［トリ−Ｎ−（メチルフェニル）アンモニウム］＋［７−（（トリエチルシリル）（ペルフルオロフェニル）アミノ）ペルフルオレン−２−イル）（ペルフルオロナフチル）（ペルフルオロフェニル）（ペルフルオロビフェニル）ボラート］−；［Ｎ，Ｎ，Ｎ−（エチル）（メチル）（イソプロピル）アンモニウム］＋［７−（（メチル）（ペルフルオロフェニル）アミノ）ペルフルオロインデン−２−イル）（４，５，７−トリフルオロナフチル）（ペルフルオロフェニル）（ペルフルオロフルオレニル）ボラート］−；［Ｎ，Ｎ，Ｎ−（エチル）（メチル）（イソプロピル）アンモニウム］＋［６−（（トリエチルシリルエチル）（ペルフルオロアントラセニル）アルシノ）ペルフルオロアントラセン−１−イル）ビス（ペルフルオロビフェニル）（４，５，６，７−テトラフルオロナフチル）ボラート］−；［Ｎ，Ｎ，Ｎ−（エチル）（メチル）（ｎ−ブチル）アンモニウム］＋［６−（（ブチル）（４，５，６−トリフルオロナフチル）アミノ）ペルフルオロ−ナフト１−イル）（ペンタルフルオロピレニル）（４，５，６，７−テトラフルオロナフチル）（ペルフルオロピレニル）ボラート］−；［Ｎ，Ｎ，Ｎ−（ジメチル）（ｔ−ブチル）アンモニウム］＋［６−（（シクロヘキシル）（ペルフルオロフェニル）アミノ）ペルフルオロインデン−２−イル）（ペンタルフルオロピレニル）（ペルフルオロアントラセニル）（ペルフルオロフェニル）ボラート］−；［トリ−Ｎ−（ｎ−ブチル）アンモニウム］＋［４−（（トリ−ｎ−プロピルシリル）（４，５，６，７−テトラフルオロナフチル）アミノ）ペルフルオロビフェン−４−イル）ビス（ペンタルフルオロピレニル）（テトラフルオロフルオレニル）ボラート］−；［Ｎ，Ｎ，Ｎ−（エチル）（メチル）（オクチル）アンモニウム］＋［７−（（ベンジル）（ペルフルオロフェニル）アミノ）ペルフルオロナフト−２−イル）（ペルフルオロナフチル）（４，５，６−トリフルオロナフチル）（ペンタルフルオロピレニル）ボラート］−；［Ｎ，Ｎ，Ｎ−（エチル）（メチル）（ｎ−ブチル）アンモニウム］＋［７−（（３−エチルノ��ル）（ペルフルオロビフェニル）アミノ）ペルフルオロナフト−２−イル）（ペンタルフルオロピレニル）（２，３，４−トリフルオロフェニル）（ペルフルオロフェニル）ボラート］−；［トリ−Ｎ−プロピルアンモニウム］＋［４’−（（トリメチルシリル）（２’，３’，４’−トリフルオロビフェニル）ホスフィノ）ペルフルオロビフェン−３−イル）（テトラフルオロフルオレニル）（ペルフルオロピレニル）（５，６，７，８テトラフルオロナフチル）ボラート］−；［Ｎ，Ｎ，Ｎ−（エチル）（メチル）（イソプロピル）アンモニウム］＋［３’−（（イソプロピル）（ペルフルオロフェニル）アミノ）ペルフルオロビフェン−４−イル）（ペルフルオロピレニル）（ペンタルフルオロピレニル）（ペルフルオロフェニル）ボラート］−；［トリ−Ｎ−（ｔ−ブチル）アンモニウム］＋［７−（（トリエチルシリル）（４，５，７−トリフルオロナフチル）ホスフィノ）ペルフルオロアントラセン−１−イル）（２，３，４−トリフルオロフェニル）（ペルフルオロフェニル）（ペルフルオロアントラセニル）ボラート］−；［トリ−Ｎ−（ｔ−ブチル）］アンモニウム］＋［５−（（イソプロピル））（２，３，５−トリフルオロフェニル）ホスフィノ］ペルフルオロナフト−３−イル）ビス（２，３，４−トリフルオロフェニル）（４，５，６−トリフルオロナフチル）ボラート］−；［トリ−Ｎ−（ジメチルフェニル−アンモニウム）＋［６−（（トリ−ｎ−プロピルシリルヘキシル）（ペルフルオロフルオレニル）アミノ）ペルフルオロフルオレン−１−イル）（２，３，４−トリフルオロフェニル）（ペルフルオロナフチル）（ペルフルオロフェニル）ボラート］−；［Ｎ，Ｎ，Ｎ− （エチル）（メチル）（イソプロピル）アンモニウム］＋［８−（（メチルジエチルシリルオクチル）（ペルフルオロビフェニル）ホスフィノ）ペルフルオロナフト−３−イル）ビス（ペルフルオロビフェニル）（４，５，６−トリフルオロナフチルボラート］−；［Ｎ，Ｎ，Ｎ−（エチル）（メチル）（オクチル）アンモニウム］＋［４’−（（３−エチルノニル）（４，５，６−トリフルオロナフチル）アミノ）ペルフルオロビフェン−４−イル）（テトラフルオロフルオレニル）（ペルフルオロナフチル）（ペルフルオロビフェニル）ボラート］−；［Ｎ，Ｎ，Ｎ−（エチル）（メチル）（ｎ−ブチル）アンモニウム］＋［６−（（プロピル）（ペルフルオロアントラセニル）アミノ）ペルフルオロフルオレン−１−イル）（ペルフルオロ−アントラセニル）（２’，３’，５’−トリフルオロビフェニル）（ペルフルオロピレニル）ボラート］−；［トリ−Ｎ−メチルアンモニウム］＋［６−（（トリ−ｎ−プロピルシリル）（ペルフルオロフルオレニル）アミノ）フルオロフルオレン−２−イル）（ペルフルオロフェニル）（２，３，５−トリフルオロフェニル）（２’，３’，４’−トリフルオロビフェニル）ボラ−ト］−；［Ｎ，Ｎ，Ｎ−（エチル）（メチル）（ｎ−ブチル）アンモニウム］＋［６−（ （トリエチルシリルエチル）（２’，３’，５’−トリフルオロビフェニル）ホスフィノ）ペルフルオロフルオレン−１−イル）ビス（２，３，６−トリフルオロフェニル）（４，５，６−トリフルオロナフチル）ボラート］−；［トリ−Ｎ−エチルアンモニウム］＋［５−（（オクチル）（ペルフルオロフェニル）アミノ）ペルフルオロインデン−２−イル）（ペルフルオロビフェニル）（ペンタルフルオロピレニル）（４，５，７−トリフルオロナフチル）ボラート］−；［トリ−Ｎ−メチルアンモニウム］＋［７−（（ｎ−ブチル）（ペルフルオロフェニル）アミノ）ペルフルオロピレン−１−イル）−（ペルフルオロフルオレニル）（２’，３’，５’−トリフルオロビフェニル）（２’，３’，４’−トリフルオロビフェニル）ボラート］−；
［Ｎ，Ｎ，Ｎ−（エチル）（メチル）（イソプロピル）アンモニウム］＋［６−（（トリエチルシリル）（２，３，６−トリフルオロフェニル）アミノ）ペルフルオロフルオレン−２−イル）（ペルフルオロアントラセニル）（ペルフルオロピレニル）（２，３，５−トリフルオロフェニル）ボラート］−；［Ｎ，Ｎ，Ｎ−（エチル）（ジオクチル）アンモニウム］＋［７−（（メチルエチルヘキシルシリル）（２’，３’，５’−トリフルオロビフェニル）アミノ）ペルフルオロアントラセン−１−イル）（ペンタフルオロピレニル）（ペルフルオロアントラセニル）（４，５，６，７−テトラフルオロナフチル）ボラート］−；［トリ−Ｎ−オクチルアンモニウム］＋［５−（（メチイジエチルシリルオクチル）（ペルフルオロビフェニル）ホスフィノ）ペルフルオロインデン−２− イル）（ペルフルオロフェニル）（ペンタフルオロアントラセニル）（ペルフルオロナフチル）ボラート］−；［トリ−Ｎ−（ｔ−ブチル）アンモニウム］＋［７−（（２，２−ジメチルオクチル）（ペルフルオロナフチル）ホスフィノ）ペルフルオロフルオレン−１−イル）（ペルフルオロビフェニル）（ペルフルオロピレニル）（ペンタフルオロアントラセニル）ボラート］−；［トリ−Ｎ−（ジメチルフェニルアンモニウム）＋［７−（（トリエチルシリルエチル）（ペルフルオロフェニル）アミノ）ペルフルオロナフト−２−イル）（テトラフルオロ− フルオレニル）（２，３，６−トリフルオロフェニル）（２’，３’，５’−トリフルオロビフェニル）ボラート］−；［Ｎ，Ｎ，Ｎ− （ジメチル）（ｔ−ブチル）アンモニウム］＋［６−（（トリ−ｎ−プロピルシリルヘキシル）（ペルフルオロフェニル）アミノ）ペルフルオロナフト−３−イル）（ペルフルオロ−ピレニル）（５，６，７，８−テトラフルオロナフチル）（ペルフルオロアントラセニル）ボラート］−；［Ｎ，Ｎ，Ｎ−（エチル）（メチル）（ｎ−ブチルアンモニウム］＋［６−（（２，２−ジメチルオクチル）（ペルフルオロフェニル）ホスフィノ）ペルフルオロナフト−１−イル）（ペルフルオロフルオレニル）（２’，３’，５’−トリフルオロビフェニル）（２’，３’，４’−トリフルオロビフェニル）ボラート］−；［Ｎ，Ｎ，Ｎ− （エチル）（メチル）（ｎ−ブチル）アンモニウム］＋［７−（（メチルジエチルシリルオクチル）（ペルフルオロフェニル）アミノ）ペルフルオルナフト−２−イル）（テトラフルオロフルオレニル）（２’，３’，４’−トリフルオロビフェニル）（ペルフルオロフルオレニル）ボラート］−；［Ｎ，Ｎ，Ｎ−（エチル）（ジオクチル）アンモニウム］＋［７−（（トリ−Ｎ−プロピルシリル）（ペルフルオロフェニル）アミノ）ペルフルオロピレン−２−イル）ビス（ペンタフルオロアントラセニル）（２，３，５−トリフルオロフェニル）ボラート］−；［トリ−Ｎ−（ジメチルフェニルアンモニウム）＋［６−（（トリエチルシリルエチル）（ペルフルオロアントラセニル）アミノ）ペルフルオロアントラセン−１−イル）（２，３，４−トリフルオロフェニル）（２’，３’，４’−トリフルオロビフェニル）（２，３，５−トリフルオロフェニル）ボラート］−；［Ｎ，Ｎ，Ｎ−（エチル）（メチル）��オクチル）アンモニウム］＋［７−（（メチルジエチルシリルオクチル）（ペルフルオロビフェニル）アルシノ）ペルフルオロナフト３−イル）（ペルフルオロピレニル）（４，５，７−トリフルオロナフチル）（４，５，６，７−テトラフルオロナフチル）ボラート］−；［Ｎ，Ｎ，Ｎ−（エチル）（メチル）（ｔ−ブチル）アンモニウム］＋［６−（（メチルジエチルシリルオクチル）（ペルフルオロフェニル）アミノ）フルオロフルオレン− ２−イル）（ペルフルオロナフチル）（テトラフルオロフルオレニル）（ペンタルフルオロピレニル）ボラート］−；［トリ−Ｎ−プロピルアンモニウム］＋［７−（（トリ−ｎ−プロピルシリルヘキシル）（ペルフルオロフェニル）アミノ）ペルフルオロフルオレン−１−イル）（２’，３’，５’−トリ− フルオロビフェニル）（４，５，６，７−テトラフルオロナフチル）（４，５，６−トリフルオロナフチル）ボラート］−；［Ｎ，Ｎ，Ｎ−（エチル）（ジオクチル）アンモニウム］＋［８−（（イソプロピル）（ペルフルオロフェニル）アミノ）ペルフルオロナフト−３−イル）（２，３，４−トリフルオロフェニル）（ペルフルオロフェニル）（ペルフルオロアントラセニル）ボラート］−；［Ｎ，Ｎ，Ｎ−（エチル）（メチル）（イソプロピル）アンモニウム］＋［８−（（ジエチルノンリシリル）（ペルフルオロフェニル）アミノ）フルオロピレン−２−イル）（ペルフルオロフェニル）（２，３，６−トリフルオロフェニル）（２，３，５−トリフルオロフェニル）ボラート］−；［トリ−Ｎ−（ジメチルフェニルアンモニウム）＋［６−（（ベンジル）（２，３，４−トリフルオロフェニル）ホスフィノ）ペルフルオロアントラセン−１−イル）（ペンタルフルオロピレニル）（テトラフルオロフルオレニル）（２’，３’，５’−トリフルオロビフェニル）ボラ−ト］−；［トリ−Ｎ−（ジメチルフェニルアンモニウム］＋［３’−（（トリメチルシリル）（テトラフルオロフルオレニル）ホスフィノ）ペルフルオロビフェン−４−イル）（ペルフルオロナフチル）（ペルフルオロビフェニル）（ペルフルオロフェニル）ボラ−ト］−；［Ｎ，Ｎ，Ｎ−（ジメチル）（ｔ−ブチル）アンモニウム］＋［７−（（ヘキシル）（４，５，６−トリフルオロナフチル）アミノ）フルオロフルオレン−１−イル）（４，５，７−トリフルオロナフチル）（ペルフルオロビフェニル）（５，６，７，８−テトラフルオロナフチル）ボラ−ト］−；［トリ−Ｎ−オクチルアンモニウム］＋［６−（（３−エチルノニル）（ペンタルフルオロ−ピレニル）アミノ）ペルフルオロアントラセン−１−イル）（ペルフルオロナフチル）（２’，３’，４’−トリフルオロビフェニル）（ペルフルオロ−フルオレニル）ボラ−ト］−；［トリ−Ｎ−エチルアンモニウム］＋［４’−（（２，２−ジメチルオクチル）（ペルフルオロビフェニル）ホスフィノ）ペルフルオロビフェン−３−イル）（５，６，７，８−テトラフルオロナフチル）（ペルフルオロフェニル）（４，５，７−トリフルオロナフチル）ボラ−ト］−；［トリ−Ｎ−（ジメチルフェニルアンモニウム）＋［６−（（２，２−ジメチルオクチル）（ペルフルオロフェニル）ホスフィノ）ペルフルオロアントラセン−１−イル）ビス（２，３，４−トリフルオロフェニル）（ペルフルオロビフェニル）ボラ−ト］−；［トリ−Ｎ−メチルアンモニウム］＋［７−（（オクチル）（２，３，５−トリフルオロフェニル）アミノ）ペルフルオロナフト−２−イル）（ペルフルオロフルオレニル）（２’，３’，５’−トリフルオロビフェニル）（２，３，４−トリフルオロフェニル）ボラ−ト］−；［Ｎ，Ｎ，Ｎ−（エチル）（メチル）（ｎ−ブチル）アンモニウム］＋［６−（（トリ−Ｎ−プロピルシリルヘキシル）（２’，３’，４’−トリフルオロビフェニル）ホスフィノ）ペルフルオルフルオレン−２−イル）（ペルフルオロフェニル）（ペルフルオロアントラセニル）（５，６，７，８−テトラフルオロナフチル）ボラ−ト］−；［トリ−Ｎ−（メチルフェニル）アンモニウム］＋［６−（（トリ−イソプロピルシリルオクチル）（４，５，７−トリフルオロナフチル）アミノ）ペルフルオルナフト−１−イル）（ペルフルオロビフェニル）（ペルフルオロアントラセニル）（２’，３’，５’−トリフルオロビフェニル）ボラ−ト］−；［トリ−Ｎ−（メチルフェニル）アンモニウム］＋［７−（（ブチル）（テトラフルオロフルオレニル）ホスフィノ）ペルフルオロアントラセン−１−イル）−（ペルフルオロビフェニル）（２，３，５−トリフルオロフェニル）（ペルフルオロフェニル）ボラ−ト］−；［Ｎ，Ｎ，Ｎ−（エチル）（ジオクチル）−アンモニウム］＋［７−（（ｎ−ブチル）（ペルフルオロフェニル）ホスフィノ）ペルフルオロピレン−１−イル）（ペルフルオロフェニル）−（ペンタフルオロアントラセニル）（ペルフルオロビフェニル）ボラ−ト］−；［トリ−Ｎ−（メチルフェニル）アンモニウム］＋［７−（（イソプロピル）（ペンタフルオロアントラセニル）アルシノ）ペルフルオロフルオレン−１−イル）（ペルフルオロフルオレニル）（４，５，７−トリフルオロナフチル）（ペルフルオロピレニル）ボラ−ト］−；［Ｎ，Ｎ，Ｎ−（エチル）（メチル）（イソプロピル）アンモニウム］＋［７−（（トリ−Ｎ−プロピルシリルヘキシル）（ペルフルオロアントラセニル）ホスフィノ）ペルフルオロピレン−１−イル）（ペルフルオロアントラセニル）−（ペルフルオロビフェニル）（ペルフルオロフェニル）ボラ−ト］−；［トリ−Ｎ−（メチルフェニル）アンモニウム］＋［３’−（（３−エチル− ノニル）（４，５，７−トリフルオロナフチル）アミノ）ペルフルオロビフェン−４−イル）（ペンタルフルオロピレニル）（ペンタフルオロアントラセニル）（２’，３’，４’−トリフルオロビフェニル）ボラ−ト］−；［トリ−Ｎ−メチルアンモニウム］＋［６−（（ベンジル）（ペルフルオロビフェニル）アミノ）フルオロアントラセン−２−イル）（ペルフルオロフェニル）（ペルフルオロフルオレニル）（２，３，５−トリフルオロフェニル）ボラ−ト］−；［Ｎ，Ｎ，Ｎ−（エチル）（ジオクチル）アンモニウム］＋［７−（（ジエチルノンリシリル）（ペルフルオロピレニル）アミノ）ペルフルオロフルオレン−２−イル）（ペルフルオロピレニル）（ペルフルオロアントラセニル）ボラ−ト］−；［トリ−Ｎ−プロピルアンモニウム］＋［７−（（ブチル）（ペルフルオロビフェニル��アミノ）ペルフルオロナフト−１−イル）（２，３，６−トリフルオロフェニル）（ペルフルオロフェニル）（テトラフルオロフルオレニル）ボラ−ト］−；［トリ−Ｎ−（ｔ−ブチル）アンモニウム］＋［８−（（オクチル）（ペルフルオロフルオレニル）アミノ）ペルフルオロナフト３−イル）（５，６，７，８−テトラフルオロナフチル）（２，３，４−トリフルオロフェニル）（テトラフルオロフルオレニル）ボラ−ト］−；［Ｎ，Ｎ，Ｎ−（エチル）（メチル）（ｎ−ブチル）アンモニウム］＋［６−（（ノニル）（テトラフルオロフルオレニル）アミノ）ペルフルオロナフト−３−イル）（ペルフルオロビフェニル）（２，３，６−トリフルオロフェニル）（ペルフルオロフェニル）ボラ−ト］−；［Ｎ，Ｎ，Ｎ−（エチル）（メチル）（オクチル）アンモニウム］＋［５−（ （トリ−ｎ−プロピルシリルヘキシル）（２’，３’，５’−トリフルオロビフェニル）アミノ）ペルフルオロインデン−１−イル）（５，６，７，８−テトラフルオロナフチル）（４，５，６，７−テトラフルオロナフチル）（ペルフルオロピレニル）ボラ−ト］−；［Ｎ，Ｎ，Ｎ−（ジメチル）（ｔ−ブチル）アンモニウム］＋［７−（（トリエチルシイイルプロピル）（ペルフルオロフェニル）アミノ）ペルフルオロアントラセン−１−イル）（２，３，４−トリフルオロフェニル）（４，５，６−トリフルオロナフチル）（ペルフルオロビフェニル）ボラ−ト］−；［Ｎ，Ｎ，Ｎ−（エチル）（メチル）（トブチル）アンモニウム］＋［６−（（トリエチルシリルエチル）（ペルフルオロアントラセニル）アミノ）フルオロフルオレン−１−イル）（ペンタフルオロアントラセニル）（ペルフルオロフェニル）（２’，３’，４’−トリフルオロビフェニル）ボラ−ト］−；［トリ−Ｎ−エチル−アンモニウム］＋［３−（（オクチル）（ペルフルオロフェニル）アミノ）ペルフルオロフェニル］（４，５，７−トリフルオロナフチル）（ペルフルオロフェニル）（ペルフルオロピレニル）ボラ−ト］−；［トリ−Ｎ−メチルアンモニウム］＋［５−（（オクチル）（ペルフルオロビフェニル）ホスフィノ）フルオロナフト−１−イル）（ペルフルオロピレニル）（２’，３’，５’−トリフルオロビフェニル）（ペルフルオロナフチル）ボラ−ト］−；［トリ−Ｎ−（メチルフェニル）アンモニウム］＋［５−（（トリエチルシリル）（５，６，７，８−テトラフルオロナフチル）ホスフィノ）ペルフルオロナフト−１−イル）（２’，３’，５’−トリフルオロビフェニル）（ペルフルオロビフェニル）（ペルフルオロフェニル）ボラ−ト］−；［トリ−Ｎ−プロピルアンモニウム ＋［６−（（トリ−イソプロピルシリルオクチル）（ペルフルオロフルオレニル）ホスフィノ）ペルフルオロインデン−２−イル）（２，３，５−トリフルオロフェニル）（４，５，６，７−テトラフルオロナフチル）（２，３，６−トリフルオロフェニル）ボラ−ト］−；
［Ｎ，Ｎ，Ｎ−（ジメチル）（ｔ−ブチル）アンモニウム］＋［７−（（ジエチルノンリシフイル）（ペルフルオロピレニル）アミノ）ペルフルオロインデン−２−イル）（ペルフルオロアントラセニル）（ペンタフルオロアントラセニル）（２，３，４−トリフルオロ−フェニル）ボラ−ト］−；［Ｎ，Ｎ，Ｎ−（ジメチル）（ｔ−ブチル）アンモニウム］＋［６−（（ノニル）（ペルフルオロアントラセニル）アミノ）ペルフルオロナフト−２−イル）（ペルフルオロフルオレニル）（４，５，６，７−テトラフルオロナフチル）（ペンタルフルオロピレニル）ボラ−ト］−；［Ｎ，Ｎ，Ｎ−（エチル）（メチル）（オクチル）アンモニウム］＋［７−（（メチルエチルヘキシルシリル）（ペルフルオロビフェニル）アミノ）フルオロナフト−１−イル）（ペルフルオロピレニル）（４，５，７−トリフルオロナフチル）（ペルフルオロビフェニル）ボラ−ト］−；［トリ−Ｎ−オクチルアンモニウム］＋［６−（（ベンジル）（ペルフルオロフェニル）アミノ）ペルフルオロアントラセン−１−イル）（ペルフルオロビフェニル）（ペルフルオロフェニル）（テトラフルオロフルオレニル）ボラ−ト］−；［Ｎ，Ｎ，Ｎ−（エチル）−（メチル）（ｎ−ブチル）アンモニウム］＋［６−（（イソプロピル）（ペルフルオロフェニル）アミノ）ペルフルオロナフト−３−イル）（４，５，７−トリフルオロナフチル）（ペルフルオロフルオレニル）（ペルフルオロピレニル）ボラ−ト］−；［Ｎ，Ｎ，Ｎ−（エチル）（ジオクチル）アンモニウム］＋［５−（（エチル）（４，５，６，７−テトラフルオロナフチル）アミノ）ペルフルオロインデン−２−イル）（４，５，７−トリフルオロナフチル）（ペルフルオロフルオレニル）（２’，３’，５’−トリフルオロビフェニル）ボラ−ト］−；［トリ−Ｎ−プロピルアンモニウム］＋［７−（（プロピル）（ペルフルオロフェニル）アミノ）ペルフルオロフルオレン−１−イル）（ペルフルオロアントラセニル）（４，５，６，７− テトラフルオロナフチル）（ペルフルオロビフェニル）ボラ−ト］−；［トリ−Ｎ−（ジメチルフェニルアンモニウム）＋［６−（（２，２ジメチルオクチル）（５，６，７，８−テトラフルオロナフチル）ホスフィノ）ペルフルオロアントラセン−１−イル）（ペルフルオロビフェニル）（ペンタフルオロアントラセニル）（２，３，４−トリフルオロフェニル）ボラ−ト］−；［トリ−Ｎ−メチルアンモニウム］＋［６−（（プロピル）（ペルフルオロフェニル）アミノ）ペルフルオロアントラセン−２−イル）（ペルフルオロフルオレニル）（２，３，５−トリフルオロフェニル）（２，３，４−トリフルオロフェニル）ボラ−ト］−；［Ｎ，Ｎ，Ｎ−（エチル）（メチル）（イソプロピル）アンモニウム］＋［６−（（トリエチルシリルプロピル）（５，６，７，８−テトラフルオロナフチル）アミノ）ペルフルオロインデン−２−イル）（ペルフルオロフェニル）（２’，３’，４’−トリフルオロビフェニル）（ペンタルフルオロピレニル）ボラ−ト］−；［トリ−Ｎ−エチルアンモニウム］＋［７−（（ヘキシル）−（テトラフルオロフルオレニル）アミノ）ペルフルオロナフト−１−イル）（ペルフルオロビフェニル）（ペル��ルオロフルオレニル）（２’，３’，５’−トリフルオロビフェニル）ボラ−ト］−；［トリ−Ｎ−（ジメチルフェニルアンモニウム）＋［６−（（３−エチルノニル）（２’，３’，５’−トリフルオロビフェニル）アルシノ）ペルフルオロインデン−２−イル）（２，３，６−トリフルオロフェニル）（ペルフルオロフェニル）（５，６，７，８−テトラフルオロナフチル）ボラ−ト］−；［トリ−Ｎ−オクチルアンモニウム］＋［５−（（ｎ−ブチル）（ペルフルオロナフチル）アミノ）ペルフルオロナフト−３−イル）（２’，３’，５’−（ペルフルオロビフェニル）（ペルフルオロフェニル）ボラ−ト］−；［Ｎ，Ｎ，Ｎ−（ジメチル）（ｔ−ブチル）アンモニウム］＋［６−（（イソプロピル）（ペンタフルオロアントラセニル）アミノ）ペルフルオロナフト−２イル）（ペルフルオロビフェニル）（２’，３’，５’−トリフルオロビフェニル）（ペルトルオロフェニル）ボラ−ト］−；［Ｎ，Ｎ，Ｎ−（ジメチル）（トブチル）アンモニウム］＋［５−（（トリ−イソプロピルシリルオクチル）（ペルフルオロビフェニル）アミノ）ペルフルオロインデン−１−イル）（ペルフルオロアントラセニル）（２’，３’，４’−トリフルオロビフェニル）（ペルフルオロビフェニル）ボラ−ト］−；［トリ−Ｎ−（メチルフェニル）アンモニウム］＋［４−（（シクロヘキシル）（ペルフルオロフルオレニル）アミノ）ペルフルオロフェニル）（４，５，７−トリフルオロナフチル）（ペルフルオロフェニル）（２，３，４−トリフルオロフェニル）ボラ−ト］−；［トリ−Ｎ−（ジメチルフェニルアンモニウム）＋［３’−（（トリメチルシリル）（４，５，６，７−テトラフルオロナフチル）アミノ）ペルフルオロビフェン−４−イル）（ペルフルオロフェニル）（ペンタフルオロアントラセニル）（ペルフルオロピレニル）ボラ−ト］−；［トリ−Ｎ−（メチルフェニル）アンモニウム］＋［７−（（トリエチルシリル）（２，３，５−トリフルオロフェニル）アルシノ）ペルフルオロフルオレン−１−イル）（ペルフルオロ−フェニル）（２’，３’，４’−トリフルオロビフェニル）（２，３，５−トリフルオロフェニル）ボラ−ト］−；［トリ−Ｎ−メチルアンモニウム］＋［８−（（トリメチルシリル）（４，５，６，７−テトラフルオロナフチル）アミノ）ペルフルオロピレン−２−イル）（ペルフルオロビフェニル）（４，５，６，７−テトラフルオロナフチル）（２，３，５−トリフルオロフェニル）ボラ−ト］−；［トリ−Ｎ−（ｎ−ブチル）アンモニウム］＋［５−（ （シクロヘキシル）（２’，３’，４’−トリフルオロビフェニル）アルシノ）ペルフルオロナフト−１−イル）（ペルフルオロピレニル）（５，６，７，８−テトラフルオロナフチル）（２，３，５−トリフルオロフェニル）ボラ−ト］−；［トリ−Ｎ−オクチルアンモニウム］＋［４’−（（ｎ−ブチル）（２，３，５−トリフルオロフェニル）アミノ）ペルフルオロビフェン−４−イル）（ペルフルオロアントラセニル）（２，３，６−トリフルオロフェニル）（ペルフルオロビフェニル）ボラ−ト］−；［トリ−Ｎ−オクチルアンモニウム］＋［７−（（ノニル）（ペルフルオロフルオレニル）アミノ）ペルフルオ���ナフト−３−イル）（ペルフルオロフルオレニル）（５，６，７，８−テトラフルオロナフチル）（ペルフルオロフェニル）ボラ−ト］−；［トリ−Ｎ−（ジメチルフェニルアンモニウム）＋［７−（（メチルエチルヘキシルシリル）（２’，３’，５’−トリフルオロビフェニル）ホスフィノ）ペルフルオロナフト−３−イル）（ペンタフルオロアントラセニル）（ペルフルオロフェニル）（５，６，７，８−テトラフルオロナフチル）ボラ−ト］−；［トリ−Ｎ−（ｎ−ブチル アンモニウム）＋［７−（（トリメチルシリル）（ペルフルオロフェニル）アミノ）ペルフルオロナフト２−イル）（ペンタフルオロアントラセニル）（ペルフルオロフルオレニル）（ペルフルオロフェニル）ボラ−ト］−；［Ｎ，Ｎ，Ｎ−（エチル）（メチル）（ｎ−ブチル）アンモニウム］＋［７−（（トリ−ｎ−プロピルシリル）（５，６，７，８−テトラフルオロナフチル）ホスフィノ）ペルフルオルピレン−２−イル）（ペルフルオロアントラセニル）（２’，３’，５’−トリフルオロビフェニル）（ペルフルオロピレニル）ボラ−ト］−；［トリ−Ｎ−（ｎ−ブチル）アンモニウム］＋［７−（（プロピル）（ペルフルオロアントラセニル）アミノ）ペルフルオロピレン−１−イル）（ペルフルオロ−ナフチル）（テトラフルオロフルオレニル）（ペンタルフルオロピレニル）ボラ−ト］−；［Ｎ，Ｎ，Ｎ−（ジメチル）（ｔ−ブチル）アンモニウム］＋［４−（（トリエチルシリルプロピル）（ペルフルオロビフェニル）アミノ）ペルフルオロフェニル）（ペルフルオロフルオレニル）（ペルフルオロピレニル）（２，３，５−トリフルオロフェニル）ボラ−ト］−；（トリ−Ｎ−（ｔ−ブチル）アンモニウム）＋［７−（（シクロヘキシル）（ペンタフルオロアントラセニル）アミノ）フルオロピレン−１−イル）（ペンタルフルオロピレニル）（２’，３’，５’−トリフルオロビフェニル）（ペルフルオロナフチル）ボラ−ト］−；［Ｎ，Ｎ，Ｎ−（ジメチル）（ｔ−ブチル）アンモニウム］＋［４’−（（３−エチル−ノニル）（ペルフルオロビフェニル）アミノ）ペルフルオロビフェン−３−イル）（テトラフルオロフルオレニル）（５，６，７，８−テトラフルオロナフチル）（２，３，６−トリフルオロフェニル）ボラ−ト］−；［トリ−Ｎ−エチルアンモニウム］＋［８−（（エチル）（ペルフルオロナフチル）アミノ）ペルフルオロピレン−２−イル）（４，５，７−トリフルオロナフチル）（４，５，６，７−テトラフルオロナフチル）（テトラフルオロフルオレニル）ボラ−ト］−；［トリ−Ｎ−（メチルフェニル）アンモニウム］＋［７−（（トリエチルシリルエチル）（テトラフルオロ− フルオレニル）ホスフィノ）ペルフルオロフルオレン−２−イル）（ペルフルオロナフチル）（２’，３’，５’−トリフルオロビフェニル）（ペルフルオロビフェニル）ボラ−ト］−；［トリ−Ｎ−オクチルアンモニウム］＋［６−（（３−エチルノニル）（ペンタルフルオロピレニル）アミノ）ペルフルオロナフト−２−イル）（ペルフルオロピレニル）（ペルフルオロビフェニル）（ペンタフルオロアントラセニル）ボラ−ト］−；［Ｎ，Ｎ，Ｎ−（エチル）（ジオクチル）アンモニウム］＋［７−（（トリ−��ソプロピルシリル）（ペルフルオロビフェニル）ホスフィノ）ペルフルオロアントラセン−１−イル）（ペルフルオロビフェニル）（４，５，６，７−テトラフルオロナフチル）（４，５，７−トリフルオロナフチル）ボラ−ト］−；［Ｎ，Ｎ，Ｎ−（エチル）（メチル）（オクチル）アンモニウム］＋［７−（（ヘキシル）（ペルフルオロナフチル）アミノ）ペルフルオロナフト−３−イル）ビス （ペルフルオロアントラセニル）（２，３，６−トリフルオロフェニル）ボラ−ト］−；［トリ−Ｎ−エチル−アンモニウム］＋［４−（（トリ−イソプロピルシリルオクチル）（ペルフルオロフェニル）ホスフィノ）ペルフルオロフェニル）（ペンタフルオロアントラセニル）（ペルフルオロビフェニル）（ペルフルオロフェニル）ボラ−ト］−；［Ｎ，Ｎ，Ｎ−（エチル）（メチル）（イソプロピル）アンモニウム］＋［５−（（イソプロピル）（ペルフルオロビフェニル）ホスフィノ）ペルフルオロナフト−３−イル）（ペルフルオロピレニル）（４，５，６，７−テトラフルオロナフチル）（５，６，７，８−テトラフルオロナフチル）ボラ−ト］−；［トリ−Ｎ−オクチル−アンモニウム］＋［７−（（トリ−ｎ−プロピルシリルヘキシル）（ペルフルオロビフェニル）アミノ）ペルフルオロナフト−２−イル）（ペルフルオロ−ビフェニル）（ペルフルオロフルオレニル）（ペンタルフオロピレニル）ボラ−ト］−；［トリ−Ｎ−（ジメチルフェニル−アンモニウム）＋［７−（（トリ−イソプロピルシリルオクチル）（４，５，６，７−テトラフルオロナフチル）アミノ）ペルフルオロナフト−１−イル）（ペルフルオロナフチル）（４，５，７−トリフルオロナフチル）（ペルフルオロビフェニル）ボラ−ト］−；
［Ｎ，Ｎ，Ｎ−（エチル）（メチル）（ｔ−ブチル）アンモニウム］＋［５−（（オクチル）（４， ５， ６−トリフルオロナフチル）ホスフィノ）ペルフルオロインデン−１−イル）（ペルフルオロフルオレニル）（ペルフルオロアントラセニル）（ペンタフルオロアントラセニル）ボラ−ト］−；［トリ−Ｎ−オクチル− アンモニウム］＋［６−（（トリ−ｎ−プロピルシリル）（ペルフルオロフェニル）アミノ）フルオロナフト−２−イル）（ペルフルオロフェニル）（２，３，４−トリフルオロフェニル）（ペルフルオロフェニル）ボラ−ト］−；［トリ−Ｎ−メチルアンモニウム］＋［６−（（トリ−イソプロピルシリル）（４，５，７−トリフルオロナフチル）ホスフィノ）ペルフルオロアントラセン−１−イル）（ペルフルオロアントラセニル）（ペルフルオロビフェニル）（ペルフルオロピレニル）ボラ−ト］−；［Ｎ，Ｎ，Ｎ−（エチル）（メチル）（オクチル）アンモニウム］＋［７−（（トリ−ｎ−プロピルシリル）（ペンタルフルオロピレニル）ホスフィノ）ペルトフオロナフト−２−イル）（ペルフルオロピレニル）（ペルフルオロ−ビフェニル）（２，３，４−トリフルオロフェニル）ボラ−ト］−；［トリ−Ｎ−（ｎ−ブチル）アンモニウム］＋［６−（（トリ−ｎ−プロピルシリルヘキシル）（ペンタルフルオロピレニル）アミノ）フルオロナフト−２−イル）（ペルフルオロフェニル）（４，５，７−トリフルオロナフチル）（ペルフルオロフルオレニル）ボラ−ト］−；［トリ−Ｎ−（メチルフェニル）アンモニウム］＋［７−（（２，２−ジメチルオクチル）（ペルフルオロフェニル）アミノ）ペルフルオロピレン−２−イル）（ペルフルオロフルオレニル）（ペルフルオロナフチル）（ペルフルオロビフェニル）−ボラ−ト］−；［トリ−Ｎ−（ｔ−ブチル）アンモニウム］＋［６−（（ヘキシル）（４，５，７−トリフルオロナフチル）アミノ）ペルフルオロインデン−２−イル）（ペルフルオロナフチル）（４，５，７−トリフルオロナフチル）（ペルフルオロフルオレニル）ボラ−ト］−；Ｎ，Ｎ，Ｎ−（エチル）（メチル）（オクチル）アンモニウム］＋［６−（（プロピル）（ペルフルオロビフェニル）アミノ）ペルフルオロインデン−２−イル）（ペルフルオロナフチル）（２’，３’，４’−トリフルオロビフェニル）（２，３，６−トリフルオロフェニル）ボラ−ト］−；［Ｎ，Ｎ，Ｎ−（エチル）（メチル）（オクチル）アンモニウム］＋［７−（（トリ−ｎ−プロピルシリルヘキシル）（２，３，５−トリフルオロフェニル）アミノ）ペルフルオロナフト−１−イル）ビス （ペル フルオロアントラセニル）（４，５，７−トリフルオロナフチル）ボラ−ト］−；［トリ−Ｎ−（ジメチルフェニルアンモニウム）＋［７（（トリメチルシリル）（ペルフルオロナフチル）フォスフィノ）ペルフルオロフルオレン−２−イル］ビス（ペルフルオロアントラセニル）（２，３，６−トリフルオロフェニル）ボラート］−；［トリ−Ｎ−メチルアンモニウム］＋［６−（（イソプロピル）（ペンタフルオロピレニル）フォスフィノ）ペルフルオロアントラセン−１−イル）テトラフルオロフルオレニル）（ペルフルオロビフェニル）（４，５，６，７テトラフルオロナフチル���ボラート］−；［Ｎ，Ｎ，Ｎ−（ジメチル）（ｔ−ブチル）アンモニウム］＋［２’−（（イソプロピル）（ペルフルオロフェニル）アルシノ）ペルフルオロビフェン−４−イル）（ペルフルオロピレニル）（２，３，５−トリフルオロフェニル）（ペルフルオロフェニル）ボラート］−；［トリ−Ｎ−（ｎ−ブチル）アンモニウム］＋［５−（（ヘキシル）（２，３，６−トリフルオロフェニル）ホスフィノ）フルオロインデン−１−イル）（ペルフルオロフェニル）（ペルフルオロナフチル）（５，６，７，８−テトラフルオロナフチル）ボラート］−；［トリ−Ｎ−エチルアンモニウム］＋［３’−（（ブチル）（ペルフルオロビフェニル）アミノ）ペルフルオロビフェン−４−イル）（ペンタフルオロピレニル）（ペルフルオロビフェニル）（ペンタフルオロアントラセニル）ボラート］−；［Ｎ，Ｎ，Ｎ−（エチル）（メチル）（イソプロピル）アンモニウム］＋［６−（（メチルジエチルシリルオクチル）（ペルフルオロビフェニル）ホスフィノ）ペルフルオロフルオレン−１−イル）（ペルフルオロフェニル）（２’，３’，４’−トリフルオロビフェニル）（ペルフルオロビフェニル）ボラート］−；［トリ−Ｎ−（ｎ−ブチル）アンモニウム］＋［７−（（トリエチルシリル）ペルフルオロビフェニル）アミノ）ペルフルオロアントラセン−１−イル）（ペルフルオロアントラセニル）（２’，３’，５’−トリフルオロビフェニル）（ペルフルオロピレニル）ボラート］−；［トリ−Ｎ−オクチルアンモニウム］＋［４−（（メチルエチルヘキシルシリル）（ペルフルオロアントラセニル）アミノ）フルオロフェニル−１−イル）（ペルフルオロフルオレニル）（ペンタフルオロアントラセニル）（ペルフルオロフェニル）ボラート］−；［Ｎ，Ｎ，Ｎ−（エチル）（メチル）（イソプロピル）アンモニウム］＋［８−（（メチルジエチルシリルオクチル）（４，５，６，７−テトラフルオロナフチル）アミノ）ペルフルオロピレン−２−イル）（ペルフルオロナフチル）（５，６，７，８−テトラフルオロナフチル）（ペンタフルオロアントラセニル）ボラート］−；［トリ−Ｎ−オクチルアンモニウム］＋［４’−（（オクチル）（５，６，７，８−テトラフルオロナフチル）アミノ）ペルフルオロビフェン−４−イル）（ペンタフルオロピレニル）（２，３，６−トリフルオロフェニル）（２，３，５−トリフルオロフェニル）ボラート］−；［トリ−Ｎ−（ｔ−ブチル）アンモニウム］＋［５−（（トリ−ｎ−プロピルシリルヘキシル）（ペルフルオロフェニル）アルシノ）ペルフルオロインデン−２−イル）（テトラフルオロフルオレニル）（ペルフルオロピレニル）（５，６，７，８−テトラフルオロナフチル）ボラート］−；［Ｎ，Ｎ，Ｎ−（ジメチル）（ｔ−ブチル）アンモニウム］＋［７（（ノニル）（２’，３’，５’−トリフルオロビフェニルアミノ）ペルフルオロナフチ−２−イル）（ペルフルオロアントラセニル）（５，６，７，８−テトラフルオロナフチル）（ペルフルオロビフェニル）ボラート］−；［トリ−Ｎ−メチルアンモニウム］＋［６−（（トリ−ｎ−プロピルシリル）（ペルフルオロビフェニル）アミノ）ペルフルオロナフチ−２−イル）（ペーフルオロフェニル）���ペルフルオロナフチル）（４，５，６−トリフルオロナフチル）ボラート］−；［トリ−Ｎ−（メチルフェニル）アンモニウム］＋［８−（（イソプロピル）（ペルフルオロフェニル）アミノ）ペルフルオロピレン−２−イル）（ペルフルオロフルオレニル）（テトラフルオロフルオレニル）（４，５，６−トリフルオロナフチル）ボラート］−；［トリ−Ｎ−プロピルアンモニウム］＋［７−（（プロピル）（ペルフルオロピレニル）アルシノ）ペルフルオロピレン−１−イル）ビス（ペルフルオロビフェニル）（２，３，５−トリフルオロフェニル）ボラート］−；［トリ−Ｎ−（メチルフェニル）アンモニウム］＋［５（ノニルシリル）（ペルフルオロビフェニル）アミノ）ペルフルオロインデン−１−イル）（テトラフルオロフルオレニル）（ペルフルオロナフチル）（ペルフルオロビフェニル）ボラート］−；［トリ−Ｎ−（メチルフェニル）アンモニウム］＋［７−（（トリ−イソプロピルシリル）（ペルフルオロフェニル）ホスフィノ）ペルフルオロナフト−２−イル）（ペルフルオロフェニル）（ペンタフルオロピレニル）（２，３，５−トリフルオロフェニル）ボラート］−；［Ｎ，Ｎ，Ｎ−（エチル）（ジオクチル）アンモニウム］＋［７−（（トリ−イソプロピルシリルオクチル）（ペルフルオロアントラセニル）アミノ）ペルフルオロピレン−２−イル）ビス（４，５，６，７−テトラフルオロナフチル）（２，３，６−トリフルオロフェニル）ボラート］−；［トリ−Ｎ−メチルアンモニウム］＋［７−（（トリ−イソプロピルシリル）（ペルフルオロフェニル）アミノ）ペルフルオロナフト−２−イル）（ペルフルオロピレニル）（２，３，６−トリフルオロフェニル）（テトラフルオロフルオレニル）ボラート］−；［Ｎ，Ｎ，Ｎ−（メチル）（オクチル）アンモニウム］＋［６−（（ｎ−ブチル）（ペルフルオロフェニル）ホスフィノペルフルオロフルオレン−１−イル）（ペンタフルオロピレニル）（ペルフルオロアントラセニル）（４，５，７−トリフルオロナフチル）ボラート］−；［Ｎ，Ｎ−ジメチルアニリニウム］＋［５−（（ｎ−ブチル）（ペルフルオロフェニル）ホスフィノ）ペルフルオロナフト−３−イル）（ペルフルオロフルオレニル）（ペンタフルオロアントラセニル）（２’，３’，４’−トリフルオロビフェニル）ボラート］−；［Ｎ−メチル−Ｎ−ドデシルアニリニウム］＋［３（（メチル）（ペルフルオロフェニル）アミノ）ペルフルオロフェニル）ビス（２，３，６−トリフルオロフェニル）（ペルフルオロフェニル）ボラート］−；
［Ｎ，Ｎ−ジメチルアニリニウム］＋［３’−（（ヘキシル）（ペンタフルオロアントラセニル）アミノ）ペルフルオロビフェン−４−イル）（ペルフルオロフェニル）（２’，３’，４’−トリフルオロビフェニル）（ペルフルオロビフェニル）ボラート］−；［Ｎ，Ｎ−ジ（ドデシル）アニリニウム］＋［６−（（トリ−イソプロピルシリル）（ペンタフルオロアントラセニル）アミノ）ペルフルオロフルオレン−１−イル）（ペルフルオロビフェニル）（２，３，６−トリフルオロフェニル）（テトラフルオロフルオレニル）ボラート］−；［Ｎ，Ｎ−２，４，６−ペンタメチルアニリニウム］＋［６−（（トリエチルシリルエチル）（２，３，４−トリフルオロフェニル）アミノ）ペルフルオロインデン−２−イル）（ペンタフルオロピレニル）（ペルフルオロアントラセニル）（２’，３’，５’−トリフルオロビフェニル）ボラート］−；［Ｎ，Ｎ−ジメチルアニリニウム］＋［３’（（トリ−ｎ−プロピルシリルヘキシル）（ペルフルオロフェニル）アルシノ）ペルフルオロビフェン−４−イル）ビス（２，３，４−トリフルオロフェニル）（テトラフルオロフルオレニルボラート］−；［Ｎ，Ｎ−ジエチルアニリニウム］＋［７−（（ノニル）（ペルフルオロフルオレニル）アミノ）ペルフルオロフルオレン−２−イル）（テトラフルオロフルオレニル）（ペルフルオロビフェニル）（４，５，６，７−テトラフルオロナフチル）ボラート］−；［Ｎ，Ｎ−ジ（ドデシル）アニリニウム］＋［８−（（ベンジル）（２’，３’，４’−トリフルオロビフェニル）アミノ）ペルフルオロナフト−３−イル）ビス（ペルフルオロアントラセニル）（４，５，６，７−テトラフルオロナフチル）ボラート］−；［Ｎ，Ｎ−ジエチルアニリニウム］＋［５−（（３−エチルノニル）（ペルフルオロビフェニル）アミノ）ペルフルオロナフト−２−イル）ビス（２，３，４−トリフルオロフェニル）（２，３，６−トリフルオロフェニル）ボラート］−；［Ｎ，Ｎ−２，４，６−ペンタメチルアニリニウム］＋［４’−（（トリエチルシリルプロピル）（ペルフルオロフェニル）ホスフィノ）ペルフルオロビフェン−３−イル）（ペルフルオロフェニル）（ペルフルオロビフェニル）（ペルフルオロアントラセニル）ボラート］−；［Ｎ，Ｎ−ジメチルアニリニウム］＋［５−（（ジメチルノニルシリル）（ペルフルオロビフェニル）アルシノ）ペルフルオロナフト−３−イル）ビス（ペルフルオロビフェニル）（ペルフルオロフルオレニル）ボラート］−；［Ｎ，Ｎ−２，４，６−ペンタメチルアニリニウム］＋［３−（（イソプロピル）（４，５，６，７−テトラフルオロナフチル）ホスフィノ）ペルフルオロフェニル）（ペルフルオロフェニル）（ペルフルオロビフェニル）（２，３，６−トリフルオロフェニル）ボラート］−；［Ｎ，Ｎ−ジ（ドデシル）アニリニウム］＋［４（（トリ−ｎ−プロピルシリル）（ペルフルオロビフェニル）アミノ）フルオロフェン−１−イル）（ペルフルオロアントラセニル）（２，３，５−トリフルオロフェニル）（２，３，６−トリフルオロフェニル）ボラート］−；［Ｎ，Ｎ−２，４，６−ペンタメチルアニリニウム］＋［７−（（エチル）（ペルフルオロビフェニル）アミノ）ペルフルオロアントラセン−１−イル）（ペルフルオロフルオレニル）（ペルフルオロビフェニル）（２，３，６−トリフルオロフェニル）ボラート］−；［Ｎ，Ｎ−ジメチルアニリニウム］＋［５−（（ｎ−ブチル）（ペルフルオロフェニル）アミノ）フルオロインデン−２−イル）（５，６，７，８−テトラフルオロナフチル）（ペルフルオロフェニル）（ペルフルオロナフチル）ボラート］−；［Ｎ−メチル−Ｎ−ドデシルアニリニウム］＋［７−（（イソプロピル）（４，５，６−トリフルオロナフチル）アルシノ）フルオロナフト−３−イル）ビス（ペンタフルオロピレニル）（ペルフルオロナフチル）ボラート］−；［Ｎ，Ｎ−ジエチルアニリニウム］＋［７−（（ベンジル）（４，５，６，７−テトラフルオロナフチル）アミノ）ペルフルオロピレン−２−イル）（ペンタフルオロピレニル）（４，５，６，７−テトラフルオロナフチル）ペルフルオロピレニル）ボラート］−；［Ｎ−メチル−Ｎ−ドデシルアニリニウム］＋［５−（（イソプロピル）（４，５，６−トリフルオロナフチル）アミノ）ペルフルオロナフト−３−イル）（ペルフルオロピレニル）（２，３，４−トリフルオロフェニル）（２’，３’，４’−トリフルオロビフェニル）ボラート］−；［Ｎ−メチル−Ｎ−ドデシルアニリニウム］＋［７−（（トリメチルシリルプロピル）（４，５，６−トリフルオロナフチル）ホスフィノ）ペルフルオロインデン−２−イル）（ペンタフルオロピレニル）（ペンタフルオロアントラセニル）（ペルフルオロビフェニル）ボラート］−；［Ｎ，Ｎ−ジエチルアニリニウム］＋［６−（（トリ−イソプロピルシリルオクチル）（ペルフルオロビフェニル）ホスフィノ）ペルフルオロアントラセン−１−イル）（テトラフルオロフルオレニル）（ペルフルオロビフェニル）（ペンタフルオロピレニル）ボラート］−；［Ｎ，Ｎ−ジエチルアニリニウム］＋［４’−（（イソプロピル）（ペルフルオロフルオレニル）アミノ）フルオロビフェン−４−イル）（ペルフルオロフェニル）（ペンタフルオロピレニル）（２，３，５−トリフルオロフェニル）ボラート］−；［Ｎ−メチル−Ｎ−ドデシルアニリニウム］＋［７−（（２，２−ジメチルオクチル）（ペルフルオロフェニル）ホスフィノペルフルオロフルオレン−１−イル）（５，６，７，８−テトラフルオロナフチル）（４，５，７−トリフルオロナフチル）（ペルフルオロフェニル）ボラート］−；［Ｎ，Ｎ−ジメチルアニリニウム］＋［４−（（トリ−ｎ−プロピルシリルヘキシル）（２，３，４−トリフルオロフェニル）アルシノ）ペルフルオロフェニル）（ペルフルオロフェニル）（ペンタフルオロピレニル）（４，５，６−トリフルオロナフチル）ボラート］−；［Ｎ−メチル−Ｎ−ドデシルアニリニウム］＋［７−（（トリメチルシリル）（４，５，７−トリフルオロナフチル）アミノ）ペルフルオロピレン−１−イル）ペルフルオロピレニル（ペルフルオロナフチル）（ペルフルオロフェニル）ボラート］−；［Ｎ，Ｎ−ジメチルアニリニウム］＋［７−（（トリエチルシリル）（ペルフルオロビフェニル）ホスフィノ）ペルフルオロフルオレン−２−イル）（ペルフルオロナフチル）（５，６，７，８−テトラフルオロナフチル）（ペルフルオロビフェニル）ボラート］−；［Ｎ−メチル−Ｎ−ドデシルアニリニウム］＋［７−（（メチルエチルヘキシルシリル）（ペンタフルオロピレニル）アルシノ）ペルフルオロナフト−１−イル）（ペルフルオロアントラセニル）（ペルフルオロフェニル）（テトラフルオロフルオレニル）ボラート］−；［Ｎ，Ｎ−ジメチルアニリニウム］＋［５−（（メチルエチルヘキシルシリル）（ペンタフルオロピレニル）ホスフィノ）フルオロナフト−２−イル）（ペルフルオロフルオレニル）（４，５，７−トリフルオロナフチル）（４，５，６，７−テトラフルオロナフチル）ボラート］−；［Ｎ，Ｎ−ジメチルアニリニウム］＋［５−（（オクチル）（ペルフルオロフェニル）ホスフィノ）ペルフルオロインデン−１−イル）（ペンタフルオロアントラセニル）（２，３，５−トリフルオロフェニル）（テトラフルオロフルオレニル）ボラート］−；［Ｎ，Ｎ−２，４，６−ペンタメチルアニリニウム］＋［７−（（シクロヘキシル）（ペルフルオロフェニル）ホスフィノ）ペルフルオロフルオレン−１−イル）（ペルフルオロビフェニル）（ペンタフルオロピレニル）（４，５，７−トリフルオロナフチル）ボラート］−；［Ｎ−メチル−Ｎ−ドデシルアニリニウム］＋［６−（（２，２−ジメチルオクチル）（２，３，４−トリフルオロフェニル）ホスフィノ）ペルフルオロ２−イル）ビス（ペルフルオロアントラセニル）（ペルフルオロビフェニル）ボラート］−；［Ｎ−メチル−Ｎ−ドデシルアニリニウム］＋［６−（（プロピル）（ペルフルオロフェニル）ホスフィノ）ペルフルオロフルオレン−２−イル）ビス（ペルフルオロビフェニル）（２，３，５−トリフルオロフェニル）ボラート］−；［Ｎ，Ｎ−ジエチルアニリニウム］＋［７−（（３−エチルノニル）（ペルフルオロフルオレニル）アミノ）ペルフルオロアントラセン−１−イル）（ペルフルオロアントラセニル）（ペルフルオロフルオレニル）（ペンタフルオロアントラセニル）ボラート］−；［Ｎ−メチル−Ｎ−ドデシルアニリニウム］＋［５−（（トリメチルシリル）（２’、３’、５’−トリフルオロビフェニル）アミノ）ペルフルオロインデン−２−イル）（ペルフルオロアントラセニル）（ペルフルオロフェニル）（テトラフルオロフルオレニル）ボラート］−；［Ｎ，Ｎ−ジエチルアニリニウム］＋［５−（（ノニル）（ペルフルオロフェニル）ホスフィノ）ペルフルオロナフト−１−イル）（ペルフルオロフェニル）（ペルフルオロアントラセニル）（４，５，７−トリフルオロナフチル）ボラート］−；［Ｎ，Ｎ−ジ（ドデシル）アニリニウム］＋［８−（（シクロヘキシル）（ペルフルオロピレニル）ホスフィノ）ペルフルオロナフト−３−イル）（２，３，５−トリフルオロフェニル）（ペンタフルオロピレニル）（ペルフルオロフェニル）ボラート］−；［Ｎ−メチル−Ｎ−ドデシルアニリニウム］＋［７−（（トリエチルシリルプロピル）（ペルフルオロナフチル）ホスフィノ）フルオロナフト−２−イル）（ペルフルオロビフェニル）（２’，３’，４’−トリフルオロビフェニル）（ペルフルオロフェニル）ボラート］−；［Ｎ，Ｎ−ジメチルアニリニウム］＋［６−（（トリエチルシリルエチル）（４，５，７−トリフルオロナフチル）アミノ）ペルフルオロアントラセン−２−イル）（ペンタフルオロピレニル）（テトラフルオロフルオレニル）（ペンタフルオロアントラセニル）ボラート］−；［Ｎ，Ｎ−ジエチルアニリニウム］＋［６−（（プロピル）（ペルフルオロフェニル）アミノ）ペルフルオロインデン−２−イル）（４，５，７−トリフルオロナフチル）（ペルフルオロフルオレニル）（４，５，６−トリ−フルオロナフチル）ボラート］−；
［Ｎ，Ｎ−ジメチルアニリニウム］＋［７−（（トリメチルシリル）（ペルフルオロビフェニル）アミノ）ペルフルオロナフト−１−イル）（ペルフルオロピレニル）（４，５，７−トリフルオロナフチル）（２，３，５−トリフルオロフェニル）ボラート］−；［Ｎ，Ｎ−ジメチルアニリニウム］＋［７−（（イソプロピル）（ペンタフルオロピレニル）ホスフィノ）ペルフルオロナフト−１−イル）ビス（ペンタフルオロピレニル）（テトラフルオロフルオレニルボラート］−；［Ｎ，Ｎ−ジエチルアニリニウム］＋［７−（（ブチル）（ペルフルオロフェニル）アミノ）ペルフルオロフルオレン−１−イル）（ペルフルオロアントラセニル）（２’，３’，５’−トリフルオロビフェニル）（ペルフルオロフェニル）ボラート］−；［Ｎ，Ｎ−ジメチルアニリニウム］＋［５−（（ジエチル）ノニルシリル）（ペルフルオロビフェニル）アミノ）ペルフルオロインデン−１−イル）（４，５，７−トリフルオロナフチル）（ペルフルオロビフェニル）（５，６，７，８−テトラフルオロナフチル）ボラート］−；［Ｎ−メチル−Ｎ−ドデシルアニリニウム］＋［６−（（トリ−ｎ−プロピルシリルヘキシル）（ペルフルオロビフェニル）ホスフィノ）ペルフルオロアントラセン−２−イル）（ペルフルオロビフェニル）（ペルフルオロフェニル）（ペンタフルオロピレニル）ボラート］−；［Ｎ，Ｎ−ジメチルアニリニウム］＋［６−（（トリ−ｎ−プロピルシリル）（ペルフルオロビフェニル）アミノ）ペルフルオロナフト−３−イル）（ペンタフルオロピレニル）（ペルフルオロビフェニル）（２’，３’，４’−トリフルオロビフェニル）ボラート］−；［Ｎ，Ｎ−ジメチルアニリニウム］＋［６−（（メチル）（ペルフルオロフルオレニル）アミノ）ペルフルオロインデン−２−イル）（ペルフルオロビフェニル）（２，３，６−トリフルオロフェニル）（ペルフルオロフルオレニル）ボラート］−；［Ｎ，Ｎ−ジエチルアニリニウム］＋［６−（（エチル）（ペルフルオロビフェニル）ホスフィノ）ペルフルオロナフト−１−イル）（ペルフルオロビフェニル）（２’，３’，５’−トリフルオロビフェニル）（４，５，６，７−テトラフルオロナフチル）ボラート］−；［Ｎ，Ｎ−２，４，６−ペンタメチルアニリニウム］＋［７−（（メチルエチルヘキシルシリル）（ペルフルオロフェニル）アミノ）ペルフルオロアントラセン−１−イル）ビス（ペルフルオロビフェニル）（ペルフルオロアントラセニル）ボラート］−：［Ｎ，Ｎ−ジメチルアニリニウム］＋［２’−（（ベンジル）（ペルフルオロビフェニル）ホスフィノ）ペルフルオロビフェン−４−イル）（ペルフルオロアントラセニル）（ペルフルオロフェニル）（４，５，６，７−テトラフルオロナフチル）ボラート］−；［Ｎ−メチル−Ｎ−ドデシルアニリニウム］＋［４’−（（２，２−ジメチルオクチル）（４，５，７−トリフルオロナフチル）アミノ）ペルフルオロビフェン−３−イル）（２，３，５−トリフルオロフェニル）（ペルフルオロナフチル）（ペルフルオロフルオレニル）ボラート］−；［］Ｎ，Ｎ，Ｎ−（エチル）（メチル）（オクチル）ホスホニウム］＋［８−（（オクチル）（ペルフルオロフルオレニル）アルシノ）ペルフルオロナフト−３−イル）（テトラフルオロフルオレニル）（ペルフルオロフェニル）（ペルフルオロフェニル）（４，５，７−トリフルオロナフチル）ボラート］−；［Ｎ，Ｎ，Ｎ−（エチル）（メチル）（ｎ−ブチル）ホスホニウム］＋［５−（（２，２−ジメチルオクチル）（２，３，６−トリフルオロフェニル）ホスフィノ）ペルフルオロインデン−１−イル）（ペルフルオロビフェニル）（４，５，６−トリフルオロナフチル）（ペンタフルオロアントラセニル）ボラート］−；［トリ−Ｎ−プロピル−ホスホニウム］＋［５−（（オクチル）（ペンタフルオロアンタラセニル）アミノ）ペルフルオロインデン−１−イル）（２，３，６−トリフルオロフェニル）（４，５，６−トリフルオロナフチル）（ペルフルオロフルオレニル）ボラート］−；［Ｎ，Ｎ，Ｎ−（エチル）（メチル）（イソプロピル）ホスホニウム］＋［３−（（ノニル）（ペルフルオロフェニル）アミノ）ペルフルオロフェニル（４，５，７−トリフルオロナフチル）（ペルフルオロフェニル）（ペルフルオロピレニル）ボラート］−；［Ｎ，Ｎ，Ｎ−（ジメチル）（ｔ−ブチル）ホスホニウム］＋［７−（（３−エチルノニル）（ペルフルオロフェニル）アミノ）フルオロナフト−３−イル）（ペルフルオロビフェニル）（２，３，５−トリフルオロフェニル）（ペルフルオロフェニル）ボラート］−；［トリ−Ｎ−（ｎ−ブチル）（ホスホニウム］＋［７−（（トリエチルシリル）（ペルフルオロフェニル）ホスフィノ）ペルフルオロアントラセン−１−イル）（ペルフルオロナフチル）（２’，３’，５’−トリフルオロビフェニル）（ペルフルオロフルオレニル）ボラート］−；［トリ−Ｎ−（ジメチルフェニル）ホスホニウム］＋［８−（（ジエチルノニルシリル）（ペルフルオロフェニル）アミノ）ペルフルオロピレン−２−イル）ビス（ペルフルオロアントラセニル）（ペルフルオロピレニル）ボラート］−；［Ｎ，Ｎ，Ｎ−（エチル）（メチル）（ｔ−ブチル）ホスホニウム］＋［７−（（３−エチルノニル）（２，３，６−トリフルオロフェニル）アミノ）ペルフルオロピレン−２−イル）（５，６，７，８−テトラフルオロナフチル）（２，３，６−トリフルオロフェニル）（４，５，６−トリフルオロナフチル）ボラート］−；［トリ−Ｎ−エチルホスホニウム］＋［５−（（トリ−イソプロピルシリル）（ペルフルオロナフチル）アルシノ）ペルフルオロインデン−１−イル）（４，５，６−トリフルオロナフチル）（２，３，５−トリフルオロフェニル）（５，６，７，８−テトラフルオロナフチル）ボラート］−；［Ｎ，Ｎ，Ｎ−（ジメチル）（ｔ−ブチル）ホスホニウム］＋［６−（（トリエチルシリル）（ペンタフルオロアントラセニル）アミノ）ペルフルオロナフト−３−イル）（ペルフルオロピレニル）（ペルフルオロフェニル）（５，６，７，８−テトラフルオロナフチル）ボラート］−；［トリ−Ｎ−（メチルフェニル）ホスホニウム］＋［３−（（ベンジル）（４，５，６−トリフルオロナフチル）アミノ）ペルフルオロフェニル）（２，３，５−トリフルオロフェニル）（４，５，６−トリフルオロナフチル）（ペルフルオロビフェニル）ボラート］−；［トリ−Ｎ−エチルホスホニウム］＋［６−（（２，２−ジメチルオクチル）（ペルフルオロフェニル）アミノ）ペルフルオロナフト−２−イル）（ペルフルオロピレニル）（２，３，５−トリフルオロフェニル）（４，５，７−トリフルオロナフチル）ボラート］−；［Ｎ，Ｎ，Ｎ−（エチル）（メチル）（イソプロピル）ホスホニウム］＋［６−（（ヘキシル）（ペルフルオロアントラセニル）アミノ）ペルフルオロフルオレン−２−イル）（テトラフルオロフルオレニル）（ペルフルオロアントラセニル）（ペルフルオロナフチル）ボラート］−；［トリ−Ｎ−（ジメチルフェニル）ホスホニウム］＋［７−（（トリ−イソプロピルシリル）（ペルフルオロフルオレニル）アミノ）ペルフルオロインデン−２−イル）（４，５，６−トリフルオロナフチル）（ペルフルオロビフェニル）（ペルフルオロアントラセニル）ボラート］−；［Ｎ，Ｎ，Ｎ−（エチル）（ジオクチル）ホスホニウム］＋［５−（（トリ−イソプロピルシリルオクチル）（ペルフルオロアントラセニル）ホスフィノ）ペルフルオロナフト−３−イル）（４，５，７−トリフルオロナフチル）（ペルフルオロピレニル）（ペルフルオロビフェニル）ボラート］−；［トリ−Ｎ−オクチルホスホニウム］＋［６−（（３−エチルノニル）（ペルフルオロピレニル）アミノ）ペルフルオロフルオレン−１−イル）ビス（４，５，６−トリフルオロナフチル）（２’，３’，４’−トリフルオロビフェニルボラート］−；［トリ−Ｎ−プロピルホスホニウム］＋［５−（（メチル）（４，５，６，７−テトラフルオロナフチル）アミノ）ペルフルオロインデン−１−イル）ビス（２’，３’，５’−トリフルオロビフェニル）（２，３，５−トリフルオロフェニルボラート］−；［Ｎ，Ｎ，Ｎ−（ジメチル）（ｔ−ブチル）ホスホニウム］＋［５−（（トリ−ｎ−プロピルシリルヘキシル）（５，６，７，８−テトラフルオロナフチル）ホスフィノ）フルオロナフト−１−イル）（ペンタフルオロピレニル）（ペルフルオロアントラセニル）（４，５，７−トリフルオロナフチル）ボラート］−；［トリ−Ｎ−エチルホスホニウム］＋［７−（（トリ−イソプロピルシリル）（ペルフルオロフルオレニル）アミノ）ペルフルオロフルオレン−１−イル）（ペルフルオロフェニル）（ペルフルオロピレニル）（テトラフルオロフルオレニル）ボラート］−；［Ｎ，Ｎ，Ｎ−（エチル）（ジオクチル）ホスホニウム］＋［５−（（プロピル）（ペルフルオロナフチル）アミノ）ペルフルオロインデン−１−イル）ペルフルオロフルオレニル（２’，３’，５’−トリフルオロビフェニル）（２，３，４−トリフルオロフェニル）ボラート］−；［トリ−Ｎ−プロピルホスホニウム］＋［５−（（シクロヘキシル）（ペルフルオロビフェニル）アミノ）ペルフルオロインデン−１−イル）（４，５，６−トリフルオロナフチル）（４，５，７−トリフルオロナフチル）（ペルフルオロピレニル）ボラート］−；［Ｎ，Ｎ，Ｎ−（エチル）（メチル）（ｎ−ブチル）ホスホニウム］＋［６−（（プロピル）（２，３，６−トリフルオロフェニル）アルシノ）ペルフルオロアントラセン−１−イル）（ペルフルオロアントラセニル）（ペルフルオロフェニル）（４，５，６，７−テトラフルオロナフチル）ボラート］−；［トリ−Ｎ−オクチルホスホニウム］＋［５−（（トリ−イソプロピルシリルオクチル）（ペルフルオロピレニル）ホスフィノ）ペルフルオロナフト−１−イル）（ペルフルオロフェニル）（２，３，６−トリフルオロフェニル）（４，５，６，７−テトラフルオロナフチル）ボラート］−；［Ｎ，Ｎ，Ｎ−（エチル）（ジオクチル）ホスホニウム］＋［５−（（シクロヘキシル）（ペルフルオロアントラセニル）アミノ）ペルフルオロインデン−２−イル）ビス（４，５，６−トリフルオロナフチル）（ペンタフルオロピレニルボラート］−；［トリ−Ｎ−プロピルホスホニウム］＋［７−（（ノニル）（ペルフルオロフェニル）アミノ）ペルフルオロアントラセン−１−イル）（４，５，７−トリフルオロナフチル）（ペルフルオロナフチル）（ペルフルオロビフェニル）ボラート］−；［トリ−Ｎ−オクチルホスホニウム］＋［７−（（ジエチルノニルシリル）（ペルフルオロアントラセニル）アルシノ）ペルフルオロナフト−１−イル）（ペンタフルオロピレニル）（４，５，７−トリフルオロナフチル）（ペルフルオロアントラセニル）ボラート］−；［トリ−Ｎ−オクチルホスホニウム］＋［６−（（トリ−イソプロピルシリルオクチル）（ペルフルオロフェニル）アミノ）ペルフルオロナフト−２−イル）（ペンタフルオロピレニル）（４，５，７−トリフルオロナフチル）（ペルフルオロフェニル）ボラート］−；［トリ−Ｎ−（ｎ−ブチル）ホスホニウム］＋［７−（（トリ−イソプロピルシリルオクチル）（ペルフルオロフェニル）アミノ）ペルフルオロアントラセン−１−イル）（ペンタフルオロアントラセニル）（４，５，７−トリフルオロナフチル）（ペルフルオロフェニル）ボラート］−；［トリ−Ｎ−プロピルホスホニウム］＋［３’−（（メチルエチルヘキシルシリル）（ペルフルオロフルオレニル）アミノ）ペルフルオロビフェン−４−イル）（ペンタフルオロアントラセニル）（ペルフルオロナフチル）（ペルフルオロフェニル）ボラート］−；［Ｎ，Ｎ，Ｎ−（エチル）（メチル）（ｎ−ブチル）ホスホニウム］＋［５−（（トリエチルシリル）（ペルフルオロフェニル）アミノ）ペルフルオロナフト−２−イル）（２，３，５−トリフルオロフェニル）（ペルフルオロフルオレニル）（テトラフルオロフルオレニル）ボラート］−；［Ｎ，Ｎ，Ｎ−（エチル）（メチル）（オクチル）ホスホニウム］＋［５−（（メチル）（ペルフルオロアントラセニル）アミノ）ペルフルオロナフト−２−イル）（５，６，７，８−テトラフルオロナフチル）（２，３，５−トリフルオロフェニル）（４，５，７−トリフルオロナフチル）ボラート］−；
［トリ−Ｎ−オクチルホスホニウム］＋［７−（（ベンジル）（ペルフルオロピレニル）ホスフィノ）フルオロピレン−２−イル）（ペルフルオロアントラセニル）（ペルフルオロピレニル）（２’，３’，５’−トリフルオロビフェニル）ボラート］−；［Ｎ，Ｎ，Ｎ−（エチル）（メチル）（ｎ−ブチル）ホスホニウム］＋［４’−（（シクロヘキシル）（ペルフルオロフェニル）アミノ）ペルフルオロビフェン−３−イル）（ペルフルオロフルオレニル）（ペルフルオロピレニル）（２，３，５−トリフルオロフェニル）ボラート］−；［Ｎ，Ｎ，Ｎ−（エチル）（メチル）（イソプロピル）ホスホニウム］＋［７−（（トリエチルシリルプロピル）（ペルフルオロビフェニル）アミノ）ペルフルオロナフト−３−イル）（ペルフルオロピレニル）（テトラフルオロフルオレニル）（ペンタフルオロアントラセニル）ボラート］−；［Ｎ，Ｎ，Ｎ−（エチル）（メチル）（ｔ−ブチル）ホスホニウム］＋［６−（（メチル）（ペルフルオロフルオレニル）ホスフィノ）ペーフルオロナフト−１−イル）（４，５，６，７−テトラフルオロナフチル）（ペルフルオロフェニル）（ペルフルオロピレニル）ボラート］−；［Ｎ，Ｎ，Ｎ−（エチル）（メチル）（ｔ−ブチル）ホスホニウム］＋［４’−（（トリエチルシリルエチル）（２，３，４−トリフルオロフェニル）アルシノ）ペルフルオロビフェン−４−イル）（テトラフルオロフルオレニル）（ペルフルオロフルオレニル）（ペルフルオロフェニル）ボラート］−；［Ｎ，Ｎ，Ｎ−（エチル）（メチル）（イソプロピル）ホスホニウム］＋［７−（（エチル）（ペルフルオロビフェニル）アミノ）ペルフルオロインデン−２−イル）（５，６，７，８−テトラフルオロナフチル）（ペルフルオロフェニル）（２’，３’，４’−トリフルオロビフェニル）ボラート］−；［トリ−Ｎ−（ｔ−ブチル）ホスホニウム］＋［７−（（メチルエチルヘキシルシリル）（テトラフルオロフルオレニル）アミノ）ペルフルオロナフト−２−イル）（２’，３’，５’−トリフルオロビフェニル）（ペルフルオロフルオレニル）（２，３，５−トリフルオロフェニル）ボラート］−；［トリ−Ｎ−プロピルホスホニウム］＋［５−（（トリメチルシリル）（２，３，４−トリフルオロフェニル）アミノ）ペルフルオロナフト−３−イル）（ペルフルオロフェニル）（２’，３’，４’−トリフルオロビフェニル）（ペルフルオロビフェニル）ボラート］−；［トリ−Ｎ−メチルホスホニウム］＋［３’−（（トリ−ｎ−プロピルシリルヘキシル）（ペルフルオロピレニル）アミノ）ペルフルオロビフェン−４−イル）（ペルフルオロピレニル）（ペルフルオロアントラセニル）（ペルフルオロフルオレニル）ボラート］−；［トリ−Ｎ−エチルホスホニウム］＋［８−（（トリメチルシリル）（ペルフルオロビフェニル）アミノ）フルオロピレン−２−イル）ビス（ペルフルオロアントラセニル）（２，３，６−トリフルオロフェニル）ボラート］−；［トリ−Ｎ−（メチルフェニル）ホスホニウム］＋［７−（（トリ−イソプロピルシリルオクチル）（ペルフルオロフェニル）アミノ）ペルフルオロアントラセン−１−イル）（ペルフルオロアントラセニル）（４，５，７−トリフルオロナフチル）（２，３，４−トリフルオロフェニル）ボラート］−；［Ｎ，Ｎ，Ｎ−（エチル）（メチル）（オクチル）ホスホニウム］＋［８−（（トリ−イソプロピルシリル）（ペルフルオロビフェニル）アルシノ）ペルフルオロピレン−２−イル）（ペルフルオロビフェニル）（２’，３’，５’−トリフルオロビフェニル）（４，５，６−トリフルオロナフチル）ボラート］−；［トリ−Ｎ−（メチルフェニル）ホスホニウム］＋［６−（（メチル）（ペルフルオロピレニル）アミノ）ペルフルオロフルオレン−２−イル）（２，３，５−トリフルオロフェニル）（ペルフルオロフルオレニル）（テトラフルオロフルオレニル）ボラート］−；［トリ−Ｎ−（ジメチルフェニル）ホスホニウム］＋［７−（（ベンジル）（４，５，６−トリフルオロナフチル）アミノ）ペルフルオロフルオレン−２−イル）ビス（ペンタフルオロアントラセニル）（ペルフルオロナフチル）ボラート］−；［トリ−Ｎ−（ｔ−ブチル）ホスホニウム］＋［２’−（（トリエチルシリルプロピル）（ペルフルオロフェニル）アミノ）ペルフルオロビフェン−４−イル）（ペルフルオロアントラセニル）（ペルフルオロナフチル）（ペルフルオロピレニル）ボラート］−；［トリ−Ｎ−プロピルホニウム］＋［７−（（トリ−ｎ−プロピルシリル）（ペルフルオロナフチル）アミノ）ペルフルオロアントラセン−１−イル）（ペルフルオロナフチル）（４，５，６−トリフルオロナフチル）（ペルフルオロフェニル）ボラート］−；［Ｎ，Ｎ，Ｎ−（エチル）（メチル）（イソプロピル）ホスホニウム］＋［５−（（トリエチルシリル）（ペンタフルオロピレニル）アルシノ）ペルフルオロナフト−２−イル）（ペルフルオロビフェニル）（ペルフルオロアントラセニル）（２，３，４−トリフルオロフェニル）ボラート］−；［トリ−Ｎ−エチルホスホニウム］＋［４’−（（トリ−ｎ−プロピルシリル）（４，５，６，７−テトラフルオロナフチル）アミノ）ペルフルオロビフェン−３−イル）（ペルフルオロピレニル）（４，５，６，７−テトラフルオロナフチル）（４，５，７−トリフルオロナフチル）ボラート］−；［Ｎ，Ｎ，Ｎ−（エチル）（メチル）（ｔ−ブチル）ホスホニウム］＋［４’−（（メチルジエチルシリルオクチル）（ペンタフルオロピレニル）アルシノ）ペルフルオロビフェン−３−イル）ビス（２’，３’，４’−トリフルオロビフェニル）（ペルフルオロビフェニルボラート］−；［トリ−Ｎ−（メチルフェニル）ホスホニウム］＋［６−（（シクロヘキシル）（５，６，７，８−テトラフルオロナフチル）アミノ）ペルフルオロアントラセン−２−イル）（ペルフルオロピレニル）（２’，３’，４’−トリフルオロビフェニル）（ペルフルオロフェニル）ボラート］−；［トリ−Ｎ−エチルホスホニウム］＋［７−（（トリエチルシリルプロピル）（ペルフルオロフェニル）アミノ）ペルフルオロナフト−３−イル）（４，５，７−トリフルオロナフチル）（ペルフルオロフルオレニル）（テトラフルオロフルオレニル）ボラート］−；［Ｎ，Ｎ，Ｎ−（エチル）（ジオクチル）ホスホニウム］＋［５−（（メチル）（ペルフルオロフェニル）アミノ）ペルフルオロナフト−３−イル）ビス（ペルフルオロアントラセニル）（ペルフルオロビフェニルボラート］−；［Ｎ，Ｎ，Ｎ−（エチル）（メチル）（イソプロピル）ホスホニウム］＋［４−（（２，２−ジメチルオクチル）（ペルフルオロビフェニル）アミノ）ペルフルオロフェニル）（２’，３’，４’−トリフルオロビフェニル）（ペルフルオロフルオレニル）（４，５，６，７−テトラフルオロナフチル）ボラート］−；［Ｎ，Ｎ，Ｎ−（エチル）（メチル）（ｎ−ブチル）ホスホニウム］＋［３’−（（トリエチルシリルプロピル）（ペルフルオロビフェニル）アミノ）ペルフルオロビフェン−４−イル）（ペルフルオロビフェニル）（４，５，６，７−テトラフルオロナフチル）（ペンタフルオロピレニル）ボラート］−；［Ｎ，Ｎ，Ｎ−（エチル）（メチル）（ｎ−ブチル）ホスホニウム］＋［３’−（（トリエチルシリルプロピル）（ペルフルオロビフェニル）アミノ）ペルフルオロビフェン−４−イル）（ペルフルオロビフェニル）（４，５，６，７−テトラフルオロナフチル）（ペンタフルオロピレニル）ボラート］−；［トリ−Ｎ−エチルホスホニウム］＋［６−（（２，２−ジメチルオクチル）（ペルフルオロフェニル）ホスフィノ）ペルフルオロナフト−１−イル）（ペルフルオロビフェニル）（ペルフルオロピレニル）（４，５，６，７−テトラフルオロナフチル）ボラート］−；
［Ｎ，Ｎ，Ｎ−（エチル）（ジオクチル）ホスホニウム］＋［６−（（ブチル）（ペルフルオロフェニル）ホスフィノ）フルオロフルオレン−１−イル）（ペルフルオロフェニル）（４，５，７−トリフルオロナフチル）（ペルフルオロピレニル）ボラート］−；［Ｎ，Ｎ，Ｎ−（エチル）（ジオクチル）ホスホニウム］＋［６−（（トリメチルシリル）（ペンタフルオロアントラセニル）ホスフィノ）ペルフルオロナフト−３−イル）ビス（４，５，６−トリフルオロナフチル）（４，５，６，７−テトラフルオロナフチル）ボラート］−；［Ｎ，Ｎ，Ｎ−（ジメチル）（ｔ−ブチル）ホスホニウム］＋［７−（（シクロヘキシル）（ペルフルオロビフェニル）アミノ）ペルフルオロピレン−１−イル）（ペルフルオロビフェニル）（ペルフルオロフェニル）（ペンタフルオロアントラセニル）ボラート］−；［トリ−Ｎ−（ｔ−ブチル）ホスホニウム］＋［６−（（エチル）（ペルフルオロビフェニル）アミノ）ペルフルオロナフト−１−イル）（ペルフルオロフルオレニル）（２’、３’、４’−トリフルオロビフェニル）（テトラフルオロフルオレニル）ボラート］−；［トリ−Ｎ−（ｔ−ブチル）ホスホニウム］＋［５−（（トリ−イソプロピルシリルオクチル）（２，３，６−トリフルオロフェニル）ホスフィノ）ペルフルオロインデン−２−イル）（２，３，６−トリフルオロフェニル）（ペルフルオロフェニル）（４，５，６，７−テトラフルオロナフチル）ボラート］−；［Ｎ，Ｎ，Ｎ−（エチル）（メチル）（ｎ−ブチル）ホスホニウム］＋［６−（（２，２−ジメチルオクチル）（ペルフルオロアントラセニル）アルシノ）ペルフルオロナフト−２−イル）（ペルフルオロビフェニル）（ペルフルオロフェニル）（２’，３’，４’−トリフルオロビフェニル）ボラート］−；［トリ−Ｎ−プロピルホスホニウム］＋［５−（（ノニル）（ペルフルオロフェニル）アルシノ）ペルフルオロナフト−２−イル）（４，５，７−トリフルオロナフチル）（ペルフルオロナフチル）（４，５，６，７−テトラフルオロナフチル）ボラート］−；［トリ−Ｎ−オクチルホスホニウム］＋［６−（（ヘキシル）（ペルフルオロピレニル）アミノ）ペルフルオロフルオレン−１−イル）（ペルフルオロビフェニル）（ペンタフルオロアントラセニル）（２，３，６−トリフルオロフェニル）ボラート］−；［Ｎ，Ｎ，Ｎ−（エチル）（メチル）（オクチル）ホスホニウム］＋［７−（（３−エチルノニル）（ペルフルオロビフェニル）ホスフィノ）ペルフルオロナフト−３−イル）（２’，３’，５’−トリフルオロビフェニル）（ペルフルオロビフェニル）（ペルフルオロフェニル）ボラート］−；［トリ−Ｎ−（ｎ−ブチル）ホスホニウム］＋［３’−（（エチル）（ペルフルオロビフェニル）アミノ）ペルフルオロビフェン−４−イル）（ペルフルオロナフチル）（ペルフルオロビフェニル）（４，５，６，７−テトラフルオロナフチル）ボラート］−；［トリ−Ｎ−エチルホスホニウム］＋［３’−（（トリメチルシリル）（ペルフルオロアントラセニル）アミノ）ペルフルオロビフェン−４−イル）ビス（４，５，６，７−テトラフルオロナフチル）（テトラフルオロフルオレニル）ボラート］−；［Ｎ，Ｎ，Ｎ−（エチル）（メチル）（イソプロピル）ホスホニウム］＋［３−（（プロピル）（４，５，７−トリフルオロナフチル）ホスフィノ）ペルフルオロフェニル）（ペルフルオロフェニル）（２，３，５−トリフルオロフェニル）（ペルフルオロナフチル）ボラート］−；［トリ−Ｎ−プロピルホスホニウム］＋［７−（（メチルエチルヘキシルシリル）（４，５，６，７−テトラフルオロナフチル）ホスフィノ）フルオロインデン−２−イル）（ペルフルオロアントラセニル）（テトラフルオロフルオレニル）（５，６，７，８−テトラフルオロナフチル）ボラート］−；［トリ−Ｎ−（ジメチルフェニル）ホスホニウム］＋［４’−（（トリエチルシリルエチル）（ペルフルオロフルオレニル）ホスフィノ）ペルフルオロビフェン−３−イル）（５，６，７，８−テトラフルオロナフチル）（ペルフルオロフルオレニル）（ペルフルオロフェニル）ボラート］−；［トリ−Ｎ−プロピルホスホニウム］＋［４’−（（トリエチルシリルプロピル）（２，３，４−トリフルオロフェニル）アミノ）ペルフルオロビフェン−４−イル）（ペンタフルオロピレニル）（ペーフルオロビフェニル）（５，６，７，８−テトラフルオロナフチル）ボラート］−；［Ｎ，Ｎ，Ｎ−（エチル）（メチル）（ｎ−ブチル）ホスホニウム］＋［７−（（ジエチルノニルシリル）（ペルフルオロフルオレニル）アミノ）ペルフルオロナフト−１−イル）（４，５，７−トリフルオロナフチル）（ペンタフルオロピレニル）（ペルフルオロビフェニル）ボラート］−；［トリ−Ｎ−（ｔ−ブチル）ホスホニウム］＋［６−（（トリエチルシリル）（ペルフルオロフルオレニル）アルシノ）ペルフルオロアントラセン−１−イル）（ペルフルオロフルオレニル）（ペルフルオロビフェニル）（ペルフルオロピレニル）ボラート］−；［トリ−Ｎ−（ｎ−ブチル）ホスホニウム］＋［６−（（トリ−ｎ−プロピルシリル）（２’，３’，４’−トリフルオロビフェニル）アミノ）ペルフルオロインデン−２−イル）ビス（ペルフルオロアントラセニル）（２，３，４−トリフルオロフェニルボラート］−；［トリ−Ｎ−（メチルフェニル）ホスホニウム］＋［６−（（２，２−ジメチルオクチル）（２，３，４−トリフルオロフェニル）ホスフィノ）ペルフルオロナフタ−３−イル）（ペルフルオロアントラセニル）（２，３，６−トリフルオロフェニル）（２，３，４−トリフルオロフェニル）ボラート］−；［Ｎ，Ｎ，Ｎ−（エチル）（メチル）（ｔ−ブチル）ホスホニウム］＋［６−（（トリエチルシリルエチル）（ペルフルオロフェニル）ホスフィノ）ペルフルオロアントラセン−１−イル）（ペルフルオロピレニル）（４，５，６，７−テトラフルオロナフチル）（２’，３’，４’−トリフルオロビフェニル）ボラート］−；［Ｎ，Ｎ，Ｎ−（エチル）（メチル）（イソプロピル）ホスホニウム］＋［５−（（エチル）（ペルフルオロフェニル）アミノ）ペルフルオロインデン−２−イル］（テトラフルオロフルオレニル）（５，６，７，８−テトラフルオロナフチル）（４，５，６−トリフルオロナフチル）ボラート］−；［トリ−Ｎ−（ｎ−ブチル）ホスホニウム］＋［８−（（ブチル）（４，５，６，７−テトラフルオロナフチル）アミノ）ペルフルオロナフチル−３−イル）（ペルフルオロフェニル）（ペルフルオロビフェニル）（２’，３’，５’−トリフルオロビフェニル）ボラート］−；［トリ−Ｎ−オクチルホスホニウム］＋［５−（（トリメチルシリル）（ペルフルオロビフェニル）アミノ）フルオロインデン−２−イル）（ペルフルオロフェニル）（２，３，６−トリフルオロフェニル）（２，３，５−トリフルオロフェニル）ボラート］−；［Ｎ，Ｎ，Ｎ−（エチル）（メチル）（ｔ−ブチル）ホスホニウム］＋［４−（（イソプロピル）（ペルフルオロビフェニル）アミノ）ペルフルオロフェニル）（ペルフルオロフェニル）（４，５，７−トリフルオロナフチル）（２，３，５−トリフルオロフェニル）ボラート］−；［トリ−Ｎ−（ｎ−ブチル）ホスホニウム］＋［５−（（ヘキシル）（ペルフルオロピレニル）アミノ）ペルフルオロインデン−２−イル）（５，６，７，８−テトラフルオロナフチル）（ペルフルオロフルオレニル）（ペルフルオロビフェニル）ボラート］−；［トリ−Ｎ−オクチルホスホニウム］＋［５−（（トリエチルシリル）（ペルフルオロピレニル）アミノ）ペルフルオロナフト−１−イル）（ペンタフウロロアントラセニル）（ペルフルオロフェニル）（２，３，４−トリフルオロフェニル）ボラート］−；［Ｎ，Ｎ，Ｎ−（エチル）（ジオクチル）ホスホニウム］＋［６−（（メチルエチルヘキシルシリル）（ペルフルオロフェニル）アミノ）フルオロフルオレン−２−イル）（ペルフルオロピレニル）（２，３，４−トリフルオロフェニル）（２’，３’，４’−トリフルオロビフェニル）ボラート］−；［トリ−Ｎ−エチルホスホニウム］＋［７−（（トリーイソプロピルシリルオクチル）（４，５，７−トリフルオロナフチル）ホスフィノ）ペルフルオロインデン−２−イル）（ペルフルオロピレニル）（ペルフルオロビスフェニル）（テトラフルオロフルオレニル）ボラート］−；［トリ−Ｎ−メチルホスホニウム］＋［３−（（トリメチルシリル）（ペルフルオロフルオレニル）アミノ）ペルフルオロフェニル）（５，６，７，８−テトラフルオロナフチル）（ペルフルオロナフチル）（ペルフルオロフェニル）ボラート］−；［トリ−Ｎ−（ジメチルフェニル）ホスホニウム］＋［６−（（２，２−ジメチルオクチル）（５，６，７，８−テトラフルオロナフチル）アミノ）ペルフルオロナフト−２−イル）（ペルフルオロビフェニル）（ペルフルオロピレニル）（ペンタフルオロピレニル）ボラート］−；［トリ−Ｎ−プロピルホスホニウム］＋［５−（（メチルエチルヘキシルシリル）（ペルフルオロビフェニル）ホスフィノ）ペルフルオロナフト−１−イル）ビス（２，３，６−トリフルオロフェニル）（ペルフルオロアントラセニル）ボラート］−；［Ｎ，Ｎ，Ｎ−（エチル）（メチル）（ｔ−ブチル）ホスホニウム］＋［７−（（トリメチルシリル）（ペルフルオロビフェニル）アミノ）ペルフルオロフルオレン−２−イル）（５，６，７，８−テトラフルオロナフチル）（テトラフルオロフルオレニル）ボラート］−；［トリ−Ｎ−プロピルホスホニウム］＋［８−（（トリエチルシリルエチル）（４，５，７−トリフルオロナフチル）アミノ）ペルフルオロピレン−２−イル）ビス（４，５，６−トリフルオロナフチル）（ペルフルオロナフチル）ボラート］−；［トリ−Ｎ−メチルホスホニウム］＋［７−（（エチル）（ペルフルオロビフェニル）アミノ）ペルフルオロピレン−１−イル）（５，６，７，８−テトラフルオロナフチル）（４，５，７−トリフルオロナフチル）（ペルフルオロナフチル）ボラート］−；［トリ−Ｎ−エチルホスホニウム］＋［４’−（（メチルジエチルシリルオクチル）（ペンタフルオロピレニル）アミノ）ペルフルオロビフェン−３−イル）（ペンタフルオロピレニル）（ペルフルオロフェニル）（４，５，６，７−テトラフルオロナフチル）ボラート］−；［トリ−Ｎ−（ｔ−ブチル）ホスホニウム］＋［６−（（ノニル）（ペルフルオロフルオレニル）ホスフィノ）ペルフルオロアントラセン−１−イル）（４，５，７−トリフルオロナフチル）（ペルフルオロビフェニル）（２’，３’，５’−トリフルオロビフェニル）ボラート］−；
［トリ−Ｎ−プロピルホスホニウム］＋［７−（（２，２−ジメチルオクチル）（ペルフルオロフェニル）アミノ）ペルフルオロインデン−２−イル）（ペルフルオロビフェニル）（２’，３’，４’−トリフルオロビフェニル）（２’，３’，５’−トリフルオロビフェニル）ボラート］−；［Ｎ，Ｎ，Ｎ−（エチル）（メチル）（ｔ−ブチル）ホスホニウム］＋［６−（（メチルヂエチルシリルオクチル）（５，６，７，８−テトラフルオロナフチル）ホスフィノ）ペルフルオロアントラセン−２−イル）（ペンタフルオロピレニル）（ペルフルオロフェニル）（４，５，６，７−テトラフルオロナフチル）ボラート］−；［Ｎ，Ｎ，Ｎ−（ジメチル）（ｔ−ブチル）ホスホニウム］＋［８−（（トリ−ｎ−プロピルシリル）（ペルフルオロフェニル）アミノ）ペルフルオロピレン−２−イル）（テトラフルオロフルオレニル）（５，６，７，８−テトラフルオロナフチル）（４，５，６−トリフルオロナフチル）ボラート］−；［Ｎ，Ｎ，Ｎ−（エチル）（メチル）（イソプロピル）ホスホニウム］＋［６−（（プロピル）（ペルフルオロビフェニル）ホスフィノ）ペルフルオロナフト−３−イル）ビス（ペンタフルオロアントラセニル）（ペルフルオロフェニルボラート］−；［トリ−Ｎ−（メチルフェニル）ホスホニウム］＋［７−（（トリエチルシリルプロピル）（ペルフルオロピレニル）アルシノ）ペルフルオロフルオレン−２−イル）（ペルフルオロピレニル）（２，３，５−トリフルオロフェニル）（４，５，７−トリフルオロナフチル）ボラート］−；［トリ−Ｎ−（ジメチルフェニル）ホスホニウム］＋［５−（（シクロヘキシル）（４，５，７−トリフルオロナフチル）ホスフィノ）ペルフルオロインデン−２−イル）（ペルフルオロナフチル）（ペルフルオロビフェニル）（ペンタフルオロピレニル）ボラート］−；［Ｎ，Ｎ，Ｎ−（エチル）（ジオクチル）ホスホニウム］＋［２’−（（メチルエチルヘキシルシリル）（ペルフルオロビフェニル）アルシノ）ペルフルオロビフェン−４−イル）ビス（５，６，７，８−テトラフルオロナフチル）（ペルフルオロフェニルボラート］−；［トリ−Ｎ−プロピルホスホニウム］＋［７−（（トリイソプロピルシリルオクチル）（ペルフルオロフルオレニル）ホスフィノ）ペルフルオロインデン−２−イル）（ペルフルオロピレニル）（ペルフルオロアントラセニル）（２，３，４−トリフルオロフェニル）ボラート］−；［トリ−Ｎ−エチルホスホニウム］＋［６−（（３−エチルノニル）（ペルフルオロビフェニル）アミノ）ペルフルオロフルオレン−２−イル）ビス（ペルフルオロビフェニル）（２’，３’，５’−トリフルオロビフェニル）ボラート］−；［Ｎ，Ｎ，Ｎ−（エチル）（メチル）（ｎ−ブチル）ホスホニウム］＋［７−（（ヘキシル）（２’，３’，４’−トリフルオロビフェニル）アミノ）ペルフルオロナフト−３−イル）（ペルフルオロフェニル）（ペンタフルオロアントラセニル）（２，３，５−トリフルオロフェニル）ボラート］−；［Ｎ，Ｎ，Ｎ−（エチル）（ジオクチル）ホスホニウム］＋［４’−（（メチルエチルヘキシルシリル）（ペルフルオロフェニル）アミノ）ペルフルオロビフェン−４−イル）（ペルフルオロフェニル）（ペルフルオロフルオレニル）（５，６，７，８−テトラフルオロナフチル）ボラート］−；［Ｎ，Ｎ，Ｎ−（エチル）（ジオクチル）ホスホニウム］＋［４’−（（ノニル）（ペルフルオロアントラセニル）アルシノ）ペルフルオロビフェン−３−イル）（テトラフルオロフルオレニル）（ペルフルオロビフェニル）（ペンタフルオロピレニル）ボラート］−；［トリ−Ｎ−（ジメチルフェニル）ホスホニウム］＋［４’−（（プロピル）（ペルフルオロビフェニル）アミノ）ペルフルオロビフェン−４−イル）（ペルフルオロフルオレニル）（ペルフルオロフェニル）（ペンタフルオロピレニル）ボラート］−；［トリ−Ｎ−（ｎ−ブチル）ホスホニウム］＋［４’−（（トリエチルシリルプロピル）（ペルフルオロフェニル）ホスフィノ）ペルフルオロビフェン−４−イル）（ペルフルオロフェニル）（ペルフルオロフルオレニル）（ペンタフルオロピレニル）ボラート］−；［Ｎ，Ｎ，Ｎ−（エチル）（メチル）（ｔ−ブチル）ホスホニウム］＋［５−（（トリ−イソプロピルシリル）（ペルフルオロフェニル）アミノ）ペルフルオロインデン−２−イル）（ペンタフルオロアントラセニル）（２’，３’，４’−トリフルオロビフェニル）（２，３，５−トリフルオロフェニル）ボラート］−；［Ｎ，Ｎ，Ｎ−（エチル）（メチル）（イソプロピル）ホスホニウム］＋［５−（（２，２−ジメチルオクチル）（ペンタフルオロアントラセニル）ホスフィノ）ペルフルオロインデン−２−イル）（ペルフルオロビフェニル）（ペルフルオロフェニル）（ペンタフルオロピレニル）ボラート］−；［トリ−Ｎ−エチルホスホニウム］＋［７−（（トリメチルシリル）（２，３，４−トリフルオロフェニル）アミノ）ペルフルオロナフト−２−イル）（４，５，７−トリフルオロナフチル）（ペルフルオロナフチル）（４，５，６，７−テトラフルオロナフチル）ボラート］−；［Ｎ，Ｎ，Ｎ−（ジメチル）（ｔ−ブチル）ホスホニウム］＋［６−（（ブチル）（２’，３’，５’−トリフルオロビフェニル）アルシノ）ペルフルオロインデン−２−イル）（５，６，７，８−テトラフルオロナフチル）（ペルフルオロフェニル）（ペルフルオロナフチル）ボラート］−；［トリ−Ｎ−（メチルフェニル）ホスホニウム］＋［７−（（イソプロピル）（ペルフルオロフェニル）アミノ）フルオロフルオレン−１−イル）（ペルフルオロフェニル）（ペルフルオロアントラセニル）（ペルフルオロナフチル）ボラート］−；［トリ−Ｎ−プロピルホスホニウム］＋［７−（（ベンジル）（２，３，５−トリフルオロフェニル）アミノ）ペルフルオロナフト−３−イル）ビス（２，３，６−トリフルオロフェニル）（ペルフルオロフェニル）ボラート］−；［Ｎ，Ｎ，Ｎ−（ジメチル）（ｔ−ブチル）ホスホニウム］＋［３’−（（ベンジル）（４，５，６−トリフルオロナフチル）アミノ）ペルフルオロビフェン−４−イル）（ペルフルオロフェニル）（２’，３’，５’−トリフルオロビフェニル）（２，３，４−トリフルオロフェニル）ボラート］−；［トリ−Ｎ−（メチルフェニル）ホスホニウム］＋［５−（（トリ−イソプロピルシリル）（ペルフルオロアントラセニル）アミノ）ペルフルオロナフト−１−イル）（ペンタフルオロピレニル）（ペルフルオロビフェニル）（２，３，４−トリフルオロフェニル）ボラート］−；［Ｎ，Ｎ，Ｎ−（エチル）（メチル）（ｎ−ブチル）ホスホニウム］＋［７−（（オクチル）（５，６，７，８−テトラフルオロナフチル）アルシノ）ペルフルオロインデン−２−イル）（ペルフルオロビフェニル）（４，５，６−トリフルオロナフチル）（ペルフルオロフェニル）ボラート］−；［Ｎ，Ｎ，Ｎ−（エチル）（メチル）（イソプロピル）ホスホニウム］＋［５−（（トリエチルシリルエチル）（４，５，６，７−テトラフルオロナフチル）ホスフィノペルフルオロインデン−２−イル）（ペルフルオロフェニル）（ペルフルオロフルオレニル）（２，３，５−トリフルオロフェニル）ボラート］−；［Ｎ，Ｎ，Ｎ−（エチル）（メチル）（オクチル）ホスホニウム］＋［５−（（ヘキシル）（４，５，６−トリフルオロナフチル）アミノ）ペルフルオロナフト−１−イル）ビス（ペルフルオロビフェニル）（４，５，７−トリフルオロナフチルボラート］−；［トリ−Ｎ−（ジメチルフェニル）ホスホニウム］＋［７−（（ジエチルノニルシリル）（ペルフルオロアントラセニル）アミノ）ペルフルオロインデン−２−イル）（ペルフルオロナフチル）（ペルフルオロフェニル）（ペルフルオロフルオレニル）ボラート］−；［Ｎ，Ｎ，Ｎ−（エチル）（メチル）（ｔ−ブチル）ホスホニウム］＋［７−（（オクチル）（ペルフルオロピレニル）アミノ）ペルフルオロフルオレン−２−イル）（２，３，４−トリフルオロフェニル）（ペルフルオロビフェニル）（２，３，６−トリフルオロフェニル）ボラート］−；［トリ−Ｎ−プロピルホスホニウム］＋［３’−（（トリイソプロピルシリルオクチル）（４，５，６−トリフルオロナフチル）アミノ）ペルフルオロビフェン−４−イル）（ペルフルオロピレニル）（２，３，４−トリフルオロフェニル）（２’，３’，４’−トリフルオロビフェニル）ボラート］−；［トリ−Ｎ−エチルホスホニウム］＋［７−（（トリ−イソプロピルシリル）（ペルフルオロフェニル）アミノ）ペルフルオロピレン−２−イル）（ペンタフルオロアントラセニル）（ペルフルオロフェニル）（２’，３’，４’−トリフルオロビフェニル）ボラート］−；［Ｎ，Ｎ，Ｎ−（エチル）（メチル）（オクチル）ホスホニウム］＋［７−（（メチルエチルヘキシルシリル）（ペルフルオロナフチル）アミノ）ペルフルオロナフト−３−イル）（５，６，７，８−テトラフルオロナフチル）（ペルフルオロピレニル）（ペルフルオロナフチル）ボラート］−；［トリ−Ｎ−（ｔ−ブチル）ホスホニウム］＋［７−（（エチル）（ペルフルオロビフェニル）アミノ）ペルフルオロピレン−１−イル）（ペルフルオロピレニル）（２’，３’，４’−トリフルオロビフェニル）（４，５，６−トリフルオロナフチル）ボラート］−；［トリ−Ｎ−（メチルフェニル）ホスホニウム］＋［４−（（ベンジル）（５，６，７，８−テトラフルオロナフチル）アミノ）ペルフルオロフェニル）（４，５，６−トリフルオロナフチル）（４，５，７−トリフルオロナフチル）（ペルフルオロピレニル）ボラート］−；［Ｎ，Ｎ，Ｎ−（エチル）（メチル）（ｔ−ブチル）ホスホニウム］＋［６−（（トリ−ｎ−プロピルシリル）（４，５，７−トリフルオロナフチル）ホスフィノ）ペルフルオロフルオレン−２−イル）（ペルフルオロフェニル）（ペルフルオロピレニル）（テトラフルオロフルオレニル）ボラート］−；［トリ−Ｎ−（ｎ−ブチル）ホスホニウム］＋［４’−（（トリメチルシリル）（４，５，７−トリフルオロナフチル）アミノ）ペルフルオロビフェン−４−イル）（２，３，５−トリフルオロフェニル）（４，５，６，７−テトラフルオロナフチル）（２’，３’，５’−トリフルオロビフェニル）ボラート］−；［Ｎ，Ｎ，Ｎ−（エチル）（メチル）（ｔ−ブチル）ホスホニウム］＋［５−（（トリエチルシリル）（ペルフルオロフェニル）アルシノ）フルオロインデン−１−イル）（４，５，７−トリフルオロナフチル）（ペルフルオロフェニル）（４，５，６−トリフルオロナフチル）ボラート］−；［Ｎ，Ｎ，Ｎ−（エチル）（メチル）（オクチル）ホスホニウム］＋［７−（（シクロヘキシル）（２，３，５−トリフルオロフェニル）ホスフィノ）ペルフルオロフルオレン−２−イル）（ペルフルオロフルオレニル）（ペルフルオロビフェニル）（２，３，６−トリフルオロフェニル）ボラート］−；［トリチル］＋［７−（（オクチル）（ペルフルオロフルオレニル）ホスフィノ）ペルフルオロピレン−１−イル）（ペルフルオロビフェニル）（２，３，６−トリフルオロフェニル）（４，５，７−トリフルオロナフチル）ボラート］−；［トリチル］＋［６−（（ノニル）（ペルフルオロアントラセニル）ホスフィノ）ペルフルオロインデン−２−イル）（ペルフルオロビフェニル）（４，５，６，７−テトラフルオロナフチル）（ペンタフルオロピレニル）ボラート］−；［トリチル］＋［７−（（メチル）（ペンタフルオロピレニル）アミノ）ペルフルオロフルオレン−２−イル）（テトラフルオロフルオレニル）（ペルフルオロビフェニル）（２，３，５−トリフルオロフェニル）ボラート］−；［トリチル］＋［６−（（エチル）（ペルフルオロフェニル）アミノ）ペルフルオロナフト−１−イル）（ペルフルオロビフェニル）（４，５，７−トリフルオロナフチル）（ペンタフルオロアントラセニル）ボラート］−；［トリチル］＋［７−（（ブチル）（ペルフルオロフェニル）アミノ）ペルフルオロフルオレン−２−イル）（ペルフルオロビフェニル）（ペンタフルオロピレニル）（２，３，６−トリフルオロフェニル）ボラート］−；［トリチル］＋［８−（（メチルエチルヘキシルシリル）（ペルフルオロフェニル）アミノ）ペルフルオロナフト−３−イル）（ペルフルオロビフェニル）（ペンタフルオロフェニル）（２，３，６−トリフルオロフェニル）ボラート］−；［トリチル］＋［３’−（（トリ−イソプロピルシリル）（ペルフルオロフェニル）ホスフィノ）ペルフルオロビフェン−４−イル）（ペルフルオロアントラセニル）（テトラフルオロフルオレニル）（５，６，７，８−テトラフルオロナフチル）ボラート］−；
【００４４】
本発明の触媒系の非限定的な例
［トリ−Ｎ−（ｎ−ブチル）アンモニウム］＋［６−（（トリエチルシリルエチル）（ペルフルオロフェニル）アミノ）ペルフルオロフルオレン−２−イル）（ペルフルオロビフェニル）（ペルフルオロフェニル）（ペルフルオロフルオレニル）アルミナート］−／オキソトリス（トリメチルシリルメチル）バナジウム　［トリ−Ｎ−メチルアンモニウム］＋［６−（（ヘキシル）（ペルフルオロアントラセニル）アミノ）ペルフルオロフルオレン−１−イル）（ペルフルオロビフェニル）（２’，３’，５’−トリフルオロビフェニル）（ペルフルオロピレニル）アルミネート］−／オキソトリス（トリメチルシリルメチル）バナジウム　［トリ−Ｎ−オクチルアンモニウム］＋［７−（（メチルジエチルシリルオクチル）（４，５，７−トリフルオロナフチル）ホスフィノ）ペルフルオロナフト−２−イル）（ペルフルオロビフェニル）（４，５，７−トリフルオロナフチル）（２，３，５−トリフルオロフェニル）アルミネート］−／ジフェニルメチル（シクロペンタジエニル）（２，７−ジ−ｔ−ブチル−フルオレニル）ジメチルハフニウム
［Ｎ，Ｎ，Ｎ−（エチル）（メチル）（ｎ−ブチル）アンモニウム］＋［７−（（トリ−イソプロピルシリルオクチル）（ペルフルオロフェニル）アミノ）ペルフルオロフルオレン−１−イル）（ペルフルオロフェニル）（ペルフルオロアントラセニル）（ペルフルオロフルオレニル）アルミネート］−／ジメチルシリル（テトラメチルシクロペンタジエニル）（ドデシルアミド）ジメチルハフニウム
［Ｎ，Ｎ，Ｎ−（エチル）（メチル）（オクチル）アンモニウム］＋［６−（（エチル）（ペルフルオロビフェニル）アルシノ）ペルフルオロナフト−１−イル）（ペルフルオロフェニル）（ペルフルオロナフチル）（ペルフルオロビフェニル）アルミネート］−／ジメチルシリルビス（メチルインデニル）ジメチルハフニウム
［Ｎ，Ｎ，Ｎ−（ジメチル）（ｔ−ブチル）アンモニウム］＋［４’−（（メチル）（ペルフルオロフェニル）アミノ）ペルフルオロビフェン−４−イル）（４，５，７−トリフルオロナフチル）（ペルフルオロフェニル）（５，６，７，８−テトラフルオロナフチル）アルミネート］−／ジメチルシリル（テトラメチルシクロペンタジエニル）（ドデシルアミド）ジヒドリデハフニウム
［トリ−Ｎ−オクチルアンモニウム］＋［８−（（メチルエチルヘキシルシリル）（ペルフルオロビフェニル）ホスフィノ）パーフルオリピレン−２−イル）（ペルフルオロフェニル）（２’，３’，４’−トリフルオロビフェニル）（ペンタフルオロピレニル）アルミネート］−／ジフェニルメチル（シクロペンタジエニル）（２，７−ジ−ｔ−ブチル−フルオレニル）ジメチルハフニウム
［トリ−Ｎ−（ｎ−ブチル）アンモニウム］＋［７−（（トリエチルシリルプロピル）（ペルフルオロビフェニル）ホスフィノ）ペルフルオロナフト−２−イル）（ペルフルオロフェニル）（ペルフルオロフルオレニル）（４，５，６，７−テトラフルオロナフチル）アルミネート］−／（４−アルキル−１−フェニル）（４−ｔ−ブチル−１−フェニル）メチル（シクロペンタジエニル）（フルオレニル）ジメチルハフニウム
［Ｎ，Ｎ，Ｎ−（エチル）（メチル）（ｔ−ブチル）アンモニウム］＋［６−（（３−エチルノニル）（ペルフルオロフェニル）アミノ）ペルフルオロナフト−１−イル）（ペルフルオロビフェニル）（ペンタフルオロピレニル）（ペルフルオロアントラセニル）アルミネート］−／ジメチルシリル（テトラメチルシクロペンタジエニル）（ドデシルアミド）ジメチルハフニウム
［トリ−Ｎ−エチルアンモニウム］＋［７−（（トリ−ｎ−プロピルシリルヘキシル）（２，３，５−トリフルオロフェニル）アミノ）ペルフルオロフルオレン−１−イル）（ペルフルオロフルオレニル）（５，６，７，８−テトラフルオロナフチル）（ペルフルオロフェニル）アルミネート］−／ジフェニルメチル（シクロペンタジエニル）（２，７−ジ−ｔ−ブチル−フルオレニル）ジメチルハフニウム
［トリ−Ｎ−プロピルアンモニウム］＋［６−（（トリ−ｎ−プロピルシリルヘキシル）（ペルフルオロフェニル）ホスフィノペルフルオロアントラセン−１−イル）（ペンタフルオロピレニル）（ペルフルオロフェニル）（ペンタフルオロアントラセニル）アルミネート］−／ジメチルシリル（テトラメチルシクロペンタジエニル）（ドデシルアミド）ジヒドリドハフニウム
［Ｎ，Ｎ，Ｎ−（エチル）（メチル）（ｔ−ブチル）アンモニウム］＋［６−（（ベンジル）（ペルフルオロナフチル）ホスフィノ）ペルフルオロナフト−３−イル）（ペルフルオロビフェニル）（ペルフルオロアントラセニル）（２’，３’，４’−トリフルオロビフェニル）アルミネート］−／ジメチルシリルビス（メチルインデニル）ジメチルハフニウム
［Ｎ，Ｎ，Ｎ−（エチル）（メチル）（ｔ−ブチル）アンモニウム］＋［４−（（ベンジル）（ペルフルオロビフェニル）アミノ）ペルフルオロフェニル）（２，３，４−トリフルオロフェニル）（４，５，６，７−テトラフルオロナフチル）（ペルフルオロピレニル）アルミネート］−／ジメチルシリル（テトラメチルシクロペンタジエニル）（ドデシルアミド）ジヒドリドハフニウム
［トリ−Ｎ−（メチルフェニル）アンモニウム］＋［３−（（トリ−イソプロピルシリルオクチル）（ペルフルオロフェニル）アミノ）ペルフルオロフェニル）（ペルフルオロピレニル）（４，５，７−トリフルオロナフチル）（２，３，５−トリフルオロフェニル）アルミネート］−／（４−アルキル−１−フェニル）（４−ｔ−ブチル−１−フェニル）メチル（シクロペンタジエニル）（フルオレニル）ジメチルハフニウム
［Ｎ，Ｎ，Ｎ−（エチル）（メチル）（イソプロピル）アンモニウム］＋［５−（（ノニル）（ペルフルオロナフチル）アミノ）ペルフルオロナフト−２−イル）（ペンタフルオロアントラセニル）（２’，３’，４’−トリフルオロビフェニル）（ペルフルオロフルオレニル）アルミネート］−／ジメチルシリル（テトラメチルシクロペンタジエニル）（ドデシルアミド）ジメチルハフニウム
［トリ−Ｎ−（ジメチルフェニルアンモニウム］＋［６−（（２，２−ジメチルオクチル）（２，３，６−トリフルオロフェニル）ホスフィノ）ペルフルオロアントラセン−２−イル）ビス（２，３，４−トリフルオロフェニル）（テトラフルオロフルオレニルアルミネート］−／ジメチルシリル（テトラメチルシクロペンタジエニル）（ドデシルアミド）ジメチルハフニウム
［トリ−Ｎ−（メチルフェニル）アンモニウム］＋［６−（（シクロヘキシル）（５，６，７，８−テトラフルオロナフチル）アミノ）ペルフルオロインデン−２−イル）ビス（ペルフルオロビフェニル）（５，６，７，８−テトラフルオロナフチルアルミネート］−／ジフェニルメチル（シクロペンタジエニル）（２，７−ジメチルフルオレニル）ジメチルハフニウム
［トリ−Ｎ−エチルアンモニウム］＋［５−（（メチル）（ペルフルオロフェニル）アルシノ）フルオロナフト−２−イル）（ペルフルオロフェニル）（２’，３’，４’−トリフルオロビフェニル）（ペンタフルオロピレニル）アルミネート］−／ジメチルシリルビス（ナフチルメチルインデニル）ジメチルハフニウム
［トリ−Ｎ−（ジメチルフェニルアンモニウム］＋［８−（（３−エチルノニル）（２，３，６−トリフルオロフェニル）アミノ）ペルフルオロピレン−２−イル）（ペルフルオロナフチル）（ペルフルオロフェニル）（４，５，６，７−テトラフルオロナフチル）アルミネート］−／ジメチルシリルビス（ナフチルメチルインデニル）ジメチルハフニウム
［トリ−Ｎ−メチルアンモニウム］＋［７−（（イソプロピル）（ペルフルオロフェニル）アミノ）ペルフルオロインデン−２−イル）（ペルフルオロアントラセニル）（ペルフルオロピレニル）（２，３，５−トリフルオロフェニル）アルミネート］−／ジメチルシリルビスインデニルジメチルハフニウム
［Ｎ，Ｎ，Ｎ−（ジメチル）（ｔ−ブチル）アンモニウム］＋［４’−（（ベンジル）ペンタフルオロアントラセニル）アミノ）ペルフルオロビフェン−４−イル）ビス（ペンタフルオロアントラセニル）（ペンタフルオロピレニル）アルミネート］−／ジメチルシリルビス（メチルインデニル）ジメチルハフニウム
［トリ−Ｎ−（ｔ−ブチル）アンモニウム］＋［４’−（（トリエチルシリル）（ペルフルオロビフェニル）アミノ）ペルフルオロビフェン−４−イル）（ペンタフルオロアントラセニル）（２’，３’，５’−トリフルオロビフェニル）アルミネート］−／テトラベンジルハフニウム
［トリ−Ｎ−（メチルフェニル）アンモニウム］＋［７−（（ヘキシル）（２’，３’，５’−トリフルオロビフェニル）アミノ）ペルフルオロアントラセン−１−イル）（ペルフルオロフルオレニル）（２’，３’，５’−トリフルオロビフェニル）（２，３，４−トリフルオロフェニル）アルミネート］−／ジメチルシリル（テトラメチルシクロペンタジエニル）（ドデシルアミド）ジメチルハフニウム
［Ｎ，Ｎ，Ｎ−（エチル）（メチル）（イソプロピル）アンモニウム］＋［７−（（ノニル）（ペルフルオロフェニル）アミノ）ペルフルオロインデン−２−イル）（ペルフルオロフェニル）（ペルフルオロアントラセニル）（ペルフルオロピレニル）アルミネート］−／ジメチルシリルビスインデニルジメチルハフニウム
［Ｎ，Ｎ，Ｎ−（エチル）（メチル）（ｔ−ブチル）アンモニウム］＋［６−（（ヘキシル）（ペルフルオロフルオレニル）アミノ）ペルフルオロナフト−１−イル）（ペルフルオロフェニル）（ペンタフルオロピレニル）（２’，３’，４’−トリフルオロビフェニル）アルミネート］−／ジメチルシリル（テトラメチルシクロペンタジエニル）（ドデシルアミド）ジメチルハフニウム
［トリ−Ｎ−（ｔ−ブチル）アンモニウム］＋［６−（（２，２−ジメチルオクチル）（ペルフルオロビフェニル）アミノ）ペルフルオロインデン−２−イル）（ペルフルオロフェニル）（ペルフルオロフルオレニル）（２，３，５−トリフルオロフェニル）アルミネート］−／ジメチルシリルビス（フェニルメチルインデニル）ジメチルハウニウム
［Ｎ，Ｎ，Ｎ−（ジメチル）（ｔ−ブチル）アンモニウム］＋［５−（（トリ−イソプロピルシリル）（４，５，６−トリフルオロナフチル）アミノ）ペルフルオロナフト−２−イル）（ペルフルオロピレニル）（ペルフルオロアントラセニル）（２，３，５−トリフルオロフェニル）アルミネート］−／ジメチルシリル（テトラメチルシクロペンタジエニル）（ドデシルアミド）ジメチルハフニウム
［Ｎ，Ｎ，Ｎ−（エチル）（メチル）（ｔ−ブチル）アンモニウム］＋［５−（（トリ−ｎ−プロピルシリル）（ペルフルオロフェニル）アミノ）フルオロナフト−２−イル）（ペルフルオロフェニル）（ペルフルオロピレニル）（２，３，４−トリフルオロフェニル）アルミネート］−／ジメチルシリルビス（ナフチルメチルインデニル）ジメチルハフニウム
［トリ−Ｎ−（ｎ−ブチル）アンモニウム］＋［８−（（ブチル）（２’，３’，４’−トリフルオロビフェニル）アミノ）ペルフルオロピレン−２−イル）（ペルフルオロフェニル）（ペンタフルオロピレニル）（ペンタフルオロアントラセニル）アルミネート］−／ジメチルシリルビス（フェニルメチルインデニル）ジメチルハフニウム
［トリ−Ｎ−メチルアンモニウム］＋［５−（（メチルエチルヘキシルシリル）（ペルフルオロフェニル）アミノ）ペルフルオロナフト−３−イル）（ペンタフルオロピレニル）（４，５，７−トリフルオロナフチル）（５，６，７，８−テトラフルオロナフチル）アルミネート］−／ジフェニルメチル（シクロペンタジエニル）（２，７−ジメチルフルオレニル）ジメチルハフニウム
［Ｎ，Ｎ，Ｎ−（エチル）（メチル）（ｎ−ブチル）アンモニウム］＋［７−（（ブチル）（２’，３’，４’−トリフルオロビフェニル）アミノ）ペルフルオロピレン−２−イル）（ペンタフルオロアントラセニル）（４，５，７−トリフルオロナフチル）（ペルフルオロビフェニル）アルミネート］−／ジフェニルメチル（フルオレニル）（シクロペンタジエニル）ジメチルハフニウム
［トリ−Ｎ−エチルアンモニウム］＋［７−（（メチルジエチルシリルオクチル）（４，５，７−トリフルオロナフチル）アミノ）ペルフルオロナフト−２−イル）ビス（２’，３’，５’−トリフルオロビフェニル）（ペンタフルオロアントラセニル）アルミネート］−／ジメチルシリル（テトラメチルシクロペンタジエニル）（ドデシルアミド）ジヒドリドハフニウム
［トリ−Ｎ−プロピルアンモニウム］＋［６−（（トリ−ｎ−プロピルシリルヘキシル）（ペルフルオロフェニル）アミノ）ペルフルオロアントラセン−２−イル）（テトラフルオロフルオレニル）（５，６，７，８−テトラフルオロナフチル）（ペルフルオロフェニル）アルミネート］−／ジメチルシリル（テトラメチルシクロペンタジエニル）（ドデシルアミド）ジメチルハフニウム
［トリ−Ｎ−メチルアンモニウム］＋［６−（（ベンジル）（ペルフルオロアントラセニル）アルシノ）ペルフルオロアントラセン−１−イル）（ペルフルオロピレニル）（２，３，６−トリフルオロフェニル）（ペルフルオロビフェニル）アルミネート］−／ジメチルシリルビス（ナフチルメチルインデニル）ジメチルハフニウム
［Ｎ，Ｎ，Ｎ−（エチル）（メチル）（ｔ−ブチル）アンモニウム］＋［７−（（ベンジル）（ペルフルオロビフェニル）アミノ）フルオロアントラセン−１−イル）（ペルフルオロアントラセニル）（２，３，５−トリフルオロフェニル）（ペルフルオロピレニル）アルミネート］−／ジフェニルメチル（シクロペンタジエニル）（２，７−ジメチルフルオレニル）ジメチルハフニウム
［トリ−Ｎ−エチルアンモニウム］＋［３−（（２，２−ジメチルオクチル）（ペルフルオロピレニル）アルシノ）ペルフルオロフェニル）（ペルフルオロピレニル）（５，６，７，８−テトラフルオロナフチル）（２，３，６−トリフルオロフェニル）アルミネート］−／（４−アルキル−１−フェニル）（４−ｔ−ブチル−１−フェニル）メチル（シクロペンタジエニル）（フルオレニル）ジメチルハフニウム
［トリ−Ｎ−エチルアンモニウム］＋［７−（（トリ−ｎ−プロピルシリルヘキシル）（テトラフルオロフルオレニル）アミノ）ペルフルオロフルオレン−１−イル）（ペルフルオロアントラセニル）（２’，３’，５’−トリフルオロビフェニル）（テトラフルオロフルオレニル）アルミネート］−／ジメチルシリルビス（メチルインデニル）ジメチルハフニウム
［トリ−Ｎ−エチルアンモニウム］＋［３−（（ブチル）（２，３，６−トリフルオロフェニル）アミノ）ペルフルオロフェニル）（テトラフルオロフルオレニル）（ペルフルオロピレニル）（２’，３’，５’−トリフルオロビフェニル）アルミネート］−／トリス（トリメチルシリルメチル）ジクロリドニオビウム
［Ｎ，Ｎ，Ｎ−（エチル）（メチル）（ｎ−ブチル）アンモニウム］＋［５−（（トリ−ｎ−プロピルシリルヘキシル）（ペルフルオロフルオレニル）ホスフィノ）ペルフルオロナフト−１−イル）（２’，３’，５’−トリフルオロビフェニル）（４，５，６，７−テトラフルオロナフチル）（４，５，６−トリフルオロナフチル）アルミネート］−／トリス（トリメチルシリルメチル）ジクロリドニオビウム
［Ｎ，Ｎ，Ｎ−（エチル）（メチル）（ｎ−ブチル）アンモニウム］＋［８−（（メチルエチルヘキシルシリル）（ペルフルオロビフェニル）アミノ）ペルフルオロナフト−３−イル）（ペルフルオロビフェニル）（ペルフルオロフェニル）（２’，３’，４’−トリフルオロビフェニル）アルミネート］−／トリス（トリメチルシリルメチル）ジクロリドニオビウム
［Ｎ，Ｎ，Ｎ−（エチル）（メチル）（ｔ−ブチル）アンモニウム］＋［６−（（エチル）（２’，３’，４’−トリフルオロビフェニル）アミノ）ペルフルオロインデン−２−イル）（ペンタフルオロアントラセニル）（ペンタフルオロピレニル）（ペルフルオロアントラセニル）アルミネート］−／トリス（トリメチルシリルメチル）ジクロリドニオブ
［トリ−Ｎ−プロピルアンモニウム］＋［６−（（トリ−ｎ−プロピルシリル）（２，３，６−トリフルオロフェニル）アミノ）ペルフルオロアントラセン−１−イル）（ペルフルオロピレニル）（４，５，６，７−テトラフルオロナフチル）（２，３，５−トリフルオロフェニル）アルミネート］−／トリス（トリメチルシリルメチル）ジクロリドニオビウム
［Ｎ，Ｎ，Ｎ−（エチル）（メチル）（オクチル）アンモニウム］＋［５−（（トリ−イソプロピルシリルオクチル）（２’，３’，４’−トリフルオロビフェニル）ホスフィノ）ペルフルオロナフト−１−イル）（ペルフルオロピレニル）（２’，３’，５’−トリフルオロビフェニル）（ペルフルオロビフェニル）アルミネート］−／トリス（トリメチルシリルメチル）ジクロリドタンタル
［Ｎ，Ｎ，Ｎ−（エチル）（メチル）（オクチル）アンモニウム］＋［６−（（トリエチルシリルエチル）（ペルフルオロビフェニル）ホスフィノ）ペルフルオロナフト−３−イル）ビス（ペルフルオロアントラセニル）（ペンタフルオロアントラセニル）アルミネート］−／トリス（トリメチルシリルメチル）ジクロリドタンタル
［Ｎ，Ｎ，Ｎ−（エチル）（メチル）（ｔ−ブチル）アンモニウム］＋［７−（（トリ−ｎ−プロピルシリルヘキシル）（５，６，７，８−テトラフルオロナフチル）アミノ）ペルフルオロアントラセン−１−イル）（ペルフルオロフルオレニル）（４，５，７−トリフルオロナフチル）（ペルフルオロビフェニル）アルミネート］−／ペンタメチル シクロペンタジエニルイソプロポキシドチタン
［トリ−Ｎ−プロピルアンモニウム］＋［７−（（ノニル）（ペルフルオロビフェニル）アルシノ）ペルフルオロナフト−１−イル）（ペンタフルオロアントラセニル）（２’，３’，４’−トリフルオロビフェニル）（２，３，５−トリフルオロフェニル）アルミネート］−／ペンタメチル シクロペンタジエニルイソプロポキシドチタン
［トリ−Ｎ−（メチルフェニル）アンモニウム］＋［３−（（トリ−ｎ−プロピルシリル）（ペルフルオロナフチル）ホスフィノ）ペルフルオロフェニル）（ペルフルオロピレニル）（ペルフルオロアントラセニル）（ペルフルオロビフェニル）アルミネート］−／ジメチルシリル（テトラメチルシクロペンタジエニル）（アダマンチル−１−アミノ）ジメチルチタン
［トリ−Ｎ−（ジメチルフェニルアンモニウム］＋［７−（（メチル）（ペルフルオロピレニル）アミノ）ペルフルオロフルオレン−１−イル）（４，５，６−トリフルオロナフチル）（２，３，６−トリフルオロフェニル）（ペルフルオロフェニル）アルミネート］−／ジメチルシリル（テトラメチルシクロペンタジエニル）（ｔ−ブチルアミド）ジクロリドチタン
［トリ−Ｎ−（メチルフェニル）アンモニウム］＋［５−（（オクチル）（ペルフルオロフルオレニル）アミノ）ペルフルオロインデン−２−イル）（ペルフルオロフェニル）（４，５，７−トリフルオロナフチル）（２，３，５−トリフルオロフェニル）アルミネート］−／ジメチルシリル（テトラメチルシクロペンタジエニル）（アダマンチル−１−アミノ）ジメチルチタン
［Ｎ，Ｎ，Ｎ−（エチル）（メチル）（オクチル）アンモニウム］＋［７−（（メチル）（２’，３’，５’−トリフルオロビフェニル）アミノ）フルオロフルオレン−１−イル）（ペルフルオロフェニル）（ペンタルフルオロピレニル）（２’，３’，４’−トリフルオロビフェニル）アルミネート］−／ジメチルシリル（テトラメチルシクロペンタジエニル）（アダマンチル−１−アミノ）ジメチルチタン
［トリ−Ｎ−エチルアンモニウム］＋［７−（（トリメチルシリル）（ペルフルオロフェニル）アミノ）ペルフルオロインデン−２−イル）（ペルフルオロフェニル）（４，５，６，７−テトラフルオロナフチル）（２’，３’，５’−トリフルオロビフェニル）アルミネート］−／ペンタメチルシクロペンタジエニル トリベンジル チタン
［トリ−Ｎ−オクチルアンモニウム］＋［７−（（トリ−イソプロピルシリル）（５，６，７，８−テトラフルオロナフチル）アミノ）ペルフルオロインデン−２−イル）（ペルフルオロピレニル）（２，３，５−トリフルオロフェニル）（４，５，７−トリフルオロナフチル）アルミネート］−／ペンタメチルシクロペンタジエニル トリベンジル チタン
［Ｎ，Ｎ，Ｎ−（エチル）（ジオクチル）アンモニウム］＋［６−（（ブチル）（４，５，６，７−テトラフルオロナフチル）ホスフィノ）ペルフルオロフルオレン−２−イル）（ペルフルオロピレニル）（４，５，７−トリフルオロナフチル）（ペルフルオロフルオレニル）アルミネート］−／ペンタメチル シクロペンタジエニルイソプロポキシドチタン
［トリ−Ｎ−（ジメチルフェニルアンモニウム］＋［３−（（ブチル）（ペルフルオロフルオレニル）アミノ）ペルフルオロフェニル）（ペルフルオロフェニル）（ペルフルオロビフェニル）（ペルフルオロアントラセニル）アルミネート］−／ジメチルシリル（テトラメチルシクロペンタジエニル）（アダマンチル−１−アミノ）ジメチルチタン
［Ｎ，Ｎ，Ｎ−（ジメチル）（ｔ−ブチル）アンモニウム］＋［７−（（メチルジエチルシリルオクチル）（ペンタフルオロアントラセニル）アミノ）ペルフルオロピレン−２−イル）（ペルフルオロフルオレニル）（テトラフルオロフルオレニル）（ペルフルオロフェニル）アルミネート］−／ペンタメチルシクロペンタジエニルイソプロポキシドチタン
［トリ−Ｎ−エチルアンモニウム］＋［３−（（メチル）（ペルフルオロナフチル）フルオロフェン−１−イル）（ペルフルオロアントラセニル）（５，６，７，８−テトラフルオロナフチル）（４，５，６−トリフルオロナフチル）アルミネート］−／テトラベンジルチタン
［トリ−Ｎ−（メチルフェニル）アンモニウム］＋［７−（（トリメチルシリル）（ペルフルオロアントラセニル）アミノ）フルオロフルオレン−２−イル）（ペンタルフルオロピレニル）（２，３，６−トリフルオロフェニル）（ペルフルオロピレニル）アルミネート］−／ペンタメチル シクロペンタジエニル トリベンジル チタン
［トリ−Ｎ−プロピルアンモニウム］＋［６−（（トリエチルシリルエチル）（４，５，６，７−テトラフルオロナフチル）アミノ）ペルフルオロナフト−１−イル）（ペルフルオロフェニル）（２，３，６−トリフルオロフェニル）（ペンタフルオロアントラセニル）アルミネート］−／ペンタメチルシクロペンタジエニルイソプロポキシドチタン
［Ｎ，Ｎ，Ｎ−（エチル）（メチル）（ｎ−ブチル）アンモニウム］＋［６−（（トリ−ｎ−プロピルシリル）（ペルフルオロフェニル）アミノ）フルオロアントラセン−１−イル）（ペンタフルオロアントラセニル）（４，５，７−トリフルオロナフチル）（ペルフルオロビフェニル）アルミネート］−／テトラベンジル チタン
［トリ−Ｎ−（ジメチルフェニルアンモニウム］＋［５−（（トリメチルシリル）（ペルフルオロアントラセニル）アミノ）ペルフルオロインデン−２−イル）（２’，３’，５’−トリフルオロビフェニル）（ペルフルオロビフェニル）（ペルフルオロフェニル）アルミネート］−／ビス（１，３−ジブチル−メチル−シクロペンタジエニル）ジメチルジルコニウム
［Ｎ，Ｎ，Ｎ−（エチル）（メチル）（ｔ−ブチル）アンモニウム］＋［７−（（ベンジル）（ペルフルオロフェニル）ホスフィノ）ペルフルオロピレン−１−イル）（２，３，６−トリフルオロフェニル）（ペルフルオロフェニル）（ペルフルオロピレニル）アルミネート］−／ジフェニルメチル（フルオレニル）（シクロペンタジエニル）ジメチルジルコニウム
［トリ−Ｎ−（メチルフェニル）アンモニウム］＋［７−（（トリ−ｎ−プロピルシリルヘキシル）（ペルフルオロビフェニル）アミノ）ペルフルオロインデン−２−イル）（ペルフルオロフェニル）（２’，３’，４’−トリフルオロビフェニル）（４，５，７−トリフルオロナフチル）アルミネート］−／（ペンタメチルシクロペンタジエニル）（シクロペンタジエニル）ジメチルジルコニウム
［トリ−Ｎ−エチルアンモニウム］＋［５−（（メチルジエチルシリルオクチル）（ペルフルオロアントラセニル）ホスフィノ）フルオロインデン−１−イル）（２，３，４−トリフルオロフェニル）（２，３，６−トリフルオロフェニル）（ペルフルオロフェニル）アルミネート］−／ジメチルシリル（ビスインデニル）ジクロリドジルコニウム
［Ｎ，Ｎ，Ｎ−（エチル）（メチル）（オクチル）アンモニウム］＋［６−（（イソプロピル）（テトラフルオロフルオレニル）アミノ）ペルフルオロナフト−１−イル）ビス（２，３，４−トリフルオロフェニル）（４，５，６−トリフルオロナフチル）アルミネート］−／ジメチルシリルビス（テトラヒドロインデニル）ジクロリドジルコニウム
［Ｎ，Ｎ，Ｎ−（エチル）（ジオクチル）アンモニウム］＋［７−（（トリメチルシリル）（ペルフルオロフェニル）ホスフィノ）ペルフルオロナフト−１−イル）（ペルフルオロフェニル）（２’，３’，４’−トリフルオロビフェニル）（２’，３’，５’−トリフルオロビフェニル）アルミネート］−／ジメチルシリルビス（２−メチルベンズインデニル）ジメチルジルコニウム
［トリ−Ｎ−（ｎ−ブチル）アンモニウム］＋［５−（（トリ−イソプロピルシリルオクチル）（ペルフルオロフルオレニル）アミノ）ペルフルオロインデン−２−イル）（ペルフルオロフルオレニル）（ペンタフルオロアントラセニル）（ペルフルオロフェニル）アルミネート］−／テトラ（ビス（トリメチルシリルメチル）ジルコニウム
［Ｎ，Ｎ，Ｎ−（エチル）（メチル）（オクチル）アンモニウム］＋［５−（（３−エチルノニル）（２，３，５−トリフルオロフェニル）アミノ）ペルフルオロナフト−１−イル）（ペルフルオロアントラセニル）（ペルフルオロフェニル）アルミネート］−／ジメチルシリル（ビスフェニル）ジクロリドジルコニウム
［トリ−Ｎ−（メチルフェニル）アンモニウム］＋［５−（（トリメチルシリル）（ペルフルオロピレニル）アルシノ）ペルフルオロインデン−２−イル）（ペンタフルオロピレニル）（ペンタフルオロアントラセニル）（２’，３’，４’−トリフルオロビフェニル）アルミネート］−／（テトラメチルシクロペンタジエニル）（ｎ−プロピルシクロペンタジエニル）ジメチルジルコニウム
［トリ−Ｎ−プロピルアンモニウム］＋［４’−（（エチル）（ペンタフルオロアントラセニル）ホスフィノ）ペルフルオロビフェン−４−イル）（ペルフルオロフェニル）（ペルフルオロナフチル）（２’，３’，４’−トリフルオロビフェニル）アルミネート］−／テトラベンジルジルコニウム
［トリ−Ｎ−オクチルアンモニウム］＋［４’−（（メチル）（ペルフルオロフェニル）ホスフィノ）ペルフルオロビフェン−３−イル）（ペルフルオロフルオレニオル）（ペルフルオロフェニル）（２’，３’，５’−トリフルオロビフェニル）アルミネート］−／ジフェニルメチル（フルオレニル）（シクロペンタジエニル）ジメチルジルコニウム
［トリ−Ｎ−エチルアンモニウム］＋［７−（（トリ−ｎ−プロピルシリル）（４，５，７−トリフルオロナフチル）ホスフィノ）ペルフルオロフルオレン−２−イル）（ペンタフルオロアントラセニル）（ペルフルオロフェニル）（２，３，４−トリフルオロフェニル）アルミネート］−／テトラベンジルジルコニウム
［Ｎ，Ｎ，Ｎ−（ジメチル）（ｔ−ブチル）アンモニウム］＋［５−（（ノニル）（テトラフルオロフルオレニル）アミノ）ペルフルオロナフト−１−イル）（テトラフルオロフルオレニル）（４，５，６，７−テトラフルオロナフチル）（２，３，４−トリフルオロフェニル）アルミネート］−／ジメチルシリル（ビスインデニル）ジクロリドジルコニウム
［Ｎ，Ｎ，Ｎ−（エチル）（ジオクチル）アンモニウム］＋［４’−（（プロピル）（ペンタフルオロピレニル）アミノ）ペルフルオロビフェン−３−イル）（ペンタフルオロピレニル）（ペルフルオロフェニル）（４，５，６，７−テトラフルオロナフチル）アルミネート］−／ジメチルシリル（テトラメチルシクロペンタジエニル）（ｔ−ブチルアミド）ジメチルジルコニウム
［トリ−Ｎ−メチルアンモニウム］＋［８−（（エチル）（ペルフルオロフルオレニル）アミノ）ペルフルオロナフト−３−イル）（ペルフルオロフェニル）（ペルフルオロピレニル）（ペンタフルオロピレニル）アルミネート］−／ジメチルシリル（ビスインデニル）ジクロリドジルコニウム
［トリ−Ｎ−オクチルアンモニウム］＋［７−（（メチルジエチルシリルオクチル）（ペルフルオロフェニル）アミノ）ペルフルオロピレン−２−イル）（４，５，６，７−テトラフルオロナフチル）（２，３，５−トリフルオロフェニル）（ペルフルオロフェニル）アルミネート］−／（ペンタメチルシクロペンタジエニル）（シクロペンタジエニル）ジメチルジルコニウム
［トリ−Ｎ−プロピルアンモニウム］＋［７−（（ブチル）（ペルフルオロアントラセニル）アミノ）ペルフルオロフルオレン−１−イル）（ペルフルオロフェニル）（２’，３’，５’−トリフルオロビフェニル）（２，３，４−トリフルオロフェニル）アルミネート］−／ジメチルシリルビス（テトラヒドロインデニル）ジクロリドジルコニウム
［Ｎ，Ｎ，Ｎ−（エチル）（メチル）（イソプロピル）アンモニウム］＋［５−（（トリ−イソプロピルシリル）（ペルフルオロフェニル）アミノ）ペルフルオロインデン−１−イル）（ペンタフルオロピレニル）（ペルフルオロフェニル）（テトラフルオロフルオレニル）アルミネート］−／ジメチルシリルビス（テトラヒドロインデニル）ジクロリドジルコニウム
［Ｎ，Ｎ，Ｎ−（エチル）（メチル）（ｔ−ブチル）アンモニウム］＋［６−（（テトラシリルプロピル）（ペルフルオロフルオレニル）アミノ）ペルフルオロナフト−２−イル）（ペルフルオロフェニル）（ペルフルオロビフェニル）（ペンタフルオロアントラセニル）アルミネート］−／シラシクロブチル（テトラメチルシクロペンタジエニル）（ｎ−プロピルシクロペンタジエニル）ジメチルジルコニウム
［トリ−Ｎ−（メチルフェニル）アンモニウム］＋［７−（（プロピル）（ペルフルオロフェニル）アミノ）ペルフルオロナフト−２−イル）（ペルフルオロピレニル）（ペンタフルオロピレニル）（ペルフルオロビフェニル）アルミネート］−／ジメチルシリ（ビスインデニル）ジクロリドジルコニウム
［トリ−Ｎ−（ｔ−ブチル）アンモニウム］＋［７−（（メチルエチルヘキシルシリル）（ペルフルオロフルオレニル）アミノ）ペルフルオロナフト−２−イル）（ペンタフルオロピレニル）（ペルフルオロフルオレニル）（ペルフルオロフェニル）アルミネート］−／ジメチルシリ（ビスインデニル）ジクロリドジルコニウム
［Ｎ，Ｎ，Ｎ−（エチル）（ジオクチル）アンモニウム］＋［３’−（（シクロヘキシル）（ペルフルオロビフェニル）ホスフィノ）ペルフルオロビフェン−４−イル）ビス（ペルフルオロビフェニル）（２，３，５−トリフルオロフェニルアルミネート］−／ジフェニルメチル（フルオレニル）（シクロペンタジエニル）ジメチルジルコニウム
［Ｎ，Ｎ，Ｎ−（エチル）（メチル）（ｎ−ブチル）アンモニウム］＋［５−（（メチル）（ペルフルオロフェニル）ホスフィノ）ペルフルオロインデン−２−イル）（ペンタフルオロアントラセニル）（２’，３’，４’−トリフルオロビフェニル）（ペルフルオロフェニル）アルミネート］−／ジフェニルメチル（フルオレニル）（シクロペンタジエニル）ジメチルジルコニウム
［トリ−Ｎ−（ｔ−ブチル）アンモニウム］＋［６−（（２，２−ジメチルオクチル）（２，３，４−トリフルオロフェニル）ホスフィノ）フルオロナフト−３−イル）（ペンタフルオロアントラセニル）（５，６，７，８−テトラフルオロナフチル）（２’，３’，４’−トリフルオロビフェニル）アルミネート］−／ジメチルシリルビス（２−メチルベンズインデニル）ジメチルジルコニウム
［Ｎ，Ｎ−２，４，６−ペンタメチルアニリニウム］＋［６−（（イソプロピル）（ペルフルオロピレニル）アミノ）フルオロインデン−２−イル）ビス（２，３，６−トリフルオロフェニル）（ペルフルオロフェニルアルミネート］−／ジメチルシリルビス（フェニルメチルインデニル）ジメチルハフニウム
［Ｎ，Ｎ−ジ（ドデシル）アニリニウム］＋［６−（（ベンジル）（テトラフルオロフルオレニル）アミノ）ペルフルオロアントラセン−２−イル）（ペルフルオロフルオレニル）（４，５，６−トリフルオロナフチル）（５，６，７，８−テトラフルオロナフチル）アルミネート］−／ジメチルシリル（テトラメチルシクロペンタジエニル）（ドデシルアミド）ジヒドリドハフニウム
［Ｎ，Ｎ−ジ（ドデシル）アニリニウム］＋［７−（（トリ−ｎ−プロピルシリルヘキシル）（５，６，７，８−テトラフルオロナフチル）アミノ）ペルフルオロピレン−１−イル）（ペルフルオロフルオレニル）（２’，３’，５’−トリフルオロビフェニル）（４，５，６，７−テトラフルオロナフチル）アルミネート］−／ジメチルシリル ビス（フェニルメチルインデニル）ジメチルハフニウム
［Ｎ，Ｎ−ジメチルアニリニウム］＋［４−（（トリ−ｎ−プロピルシリルヘキシル）（ペルフルオロフェニル）アミノ）ペルフルオロフェニル）（ペルフルオロピレニル）（ペルフルオロフルオレニル）（ペンタフルオロアンタラセニル）アルミネート］−／ジメチルシリル（テトラメチルシクロペンタジエニル）（ドデシルアミド）ジヒドリドハフニウム
［Ｎ，Ｎ−ジ（ドデシル）アニリニウム］＋［４−（（エチル）（ペルフルオロビフェニル）ホスフィノ）フルオロフェン−１−イル）（４，５，７−トリフルオロナフチル）（ペルフルオロフルオレニル）（テトラフルオロフルオレニル）アルミネート］−／ジメチルシリル（テトラメチルシクロペンタジエニル）（ドデシルアミド）ジヒドリドハフニウム
［Ｎ，Ｎ−ジメチルアニリニウム］＋［７−（（ヘキシル）（２，３，４−トリフルオロフェニル）アミノ）ペルフルオロナフト−１−イル）（４，５，７−トリフルオロナフチル）（ペルフルオロフルオレニル）（２’，３’，５’−トリフルオロビフェニル）アルミネート］−／ジメチルシリルビス（ナフチルメチルインデニル）ジメチルハフニウム
［Ｎ，Ｎ−ジ（ドデシル）アニリニウム］＋［６−（（オクチル）（ペルフルオロフルオレニル）ホスフィノ）ペルフルオロナフト−３−イル）（テトラフルオロフルオレニル）（ペルフルオロビフェニル）（２’，３’，５’−トリフルオロビフェニル）アルミネート］−／テトラベンジルハフニウム
［Ｎ，Ｎ−２，４，６−ペンタメチルアニリニウム］＋［５−（（トリエチルシリル）（２’，３’，４’−トリフルオロビフェニル）ホスフィノ）ペルフルオロインデン−２−イル）（ペルフルオロフルオレニル）（２’，３’，４’−トリフルオロビフェニル）（５，６，７，８−テトラフルオロナフチル）アルミネート］−／（４−アルキル−１−フェニル）（４−ｔ−ブチル−１−フェニル）メチル（シクロペンタジエニル）（フルオレニル）ジメチルハフニウム
［Ｎ，Ｎ−ジエチルハフニウム］＋［６−（（トリエチルシリルプロピル）（ペルフルオロピレニル）アミノ）フルオロナフト−３−イル）（ペルフルオロナフチル）（ペルフルオロフルオレニル）（ペルフルオロアントラセニル）アルミネート］−／ジメチルシリルビス（フェニルメチルインデニル）ジメチルハフニウム
［Ｎ，Ｎ−２，４，６，−ペンタメチルアニリニウム］＋［５−（（メチルジエチルシリルオクチル）（ペルフルオロフェニル）アミノ）ペルフルオロインデン−１−イル）（ペルフルオロナフチル）（２，３，５−トリフルオロフェニル）（ペルフルオロアントラセニル）アルミネート］−／ジフェニルメチル（シクロペンタジエニル）（２，７−ジメチルフルオレニル）ジメチルハフニウム
［Ｎ，Ｎ−ジメチルアニリニウム］＋［８−（（シクロヘキシル）（ペルフルオロビフェニル）アミノ（フルオロピレン−２−イル）（ペルフルオロビフェニル）（２，３，６−トリフルオロフェニル）（ペルフルオロフルオレニル）アルミネート］−／ジメチルシリル（テトラメチルシクロペンタジエニル）（ドデシルアミド）ジヒドリドハフニウム
［Ｎ，Ｎ−ジメチルアニリニウム］＋［７−（（トリメチルシリル）（ペルフルオロアントラセニル）アルシノ）ペルフルオロナフト−２−イル）（ペルフルオロアントラセニル）（ペルフルオロビフェニル）（ペルフルオロフェニル）アルミネート］−／トリス（トリメチルシリルメチル）ジクロリドニオブ
［Ｎ−メチル−Ｎ−ドデシルアニリニウム］＋［６−（（トリメチルシリル）（ペルフルオロアントラセニル）アミノ）ペルフルオロフルオレン−２−イル）（ペンタフルオロアントラセニル）（ペルフルオロビフェニル）（４，５，７−トリフルオロナフチル）アルミネート］−／トリス（トリメチルシリルメチル）ジクロリドタンタル
［Ｎ，Ｎ−２，４，６、−ペンタメチルアニリニウム］＋［３−（（ヘキシル）（ペルフルオロアントラセニル）アミノ）ペルフルオロフェニル）（５，６，７，８−テトラフルオロナフチル）（４，５，６，７−テトラフルオロナフチル）（ペルフルオロビフェニル）アルミネート］−／トリス（トリメチルシリルメチル）ジクロリドタンタル
［Ｎ，Ｎ−ジエチルアニリニウム］＋［５−（（エチル）（ペルフルオロアントラセニル）ホスフィノ）ペルフルオロインデン−２−イル）ビス（２’，３’，５’−トリフルオロビフェニル）（２，３，５−トリフルオロフェニルアルミネート］−／テトラベンジルチタン
［Ｎ−メチル−Ｎ−ドデシルアニリニウム］＋［４’−（（ベンジル）（ペルフルオロフルオレニル）アミノ）ペルフルオロビフェン−３−イル）（ペルフルオロフェニル）（ペルフルオロアントラセニル）（テトラフルオロフルオレニル）アルミネート］−／ジメチルシリル（テトラメチルシクロペンタジエニル）（アダマンチル−１−アミノ）ジメチルチタン
［Ｎ，Ｎ−２，４，６，−ペンタメチルアニリニウム］＋［７−（（ｎ−ブチル）（ペルフルオロビフェニル）アミノ）ペルフルオロナフト−２−イル）（５，６，７，８−テトラフルオロナフチル）（テトラフルオロフルオレニル）（ペルフルオロフェニル）アルミネート］−／ジメチルシリル（テトラメチルシクロペンタジエニル）（アダマンチル−１−アミノ）ジメチルチタン
［Ｎ，Ｎ−２，４，６，−ペンタメチルアニリニウム］＋［５−（（ベンジル）（２，３，６−トリフルオロフェニル）アミノ）ペルフルオロインデン−２−イル）（ペルフルオロフェニル）（４，５，６，７−テトラフルオロナフチル）（２，３，５−トリフルオロフェニル）アルミネート］−／ペンタメチル シクロペンタジエニル トリベンジル チタン
［Ｎ，Ｎ−ジメチルアニリニウム］＋［５−（（メチルエチルヘキシルシリル）（２，３，５−トリフルオロフェニル）アルシノ）ペルフルオロナフト−２−イル）（ペルフルオロフェニル）（４，５，６，７−テトラフルオロナフチル）（ペルフルオロナフチル）アルミネート］−／ペンタメチル シクロペンタジエニル トリベンジル チタン
［Ｎ，Ｎ−２，４，６，−ペンタメチルアニリニウム］＋［７−（（ジエチルノニルシリル）（ペンタフルオロアントラセニル）ホスフィノ）ペルフルオロピレン−１−イル）（テトラフルオロフルオレニル）（２，３，６−トリフルオロフェニル）（２’，３’，５’−トリフルオロビフェニル）アルミネート］−／ジメチルシリル（テトラメチルシクロペンタジエニル）（ｔ−ブチルアミド）ジクロリドチタン
［Ｎ，Ｎ−ジエチルアニリニウム］＋［４’−（（イソプロピル）（ペルフルオロフェニル）ホスフィノ）ペルフルオロビフェン−３−イル）（テトラフルオロフルオレニル）（ペルフルオロフェニル）（ペルフルオロピレニル）アルミネート］−／ジメチルシリル（ビスインデニル）ジクロリドジルコニウム
［Ｎ，Ｎ−ジ（ドデシル）アニリニウム］＋［３−（（メチル）（ペルフルオロピレニル）アミノ）フルオロフェン−１−イル）（２’，３’，５’−トリフルオロビフェニル）（テトラフルオロフルオレニル）（ペルフルオロピレニル）アルミネート］−／シラシクロブチル（テトラメチルシクロペンタジエニル）（ｎ−プロピルシクロペンタジエニル）ジメチルジルコニウム
［Ｎ，Ｎ−ジエチルアニリニウム］＋［５−（（トリ−ｎ−プロピルシリルヘキシル）（ペルフルオロビフェニル）ホスフィノ）ペルフルオロナフト−１−イル）（ペルフルオロフェニル）（２，３，６−トリフルオロフェニル）（２’，３’，５’−トリフルオロビフェニル）アルミネート］−／ジフェニルメチル（フルオレニル）（シクロペンタジエニル）ジメチルジルコニウム
［Ｎ−メチル−Ｎ−ドデシルアニリニウム］＋［７−（（トリ−イソプロピルシリルオクチル）（ペルフルオロビフェニル）ホスフィノ）フルオロナフト−１−イル）（ペルフルオロフェニル）（４，５，７−トリフルオロナフチル）（ペルフルオロピレニル）アルミネート］−／（テトラメチルシクロペンタジエニル）（ｎ−プロピルシクロペンタジエニル）ジメチルジルコニウム
［Ｎ，Ｎ−２，４，６，−ペンタメチルアニリニウム］＋［６−（（トリ−イソプロピルシリルオクチル）（ペルフルオロナフチル）アミノ）ペルフルオロナフト−２−イル）（ペンタフルオロアントラセニル）（ペルフルオロフルオレニル）（ペルフルオロフェニル）アルミネート］−／ジメチルシリルビス（２−メチルベンズインデニル）ジメチルジルコニウム
［Ｎ，Ｎ−ジメチルアニリニウム］＋［７−（（エチル）（ペルフルオロアントラセニル）ホスフィノ）ペルフルオロナフト−１−イル）（５，６，７，８−テトラフルオロナフチル）（２，３，５−トリフルオロフェニル）（４，５，７−トリフルオロナフチル）アルミネート］−／（ペンタメチルシクロペンタジエニル）（シクロペンタジエニル）ジメチルジルコニウム
［Ｎ，Ｎ−ジメチルアニリニウム］＋［６−（（ｎ−ブチル）（ペルフルオロビフェニル）ホスフィノ）ペルフルオロナフト−１−イル）（ペンタフルオロアントラセニル）（ペルフルオロビフェニル）（ペルフルオロピレニル）アルミネート］−／テトラ（ビス（トリメチルシリルメチル））ジルコニウム
［Ｎ，Ｎ−２，４，６，−ペンタメチルアニリニウム］＋［５−（（メチルジエチルシリルオクチル）（ペルフルオロビフェニル）アミノ）ペルフルオロナフト−２−イル）（２，３，６−トリフルオロフェニル）（ペルフルオロフェニル）（４，５，７−トリフルオロナフチル）アルミネート］−／ジフェニルメチル（フルオレニル）（シクロペンタジエニル）ジメチルジルコニウム
［Ｎ，Ｎ−ジ（ドデシル）アニリニウム］＋［７−（（ブチル）（ペルフルオロナフチル）ホスフィノ）ペルフルオロピレン−２−イル）（ペルフルオロフェニル）（２，３，６−トリフルオロフェニル）（ペルフルオロピレニル）アルミネート］−／（テトラメチルシクロペンタジエニル）（ｎ−プロピルシクロペンタジエニル）ジメチルジルコニウム
［Ｎ，Ｎ−２，４，６，−ペンタメチルアニリニウム］＋［５−（（メチルエチルヘキシルシリル）（２，３，５−トリフルオロフェニル）アミノ）ペルフルオロナフト−２−イル）（ペルフルオロビフェニル）（ペルフルオロフルオレニル）（２，３，４−トリフルオロフェニル）アルミネート］−／（ペンタメチルシクロペンタジエニル）（シクロペンタジエニル）ジメチルジルコニウム
［トリ−Ｎ−（メチルフェニル）ホスホニウム］＋［７−（（シクロヘキシル）（ペルフルオロフェニル）アルシノ）ペルフルオロフルオレン−２−イル）（ペルフルオロフェニル）（４，５，６，７−テトラフルオロナフチル）（２’，３’，５’−トリフルオロビフェニル）アルミネート］−／オキソトリス（トリメチルシリルメチル）バナジウム
［トリ−Ｎ−（ｎ−ブチル）ホスホニウム］＋［７−（（メチルジエチルシリルオクチル）（ペルフルオロフルオレニル）ホスフィノ）ペルフルオロピレン−１−イル）ビス（ペンタフルオロピレニル）（ペンタフルオロアントラセニル）アルミネート］−／オキソトリス（トリメチルシリルメチル）バナジウム
［Ｎ，Ｎ，Ｎ−（ジメチル）（ｔ−ブチル）ホスホニウム］＋［６−（（トリ−ｎ−プロピルシリルヘキシル）（２，３，６−トリフルオロフェニル）アルシノ）ペルフルオロナフト−２−イル）（ペンタフルオロピレニル）（ペルフルオロフルオレニル）（４，５，７−トリフルオロナフチル）アルミネート］−／オキソトリス（トリメチルシリルメチル）バナジウム
［トリ−Ｎ−エチルホスホニウム］＋［４−（（トリエチルシリルエチル）（２’，３’，５’−トリフルオロフェニル）アミノ）フルオロフェン−１−イル）（ペルフルオロフルオレニル）（ペルフルオロナフチル）（ペルフルオロビフェニル）アルミネート］−／ジフェニルメチル（シクロペンタジエニル）（２，７−ジメチルフルオレニル）ジメチルハフニウム
［トリ−Ｎ−（ｎ−ブチル）ホスホニウム］＋［７−（（オクチル）（ペルフルオロビフェニル）アルシノ）フルオロインデン−２−イル）（ペルフルオロフェニル）（ペルフルオロピレニル）（ペルフルオロビフェニル）アルミネート］−／ジメチルシリルビスインデニルジメチルハフニウム
［Ｎ，Ｎ，Ｎ−（ジメチル）（ｔ−ブチル）ホスホニウム］＋［７−（（イソプロピル）（ペルフルオロフェニル）アミノ）ペルフルオロナフト−３−イル）ビス（２，３，５−トリフルオロフェニル）（４，５，６−トリフルオロナフチルアルミネート］−／ジフェニルメチル（シクロペンタジエニル）（フルオレニル）ジメチルハフニウム
［トリ−Ｎ−（ｔ−ブチル）ホスホニウム］＋［７−（（オクチル）（ペルフルオロピレニル）ホスフィノ）ペルフルオロインデン−２−イル）（ペルフルオロピレニル）（テトラフロオロフルオレニル）（４，５，６，７−テトラフルオロナフチル）アルミネート］−／ジメチルシリルビス（メチルインデニル）ジメチルハフニウム
［Ｎ，Ｎ，Ｎ−（エチル）（ジオクチル）ホスホニウム］＋［６−（（メチルエチルヘキシルシリル）（２，３，５−トリフルオロフェニル）アミノ）フルオロアントラセン−１−イル］（４，５，７−トリフルオロナフチル）（ペルフルオロフェニル）（２’，３’，４’−トリフルオロビフェニル）アルミネート］−／ジフェニルメチル（フルオレニル）（シクロペンタジエニル）ジメチルハフニウム
［Ｎ，Ｎ，Ｎ−（エチル）（メチル）（イソプロピル）ホスホニウム］＋［７−（（トリメチルシリル）（ペルフルオロフルオレニル）ホスフィノ）フルオロピレン−１−イル）ビス（ペンタフルオロピレニル）（ペンタフルオロアントラセニル）アルミネート］−／ジメチルシリ−ビスインデニルジメチルハフニウム
［トリ−Ｎ−（メチルフェニル）ホスホニウム］＋［７−（（プロピル）（２，３，６−トリフルオロフェニル）アミノ）ペルフルプロピレン−２−イル］ビス（５，６，７，８−テトラフルオロナフチル）（ペルフルオロフルオレニル）アルミネート］−／（４−アルキル−１−フェニル）（４−ｔ−ブチル−１−フェニル）メチル（シクロペンタジエニル）（フルオレニル）ジメチルハフニウム
［Ｎ，Ｎ，Ｎ−（ジメチル）（ｔ−ブチル）ホスホニウム］＋［８−（（ｎ−ブチル）（ペルフルオロフルオレニル）アミノ）ペルフルオロピレン−２−イル）（ペルフルオロフェニル）（４，５，６−トリフルオロナフチル）（テトラフルオロフロオレニル）アルミネート］−／ジフェニルメチル（フルオレニル）（シクロペンタジエニル）ジメチルハフニウム
［トリ−Ｎ−メチルホスホニウム］＋［６−（（ブチル）（ペルフルオロビフェニル）アミノ）ペルフルオロフルオレン−２−イル）−（テトラフロオロフルオレニル）（４，５，６，７−テトラフルオロナフチル）（ペルフルオロピレニル）アルミネート］−／ジメチルシリルビスインデニルジメチルハフニウム
［トリ−Ｎ−プロピルホスホニウム］＋［５−（（トリ−イソプロピルシリル）（ペルフルオロアントラセニル）フォスフィノ）ペルフルナフト−２−イル）（ペルフロオロナフチル）（ペルフルオロアントラセニル）（２’，３’，５’−トリフルオロビフェニル）アルミネート］−／ジフェニルメチル（シクロペンタジエニル）（２，７−ジメチルフルオレニル）ジメチルハフニウム
［Ｎ，Ｎ，Ｎ−（エチル）（メチル）（ｔ−ブチル）ホスホニウム］＋［７−（（エチル）（テトラフルオロフルオレニル）アミノ）ペルフルオロフルオレン−２−イル）（ペルフルオロフェニル）（ペルフルオロアントラセニル）（４，５，７−トリフルオロナフチル）アルミネート］−／ジメチルシリ−ビスインデニルジメチルハフニウム
［Ｎ，Ｎ，Ｎ−（エチル）（メチル）（イソプロピル）ホスホニウム］＋［７−（（ヘキシル）（ペルフルオロフェニル）アルシノ）ペルフルオロピレン−２−イル）（テトラフルオロフロオレニル）（２’，３’，４’−トリフルオロビフェニル）（ペンタフルオロピレニル）アルミネート］−／ジメチルシリ−ビスインデニルジメチルハフニウム
［トリ−Ｎ−メチルホスホニウム］＋［６−（（オクチル）（ペルフルオロピレニル）アルシノ）フルオロアントラセン−２−イル）（２’，３’，５’−トリフルオロビフェニル）（４，５，６，７−テトラフルオロナフチル）アルミネート］−／ジメチルシリルビス（フェニルメチルインデニル）ジメチルハフニウム
［Ｎ，Ｎ，Ｎ−（エチル）（メチル）（オクチル）ホスホニウム］＋［７−（（トリ−ｎ−プロピルシリルヘキシル）（２，３，５−トリフルオロフェニル）−アミノ）フルオロナフト−１−イル）（ペンタフルオロピレニル）（ペルフルオロアントラセニル）（２’，３’，５’−トリフルオロビフェニル）アルミネート］−／ジメチルシリ−ビスインデニルジメチルハフニウム
［Ｎ，Ｎ，Ｎ−（エチル）（メチル）（ｔ−ブチル）ホスホニウム］＋［６−（（トリ−イソプロピルシリル）（ペルフルオロフルオレニル）アミノ）ペルフルオロアントラセン−２−イル）（ペルフルオロビフェニル）（テトラフロオルフロオレニル）（２，３，５−トリフルオロフェニル）アルミネート］−／ジフェニルメチル（シクロペンタジエニル）（２，７−ジ−ｔ−ブチル−フルオレニル）ジメチルハフニウム
［Ｎ，Ｎ，Ｎ−（エチル）（メチル）（ｔ−ブチル）ホスホニウム］＋［７−（（エチル）（ペルフルオロアントラセニル）アミノ）ペルフルオロピレン−２−イル）ビス（ペルフルオロアントラセニル）（テトラフロオルフロオレニル）（２，３，５−トリフルオロフェニル）アルミネート］−／ジメチルシリルビスインデニルジメチルハフニウム
［トリ−Ｎ−（メチルフェニル）ホスホニウム］＋［８−（（トリエチルシリル）（ペルフルオロフェニル）アミノ）ペルフルプロピレン−２−イル）（ペルフルオロアントラセニル）（ペルフルオロビフェニル）（５，６，７，８−テトラフルオロナフチル）アルミネート］−／ジフェニルメチル（シクロペンタジエニル）（フルオレニル）ジメチルハフニウム
［Ｎ，Ｎ，Ｎ−（エチル）（ジオクチル）ホスホニウム］＋［６−（（メチルエチルヘキシルシリル）（ペルフルオロフェニル）アミノ）ペルフルオロアントラセン−１−イル）（４，５，７−トリフルオロナフチル）（ペルフルオロフェニル）（テトラフルオロフルオレニル）アルミネート］−／ジメチルシリル（テトラメチルシクロペンタジエニル）（ドデシルアミド）ジメチルハフニウム
［Ｎ，Ｎ，Ｎ−（エチル）（メチル）（ｔ−ブチル）ホスホニウム］＋［７−（（メチルエチルヘキシルシリル）（ペルフルオロビフェニル）アミノ）ペルフルオロピレン−２−イル）（ペルフルオロフェニル）（５，６，７，８−テトラフルオロナフチル）（ペルフルオロビフェニル）アルミネート］−／ジフェニルメチル（シクロペンタジエニル）（２，７−ジ−ｔ−フルオレニル）ジメチルハフニウム
［トリ−Ｎ−（メチルフェニル）ホスホニウム］＋［４’−（（ベンジル）（テトラフルオロフルオレニル）アミノ）ペルフルビフェン−４−イル）（ペンタフルオロアントラセニル）（４，５，６−トリラフルオロナフチル）（ペルフルオロフェニル）アルミネート］−／（４−アルキル−１−フェニル）（４−ｔ−ブチル−１−フェニル）メチル（シクロペンタジエニル）（フルオレニル）ジメチルハフニウム
［トリ−Ｎ−メチルホスホニウム］＋［７−（（３−エチルノニル）（ペルフルオロビフェニル）ホスフィノ）ペルフルオロピレン−１−イル）（４，５，７−トリフルオロナフチル）（ペルフルオロピレニル）（ペルフルオロフェニル）アルミネート］−／ジメチルシリルビス（フェニルメチルインデニル）ジメチルハフニウム
［Ｎ，Ｎ，Ｎ−（エチル）（メチル）（ｎ−ブチル）ホスホニウム］＋［５−（（ヘキシル）（２’，３’，５’−トリフルオロビフェニル）アミノ）ペルフルオロナフト−２−イル）（ペンタフルオロアントラセニル）（ペルフロオルアントラセニル）（４，５，６−トリフルオロナフチル）アルミネート］−／ジフェニルメチル（フルオレニル）（シクロペンタジエニル）ジメチルハフニウム
［トリ−Ｎ−プロピルホスホニウム］＋［８−（（トリ−イソプロピルシリル）（ペルフルオロナフチル）アミノ）フルオロナフト−３−イル）（ペルフルオロビフェニル）（２，３，４−テトラフルオロフェニル）（ペルフルオロピレニル）アルミネート］−／ジフェニルメチル（シクロペンタジエニル）（２，７−ジメチルフルオレニル）ジメチルハフニウム
［トリ−Ｎ−（ｎ−ブチル）ホスホニウム］＋［７−（（エチル）（４，５，７−トリフルオロナフチル）アミノ）ペルフルオロピレン−２−イル）（ペンタフルオロピレニル）（ペルフルオロフルオレニル）（ペルフルオロフェニル）アルミネート］−／ジフェニルメチル（シクロペンタジエニル）（２，７−ジメチルフルオレニル）ジメチルハフニウム
［Ｎ，Ｎ，Ｎ−（エチル）（メチル）（ｎ−ブチル）ホスホニウム］＋［７−（（トリエチルシリルエチル）（ペンタフルオロピレニル）アミノ）ペルフルオロインデン−２−イル）（ペルフルオロビフェニル）（ペンタフルオロアントラセニル）（ペルフルオロアントラセニル）アルミネート］−／ジフェニルメチル（シクロペンタジエニル）（２，７−ジメチルフルオレニル）ジメチルハフニウム
［Ｎ，Ｎ，Ｎ−（エチル）（ジオクチル）ホスホニウム］＋［６−（（ｎ−ブチル）（４，５，６−トリフルオロナフチル）アミノ）ペルフルオロフルオレン−１−イル）（ペルフルオロフェニル）（４，５，６−トリフルオロナフチル）（テトラフルオロフルオレニル）アルミネート］−／ジメチルシリルビス（メチルインデニル）ジメチルハフニウム
［トリ−Ｎ−エチルホスホニウム］＋［７−（（３−エチルノニル）（２，３，６−トリフルオロフェニル）アミノ）ペルフルオロナフト−１−イル）（４，５，７−トリフルオロナフチル）（ペルフルオロフェニル）（５，６，７，８−テトラフルオロナフチル）アルミネート］−／ジメチルシリルビス（フェニルメチルインデニル）ジメチルハフニウム
［Ｎ，Ｎ，Ｎ−（エチル）（メチル）（イソプロピル）ホスホニウム］＋［３−（（ベンジル）（ペルフルオロフェニル）アミノ）ペルフルオロフェニル）（５，６，７，８−テトラフルオロナフチル）（２，３，５−トリフルオロフェニル）（テトラフルオロフルオレニル）アルミネート］−／ジメチルシリル（テトラメチルシクロペンタジエニル）（ドデシルアミド）ジヒドリドハフニウム
［Ｎ，Ｎ，Ｎ−（エチル）（メチル）（イソプロピル）ホスホニウム］＋［７−（（ジエチルノニルシリル）（ペルフルオロビフェニル）ホスフィノ）ペルフルオロナフト−２−イル）（ペンタフルオロピレニル）（２’，３’，５’−トリフルオロビフェニル）（ペルフルオロアントラセニル）アルミネート］−／ジメチルシリル（テトラメチルシクロペンタジエニル）（ドデシルアミド）ジメチルハフニウム
［Ｎ，Ｎ，Ｎ−（エチル）（ジオクチル）ホスホニウム］＋［７−（（トリ−ｎ−プロピルシリル）（ペルフルオロフルオレニル）アルシノ）ペルフルオロナフト−３−イル）（ペルフルオロビフェニル）（ペルフルオロフェニル）（２，３，５−トリフルオロフェニル）アルミネート］−／テトラベンジルフニウム
［トリ−Ｎ−（ジメチルフェニル）ホスホニウム］＋［７−（（トリエチルシリル）（ペルフルオロビフェニル）アミノ）ペルフルオロピレン−１−イル）（ペルフルオロビフェニル）（ペルフルオロナフチル）（ペルフルオロピレニル）アルミネート］−／ジフェニルメチル（シクロペンタジエニル）（２，７−ジ−ｔ−ブチル−フルオレニル）ジメチルハフニウム
［Ｎ，Ｎ，Ｎ−（エチル）（メチル）（ｎ−ブチル）ホスホニウム］＋［４−（（トリエチルシリルエチル）（ペンタフルオロアントラセニル）アミノ）ペルフルオロフェニル）（５，６，７，８−テトラフルオロナフチル）（２，３，５−トリフルオロフェニル）（ペルフルオロピレニル）アルミネート］−／（４−アルキル−１−フェニル）（４−ｔ−ブチル−１−フェニル）メチル（シクロペンタジエニル）（フルオレニル）ジメチルハフニウム
［トリ−Ｎ−（ｔ−ブチル）ホスホニウム］＋［４’−（（ブチル）（２，３，６−トリフルオロフェニル）アルシノ）ペルフルオロビフェン−３−イル）（ペルフルオロアントラセニル）（ペルフルオロピレニル）（２，３，５−トリフルオロフェニル）アルミネート］−／ジメチルシリル（テトラメチルシクロペンタジエニル）（ドデシルアミド）ジメチルハフニウム
［Ｎ，Ｎ，Ｎ−（ジメチル）（ｔ−ブチル）ホスホニウム］＋［６−（（プロピル）（ペルフルオロフェニル）アミノ）ペルフルオロフルオレン−２−イル）（ペルフルオロアントラセニル）（ペルフルオロナフチル）（２’，３’，５’−トリフルオロビフェニル）アルミネート］−／ジフェニルメチル（シクロペンタジエニル）（２，７−ジ−ｔ−ブチル−フルオレニル）ジメチルハフニウム
［トリ−Ｎ−オクチルホスホニウム］＋［６−（（トリエチルシリル）（ペルフルオロビフェニル）アミノ）ペルフルオロアントラセン−１−イル）（４，５，７−トリフルオロナフチル）（ペルフルオロフェニル）（ペンタフルオロピレニル）アルミネート］−／ジフェニルメチル（シクロペンタジエニル）（２，７−ジ−ｔ−ブチル−フルオレニル）ジメチルハフニウム
［トリ−Ｎ−（ジメチルフェニル）ホスホニウム］＋［５−（（ヘキシル）（ペルフルオロビフェニル）アミノ）ペルフルオロインデン−１−イル）（ペルフルオロアントラセニル）（ペルフルオロフルオレニル）（５，６，７，８−テトラフルオロナフチル）アルミネート］−／ジメチルシリル（テトラメチルシクロペンタジエニル）（ドデシルアミド）ジメチルハフニウム
［Ｎ，Ｎ，Ｎ−（エチル）（メチル）（イソプロピル）ホスホニウム］＋［６−（（ブチル）（ペルフルオロフェニル）アミノ）フルオロナフト−１−イル）（ペルフルオロビフェニル）（ペンタフルオロピレニル）（ペンタフルオロアントラセニル）アルミネート］−／トリス（トリメチルシリルメチル）ジクロリドニオブ
［Ｎ，Ｎ，Ｎ−（ジメチル）（ｔ−ブチル）ホスホニウム］＋［８−（（トリエチルシリルエチル）（２’，３’，５’−トリフルオロビフェニル）アミノ）ペルフルオロナフト−３−イル）（テトラフルオロフルオレニル）（２，３，４−トリフルオロフェニル）（ペルフルオロナフチル）アルミネート］−／トリス（トリメチルシリルメチル）ジクロリドタンタル
［トリ−Ｎ−メチルホスホニウム］＋［７−（（ノニル）（ペルフルオロビフェニル）ホスフィノ）ペルフルオロフルオレン−２−イル）（ペルフルオロアントラセニル）（ペルフルオロピレニル）（２’，３’，５’−トリフルオロビフェニル）アルミネート］−／トリス（トリメチルシリルメチル）ジクロリドタンタル
［Ｎ，Ｎ，Ｎ−（ジメチル）（ｔ−ブチル）ホスホニウム］＋［７−（（ジエチルノニルシリル）（ペルフルオロピレニル）アミノ）ペルフルオロナフト−１−イル）（４，５，６−トリフルオロナフチル）（２，３，５−トリフルオロフェニル）（５，６，７，８−テトラフルオロナフチル）アルミネート］−／ビス（ヘキサメチルジシリド）ジメチルチタン
［Ｎ，Ｎ，Ｎ−（エチル）（メチル）（オクチル）ホスホニウム］＋［６−（（トリエチルシリルエチル）（ペルフルオロフェニル）アミノ）ペルフルオロナフト−２−イル）（ペルフルオロビフェニル）（２’，３’，５’−トリフルオロビフェニル）（ペルフルオロフェニル）アルミネート］−／ペンタメチルシクロペンタジエニルトリメチルチタン
［Ｎ，Ｎ，Ｎ−（エチル）（メチル）（ｔ−ブチル）ホスホニウム］＋［４’−（（トリエチルシリルエチル）（ペルフルオロフェニル）アミノ）ペルフルオロビフェン−４−イル）（ペルフルオロアントラセニル）（ペルフルオロビフェニル）アルミネート］−／ペンタメチルシクロペンタジエニルイソプロポキシドチタン
［Ｎ，Ｎ，Ｎ−（エチル）（ジオクチル）ホスホニウム］＋［７−（（シクルヘキシル）（ペンタフルオロアントラセニル）ホスフィノ）ペルフルオロナフト−２−イル）（ペルフルオロビフェニル）（ペルフルオロフルオレニル）（ペルフルオロナフチル）アルミネート］−／ジメチルシリル（テトラメチルシクロペンタジエニル）（ｔｅｒｔ−ブチルアミド）ジクロリドチタン
［Ｎ，Ｎ，Ｎ−（エチル）（メチル）（ｔ−ブチル）ホスホニウム］＋［６−（（トリ−ｎ−プロピルシリルヘキシル）（ペルフルオロフルオレニル）ホスフィノ）ペルフルオロアントラセン−２−イル）（ペルフルオロフェニル）（ペルフルオロナフチル）（２’，３’，５’−トリフルオロビフェニル）アルミネート］−／ビス（ヘキサメチルジシリド）ジメチルチタン
［トリ−Ｎ−（メチルフェニル）ホスホニウム］＋［７−（（ｎ−ブチル）（５，６，７，８−フルオロナフチル）アミノ）フルオロナフト−２−イル）（ペルフルオロフェニル）（２’，３’，５’−トリフルオロビフェニル）（ペルフルオロナフチル）アルミネート］−／ペンタメチルシクロペンタジエニルイソプロポキシドチタン
［Ｎ，Ｎ，Ｎ−（エチル）（メチル）（ｔ−ブチル）ホスホニウム］＋［７−（（２，２−ジメチルオクチル）（ペルフルオロアントラセニル）ホスフィノ）ペルフルオロナフト−２−イル）（ペルフルオロフェニル）（２，３，６−トリフルオロフェニル）（ペンタフルオロアントラセニル）アルミネート］−／ジメチルシリル（テトラメチルシクロペンタジエニル）（ｔｅｒｔ−ブチルアミド）ジクロリドチタン
［Ｎ，Ｎ，Ｎ−（エチル）（メチル）（ｔ−ブチル）ホスホニウム］＋［６−（（オクチル）（２’，３’，４’−トリフルオロビフェニル）アミノ）ペルフルオロフルオレン−１−イル）（ペルフルオロビフェニル）（２，３，５−トリフルオロフェニル）（４，５，７−トリフルオロアントラセニル）アルミネート］−／ジメチルシリル（テトラメチルシクロペンタジエニル）（アダマンチル−１−アミノ）ジメチルチタン
［Ｎ，Ｎ，Ｎ−（エチル）（メチル）（ｔ−ブチル）ホスホニウム］＋［７−（（イソプロピル）（ペンタフルオロピレニル）アミノ）ペルフルオロナフト−１−イル）（ペルフルオロピレニル）（ペンタフルオロアントラセニル）（４，５，６−トリフルオロナフチル）アルミネート］−／ペンタメチルシクロペンタジエニルイソプロポキシドチタン
［トリ−Ｎ−エチルホスホニウム］＋［６−（（メチル）（ペルフルオロビフェニル）アミノ）ペルフルオロフルオレン−２−イル）（ペルフルオロフェニル）（４，５，６−トリフルオロナフチル）（４，５，７−トリフルオロナフチル）アルミネート］−／ジメチルシリル（テトラメチルシクロペンタジエニル）（アダマンチル−１−アミノ）ジメチルチタン
［Ｎ，Ｎ，Ｎ−（エチル）（メチル）（イソプロピル）ホスホニウム］＋［７−（（２，２−ジメチルオクチル）（ペルフルオロフェニル）アミノ）ペルフルオロアントラセン−１−イル）（ペルフルオロビフェニル）（ペンタフルオロピレニル）（ペンタフルオロアントラセニル）アルミネート］−／ペンタメチルシクロペンタジエニルトリベンジルチタン
［トリ−Ｎ−メチルホスホニウム］＋［６−（（ジエチルノニルシリル）（２，３，４−トリフルオロフェニル）アミノ）ペルフルオロフルオレン−１−イル）（ペルフルオロアントラセニル）（ペルフルオロビフェニル）（４，５，７−トリフルオロナフチル）アルミネート］−／ペンタメチルシクロペンタジエニルトリメチルチタン
［Ｎ，Ｎ，Ｎ−（エチル）（ジオクチル）ホスホニウム］＋［６−（（ノニル）（ペンタフルオロアントラセニル）アミノ）ペルフルオロナフト−１−イル）（ペルフルオロピレニル）（４，５，６−トリフルオロナフチル）（４，５，７−トリフルオロナフチル）アルミネート］−／ビス（ヘキサメチルジシリド）ジメチルチタン
［Ｎ，Ｎ，Ｎ−（エチル）（ジオクチル）ホスホニウム］＋［８−（（トリエチルシリルエチル）（ペルフルオロナフチル）アルシノ）ペルフルオロピレン−２−イル）（２，３，６−トリフルオロフェニル）（ペルフルオロフェニル）（４，５，６，７−テトラフルオロナフチル）アルミネート］−／ペンタメチルシクロペンタジエニルイソプロポキシドチタン
［トリ−Ｎ−メチルホスホニウム］＋［７−（（メチルエチルヘキシルシリル）（ペルフルオロフルオレニル）アミノ）ペルフルオロアントラセン−１−イル）（ペルフルオロアントラセニル）（ペルフルオロフェニル）（ペンタフルオロアントラセニル）アルミネート］−／ペンタメチルシクロペンタジエニルトリメチルチタン
［Ｎ，Ｎ，Ｎ−（エチル）（メチル）（オクチル）ホスホニウム］＋［６−（（メチル）（２’，３’，５’−トリフルオロビフェニル）アミノ）ペルフルオロアントラセン−１−イル）（ペルフルオロフェニル）（４，５，７−トリフルオロナフチル）（２’，３’，５’−トリフルオロビフェニル）アルミネート］−／ペンタメチルシクロペンタジエニルイソプロポキシドチタン
［トリ−Ｎ−プロピルホスホニウム］＋［７−（（２，２−ジメチルオクチル）（ペルフルオロフルオレニル）ホスフィノ）ペルフルオロピレン−２−イル）（５，６，７，８−テトラフルオロナフチル）（２，３，５−トリフルオロフェニル）（ペルフルオロビフェニル）アルミネート］−／ジメチルシリル（テトラメチルシクロペンタジエニル）（アダマンチル−１−アミノ）ジメチルチタン
［Ｎ，Ｎ，Ｎ−（エチル）（メチル）（オクチル）ホスホニウム］＋［４’−（（メチルジエチルシリルオクチル）（ペルフルオロフェニル）アミノ）ペルフルオロビフェン−４−イル）（ペンタフルオロピレニル）（ペルフルオロナフチル）アルミネート］−／ジメチルシリル（テトラメチルシクロペンタジエニル）（ｔｅｒｔ−ブチルアミド）ジクロリドチタン
［Ｎ，Ｎ，Ｎ−（エチル）（メチル）（イソプロピル）ホスホニウム］＋［７−（（プロピル）（ペルフルオロビフェニル）アミノ）ペルフルオロピレン−１−イル）（ペルフルオロビフェニル）（４，５，６，７−テトラフルオロナフチル）（ペルフルオロピレニル）アルミネート］−／ビス（１，３−ジブチル−メチル−シクロペンタジエニル）ジメチルジルコニウム
［Ｎ，Ｎ，Ｎ−（エチル）（メチル）（ｔ−ブチル）ホスホニウム］＋［７−（（ベンジル）（２’，３’，５’−トリフルオロビフェニル）アミノ）ペルフルオロナフト−１−イル）（ペルフルオロアントラセニル）（２’，３’，５’−トリフルオロビフェニル）（ペルフルオロビフェニル）アルミネート］−／ジメチルシリル（テトラメチルシクロペンタジエニル）（ｔｅｒｔ−ブチルアミド）ジメチルジルコニウム
［トリ−Ｎ−（ジメチルフェニル）ホスホニウム］＋［７−（（メチルエチルヘキシルシリル）（ペルフルオロビフェニル）アミノ）ペルフルオロナフト−１−イル）（４，５，７−トリフルオロナフチル）（２，３，６−トリフルオロフェニル）（ペルフルオロアントラセニル）アルミネート］−／ジメチルシリル（テトラメチルシクロペンタジエニル）（ｔｅｒｔ−ブチルアミド）ジメチルジルコニウム
［トリ−Ｎ−（ジメチルフェニル）ホスホニウム］＋［３’−（（３−エチルノニル）（ペルフルオロアントラセニル）ホスフィノ）ペルフルオロビフェン−４−イル）（２，３，５−トリフルオロフェニル）（ペルフルオロフェニル）（ペルフルオロフルオレニル）アルミネート］−／テトラ（ビス（トリメチルシリルメチル））ジルコニウム
［Ｎ，Ｎ，Ｎ−（エチル）（メチル）（ｎ−ブチル）ホスホニウム］＋［５−（（トリエチルシリル）（４，５，７−トリフルオロナフチル）ホスフィノ）ペルフルオロナフト−２−イル）（ペンタフルオロアントラセニル）（４，５，７−トリフルオロナフチル）（ペルフルオロビフェニル）アルミネート］−／ジメチルシリルビス（テトラハイドロインデニル）ジクロリドジルコニウム
［トリ−Ｎ−メチルホスホニウム］＋［７−（（メチル）（５，６，７，８−テトラフルオロナフチル）ホスフィノ）ペルフルオロフルオレン−１−イル）ビス（ペルフルオロアントラセニル）（ペルフルオロフルオレニル）アルミネート］−／（ペンタメチルシクロペンタジエニル）（シクロペンタジエニル）ジメチルジルコニウム
［Ｎ，Ｎ，Ｎ−（エチル）（メチル）（イソプロピル）ホスホニウム］＋［６−（（イソプロピル）（ペルフルオロフルオレニル）ホスフィノ）ペルフルオロインデン−２−イル）（ペンタフルオロアントラセニル）（５，６，７，８−テトラフルオロナフチル）（ペンタフルオロピレニル）アルミネート］−／ジメチルシリルビス（２−メチルベンズインデニル）ジメチルジルコニウム
［Ｎ，Ｎ，Ｎ−（エチル）（メチル）（ｔ−ブチル）ホスホニウム］＋［５−（（トリ−ｎ−プロピルシリルヘキシル）（ペルフルオロフェニル）ホスフィノ）ペルフルオロナフト−２−イル）（ペルフルオロフルオレニル）（ペルフルオロナフチル）（ペルフルオロフェニル）アルミネート］−／シラシクロブチル（テトラメチルシクロペンタジエニル）（ｎ−プロピルシクロペンタジエニル）ジメチルジルコニウム
［Ｎ，Ｎ，Ｎ−（エチル）（ジオクチル）ホスホニウム］＋［７−（（トリ−ｎ−プロピルシリルヘキシル）（ペンタフルオロアントラセニル）アミノ）ペルフルオロアントラセン−１−イル）（ペルフルオロビフェニル）（４，５，６，７−テトラフルオロナフチル）（２，３，５−トリフルオロフェニル）アルミネート］−／（ペンタメチルシクロペンタジエニル）（シクロペンタジエニル）ジメチルジルコニウム
［トリ−Ｎ−メチルホスホニウム］＋［６−（（イソプロピル）（ペルフルオロアントラセニル）ホスフィノ）ペルフルオロアントラセン−２−イル）（ペルフルオロフルオレニル）（２’，３’，５’−トリフルオロビフェニル）（テトラフルオロフルオレニル）アルミネート］−／ジフェニルメチル（フルオレニル）（シクロペンタジエニル）ジメチルジルコニウム
［Ｎ，Ｎ，Ｎ−（エチル）（メチル）（ｎ−ブチル）ホスホニウム］＋［７−（（エチル）（ペルフルオロフェニル）アミノ）ペルフルオロフルオレン−１−イル）（５，６，７，８−テトラフルオロナフチル）（２，３，６−トリフルオロフェニル）（ペルフルオロフルオレニル）アルミネート］−／ビス（１，３−ジブチルメチルシクロペンタジエニル）ジメチルジルコニウム
［トリ−Ｎ−（メチルフェニル）ホスホニウム］＋［６−（（プロピル）（２，３，４−トリフルオロフェニル）アミノ）ペルフルオロナフト−２−イル）（ペンタフルオロアントラセニル）（４，５，６−トリフルオロナフチル）（ペルフルオロフェニル）アルミネート］−／ジフェニルメチル（フルオレニル）（シクロペンタジエニル）ジメチルジルコニウム
［トリ−Ｎ−（ジメチルフェニル）ホスホニウム］＋［６−（（３−エチルノニル）（ペルフルオロビフェニル）アミノ）ペルフルオロインデン−２−イル）（テトラフルオロフルオレニル）（５，６，７，８−テトラフルオロナフチル）（ペルフルオロフェニル）アルミネート］−／ジフェニルメチル（フルオレニル）（シクロペンタジエニル）ジメチルジルコニウム
［Ｎ，Ｎ，Ｎ−（エチル）（メチル）（イソプロピル）ホスホニウム］＋［６−（（ジエチルノニルシリル）（２，３，５−トリフルオロフェニル）アミノ）ペルフルオロインデン−２−イル）（ペルフルオロビフェニル）（テトラフルオロフルオレニル）（ペルフルオロフルオレニル）アルミネート］−／（テトラメチルシクロペンタジエニル）（ｎ−プロピルシクロペンタジエニル）ジメチルジルコニウム
［Ｎ，Ｎ，Ｎ−（エチル）（メチル）（ｎ−ブチル）ホスホニウム］＋［３−（（メチルジエチルシリルオクチル）（ペルフルオロビフェニル）アミノ）ペルフルオロフェニル）（テトラフルオロフルオレニル）（ペンタフルオロアントラセニル）（ペンタフルオロピレニル）アルミネート］−／（ペンタメチルシクロペンタジエニル）（シクロペンタジエニル）ジメチルジルコニウム
［トリ−Ｎ−エチルホスホニウム］＋［６−（（ノニル）（ペルフルオロピレニル）ホスフィノ）ペルフルオロナフト−１−イル）ビス（ペンタフルオロピレニル）（テトラフルオロフルオレニル）アルミネート］−／ビス（１，３−ジブチルメチルシクロペンタジエニル）ジメチルジルコニウム
［トリ−Ｎ−（ジメチルフェニル）ホスホニウム］＋［６−（（シクロヘキシル）（ペルフルオロアントラセニル）アミノ）ペルフルオロフルオレン−１−イル）（ペルフルオロビフェニル）（ペルフルオロピレニル）（ペンタフルオロピレニル）アルミネート］−／テトラ（ビス（トリメチルシリルメチル））ジルコニウム
［トリ−Ｎ−エチルホスホニウム］＋［５−（（２，２−ジメチルオクチル）（ペンタフルオロアントラセニル）アミノ）ペルフルオロナフト−３−イル）（４，５，７−トリフルオロナフチル）（テトラフルオロフルオレニル）（ペルフルオロフェニル）アルミネート］−／ジフェニルメチル（フルオレニル）（シクロペンタジエニル）ジメチルジルコニウム
［トリ−Ｎ−（メチルフェニル）ホスホニウム］＋［６−（（メチルエチルヘキシルシリル）（２’，３’，５’−トリフルオロビフェニル）アミノ）ペルフルオロフルオレン−２−イル）（ペルフルオロフェニル）（ペルフルオロビフェニル）（２’，３’，５’−トリフルオロビフェニル）アルミネート］−／テトラ（ビス（トリメチルシリルメチル））ジルコニウム
［Ｎ，Ｎ，Ｎ−（エチル）（メチル）（イソプロピル）ホスホニウム］＋［７−（（ヘキシル）（４，５，６−トリフルオロナフチル）アミノ）ペルフルオロピレン−１−イル）（４，５，７−トリフルオロナフチル）（ペルフルオロビフェニル）（ペルフルオロアントラセニル）アルミネート］−／テトラブチルジルコニウム
［トリ−Ｎ−メチルホスホニウム］＋［６−（（トリエチルシリルプロピル）（４，５，７−トリフルオロナフチル）ホスフィノ）ペルフルオロナフト−２−イル）（ペルフルオロナフチル）（ペルフルオロビフェニル）（２’，３’，４’−トリフルオロビフェニル）アルミネート］−／ジメチルシリ（ビスインデニル）ジクロリドジルコニウム
［トリ−Ｎ−メチルホスホニウム］＋［５−（（オクチル）（テトラフルオロフルオレニル）アミノ）ペルフルオロインデン−１−イル）（４，５，６−トリフルオロナフチル）（ペルフルオロナフチル）（ペルフルオロビフェニル）アルミネート］−／ジメチルシリ（ビスインデニル）ジクロリドジルコニウム
［トリチル］＋［７−（（トリエチルシリルエチル）（２，３，４−トリフルオロフェニル）アミノ）ペルフルオロナフト−２−イル）（ペルフルオロフルオレニル）（４，５，７−トリフルオロナフチル）（ペルフルオロビフェニル）アルミネート］−／ジメチルシリル（ビスフェニルメチルインデニル）ジメチルハフニウム
［トリチル］＋［４’−（（ジエチルノニルシリル）（テトラフルオロフルオレニル）アミノ）ペルフルオロビフェン−４−イル）（ペルフルオロナフチル）（ペルフルオロフェニル）（４，５，６−トリフルオロナフチル）アルミネート］−／ジフェニルメチル（シクロペンタジエニル）（２，７−ジメチルフルオレニル）ジメチルハフニウム
［トリチル］＋［５−（（ｎ−ブチル）（４，５，６，７−テトラフルオロナフチル）アミノ）ペルフルオロナフト−１−イル）（ペルフルオロフェニル）（ペルフルオロビフェニル）（２’，３’，５’−トリフルオロビフェニル）アルミネート］−／ジフェニルメチル（シクロペンタジエニル）（フルオレニル）ジメチルハフニウム
［トリチル］＋［５−（（トリエチルシリルプロピル）（ペルフルオロフェニル）アミノ）フルオロナフト−２−イル）（ペルフルオロピレニル）（ペルフルオロビフェニル）（ペンタフルオロアントラセニル）アルミネート］−／テトラベンジルチタン
［トリチル］＋［７−（（ヘキシル）（ペルフルオロフェニル）アミノ）ペルフルオロピレン−２−イル）（ペルフルオロフェニル）（ペルフルオロナフチル）（ペルフルオロフルオレニル）アルミネート］−／ジメチルシリル（テトラメチルシクロペンタジエニル）（アダマンチル−１−アミノ）ジメチルチタン
［トリ−Ｎ−オクチルアンモニウム］＋［７−（（オクチル）（４，５，７−トリフルオロナフチル）ホスフィノ）ペルフルオロアントラセン−１−イル）（テトラフルオロフルオレニル）（４，５，６，７−テトラフルオロナフチル）（２，３，４−トリフルオロフェニル）ボラート］−／オキソトリス（トリメチルシリルメチル）バナジウム
［トリ−Ｎ−メチルアンモニウム］＋［６−（（トリ−イソプロピルシリル）（ペルフルオロアントラセニル）アルシノ）ペルフルオロフルオレン−２−イル）（４，５，７−トリフルオロナフチル）（ペルフルオロフルオレニル）（ペルフルオロピレニル）ボラート］−／オキソトリス（トリメチルシリルメチル）バナジウム
［トリ−Ｎ−（メチルフェニル）アンモニウム］＋［４’−（（ジエチルノニルシリル）（テトラフルオロフルオレニル）アミノ）ペルフルオロビフェン−３−イル）（ペンタフルオロアントラセニル）（ペルフルオロピレニル）（ペルフルオロフルオレニル）ボラート］−／オキソトリス（トリメチルシリルメチル）バナジウム
［トリ−Ｎ−オクチルアンモニウム］＋［６−（（シクロヘキシル）（ペルフルオロビフェニル）アミノ）ペルフルオロアントラセン−１−イル）（ペルフルオロビフェニル）（４，５，６−トリフルオロナフチル）（ペルフルオロアントラセニル）ボラート］−／オキソトリス（トリメチルシリルメチル）バナジウム
［Ｎ，Ｎ，Ｎ−（エチル）（ジオクチル）アンモニウム］＋［７−（（シクロヘキシル）（４，５，６−トリフルオロナフチル）アミノ）ペルフルオロナフト−３−イル）（２，３，５−トリフルオロフェニル）（ペルフルオロナフチル）（ペルフルオロフルオレニル）ボラート］−／オキソトリス（トリメチルシリルメチル）バナジウム
［トリ−Ｎ−プロピルアンモニウム］＋［６−（（シクロヘキシル）（２，３，４−トリフルオロフェニル）アミノ）ペルフルオロアントラセン−１−イル）（５，６，７，８−テトラフルオロナフチル）（ペルフルオロアントラセニル）（４，５，７−トリフルオロナフチル）ボラート］−／オキソトリス（トリメチルシリルメチル）バナジウム
［トリ−Ｎ−エチルアンモニウム］＋［５−（（ジエチルノニルシリル）（ペルフルオロビフェニル）アミノ）ペルフルオロナフト−３−イル）ビス（４，５，６−トリフルオロナフチル）（ペルフルオロナフチル）ボラート］−／ジフェニルメチル（フルオレニル）（シクロペンタジエニル）ジメチルハフニウム
［Ｎ，Ｎ，Ｎ−（エチル）（メチル）（オクチル）アンモニウム］＋［７−（（エチル）（ペルフルオロピレニル）アミノ）ペルフルオロアントラセン−１−イル）（ペンタフルオロピレニル）（２’，３’，４’−トリフルオロビフェニル）（２，３，４−トリフルオロフェニル）ボラート］−／ジメチルシリル（テトラメチルシクロペンタジエニル）（ドデシルアミド）ジヒドリドハフニウム
［Ｎ，Ｎ，Ｎ−（ジメチル）（ｔ−ブチル）アンモニウム］＋［７−（（２，２−ジメチルオクチル）（ペルフルオロピレニル）アミノ）ペルフルオロピレン−１−イル）（ペルフルオロフェニル）（２’，３’，４’−トリフルオロビフェニル）（４，５，７−トリフルオロナフチル）ボラート］−／ジメチルシリルビス（メチルインデニル）ジメチルハフニウム
［Ｎ，Ｎ，Ｎ−（エチル）（メチル）（イソプロピル）アンモニウム］＋［６−（（メチルジエチルシリルオクチル）（ペルフルオロビフェニル）アルシノ）ペルフルオロナフト−３−イル）（ペルフルオロピレニル）（２，３，６−トリフルオロフェニル）（ペンタフルオロピレニル）ボラート］−／ジメチルシリル（テトラメチルシクロペンタジエニル）（ドデシルアミド）ジヒドリドハフニウム
［トリ−Ｎ−（ジメチルフェニル）アンモニウム］＋［６−（（トリ−ｎ−プロピルシリル）（２’，３’，５’−トリフルオロビフェニル）アミノ）ペルフルオロナフト−３−イル）（ペルフルオロビフェニル）（２，３，４−トリフルオロフェニル）（４，５，６，７−テトラフルオロナフチル）ボラート］−／ジフェニルメチル（フルオレニル）（シクロペンタジエニル）ジメチルハフニウム
［トリ−Ｎ−メチルアンモニウム］＋［５−（（２，２−ジメチルオクチル）（ペルフルオロピレニル）アミノ）ペルフルオロインデン−２−イル）（ペルフルオロフェニル）（４，５，６−トリフルオロナフチル）（テトラフルオロフルオレニル）ボラート］−／ジフェニルメチル（フルオレニル）（シクロペンタジエニル）ジメチルハフニウム
［Ｎ，Ｎ，Ｎ−（エチル）（メチル）（ｎ−ブチル）アンモニウム］＋［４−（（メチルエチルヘキシルシリル）（ペルフルオロフェニル）アミノ）ペルフルオロフェニル）（テトラフルオロフルオレニル）（４，５，７−トリフルオロナフチル）（ペンタフルオロピレニル）ボラート］−／ジメチルシリルビスインデニルジメチルハフニウム
［Ｎ，Ｎ，Ｎ−（エチル）（ジオクチル）アンモニウム］＋［３−（（メチルジエチルシリルオクチル）（４，５，６−トリフルオロナフチル）アミノ）ペルフルオロフェニル）（ペルフルオロフルオレニル）（ペルフルオロビフェニル）（ペルフルオロピレニル）ボラート］−／ジメチルシリルビス（メチルインデニル）ジメチルハフニウム
［トリ−Ｎ−（ｎ−ブチル）アンモニウム］＋［５−（（メチルエチルヘキシルシリル）（ペルフルオロピレニル）アミノ）ペルフルオロインデン−１−イル）（ペルフルオロフルオレニル）（ペルフルオロフェニル）（２’，３’，５’−トリフルオロビフェニル）ボラート］−／ジフェニルメチル（シクロペンタジエニル）（フルオレニル）ジメチルハフニウム
［Ｎ，Ｎ，Ｎ−（エチル）（メチル）（ｎ−ブチル）アンモニウム］＋［７−（（メチルエチルヘキシルシリル）（ペルフルオロフェニル）アミノ）ペルフルオロナフト−２−イル）（ペルフルオロアントラセニル）（２’，３’，４’−トリフルオロビフェニル）（ペルフルオロビフェニル）ボラート］−／ジメチルシリルビス（メチルインデニル）ジメチルハフニウム
［トリ−Ｎ−（メチルフェニル）アンモニウム］＋［７−（（プロピル）（ペルフルオロビフェニル）アミノ）フルオロピレン−２−イル）ビス（ペルフルオロビフェニル）（ペルフルオロナフチル）ボラート］−／ジメチルシリルビス（メチルインデニル）ジメチルハフニウム
［トリ−Ｎ−オクチルアンモニウム］＋［５−（（トリエチルシリルプロピル）（５，６，７，８−テトラフルオロナフチル）アルシノ）ペルフルオロインデン−２−イル）（５，６，７，８−テトラフルオロナフチル）（ペルフルオロフルオレニル）（ペルフルオロビフェニル）ボラート］−／（テトラメチルシクロペンタジエニル）（ドデシルアミド）ジヒドリドハフニウム
［トリ−Ｎ−メチルアンモニウム］＋［７−（（トリ−ｎ−プロピルシリル）（４，５，６−トリフルオロナフチル）アミノ）ペルフルオロピレン−１−イル）（５，６，７，８−テトラフルオロナフチル）（２，３，４−トリフルオロフェニル）（２，３，４−トリフルオロフェニル）（４，５，７−トリフルオロナフチル）ボラート］−／テトラベンジルハフニウム
［Ｎ，Ｎ，Ｎ−（エチル）（メチル）（イソプロピル）アンモニウム］＋［７−（（トリエチルシリルエチル）（４，５，６−トリフルオロナフチル）アルシノ）ペルフルオロフルオレニル−２−イル）（ペンタフルオロアントラセニル）（ペルフルオロアントラセニル）（５，６，７，８−テトラフルオロナフチル）ボラート］−／ジメチルシリルビス（メチルインデニル）ジメチルハフニウム
［トリ−Ｎ−エチルアンモニウム］＋［６−（（３−エチルノニル）（５，６，７，８−テトラフルオロナフチル）アミノ）ペルフルオロアントラセン−１−イル）（ペルフルオロフルオレニル）（テトラフルオロフルオレニル）（ペルフルオロビフェニル）ボラート］−／ジフェニルメチル（シクロペンタジエニル）（フルオレニル）ジメチルハフニウム
［Ｎ，Ｎ，Ｎ−（エチル）（ジオクチル）アンモニウム］＋［６−（（トリエチルシリル）（２，３，６−トリフルオロフェニル）アミノ）ペルフルオロナフト−２−イル）（ペンタフルオロアントラセニル）（ペルフルオロナフチル）（ペルフルオロビフェニル）ボラート］−／ジメチルシリルビスインデニルジメチルハフニウム
［トリ−Ｎ−（メチルフェニル）アンモニウム］＋［６−（（ノニル）（ペルフルオロビフェニル）アミノ）フルオロナフト−２−イル）ビス（２，３，６−トリフルオロフェニル）（４，５，６−トリフルオロナフチル）ボラート］−／ジフェニルメチル（シクロペンタジエニル）（フルオレニル）ジメチルハフニウム
［Ｎ，Ｎ，Ｎ−（エチル）（メチル）（イソプロピル）アンモニウム］＋［５−（（イソプロピル）（ペルフルオロフェニル）ホスフィノ）ペルフルオロナフト−１−イル）（２，３，６−トリフルオロフェニル）（ペルフルオロアントラセニル）（ペンタフルオロピレニル）ボラート］−／ジメチルシリルビス（メチルインデニル）ジメチルハフニウム
［トリ−Ｎ−（メチルフェニル）アンモニウム］＋［７−（（トリ−イソプロピルシリル）（ペンタフルオロアントラセニル）アミノ）ペルフルオロインデン−２−イル）（ペルフルオロフェニル）（４，５，７−トリフルオロナフチル）（ペンタフルオロアントラセニル）ボラート］−／ジメチルシリルビス（フェニルメチルインデニル）ジメチルハフニウム
［トリ−Ｎ−エチルアンモニウム］＋［５−（（ブチル）（ペルフルオロピレニル）アミノ）ペルフルオロナフト−２−イル）（ペルフルオロナフチル）（ペルフルオロアントラセニル）（ペルフルオロビフェニル）ボラート］−／ジフェニルメチル（シクロペンタジエニル）（２，７−ジ−ｔ−ブチル−フルオレニル）ジメチルハフニウム
［トリ−Ｎ−（ｎ−ブチル）アンモニウム］＋［５−（（３−エチルノニル）（４、５，６−トリフルオロナフチル）アミノ）ペルフルオロナフト−２−イル）（２，３，６−トリフルオロフェニル）（２，３，５−トリフルオロフェニル）（ペルフルオロアントラセニル）ボラート］−／ジフェニルメチル（シクロペンタジエニル）（フルオレニル）ジメチルハフニウム
［トリ−Ｎ−メチルアンモニウム］＋［４’−（（プロピル）（ペルフルオロフルオレニル）アミノ）ペルフルオロビフェン−４−イル）（ペンタフルオロアントラセニル）（ペルフルオロフェニル）（５，６，７，８−テトラフルオロナフチル）ボラート］−／ジフェニルメチル（シクロペンタジエニル）（２，７−ジメチルフルオレニル）ジメチルハフニウム
［トリ−Ｎ−メチルアンモニウム］＋［５−（（トリ−イソプロピルシリル）（ペルフルオロビフェニル）アミノ）ペルフルオロナフト−２−イル）（ペルフルオロアントラセニル）（ペルフルオロピレニル）（２，３，５−トリフルオロフェニル）ボラート］−／ジメチルシリルビス（フェニルメチルインデニル）ジメチルハフニウム
［トリ−Ｎ−エチルアンモニウム］＋［４−（（ヘキシル）（ペルフルオロビフェニル）アミノ）ペルフルオロフェニル）（ペルフルオロフェニル）（２’，３’，４’−トリフルオロビフェニル）（２，３，５−トリフルオロフェニル）ボラート］−／ジメチルシリル（テトラメチルシクロペンタジエニル）（ドデシルアミド）ジヒドリドハフニウム
［トリ−Ｎ−メチルアンモニウム］＋［７−（（イソプロピル）（ペルフルオロナフチル）アミノ）ペルフルオロピレン−２−イル）（ペルフルオロフェニル）（４，５，６，７−テトラフルオロナフチル）ボラート］−／ジフェニルメチル（シクロペンタジエニル）（フルオレニル）ジメチルハフニウム
［トリ−Ｎ−メチルアンモニウム］＋［５−（（メチルジエチルシリルオクチル）（ペルフルオロピレニル）アミノ）ペルフルオロナフト−２−イル）（ペルフルオロフェニル）（２，３，５−トリフルオロフェニル）（２’，３’，４’−トリフルオロビフェニル）ボラート］−／ジフェニルメチル（シクロペンタジエニル）（２，７−ジ−ｔ−ブチル−フルオレニル）ジメチルハフニウム
［Ｎ，Ｎ，Ｎ−（エチル）（ジオクチル）アンモニウム］＋［６−（（オクチル）（ペルフルオロナフチル）ホスフィノ）ペルフルオロナフト−２−イル）（ペルフルオロピレニル）（２，３，６−トリフルオロフェニル）（２，３，５−トリフルオロフェニル）ボラート］−／テトラベンジルハフニウム
［トリ−Ｎ−プロピルアンモニウム］＋［６−（（エチル）（ペルフルオロフェニル）アミノ）ペルフルオロフルオレン−２−イル）（ペルフルオロフェニル）（４，５，６，７−テトラフルオロナフチル）（ペルフルオロビフェニル）ボラート］−／ジメチルシリルビス（フェニルメチルインデニル）ジメチルハフニウム
［トリ−Ｎ−（ｎ−ブチル）アンモニウム］＋［５−（（３−エチルノニル）（２，３，４−トリフルオロフェニル）アミノ）ペルフルオロインデン−１−イル）（ペルフルオロフェニル）（４，５，６，７−テトラフルオロナフチル）（２，３，６−トリフルオロフェニル）ボラート］−／ジフェニルメチル（シクロペンタジエニル）（２，７−ジ−ｔ−ブチル−フルオレニル）ジメチルハフニウム
［Ｎ，Ｎ，Ｎ−（エチル）（メチル）（ｔ−ブチル）アンモニウム］＋［６−（（メチルエチルヘキシルシリル）（ペルフルオロフルオレニル）ホスフィノ）ペルフルオロインデン−２−イル）（ペルフルオロフルオレニル）（ペルフルオロアントラセニル）（５，６，７、８−テトラフルオロナフチル）ボラート］−／ジメチルシリル（テトラメチルシクロペンタジエニル）（ドデシルアミド）ジヒドリドハフニウム
［トリ−Ｎ−（ｎ−ブチル）アンモニウム］＋［５−（（エチル）（ペルフルオロアントラセニル）ホスフィノ）ペルフルオロインデン−１−イル）（ペルフルオロフェニル）（２，３，４−トリフルオロフェニル）（４，５，７−トリフルオロナフチル）ボラート］−／ジフェニルメチル（シクロペンタジエニル）（フルオレニル）ジメチルハフニウム
［トリ−Ｎ−エチルアンモニウム］＋［３−（（トリ−ｎ−イソプロピルシリル）（ペンタフルオロアントラセニル）ホスフィノ）ペルフルオロフェニル）（ペルフルオロフェニル）（ペルフルオロナフチル）（ペルフルオロアントラセニル）ボラート］−／（４−アルキル−１−フェニル）（４−ｔ−ブチル−１−フェニル）メチル（シクロペンタジエニル）（フルオレニル）ジメチルハフニウム
［Ｎ，Ｎ，Ｎ−（ジメチル）（ｔ−ブチル）アンモニウム］＋［７−（（トリメチルシリル）（ペルフルオロビフェニル）ホスフィノ）ペルフルオロナフト−２−イル）（ペンタフルオロピレニル）（ペルフルオロフェニル）（ペルフルオロナフチル）ボラート］−／ジメチルシリルビス（フェニルメチルインデニル）ジメチルハフニウム
［トリ−Ｎ−オクチルアンモニウム］＋［７−（（エチル）（２，３，５−トリフルオロフェニル）ホスフィノ）フルオロピレン−１−イル）（４，５，６−トリフルオロナフチル）（ペルフルオロフェニル）（ペルフルオロビフェニル）ボラート］−／ジメチルシリル（テトラメチルシクロペンタジエニル）（ドデシルアミド）ジヒドリドハフニウム
［トリ−Ｎ−エチルアンモニウム］＋［７−（（メチルエチルヘキシルシリル）（ペルフルオロピレニル）ホスフィノ）ペルフルオロピレン−１−イル）（ペンタフルオロピレニル）（２’，３’，４’−トリフルオロビフェニル）（２，３，４−トリフルオロフェニル）ボラート］−／テトラベンジルハフニウム
［トリ−Ｎ−エチルアンモニウム］＋［７−（（シクロヘキシル）（ペルフルオロピレニル）アミノ）ペルフルオロインデン−２−イル）（ペンタフルオロアントラセニル）（ペルフルオロアントラセニル）（５，６，７，８−テトラフルオロナフチル）ボラート］−／ジフェニルメチル（フルオレニル）（シクロペンタジエニル）ジメチルハフニウム
［トリ−Ｎ−（ジメチルフェニル）アンモニウム］＋［４’−（（オクチル）（ペルフルオロナフチル）アミノ）ペルフルオロビフェン−４−イル）（ペンタフルオロアントラセニル）（ペルフルオロフェニル）（ペンタフルオロピレニル）ボラート］−／ジフェニルメチル（シクロペンタジエニル）（２，７−ジメチルフルオレニル）ジメチルハフニウム
［トリ−Ｎ−（メチルフェニル）アンモニウム］＋［７−（（ｎ−ブチル）（ペルフルオロフェニル）ホスフィノ）ペルフルオロフルオレン−１−イル）ビス（ペンタフルオロアントラセニル）（ペルフルオロフェニル）ボラート］−／（４−アルキル−１−フェニル）（４−ｔ−ブチル−１−フェニル）メチル（シクロペンタジエニル）（フルオレニル）ジメチルハフニウム
［Ｎ，Ｎ，Ｎ−（エチル）（メチル）（ｔ−ブチル）アンモニウム］＋［５−（（ジエチルノニルシリル）（ペンタフルオロアントラセニル）アミノ）ペルフルオロインデン−１−イル）（２，３，５−トリフルオロフェニル）（ペルフルオロナフチル）（ペルフルオロフルオレニル）ボラート］−／ジメチルシリル（テトラメチルシクロペンタジエニル）（ドデシルアミド）ジヒドリドハフニウム
［Ｎ，Ｎ，Ｎ−（エチル）（メチル）（ｎ−ブチル）アンモニウム］＋［７−（（トリエチルシリルエチル）（ペルフルオロピレニル）アミノ）ペルフルオロピレン−１−イル）（ペルフルオロナフチル）（２’，３’，５’−トリフルオロビフェニル）（２，３，５−トリフルオロフェニル）ボラート］−／ジメチルシリルビス（フェニルメチルインデニル）ジメチルハフニウム
［Ｎ，Ｎ，Ｎ−（エチル）（メチル）（イソプロピル）アンモニウム］＋［６−（（２，２−ジメチルオクチル）（ペルフルオロフェニル）アミノ）フルオロナフト−３−イル）ビス（２，３，４−トリフルオロフェニル）（４，５，６，７−テトラフルオロナフチル）ボラート］−／ジフェニルメチル（フルオレニル）（シクロペンタジエニル）ジメチルハフニウム
［Ｎ，Ｎ，Ｎ−（エチル）（メチル）（ｔ−ブチル）アンモニウム］＋［７−（（シクロヘキシル）（ペルフルオロナフチル）アミノ）ペルフルオロアントラセン−１−イル）ビス（ペルフルオロアントラセニル）（ペルフルオロピレニル）ボラート］−／ジメチルシリルビス（ナフチルメチルインデニル）ジメチルハフニウム
［トリ−Ｎ−メチルアンモニウム］＋［６−（（メチル）（ペルフルオロビフェニル）ホスフィノ）ペルフルオロフルオレン−２−イル）（ペルフルオロフェニル）（２’，３’，４’−トリフルオロビフェニル）（テトラフルオロフルオレニル）ボラート］−／ジメチルシリルビス（ナフチルメチルインデニル）ジメチルハフニウム
［トリ−Ｎ−メチルアンモニウム］＋［３−（（トリ−ｎ−プロピルシリルヘキシル）（ペルフルオロビフェニル）アミノ）ペルフルオロナフト−２−イル）（ペルフルオロフェニル）（２，３，５−トリフルオロフェニル）（ペルフルオロビフェニル）ボラート］−／トリス（トリメチルシリルメチル）ジクロリドタンタル
［Ｎ，Ｎ，Ｎ−（エチル）（ジオクチル）アンモニウム］＋［７−（（トリエチルシリル）（５，６，７，８−テトラフルオロナフチル）ホスフィノ）ペルフルオロフルオレン−１−イル）（ペルフルオロピレニル）（２，３，６−トリフルオロフェニル）（ペルフルオロビフェニル）ボラート］−／トリス（トリメチルシリルメチル）ジクロリドタンタル
［Ｎ，Ｎ，Ｎ−（エチル）（メチル）（ｔ−ブチル）アンモニウム］＋［７−（（イソプロピル）（２，３，６−トリフルオロフェニル）アミノ）ペルフルオロナフト−３−イル）（ペンタフルオロアントラセニル）（ペルフルオロフルオレニル）（ペルフルオロピレニル）ボラート］−／トリス（トリメチルシリルメチル）ジクロリドタンタル
［トリ−Ｎ−プロピルアンモニウム］＋［７−（（トリメチルシリル）（ペルフルオロビフェニル）アミノ）ペルフルオロフルオレン−１−イル）（ペルフルオロアントラセニル）（ペルフルオロビフェニル）（５，６，７，８−テトラフルオロナフチル）ボラート］−／トリス（トリメチルシリルメチル）ジクロリドタンタル
［トリ−Ｎ−オクチルアンモニウム］＋［７−（（オクチル）（２’，３’，４’−トリフルオロビフェニル）ホスフィノ）ペルフルオロインデン−２−イル）（ペルフルオロアントラセニル）（ペルフルオロビフェニル）（ペルフルオロピレニル）ボラート］−／ペンタメチルシクロペンタジエニルトリベンジルチタン
［Ｎ，Ｎ，Ｎ−（エチル）（メチル）（イソプロピル）アンモニウム］＋［６−（（プロピル）（ペルフルオロフェニル）アミノ）ペルフルオロアントラセン−２−イル）（ペルフルオロフェニル）（ペルフルオロアントラセニル）（２’，３’，５’−トリフルオロビフェニル）ボラート］−／テトラベンジルチタン
［Ｎ，Ｎ，Ｎ−（エチル）（メチル）（ｔ−ブチル）アンモニウム］＋［６−（（トリ−イソプロピルシリルオクチル）（２，３，４−トリフルオロフェニル）ホスフィノ）ペルフルオロアントラセン−１−イル）（ペンタフルオロピレニル）（４，５，６，７−テトラフルオロナフチル）（ペルフルオロナフチル）ボラート］−／ビス（ヘキサメチルジシリド）ジメチルチタン
［Ｎ，Ｎ，Ｎ−（エチル）（メチル）（ｎ−ブチル）アンモニウム］＋［３−（（ブチル）（ペルフルオロアントラセニル）アミノ）ペルフルオロフェニル）（４，５，７−トリフルオロナフチル）（ペルフルオロフェニル）（ペルフルオロピレニル）ボラート］−／テトラベンジルチタン
［トリ−Ｎ−プロピルアンモニウム］＋［５−（（トリ−ｎ−プロピルシリルヘキシル）（ペルフルオロビフェニル）アルシノ）フルオロナフト−２−イル）（４，５，７−トリフルオロナフチル）（ペルフルオロビフェニル）（４，５，６−トリフルオロナフチル）ボラート］−／ペンタメチルシクロペンタジエニルトリメチルチタン
［Ｎ，Ｎ，Ｎ−（エチル）（メチル）（イソプロピル）アンモニウム］＋［５−（（トリエチルシリル）（ペルフルオロフェニル）アルシノ）ペルフルオロインデン−１−イル）（ペルフルオロビフェニル）（２，３，４−トリフルオロフェニル）（ペルフルオロアントラセニル）ボラート］−／ペンタメチルシクロペンタジエニルトリベンジルチタン
［Ｎ，Ｎ，Ｎ−（エチル）（メチル）（ｎ−ブチル）アンモニウム］＋［６−（（メチルジエチルシリルオクチル）（２，３，５−トリフルオロフェニル）ホスフィノ）ペルフルオロインデン−２−イル）（ペルフルオロアントラセニル）（２，３，４−トリフルオロフェニル）（テトラフルオロフルオレニル）ボラート］−／ジメチルシリル（テトラメチルシクロペンタジエニル）（アダマンチル−１−アミノ）ジメチルチタン
［トリ−Ｎ−（ｎ−ブチル）アンモニウム］＋［７−（（エチル）（２，３，６−トリフルオロフェニル）ホスフィノ）ペルフルオロピレン−２−イル）（ペルフルオロフェニル）（ペンタフルオロピレニル）（ペンタフルオロアントラセニル）ボラート］−／ペンタメチルシクロペンタジエニルトリメチルチタン
［トリ−Ｎ−（メチルフェニル）アンモニウム］＋［６−（（２，２−ジメチルオクチル）（ペルフルオロナフチル）アミノ）フルオロナフト−２−イル）（２，３，４−トリフルオロフェニル）（２’，３’，４’−トリフルオロビフェニル）（２，３，５−トリフルオロフェニル）ボラート］−／ペンタメチルシクロペンタジエニルトリベンジルチタン
［Ｎ，Ｎ，Ｎ−（エチル）（メチル）（ｎ−ブチル）アンモニウム］＋［４’−（（ジエチルノニルシリル）（ペルフルオロピレニル）ホスフィノ）ペルフルオロビフェン−４−イル）（テトラフルオロフルオレニル）（２，３，４−トリフルオロフェニル）（ペルフルオロアントラセニル）ボラート］−／ジメチルシリル（テトラメチルシクロペンタジエニル）（ｔｅｒｔ−ブチルアミド）ジクロリドチタン
［トリ−Ｎ−（メチルフェニル）アンモニウム］＋［６−（（２，２−ジメチルオクチル）（ペルフルオロピレニル）アミノ）ペルフルオロインデン−２−イル）（ペルフルオロピレニル）（ペルフルオロナフチル）（ペルフルオロアントラセニル）ボラート］−／ペンタメチルシクロペンタジエニルトリベンジルチタン
［トリ−Ｎ−（ｎ−ブチル）アンモニウム］＋［４’−（（ベンジル）（ペルフルオロアントラセニル）アミノ）ペルフルオロビフェン−３−イル）（ペルフルオロピレニル）（ペルフルオロビフェニル）（テトラフルオロフルオレニル）ボラート］−／ペンタメチルシクロペンタジエニルイソプロポキシドチタン
［Ｎ，Ｎ，Ｎ−（エチル）（ジオクチル）アンモニウム］＋［４−（（オクチル）（ペルフルオロフェニル）ホスフィノ）ペルフルオロフェニル）（ペンタフルオロアントラセニル）（ペルフルオロビフェニル）（２，３，４−トリフルオロフェニル）ボラート］−／ジメチルシリル（テトラメチルシクロペンタジエニル）（ｔｅｒｔ−ブチルアミド）ジクロリドチタン
［トリ−Ｎ−エチルアンモニウム］＋［５−（（シクロヘキシル）（ペルフルオロビフェニル）アミノ）ペルフルオロナフト−２−イル）ビス（ペンタフルオロアントラセニル）（ペンタフルオロピレニル）ボラート］−／テトラベンジルチタン
［Ｎ，Ｎ，Ｎ−（エチル）（メチル）（オクチル）アンモニウム］＋［７−（（メチルジエチルシリルオクチル）（ペルフルオロビフェニル）ホスフィノ）ペルフルオロフルオレン−１−イル）（４，５，７−トリフルオロナフチル）（ペルフルオロフルオレニル）（テトラフルオロフルオレニル）ボラート］−／ビス（ヘキサメチルジシリド）ジメチルチタン
［トリ−Ｎ−（ｎ−ブチル）アンモニウム］＋［７−（（トリ−イソプロピルシリルオクチル）（ペルフルオロピレニル）アミノ）ペルフルオロナフト−１−イル）（ペルフルオロビフェニル）（２’，３’，５’−トリフルオロビフェニル）（４，５，６−トリフルオロナフチル）ボラート］−／ビス（ヘキサメチルジシリド）ジメチルチタン
［Ｎ，Ｎ，Ｎ−（ジメチル）（ｔ−ブチル）アンモニウム］＋［６−（（メチルエチルヘキシルシリル）（４，５，６，７−テトラフルオロナフチル）アミノ）ペルフルオロナフト−１−イル）（ペルフルオロフェニル）（２，３，４−トリフルオロフェニル）（ペルフルオロナフチル）ボラート］−／ジメチルシリル（テトラメチルシクロペンタジエニル）（ｔｅｒｔ−ブチルアミド）ジクロリドチタン
［Ｎ，Ｎ，Ｎ−（ジメチル）（ｔ−ブチル）アンモニウム］＋［５−（（ブチル）（２’，３’，５’−トリフルオロビフェニル）アミノ）ペルフルオロナフト−１−イル）（ペルフルオロアントラセニル）（２’，３’，５’−トリフルオロビフェニル）（ペルフルオロナフチル）ボラート］−／テトラベンジルチタン
［Ｎ，Ｎ，Ｎ−（エチル）（メチル）（オクチル）アンモニウム］＋［６−（（トリエチルシリル）（ペルフルオロビフェニル）ホスフィノ）ペルフルオロフルオレン−１−イル）（ペルフルオロフルオレニル（２’，３’，４’−トリフルオロビフェニル）（２，３，６−トリフルオロフェニル）ボラート）−／ジメチルシリル（テトラメチルシクロペンタジエニル）（ｔｅｒｔ−ブチルアミド）ジクロリドチタン
［トリ−Ｎ−エチルアンモニウム］＋［３−（（プロピル）（ペルフルオロフルオレニル）ホスフィノ）ペルフルオロフェニル）（ペルフルオロアントラセニル）（ペルフルオロフルオレニル）（４，５，６−トリフルオロナフチル）ボラート］−／ペンタメチルシクロペンタジエニルイソプロポキシドチタン
［トリ−Ｎ−オクチルアンモニウム］＋［７−（（トリメチルシリル）（ペルフルオロビフェニル）アミノ）ペルフルオロインデン−２−イル）（ペルフルオロビフェニル）（２，３，６−トリフルオロフェニル）（ペルフルオロアントラセニル）ボラート］−／ペンタメチルシクロペンタジエニルトリメチルチタン
［Ｎ，Ｎ，Ｎ−（ジメチル）（ｔ−ブチル）アンモニウム］＋［６−（（メチルジエチルシリルオクチル）（ペルフルオロビフェニル）アミノ）ペルフルオロインデン−２−イル）（５，６，７，８−テトラフルオロナフチル）（２’，３’，４’−トリフルオロビフェニル）（ペルフルオロフェニル）ボラート］−／ペンタメチルシクロペンタジエニルトリメチルチタン
［Ｎ，Ｎ，Ｎ−（エチル）（メチル）（ｔ−ブチル）アンモニウム］＋［６−（（トリエチルシリルエチル）（５，６，７，８−テトラフルオロナフチル）アミノ）ペルフルオロフルオレン−１−イル）（ペルフルオロビフェニル）（４，５，６−トリフルオロナフチル）（２，３，６−トリフルオロフェニル）ボラート］−／ジメチルシリル（テトラメチルシクロペンタジエニル）（ｔｅｒｔ−ブチルアミド）ジクロリドチタン
［Ｎ，Ｎ，Ｎ−（エチル）（ジオクチル）アンモニウム］＋［５−（（オクチル）（ペルフルオロフェニル）ホスフィノ）ペルフルオロナフト−２−イル）（ペルフルオロビフェニル）（４，５，６−トリフルオロナフチル）（ペルフルオロピレニル）ボラート］−／ジメチルシリル（テトラメチルシクロペンタジエニル）（ｔｅｒｔ−ブチルアミド）ジクロリドチタン
［トリ−Ｎ−（ｔ−ブチル）アンモニウム］＋［７−（（２，２−ジメチルオクチル）（２’，３’，５’−トリフルオロビフェニル）アミノ）ペルフルオロピレン−２−イル）（ペルフルオロアントラセニル）（２’，３’，５’−トリフルオロビフェニル）（ペルフルオロフェニル）ボラート］−／ジメチルシリル（テトラメチルシクロペンタジエニル）（ｔｅｒｔ−ブチルアミド）ジクロリドチタン
［トリ−Ｎ−（ｔ−ブチル）アンモニウム］＋［３’−（（トリメチルシリル）（４，５，６，７−テトラフルオロナフチル）ホスフィノ）フルオロビフェン−４−イル）（ペンタフルオロアントラセニル）（ペルフルオロビフェニル）（ペルフルオロナフチル）ボラート］−／ペンタメチルシクロペンタジエニルトリメチルチタン
［Ｎ，Ｎ，Ｎ−（エチル）（メチル）（ｔ−ブチル）アンモニウム］＋［６−（（ｎ−ブチル）（４，５，６，７−テトラフルオロナフチル）ホスフィノ）フルオロインデン−２−イル）（ペルフルオロアントラセニル）（ペルフルオロビフェニル）（ペルフルオロピレニル）ボラート］−／ジメチルシリル（テトラメチルシクロペンタジエニル）（ｔｅｒｔ−ブチルアミド）ジクロリドチタン
［トリ−Ｎ−オクチルアンモニウム］＋［７−（（トリ−ｎ−プロピルシリル）（４，５，７−トリフルオロナフチル）アミノ）ペルフルオロフルオレン−１−イル）（４，５，７−トリフルオロナフチル）（２，３，６−トリフルオロフェニル）（ペルフルオロアントラセニル）ボラート］−／ペンタメチルシクロペンタジエニルトリメチルチタン
［トリ−Ｎ−エチルアンモニウム］＋［７−（（トリエチルシリルプロピル）（ペンタフルオロアントラセニル）ホスフィノ）ペルフルオロピレン−２−イル）（ペルフルオロピレニル）（２，３，４−トリフルオロフェニル）（ペルフルオロアントラセニル）ボラート］−／ジメチルシリル（テトラメチルシクロペンタジエニル）（ｔｅｒｔ−ブチルアミド）ジクロリドチタン
［トリ−Ｎ−（メチルフェニル）アンモニウム］＋［７−（（エチル）（ペルフルオロフェニル）アミノ）ペルフルオロナフト−２−イル）（４，５，６−トリフルオロナフチル）（ペルフルオロビフェニル）（ペルフルオロナフチル）ボラート］−／ペンタメチルシクロペンタジエニルトリメチルチタン
［Ｎ，Ｎ，Ｎ−（エチル）（メチル）（イソプロピル）アンモニウム］＋［６−（（ｎ−ブチル）（４，５，６，７−テトラフルオロナフチル）ホスフィノ）フルオロフルオレン−２−イル）（ペルフルオロビフェニル）（２，３，４−トリフルオロフェニル）（ペルフルオロアントラセニル）ボラート］−／ペンタメチルシクロペンタジエニルイソプロポキシドチタン
［トリ−Ｎ−オクチルアンモニウム］＋［４’−（（３−エチルノニル）（ペルフルオロビフェニル）アミノ）ペルフルオロビフェン−３−イル）ビス（ペルフルオロビフェニル）（ペンタフルオロアントラセニル）ボラート］−／ジメチルシリルビス（テトラハイドロインデニル）ジクロリドジルコニウム
［トリ−Ｎ−（ｔ−ブチル）アンモニウム］＋［５−（（ノニル）（ペルフルオロフェニル）アミノ）フルオロナフト−１−イル）（ペルフルオロアントラセニル）（５，６，７，８−テトラフルオロナフチル）（ペルフルオロフェニル）ボラート］−／ビス（１，３−ジブチル−メチル−シクロペンタジエニル）ジメチルジルコニウム
［トリ−Ｎ−（ｎ−ブチル）アンモニウム］＋［６−（（オクチル）（４，５，６，７−テトラフルオロナフチル）ホスフィノ）ペルフルオロアントラセン−２−イル）（ペンタフルオロアントラセニル）（２，３，４−トリフルオロフェニル）（５，６，７，８−テトラフルオロナフチル）ボラート］−／ジメチルシリルビス（テトラハイドロインデニル）ジクロリドジルコニウム
［トリ−Ｎ−（メチルフェニル）アンモニウム］＋［７−（（ベンジル）（ペルフルオロフェニル）ホスフィノ）ペルフルオロピレン−２−イル）（ペルフルオロナフチル）（テトラフルオロフルオレニル）（ペルフルオロアントラセニル）ボラート］−／シラシクロブチル（テトラメチルシクロペンタジエニル）（ｎ−プロピルシクロペンタジエニル）ジメチルジルコニウム
［トリ−Ｎ−（ｔ−ブチル）アンモニウム］＋［５−（（シクロヘキシル）（ペルフルオロピレニル）アミノ）ペルフルオロインデン−２−イル）（ペルフルオロビフェニル）（４，５，６−トリフルオロナフチル）（ペンタフルオロピレニル）ボラート］−／ジメチルシリル（テトラメチルシクロペンタジエニル）（ｔｅｒｔ−ブチルアミド）ジメチルジルコニウム
［Ｎ，Ｎ，Ｎ−（エチル）（ジオクチル）アンモニウム］＋［７−（（トリ−ｎ−プロピルシリル）（ペンタフルオロピレニル）アミノ）ペルフルオロフルオレン−２−イル）（ペルフルオロアントラセニル）（２’，３’，４’−トリフルオロビフェニル）（２，３，５−トリフルオロフェニル）ボラート］−／（ペンタメチルシクロペンタジエニル）（シクロペンタジエニル）ジメチルジルコニウム
［Ｎ，Ｎ，Ｎ−（エチル）（ジオクチル）アンモニウム］＋［６−（（トリエチルシリルエチル）（ペルフルオロビフェニル）アミノ）ペルフルオロフルオレン−２−イル）（ペルフルオロフェニル）（２’，３’，４’−トリフルオロビフェニル）（テトラフルオロフルオレニル）ボラート］−／テトラベンジルジルコニウム
［トリ−Ｎ−オクチルアンモニウム］＋［７−（（ノニル）（５，６，７，８−テトラフルオロナフチル）アミノ）ペルフルオロナフト−２−イル）（ペルフルオロピレニル）（ペルフルオロフルオレニル）（２’，３’，４’−トリフルオロビフェニル）ボラート］−／（ペンタメチルシクロペンタジエニル）（シクロペンタジエニル）ジメチルジルコニウム
［Ｎ，Ｎ，Ｎ−（エチル）（メチル）（オクチル）アンモニウム］＋［５−（（トリ−ｎ−プロピルシリルヘキシル）（ペルフルオロビフェニル）アルシノ）ペルフルオロインデン−２−イル）（ペンタフルオロアントラセニル）（４，５，７−トリフルオロナフチル）（ペルフルオロフェニル）ボラート］−／テトラベンジルジルコニウム
［Ｎ，Ｎ，Ｎ−（エチル）（メチル）（イソプロピル）アンモニウム］＋［６−（（プロピル）（４，５，７−トリフルオロナフチル）ホスフィノ）ペルフルオロアントラセン−１−イル）（ペルフルオロフェニル）（４，５，６，７−テトラフルオロナフチル）（４，５，７−トリフルオロナフチル）ボラート］−／ジメチルシリル（テトラメチルシクロペンタジエニル）（ｔｅｒｔ−ブチルアミド）ジメチルジルコニウム
［Ｎ，Ｎ，Ｎ−（エチル）（メチル）（イソプロピル）アンモニウム］＋［７−（（プロピル）（ペルフルオロビフェニル）アミノ）ペルフルオロピレン−１−イル）（ペルフルオロフェニル）（４，５，７−トリフルオロナフチル）（２’，３’，４’−トリフルオロビフェニル）ボラート］−／ジメチルシリル（テトラメチルシクロペンタジエニル）（ｔｅｒｔ−ブチルアミド）ジメチルジルコニウム
［Ｎ，Ｎ，Ｎ−（ジメチル）（ｔ−ブチル）アンモニウム］＋［３’−（（メチルジエチルシリルオクチル）（ペルフルオロビフェニル）ホスフィノ）フルオロビフェン−４−イル）（ペルフルオロアントラセニル）（ペルフルオロフルオレニル）（２，３，４−トリフルオロフェニル）ボラート］−／テトラ（ビス（トリメチルシリルメチル））ジルコニウム
［Ｎ，Ｎ，Ｎ−（エチル）（メチル）（オクチル）アンモニウム］＋［５−（（ノニル）（２，３，５−トリフルオロフェニル）アミノ）ペルフルオロナフト−２−イル）（５，６，７，８−テトラフルオロナフチル）（ペルフルオロフェニル）（４，５，７−トリフルオロナフチル）ボラート］−／テトラベンジルジルコニウム
［トリ−Ｎ−エチルアンモニウム］＋［８−（（イソプロピル）（ペルフルオロアントラセニル）アミノ）ペルフルオロピレン−２−イル）（ペルフルオロビフェニル）（２’，３’，４’−トリフルオロビフェニル）（ペルフルオロアントラセニル）ボラート］−／シラシクロブチル（テトラメチルシクロペンタジエニル）（ｎ−プロピルシクロペンタジエニル）ジメチルジルコニウム
［トリ−Ｎ−オクチルアンモニウム］＋［６−（（イソプロピル）（５，６，７，８−テトラフルオロナフチル）アルシノ）ペルフルオロナフト−２−イル）（ペルフルオロビフェニル）（４，５，６，７−テトラフルオロナフチル）（ペンタフルオロピレニル）ボラート］−／（テトラメチルシクロペンタジエニル）（ｎ−プロピルシクロペンタジエニル）ジメチルジルコニウム
［Ｎ，Ｎ，Ｎ−（エチル）（メチル）（イソプロピル）アンモニウム］＋［６−（（２，２−ジメチルオクチル）（ペルフルオロピレニル）アミノ）ペルフルオロインデン−２−イル）（ペルフルオロピレニル）（ペルフルオロフェニル）（ペルフルオロナフチル）ボラート］−／テトラ（ビス（トリメチルシリルメチル））ジルコニウム
［トリ−Ｎ−オクチルアンモニウム］＋［７−（（メチル）（ペルフルオロビフェニル）アルシノ）ペルフルオロフルオレン−２−イル）（４，５，７−トリフルオロナフチル）（テトラフルオロフルオレニル）（２’，３’，４’−トリフルオロビフェニル）ボラート］−／テトラ（ビス（トリメチルシリルメチル））ジルコニウム
［トリ−Ｎ−プロピルアンモニウム］＋［６−（（ｎ−ブチル）（ペルフルオロナフチル）アミノ）ペルフルオロフルオレン−１−イル）（ペルフルオロビフェニル）（ペンタフルオロピレニル）（５，６，７，８−テトラフルオロナフチル）ボラート］−／ジメチルシリル（テトラメチルシクロペンタジエニル）（ｔｅｒｔ−ブチルアミド）ジメチルジルコニウム
［Ｎ，Ｎ，Ｎ−（エチル）（メチル）（ｔ−ブチル）アンモニウム］＋［３’−（（トリエチルシリル）（ペルフルオロフェニル）アミノ）ペルフルオロビフェン−４−イル）（４，５，７−トリフルオロナフチル）（ペルフルオロビフェニル）（２，３，４−トリフルオロフェニル）ボラート］−／テトラ（ビス（トリメチルシリルメチル））ジルコニウム
［Ｎ，Ｎ，Ｎ−（エチル）（メチル）（オクチル）アンモニウム］＋［５−（（ジエチルノニルシリル）（２，３，６−トリフルオロフェニル）アミノ）ペルフルオロナフト−２−イル）（ペルフルオロアントラセニル）（ペルフルオロナフチル）（ペルフルオロフェニル）ボラート］−／ジメチルシリルビス（２−メチルベンズインデニル）ジメチルジルコニウム
［トリ−Ｎ−プロピルアンモニウム］＋［３’−（（トリエチルシリル）（２，３，６−トリフルオロフェニル）ホスフィノ）ペルフルオロビフェン−４−イル）ビス（ペルフルオロアントラセニル）（５，６，７，８−テトラフルオロナフチル）ボラート］−／（ペンタメチルシクロペンタジエニル）（シクロペンタジエニル）ジメチルジルコニウム
［トリ−Ｎ−（ジメチルフェニル）アンモニウム］＋［３−（（トリ−ｎ−プロピルシリルヘキシル）（ペルフルオロフェニル）ホスフィノ）ペルフルオロフェニル）（ペルフルオロアントラセニル）（２，３，４−トリフルオロフェニル）（４，５，６−トリフルオロナフチル）ボラート］−／ジメチルシリルビス（テトラハイドロインデニル）ジクロリドジルコニウム
［Ｎ，Ｎ，Ｎ−（エチル）（ジオクチル）アンモニウム］＋［５−（（ベンジル）（ペルフルオロフェニル）ホスフィノ）ペルフルオロナフト−１−イル）（５，６，７，８−テトラフルオロナフチル）（２，３，５−トリフルオロフェニル）（ペルフルオロフルオレニル）ボラート］−／シラシクロブチル（テトラメチルシクロペンタジエニル）（ｎ−プロピルシクロペンタジエニル）ジメチルジルコニウム
［Ｎ，Ｎ，Ｎ−（ジメチル）（ｔ−ブチル）アンモニウム］＋［６−（（ヘキシル）（ペルフルオロピレニル）アミノ）ペルフルオロアントラセン−１−イル）（５，６，７，８−テトラフルオロナフチル）（２，３，５−トリフルオロフェニル）（２，３，４−トリフルオロフェニル）ボラート］−／ジメチルシリル（テトラメチルシクロペンタジエニル）（ｔｅｒｔ−ブチルアミド）ジメチルジルコニウム
［トリ−Ｎ−エチルアンモニウム］＋［５−（（トリ−ｎ−プロピルシリルヘキシル）（ペルフルオロビフェニル）アミノ）ペルフルオロインデン−１−イル）（ペルフルオロナフチル）（４，５，６−トリフルオロナフチル）（ペンタフルオロピレニル）ボラート］−／ジフェニルメチル（フルオレニル）（シクロペンタジエニル）ジメチルジルコニウム
［Ｎ，Ｎ，Ｎ−（エチル）（ジオクチル）アンモニウム］＋［５−（（トリ−ｎ−プロピルシリル）（ペルフルオロビフェニル）ホスフィノ）フルオロインデン−１−イル）（ペルフルオロフェニル）（ペルフルオロピレニル）（ペルフルオロフルオレニル）ボラート］−／ジメチルシリルビス（２−メチルベンズインデニル）ジメチルジルコニウム
［トリ−Ｎ−エチルアンモニウム］＋［６−（（トリエチルシリルプロピル）（４，５，７−トリフルオロナフチル）アミノ）ペルフルオロフルオレン−２−イル）（ペルフルオロピレニル）（ペンタフルオロピレニル）（２’，３’，５’−トリフルオロビフェニル）ボラート］−／（テトラメチルシクロペンタジエニル）（ｎ−プロピルシクロペンタジエニル）ジメチルジルコニウム
［トリ−Ｎ−プロピルアンモニウム］＋［４−（（オクチル）（テトラフルオロフルオレニル）アルシノ）ペルフルオロフェニル）（ペルフルオロアントラセニル）（２，３，４−トリフルオロフェニル）（テトラフルオロフルオレニル）ボラート］−／ジメチルシリ（ビスインデニル）ジクロリドジルコニウム
［トリ−Ｎ−（ｔ−ブチル）アンモニウム］＋［６−（（トリ−ｎ−プロピルシリルヘキシル）（ペルフルオロフェニル）アミノ）ペルフルオロナフト−１−イル）（２’，３’，５’−トリフルオロビフェニル）（ペルフルオロフルオレニル）（ペルフルオロピレニル）ボラート］−／ジメチルシリルビス（テトラハイドロインデニル）ジクロリドジルコニウム
［Ｎ，Ｎ，Ｎ−（エチル）（メチル）（ｎ−ブチル）アンモニウム］＋［２’−（（メチル）（ペルフルオロフェニル）ホスフィノ）ペルフルオロビフェン−４−イル）（ペルフルオロピレニル）（４，５，６−トリフルオロナフチル）（ペルフルオロビフェニル）ボラート］−／（テトラメチルシクロペンタジエニル）（ｎ−プロピルシクロペンタジエニル）ジメチルジルコニウム
［Ｎ，Ｎ，Ｎ−（エチル）（メチル）（イソプロピル）アンモニウム］＋［５−（（シクロヘキシル）（ペルフルオロアントラセニル）アミノ）ペルフルオロナフト−２−イル）（ペルフルオロビフェニル）（テトラフルオロフルオレニル）（ペルフルオロフルオレニル）ボラート］−／ジメチルシリルビス（テトラハイドロインデニル）ジクロリドジルコニウム
［トリ−Ｎ−（ジメチルフェニル）アンモニウム］＋［８−（（トリ−ｎ−プロピルシリル）（４，５，６−トリフルオロナフチル）アミノ）ペルフルオロピレン−２−イル）（２，３，４−トリフルオロフェニル）（ペルフルオロビフェニル）（ペルフルオロピレニル）ボラート］−／ジメチルシリルビス（２−メチルベンズインデニル）ジメチルジルコニウム
［トリ−Ｎ−オクチルアンモニウム］＋［７−（（エチル）（ペンタフルオロアントラセニル）アミノ）ペルフルオロピレン−２−イル）ビス（５，６，７，８−テトラフルオロナフチル）（２’，３’，４’−トリフルオロビフェニル）ボラート］−／ジメチルシリル（テトラメチルシクロペンタジエニル）（ｔｅｒｔ−ブチルアミド）ジメチルジルコニウム
［Ｎ，Ｎ，Ｎ−（エチル）（メチル）（オクチル）アンモニウム］＋［５−（（ｎ−ブチル）（ペルフルオロビフェニル）アミノ）ペルフルオロナフト−１−イル）（ペルフルオロアントラセニル）（２，３，４−トリフルオロフェニル）（４，５，６，７−テトラフルオロナフチル）ボラート］−／ジメチルシリルビス（２−メチルベンズインデニル）ジメチルジルコニウム
［Ｎ，Ｎ，Ｎ−（エチル）（メチル）（ｔ−ブチル）アンモニウム］＋［６−（（ブチル）（ペルフルオロナフチル）アミノ）ペルフルオロフルオレン−２−イル）（ペンタフルオロピレニル）（４，５，７−トリフルオロナフチル）（ペルフルオロアントラセニル）ボラート］−／ジメチルシリルビス（２−メチルベンズインデニル）ジメチルジルコニウム
［トリ−Ｎ−（ｎ−ブチル）アンモニウム］＋［６−（（トリ−イソプロピルシリル）（ペルフルオロフェニル）アミノ）ペルフルオロフルオレン−２−イル）（ペルフルオロフルオレニル）（ペルフルオロアントラセニル）（４，５，６，７−テトラフルオロナフチル）ボラート］−／ビス（１，３−ジブチル−メチル−シクロペンタジエニル）ジメチルジルコニウム
［トリ−Ｎ−（メチルフェニル）アンモニウム］＋［６−（（ノニル）（２，３，５−トリフルオロフェニル）アミノ）ペルフルオロアントラセン−１−イル）（ペルフルオロフェニル）（２，３，４−トリフルオロフェニル）（５，６，７，８−テトラフルオロナフチル）ボラート］−／（ペンタメチルシクロペンタジエニル）（シクロペンタジエニル）ジメチルジルコニウム
［トリ−Ｎ−エチルアンモニウム］＋［４−（（メチルジエチルシリルオクチル）（ペルフルオロフェニル）アミノ）ペルフルオロフェニル）（ペンタフルオロアントラセニル）（ペンタフルオロピレニル）（ペルフルオロアントラセニル）ボラート］−／テトラベンジルジルコニウム
［Ｎ，Ｎ，Ｎ−（エチル）（メチル）（オクチル）アンモニウム］＋［６−（（ジエチルノニルシリル）（２，３，６−トリフルオロフェニル）アミノ）フルオロフルオレン−２−イル）（４，５，７−トリフルオロナフチル）（ペルフルオロビフェニル）（ペルフルオロアントラセニル）ボラート］−／ジメチルシリ（ビスインデニル）ジクロリドジルコニウム
［トリ−Ｎ−（メチルフェニル）アンモニウム］＋［７−（（ｎ−ブチル）（２，３，６−トリフルオロフェニル）アミノ）ペルフルオロフルオレン−２−イル）ビス（２，３，４−トリフルオロフェニル）（テトラフルオロフルオレニル）ボラート］−／ジメチルシリ（ビスインデニル）ジクロリドジルコニウム
［Ｎ，Ｎ，Ｎ−（エチル）（メチル）（ｔ−ブチル）アンモニウム］＋［８−（（メチルジエチルシリルオクチル）（ペルフルオロフェニル）アミノ）ペルフルオロナフト−３−イル）（２，３，６−トリフルオロフェニル）（ペルフルオロフェニル）（テトラフルオロフルオレニル）ボラート］−／ジメチルシリル（テトラメチルシクロペンタジエニル）（ｔｅｒｔ−ブチルアミド）ジメチルジルコニウム
［トリ−Ｎ−オクチルアンモニウム］＋［６−（（メチルエチルヘキシルシリル）（ペンタフルオロピレニル）ホスフィノ）ペルフルオロナフト−１−イル）ビス（２，３，６−トリフルオロフェニル）（ペルフルオロピレニル）ボラート］−／ジメチルシリルビス（２−メチルベンズインデニル）ジメチルジルコニウム
［トリ−Ｎ−プロピルアンモニウム］＋［４’−（（トリエチルシリルプロピル）（ペンタフルオロアントラセニル）アミノ）フルオロビフェン−４−イル）（ペルフルオロアントラセニル）（ペルフルオロフルオレニル）（２’，３’，５’−トリフルオロビフェニル）ボラート］−／テトラ（ビス（トリメチルシリルメチル））ジルコニウム
［Ｎ，Ｎ，Ｎ−（エチル）（メチル）（オクチル）アンモニウム］＋［６−（（プロピル）（ペンタフルオロアントラセニル）ホスフィノ）ペルフルオロアントラセン−２−イル）（ペルフルオロフェニル）（テトラフルオロフルオレニル）（２，３，５−トリフルオロフェニル）（２’，３’，４’−トリフルオロビフェニル）ボラート］−／ジメチルシリル（テトラメチルシクロペンタジエニル）（ｔｅｒｔ−ブチルアミド）ジメチルジルコニウム
［トリ−Ｎ−オクチルアンモニウム］＋［７−（（トリ−ｎ−プロピルシリル）（ペルフルオロフェニル）アミノ）ペルフルオロナフト−１−イル）ビス（２，３，４−トリフルオロフェニル）（２，３，５−トリフルオロフェニル）ボラート］−／ジメチルシリルビス（テトラハイドロインデニル）ジクロリドジルコニウム
［トリ−Ｎ−プロピルアンモニウム］＋［６−（（トリ−ｎ−プロピルシリル）（ペルフルオロビフェニル）アミノ）ペルフルオロアントラセン−２−イル）（２’，３’，５’−トリフルオロビフェニル）（ペルフルオロビフェニル）（ペルフルオロフェニル）ボラート］−／ジフェニルメチル（フルオレニル）（シクロペンタジエニル）ジメチルジルコニウム
［トリ−Ｎ−（ｔ−ブチル）アンモニウム］＋［６−（（トリ−イソプロピルシリル）（ペルフルオロピレニル）アルシノ）ペルフルオロアントラセン−２−イル）（ペルフルオロナフチル）（ペルフルオロフェニル）（ペルフルオロビフェニル）ボラート］−／ジメチルシリルビス（テトラハイドロインデニル）ジクロリドジルコニウム
［トリ−Ｎ−オクチルアンモニウム］＋［７−（（ジエチルノニルシリル）（ペルフルオロビフェニル）ホスフィノ）ペルフルオロピレン−２−イル）（ペルフルオロフェニル）（４，５，６，７−テトラフルオロナフチル）（２’，３’，５’−トリフルオロビフェニル）ボラート］−／シラシクロブチル（テトラメチルシクロペンタジエニル）（ｎ−プロピルシクロペンタジエニル）ジメチルジルコニウム
［トリ−Ｎ−フェニルアンモニウム］＋［６−（（ベンジル）（ペンタフルオロピレニル）アミノ）ペルフルオロインデン−２−イル）（ペルフルオロフェニル）（ペルフルオロビフェニル）（４，５，６−トリフルオロナフチル）ボラート］−／テトラ（ビス（トリメチルシリルメチル））ジルコニウム
［Ｎ，Ｎ，Ｎ−（エチル）（メチル）（ｔ−ブチル）アンモニウム］＋［６−（（２，２−ジメチルオクチル）（ペルフルオロビフェニル）アミノ）フルオロナフト−３−イル）（ペルフルオロフェニル）（２’，３’，４’−トリフルオロビフェニル）（ペルフルオロアントラセニル）ボラート］−／シラシクロブチル（テトラメチルシクロペンタジエニル）（ｎ−プロピルシクロペンタジエニル）ジメチルジルコニウム
［Ｎ，Ｎ，Ｎ−（エチル）（メチル）（オクチル）アンモニウム］＋［７−（（トリ−ｎ−プロピルシリルヘキシル）（ペルフルオロフェニル）ホスフィノ）フルオロピレン−１−イル）（ペルフルオロアントラセニル）（２，３，４−トリフルオロフェニル）（ペルフルオロフェニル）ボラート］−／（テトラメチルシクロペンタジエニル）（ｎ−プロピルシクロペンタジエニル）ジメチルジルコニウム
［Ｎ，Ｎ−２，４，６−ペンタメチルアニリニウム］＋［８−（（ｎ−ブチル）（ペルフルオロフルオレニル）アミノ）ペルフルオロナフト−３−イル）（ペルフルオロナフチル）（５，６，７，８−テトラフルオロナフチル）（ペンタフルオロアントラセニル）ボラート］−／オキソトリス（トリメチルシリルメチル）バナジウム
［Ｎ−メチル−Ｎ−ドデシルアニリニウム］＋［６−（（シクロヘキシル）（ペルフルオロピレニル）ホスフィノ）ペルフルオロフルオレン−１−イル）（ペルフルオロピレニル）（２，３，４−トリフルオロフェニル）（２’，３’，４’−トリフルオロビフェニル）ボラート］−／オキソトリス（トリメチルシリルメチル）バナジウム
［Ｎ−メチル−Ｎ−ドデシルアニリニウム］＋［５−（（トリエチルシリル）（ペルフルオロビフェニル）アミノ）ペルフルオロインデン−１−イル）（ペルフルオロフルオレニル）（テトラフルオロフルオレニル）（ペルフルオロフェニル）ボラート］−／ジメチルシリルビス（フェニルメチルインデニル）ジメチルハフニウム
［Ｎ−メチル−Ｎ−ドデシルアニリニウム］＋［３−（（３−エチルノニル）（２，３，５−トリフルオロフェニル）アミノ）ペルフルオロフェニル）（ペルフルオロフェニル）（ペルフルオロアントラセニル）（ペルフルオロピレニル）ボラート］−／テトラベンジルハフニウム
［Ｎ，Ｎ−２，４，６−ペンタメチルアニリニウム］＋［６−（（トリエチルシリルエチル）（ペルフルオロビフェニル）アミノ）ペルフルオロアントラセン−１−イル）（ペルフルオロビフェニル）（ペルフルオロアントラセニル）（テトラフルオロフルオレニル）ボラート］−／ジフェニルメチル（フルオレニル）（シクロペンタジエニル）ジメチルハフニウム
［Ｎ，Ｎ−ジ（ドデシル）アニリニウム］＋［３−（（ブチル）（ペルフルオロビフェニル）アルシノ）ペルフルオロフェニル）（ペンタフルオロピレニル）（２’，３’，５’−トリフルオロビフェニル）（ペルフルオロフェニル）ボラート］−／ジメチルシリルビスインデニルジメチルハフニウム
［Ｎ，Ｎ−２，４，６−ペンタメチルアニリニウム］＋［６−（（メチルエチルヘキシルシリル）（ペルフルオロピレニル）アミノ）ペルフルオロアントラセン−２−イル）（ペルフルオロフェニル）（２，３，４−トリフルオロフェニル）（４，５，６，７−テトラフルオロナフチル）ボラート］−／ジメチルシリル（テトラメチルシクロペンタジエニル）（ドデシルアミド）ジヒドリドハフニウム
［Ｎ−メチル−Ｎ−ドデシルアニリニウム］＋［７−（（オクチル）（５，６，７，８−テトラフルオロナフチル）アミノ）ペルフルオロナフト−１−イル）（ペルフルオロビフェニル）（ペルフルオロピレニル）（ペンタフルオロピレニル）ボラート］−／ジフェニルメチル（シクロペンタジエニル）（２，７−ジ−ｔ−ブチル−フルオレニル）ジメチルハフニウム
［Ｎ，Ｎ−ジ（ドデシル）アニリニウム］＋［７−（（トリエチルシリル）（４，５，７−トリフルオロナフチル）アミノ）フルオロフルオレン−２−イル）（ペルフルオロフルオレニル）（ペルフルオロピレニル）（２，３，５−トリフルオロフェニル）ボラート］−／ジメチルシリルビス（メチルインデニル）ジメチルハフニウム
［Ｎ，Ｎ−ジ（ドデシル）アニリニウム］＋［６−（（トリメチルシリル）（ペルフルオロビフェニル）アミノ）ペルフルオロフルオレン−１−イル）（ペンタフルオロピレニル）（ペルフルオロフェニル）（２’，３’，４’−トリフルオロビフェニル）ボラート］−／ジメチルシリルビス（メチルインデニル）ジメチルハフニウム
［Ｎ，Ｎ−ジエチルアニリニウム］＋［６−（（メチルジエチルシリルオクチル）（ペルフルオロフェニル）アミノ）ペルフルオロインデン−２−イル）（ペルフルオロビフェニル）（４，５，６−トリフルオロナフチル）（ペルフルオロピレニル）ボラート］−／ジメチルシリルビスインデニルジメチルハフニウム
［Ｎ−メチル−Ｎ−ドデシルアニリニウム］＋［５−（（トリエチルシリルプロピル）（ペルフルオロビフェニル）アミノ）フルオロインデン−２−イル）（ペルフルオロフルオレニル）（ペルフルオロピレニル）（ペルフルオロフェニル）ボラート］−／ジメチルシリル（テトラメチルシクロペンタジエニル）（ドデシルアミド）ジメチルハフニウム
［Ｎ，Ｎ−ジエチルアニリニウム］＋［３’−（（トリ−ｎ−プロピルシリル）（ペルフルオロフェニル）ホスフィノ）ペルフルオロビフェン−４−イル）（テトラフルオロフルオレニル）（２，３，６−トリフルオロフェニル）（ペンタフルオロアントラセニル）ボラート］−／ジフェニルメチル（シクロペンタジエニル）（フルオレニル）ジメチルハフニウム
［Ｎ，Ｎ−ジ（ドデシル）アニリニウム］＋［６−（（メチルエチルヘキシルシリル）（ペルフルオロピレニル）ホスフィノ）ペルフルオロフルオレン−２−イル）（テトラフルオロフルオレニル）（５，６，７，８−テトラフルオロナフチル）（ペルフルオロピレニル）ボラート］−／ジフェニルメチル（フルオレニル）（シクロペンタジエニル）ジメチルハフニウム
［Ｎ，Ｎ−２，４，６−ペンタメチルアニリニウム］＋［７−（（ｎ−ブチル）（ペンタフルオロアントラセニル）アミノ）ペルフルオロナフト−３−イル）ビス（ペルフルオロビフェニル）（２，３，５−トリフルオロフェニル）ボラート］−／ジメチルシリルビス（フェニルメチルインデニル）ジメチルハフニウム
［Ｎ，Ｎ−ジ（ドデシル）アニリニウム］＋［６−（（トリ−ｎ−プロピルシリルヘキシル）（４，５，６−トリフルオロナフチル）アミノ）ペルフルオロアントラセン−２−イル）（ペルフルオロビフェニル）（ペルフルオロピレニル）（ペルフルオロアントラセニル）ボラート］−／（４−アルキル−１−フェニル）（４−ｔ−ブチル−１−フェニル）メチル（シクロペンタジエニル）（フルオレニル）ジメチルハフニウム
［Ｎ，Ｎ−ジ（ドデシル）アニリニウム］＋［５−（（ベンジル）（ペンタフルオロピレニル）アミノ）ペルフルオロインデン−２−イル）（ペルフルオロビフェニル）（ペルフルオロナフチル）（２，３，６−トリフルオロフェニル）ボラート］−／ジメチルシリルビスインデニルジメチルハフニウム
［Ｎ，Ｎ−ジエチルアニリニウム］＋［７−（（メチルエチルヘキシルシリル）（ペルフルオロビフェニル）ホスフィノ）ペルフルオロナフト−２−イル）（２，３，４−トリフルオロフェニル）（ペルフルオロピレニル）（２’，３’，４’−トリフルオロビフェニル）ボラート］−／ジフェニルメチル（シクロペンタジエニル）（２，７−ジ−ｔ−ブチル−フルオレニル）ジメチルハフニウム
［Ｎ，Ｎ−ジ（ドデシル）アニリニウム］＋［５−（（メチルエチルヘキシルシリル）（ペルフルオロフェニル）アミノ）ペルフルオロナフト−１−イル）ビス（４，５，６，７−テトラフルオロナフチル）（ペルフルオロフルオレニル）ボラート］−／ジフェニルメチル（シクロペンタジエニル）（２，７−ジ−ｔ−ブチル−フルオレニル）ジメチルハフニウム
［Ｎ，Ｎ−ジメチルアニリニウム］＋［５−（（ノニル）（ペルフルオロフェニル）アミノ）ペルフルオロインデン−２−イル）（ペルフルオロビフェニル）（ペルフルオロナフチル）（２，３，６−トリフルオロフェニル）ボラート］−／ジメチルシリル（テトラメチルシクロペンタジエニル）（ドデシルアミド）ジメチルハフニウム
［Ｎ，Ｎ−ジエチルアニリニウム］＋［６−（（トリ−イソプロピルシリル）（２，３，５−トリフルオロフェニル）アミノ）ペルフルオロインデン−２−イル）（ペルフルオロフルオレニル）（ペルフルオロナフチル）（２，３，６−トリフルオロフェニル）ボラート］−／ジフェニルメチル（シクロペンタジエニル）（フルオレニル）ジメチルハフニウム
［Ｎ，Ｎ−ジ（ドデシル）アニリニウム］＋［５−（（トリ−ｎ−プロピルシリル）（ペルフルオロフェニル）アミノ）ペルフルオロナフト−３−イル）（２，３，５−トリフルオロフェニル）（ペルフルオロフェニル）（４，５，７−トリフルオロナフチル）ボラート］−／ジメチルシリル（テトラメチルシクロペンタジエニル）（ドデシルアミド）ジメチルハフニウム
［Ｎ，Ｎ−２，４，６−ペンタメチルアニリニウム］＋［５−（（ベンジル）（ペルフルオロビフェニル）アミノ）ペルフルオロナフト−３−イル）（ペルフルオロビフェニル）（ペンタフルオロアントラセニル）（ペルフルオロフェニル）ボラート］−／トリス（トリメチルシリルメチル）ジクロリドニオブ
［Ｎ，Ｎ−ジメチルアニリニウム］＋［７−（（トリ−イソプロピルシリルオクチル）（ペンタフルオロアントラセニル）アミノ）ペルフルオロナフト−３−イル）（ペルフルオロビフェニル）（２，３，４−トリフルオロフェニル）（ペルフルオロフェニル）ボラート］−／トリス（トリメチルシリルメチル）ジクロリドニオブ
［Ｎ，Ｎ−２，４，６−ペンタメチルアニリニウム］＋［７−（（トリ−ｎ−プロピルシリルヘキシル）（ペルフルオロビフェニル）アミノ）ペルフルオロアントラセン−１−イル）（２’，３’，４’−トリフルオロビフェニル）（５，６，７，８−テトラフルオロナフチル）（ペルフルオロフェニル）ボラート］−／トリス（トリメチルシリルメチル）ジクロリドニオブ
［Ｎ，Ｎ−２，４，６−ペンタメチルアニリニウム］＋［７−（（ノニル）（ペルフルオロビフェニル）アルシノ）ペルフルオロピレン−１−イル）（ペルフルオロフェニル）（ペルフルオロビフェニル）（２，３，５−トリフルオロフェニル）ボラート］−／トリス（トリメチルシリルメチル）ジクロリドニオブ
［Ｎ，Ｎ−ジ（ドデシル）アニリニウム］＋［６−（（３−エチルノニル）（ペルフルオロフェニル）アミノ）ペルフルオロインデン−２−イル）（ペルフルオロピレニル）（２，３，６−トリフルオロフェニル）（ペルフルオロアントラセニル）ボラート］−／トリス（トリメチルシリルメチル）ジクロリドニオブ
［Ｎ，Ｎ−２，４，６−ペンタメチルアニリニウム］＋［７−（（トリエチルシリルプロピル）（ペルフルオロアントラセニル）アミノ）フルオロフルオレン−１−イル）（ペルフルオロフルオレニル）（ペルフルオロピレニル）（２，３，６−トリフルオロフェニル）ボラート］−／トリス（トリメチルシリルメチル）ジクロリドタンタル
［Ｎ，Ｎ−２，４，６−ペンタメチルアニリニウム］＋［４−（（メチルジエチルシリルオクチル）（２’，３’，４’−トリフルオロビフェニル）アミノ）ペルフルオロフェニル）（２，３，６−トリフルオロフェニル）（ペルフルオロフェニル）（４，５，７−トリフルオロナフチル）ボラート］−／テトラベンジルチタン
［Ｎ，Ｎ−ジエチルアニリニウム］＋［６−（（ヘキシル）（ペルフルオロビフェニル）アミノ）ペルフルオロフルオレン−２−イル）（ペルフルオロアントラセニル）（ペルフルオロピレニル）（ペルフルオロフルオレニル）ボラート］−／ビス（ヘキサメチルジシリド）ジメチルチタン
［Ｎ，Ｎ−ジエチルアニリニウム］＋［５−（（２，２−ジメチルオクチル）（ペルフルオロピレニル）アミノ）ペルフルオロナフト−３−イル）（ペルフルオロフルオレニル）（テトラフルオロフルオレニル）（４，５，６−トリフルオロナフチル）ボラート］−／ジメチルシリル（テトラメチルシクロペンタジエニル）（ｔｅｒｔ−ブチルアミド）ジクロリドチタン
［Ｎ，Ｎ−ジエチルアニリニウム］＋［４’−（（ノニル）（ペルフルオロピレニル）アミノ）ペルフルオロビフェン−４−イル）（ペルフルオロフルオレニル）（ペルフルオロピレニル）（２，３，４−トリフルオロフェニル）ボラート］−／ペンタメチルシクロペンタジエニルトリベンジルチタン
［Ｎ，Ｎ−２，４，６−ペンタメチルアニリニウム］＋［７−（（トリ−イソプロピルシリルオクチル）（ペンタフルオロピレニル）アミノ）ペルフルオロナフト−３−イル）（ペルフルオロナフチル）（ペルフルオロフェニル）（テトラフルオロフルオレニル）ボラート］−／ジメチルシリル（テトラメチルシクロペンタジエニル）（ｔｅｒｔ−ブチルアミド）ジクロリドチタン
［Ｎ，Ｎ−ジエチルアニリニウム］＋［６−（（メチルエチルヘキシルシリル）（ペルフルオロピレニル）アミノ）ペルフルオロナフト−１−イル）（ペルフルオロフルオレニル）（ペルフルオロビフェニル）（２’，３’，４’−トリフルオロビフェニル）ボラート］−／ビス（ヘキサメチルジシリド）ジメチルチタン
［Ｎ−メチル−Ｎ−ドデシルアニリニウム］＋［５−（（エチル）（４，５，６，７−テトラフルオロナフチル）アミノ）ペルフルオロナフト−３−イル）（ペルフルオロピレニル）（２，３，６−トリフルオロフェニル）（テトラフルオロフルオレニル）ボラート］−／ペンタメチルシクロペンタジエニルトリメチルチタン
［Ｎ−メチル−Ｎ−ドデシルアニリニウム］＋［６−（（トリエチルシリルエチル）（ペルフルオロナフチル）アミノ）ペルフルオロナフト−１−イル）（ペルフルオロフルオレニル）（ペルフルオロフェニル）（２，３，６−トリフルオロフェニル）ボラート］−／ビス（ヘキサメチルジシリド）ジメチルチタン
［Ｎ−メチル−Ｎ−ドデシルアニリニウム］＋［７−（（メチルエチルヘキシルシリル）（ペルフルオロビフェニル）アミノ）ペルフルオロインデン−２−イル）（２’，３’，５’−トリフルオロビフェニル）（２’，３’，４’−トリフルオロビフェニル）（ペルフルオロビフェニル）ボラート］−／ジメチルシリ（ビスインデニル）ジクロリドジルコニウム
［Ｎ，Ｎ−２，４，６−ペンタメチルアニリニウム］＋［７−（（イソプロピル）（ペルフルオロビフェニル）アミノ）ペルフルオロナフト−３−イル）（ペルフルオロピレニル）（４，５，６，７−テトラフルオロナフチル）（４，５，７−トリフルオロナフチル）ボラート］−／ジメチルシリ（ビスインデニル）ジクロリドジルコニウム
［Ｎ，Ｎ−２，４，６−ペンタメチルアニリニウム］＋［７−（（トリエチルシリルエチル）（５，６，７，８−テトラフルオロナフチル）アミノ）フルオロフルオレン−１−イル）（ペルフルオロアントラセニル）（ペルフルオロフルオレニル）（２，３，４−トリフルオロフェニル）ボラート］−／シラシクロブチル（テトラメチルシクロペンタジエニル）（ｎ−プロピルシクロペンタジエニル）ジメチルジルコニウム
［Ｎ，Ｎ−ジメチルアニリニウム］＋［６−（（オクチル）（ペルフルオロフェニル）アミノ）ペルフルオロアントラセン−２−イル）（４，５，６，７−テトラフルオロナフチル）（２，３，５−トリフルオロフェニル）（ペルフルオロフェニル）ボラート］−／ビス（１，３−ジブチル−メチル−シクロペンタジエニル）ジメチルジルコニウム
［Ｎ−メチル−Ｎ−ドデシルアニリニウム］＋［７−（（ヘキシル）（２，３，４−トリフルオロフェニル）アミノ）ペルフルオロフルオレン−２−イル）（テトラフルオロフルオレニル）（２，３，４−トリフルオロフェニル）（ペルフルオロナフチル）ボラート］−／（テトラメチルシクロペンタジエニル）（ｎ−プロピルシクロペンタジエニル）ジメチルジルコニウム
［Ｎ，Ｎ−ジメチルアニリニウム］＋［６−（（トリエチルシリル）（ペルフルオロフェニル）アミノ）ペルフルオロアントラセン−１−イル）（２’，３’，５’−トリフルオロビフェニル）（ペルフルオロフェニル）（ペンタフルオロピレニル）ボラート］−／（ペンタメチルシクロペンタジエニル）（シクロペンタジエニル）ジメチルジルコニウム
［Ｎ，Ｎ−ジエチルアニリニウム］＋［７−（（シクロヘキシル）（５，６，７，８−テトラフルオロナフチル）アミノ）ペルフルオロナフト−１−イル）（２，３，５−トリフルオロフェニル）（ペルフルオロフェニル）（４，５，６−トリフルオロナフチル）ボラート］−／ジメチルシリルビス（２−メチルベンズインデニル）ジメチルジルコニウム
［Ｎ−メチル−Ｎ−ドデシルアニリニウム］＋［７−（（３−エチルノニル）（ペルフルオロフェニル）ホスフィノ）ペルフルオロアントラセン−１−イル）ビス（ペンタフルオロピレニル）（ペルフルオロビフェニル）ボラート］−／ジメチルシリルビス（２−メチルベンズインデニル）ジメチルジルコニウム
［Ｎ，Ｎ−ジ（ドデシル）アニリニウム］＋［２’−（（ジエチルノニルシリル）（４，５，６，７−テトラフルオロナフチル）アミノ）ペルフルオロビフェン−４−イル）（２，３，４−トリフルオロフェニル）（４，５，６−トリフルオロナフチル）（４，５，６，７−テトラフルオロナフチル）ボラート］−／ビス（１，３−ジブチル−メチル−シクロペンタジエニル）ジメチルジルコニウム
［Ｎ−メチル−Ｎ−ドデシルアニリニウム］＋［７−（（トリメチルシリル）（ペルフルオロビフェニル）アミノ）ペルフルオロナフト−１−イル）（ペルフルオロフルオレニル）（４，５，７−トリフルオロナフチル）（ペンタフルオロアントラセニル）ボラート］−／ジメチルシリルビス（２−メチルベンズインデニル）ジメチルジルコニウム
［Ｎ−メチル−Ｎ−ドデシルアニリニウム］＋［４’−（（トリ−イソプロピルシリルオクチル）（４，５，７−トリフルオロナフチル）アミノ）ペルフルオロビフェン−４−イル）ビス（２’，３’，４’−トリフルオロビフェニル）（ペルフルオロビフェニル）ボラート］−／ジメチルシリ（ビスインデニル）ジクロリドジルコニウム
［Ｎ，Ｎ−ジ（ドデシル）アニリニウム］＋［５−（（プロピル）（ペンタフルオロピレニル）ホスフィノ）フルオロナフト−３−イル）（ペルフルオロビフェニル）（ペルフルオロピレニル）（ペルフルオロナフチル）ボラート］−／ジメチルシリ（ビスインデニル）ジクロリドジルコニウム
［Ｎ，Ｎ−ジメチルアニリニウム］＋［５−（（メチルジエチルシリルオクチル）（ペルフルオロフェニル）アミノ）ペルフルオロナフト−１−イル）（ペルフルオロフルオレニル）（ペルフルオロフェニル）（ペンタフルオロピレニル）ボラート］−／ジメチルシリルビス（テトラハイドロインデニル）ジクロリドジルコニウム
［Ｎ，Ｎ，Ｎ−（エチル）（メチル）（ｎ−ブチル）ホスホニウム］＋［７−（（ベンジル）（ペルフルオロビフェニル）アミノ）ペルフルオロアントラセン−１−イル）（ペルフルオロアントラセニル）（２’，３’，５’−トリフルオロビフェニル）（ペルフルオロフェニル）ボラート］−／オキソトリス（トリメチルシリルメチル）バナジウム
［Ｎ，Ｎ，Ｎ−（エチル）（メチル）（オクチル）ホスホニウム］＋［３’−（（トリ−イソプロピルシリル）（テトラフルオロフルオレニル）アミノ）フルオロビフェン−４−イル）（ペルフルオロビフェニル）（ペルフルオロナフチル）（２，３，５−トリフルオロフェニル）ボラート］−／オキソトリス（トリメチルシリルメチル）バナジウム
［Ｎ，Ｎ，Ｎ−（エチル）（メチル）（ｎ−ブチル）ホスホニウム］＋［６−（（シクロヘキシル）（ペンタフルオロアントラセニル）ホスフィノ）ペルフルオロナフト−１−イル）（ペルフルオロフェニル）（２’，３’，５’−トリフルオロビフェニル）（２，３，５−トリフルオロフェニル）ボラート］−／オキソトリス（トリメチルシリルメチル）バナジウム
［トリ−Ｎ−オクチルホスホニウム］＋［５−（（プロピル）（ペルフルオロフェニル）アミノ）ペルフルオロインデン−２−イル）（ペルフルオロフルオレニル）（ペンタフルオロアントラセニル）（ペルフルオロフェニル）ボラート］−／オキソトリス（トリメチルシリルメチル）バナジウム
［トリ−Ｎ−プロピルホスホニウム］＋［５−（（イソプロピル）（ペルフルオロフェニル）ホスフィノ）ペルフルオロインデン−１−イル）（ペルフルオロナフチル）（ペルフルオロフルオレニル）（ペルフルオロフェニル）ボラート］−／ジフェニルメチル（シクロペンタジエニル）（２，７−ジメチルフルオレニル）ジメチルハフニウム
［トリ−Ｎ−（ｔ−ブチル）ホスホニウム］＋［６−（（ノニル）（ペルフルオロフェニル）アミノ）ペルフルオロナフト−１−イル）（ペルフルオロアントラセニル）（ペルフルオロビフェニル）（２，３，４−トリフルオロフェニル）ボラート］−／ジメチルシリルビス（メチルインデニル）ジメチルハフニウム
［トリ−Ｎ−（ｎ−ブチル）ホスホニウム］＋［６−（（ノニル）（２，３，５−トリフルオロフェニル）ホスフィノ）ペルフルオロアントラセン−１−イル）（ペルフルオロアントラセニル）（４，５，６−トリフルオロナフチル）（ペルフルオロビフェニル）ボラート］−／ジメチルシリル（テトラメチルシクロペンタジエニル）（ドデシルアミド）ジヒドリドハフニウム
［Ｎ，Ｎ，Ｎ−（エチル）（メチル）（オクチル）ホスホニウム］＋［６−（（トリエチルシリルエチル）（２，３，６−トリフルオロフェニル）アルシノ）ペルフルオロフルオレン−１−イル）ビス（ペルフルオロビフェニル）（２’，３’，５’−トリフルオロビフェニル）ボラート］−／テトラベンジルハフニウム
［Ｎ，Ｎ，Ｎ−（エチル）（メチル）（イソプロピル）ホスホニウム］＋［５−（（２，２−ジメチルオクチル）（テトラフルオロフルオレニル）アミノ）ペルフルオロインデン−２−イル）（４，５，７−トリフルオロナフチル）（５，６，７，８−テトラフルオロナフチル）（ペルフルオロフェニル）ボラート］−／ジメチルシリルビスインデニルジメチルハフニウム
［Ｎ，Ｎ，Ｎ−（エチル）（メチル）（ｎ−ブチル）ホスホニウム］＋［７−（（メチル）（ペルフルオロフェニル）アミノ）ペルフルオロアントラセン−１−イル）（ペルフルオロフルオレニル）（ペルフルオロフェニル）（ペンタフルオロピレニル）ボラート］−／ジフェニルメチル（フルオレニル）（シクロペンタジエニル）ジメチルハフニウム
［Ｎ，Ｎ，Ｎ−（エチル）（ジオクチル）ホスホニウム］＋［３−（（トリエチルシリルプロピル）（２’，３’，５’−トリフルオロビフェニル）アミノ）ペルフルオロフェニル）（ペルフルオロフェニル）（２，３，６−トリフルオロフェニル）（４，５，６−トリフルオロナフチル）ボラート］−／ジメチルシリルビスインデニルジメチルハフニウム
［トリ−Ｎ−メチルホスホニウム］＋［４’−（（メチルジエチルシリルオクチル）（２’，３’，４’−トリフルオロビフェニル）ホスフィノ）ペルフルオロビフェン−３−イル）（５，６，７，８−テトラフルオロナフチル）（ペルフルオロピレニル）（ペルフルオロナフチル）ボラート］−／ジフェニルメチル（フルオレニル）（シクロペンタジエニル）ジメチルハフニウム
［トリ−Ｎ−プロピルホスホニウム］＋［７−（（オクチル）（２，３，５−トリフルオロフェニル）アミノ）ペルフルオロナフト−１−イル）（ペルフルオロビフェニル）（ペルフルオロフルオレニル）（ペルフルオロナフチル）ボラート］−／ジフェニルメチル（フルオレニル）（シクロペンタジエニル）ジメチルハフニウム
［トリ−Ｎ−（メチルフェニル）ホスホニウム］＋［７−（（ベンジル）（ペルフルオロビフェニル）アミノ）ペルフルオロアントラセン−１−イル）（ペルフルオロナフチル）（ペルフルオロフェニル）（４，５，６，７−テトラフルオロナフチル）ボラート］−／ジフェニルメチル（シクロペンタジエニル）（フルオレニル）ジメチルハフニウム
［Ｎ，Ｎ，Ｎ−（エチル）（メチル）（オクチル）ホスホニウム］＋［４−（（ｎ−ブチル）（ペルフルオロビフェニル）ホスフィノ）ペルフルオロフェニル）（ペルフルオロビフェニル）（ペルフルオロピレニル）（ペルフルオロアントラセニル）ボラート］−／ジメチルシリルビス（メチルインデニル）ジメチルハフニウム
［トリ−Ｎ−エチルホスホニウム］＋［６−（（トリエチルシリルプロピル）（テトラフルオロフルオレニル）アルシノ）ペルフルオロナフト−３−イル）（ペルフルオロナフチル）（ペンタフルオロアントラセニル）（ペルフルオロビフェニル）ボラート］−／ジフェニルメチル（シクロペンタジエニル）（２，７−ジ−ｔ−ブチル−フルオレニル）ジメチルハフニウム
［Ｎ，Ｎ，Ｎ−（エチル）（メチル）（ｎ−ブチル）ホスホニウム］＋［５−（（メチルエチルヘキシルシリル）（テトラフルオロフルオレニル）アミノ）ペルフルオロインデン−２−イル）ビス（２’，３’，４’−トリフルオロビフェニル）（４，５，６，７−テトラフルオロナフチル）ボラート］−／ジメチルシリル（テトラメチルシクロペンタジエニル）（ドデシルアミド）ジメチルハフニウム
［Ｎ，Ｎ，Ｎ−（エチル）（メチル）（イソプロピル）ホスホニウム］＋［７−（（トリメチルシリル）（２’，３’，４’−トリフルオロビフェニル）アミノ）ペルフルオロナフト−１−イル）（５，６，７，８−テトラフルオロナフチル）（ペルフルオロフェニル）（ペルフルオロフルオレニル）ボラート］−／ジメチルシリルビスインデニルジメチルハフニウム
［トリ−Ｎ−オクチルホスホニウム］＋［６−（（トリエチルシリルプロピル）（ペルフルオロフルオレニル）アルシノ）ペルフルオロアントラセン−１−イル）ビス（ペンタフルオロピレニル）（ペルフルオロアントラセニル）ボラート］−／ジメチルシリルビス（メチルインデニル）ジメチルハフニウム
［Ｎ，Ｎ，Ｎ−（ジメチル）（ｔ−ブチル）ホスホニウム］＋［６−（（トリ−イソプロピルシリルオクチル）（ペルフルオロナフチル）アミノ）ペルフルオロナフト−３−イル）（ペンタフルオロピレニル）（ペルフルオロビフェニル）（２，３，４−トリフルオロフェニル）ボラート］−／ジフェニルメチル（シクロペンタジエニル）（２，７−ジメチルフルオレニル）ジメチルハフニウム
［Ｎ，Ｎ，Ｎ−（ジメチル）（ｔ−ブチル）ホスホニウム］＋［７−（（トリメチルシリル）（ペルフルオロナフチル）アミノ）ペルフルオロピレン−１−イル）（ペンタフルオロピレニル）（ペルフルオロアントラセニル）（４，５，７−トリフルオロナフチル）ボラート］−／（４−アルキル−１−フェニル）（４−ｔ−ブチル−１−フェニル）メチル（シクロペンタジエニル）（フルオレニル）ジメチルハフニウム
［トリ−Ｎ−プロピルホスホニウム］＋［４−（（３−エチルノニル）（ペルフルオロフェニル）アミノ）ペルフルオロフェニル）（ペルフルオロフェニル）（ペンタフルオロアントラセニル）（２，３，５−トリフルオロフェニル）ボラート］−／ジメチルシリルビスインデニルジメチルハフニウム
［Ｎ，Ｎ，Ｎ−（ジメチル）（ｔ−ブチル）ホスホニウム］＋［３−（（ブチル）（ペルフルオロビフェニル）ホスフィノ）ペルフルオロフェニル）ビス（ペルフルオロビフェニル）（ペルフルオロフルオレニル）ボラート］−／ジメチルシリル（テトラメチルシクロペンタジエニル）（ドデシルアミド）ジメチルハフニウム
［トリ−Ｎ−プロピルホスホニウム］＋［５−（（トリ−イソプロピルシリル）（ペルフルオロフェニル）ホスフィノ）ペルフルオロインデン−２−イル）ビス（５，６，７，８−テトラフルオロナフチル）（ペルフルオロビフェニル）ボラート］−／ジフェニルメチル（シクロペンタジエニル）（２，７−ジメチルフルオレニル）ジメチルハフニウム
［トリ−Ｎ−エチルホスホニウム］＋［５−（（トリエチルシリル）（４，５，６，７−テトラフルオロナフチル）ホスフィノ）ペルフルオロナフト−２−イル）（ペルフルオロフェニル）（ペルフルオロビフェニル）（ペルフルオロフルオレニル）ボラート］−／（４−アルキル−１−フェニル）（４−ｔ−ブチル−１−フェニル）メチル（シクロペンタジエニル）（フルオレニル）ジメチルハフニウム
［トリ−Ｎ−プロピルホスホニウム］＋［７−（（エチル）（ペルフルオロナフチル）アミノ）ペルフルオロナフト−１−イル）ビス（４，５，６−トリフルオロナフチル）（２’，３’，４’−トリフルオロビフェニル）ボラート］−／ジメチルシリルビス（フェニルメチルインデニル）ジメチルハフニウム
［Ｎ，Ｎ，Ｎ−（エチル）（メチル）（ｎ−ブチル）ホスホニウム］＋［５−（（イソプロピル）（ペルフルオロフェニル）アミノ）ペルフルオロインデン−１−イル）（ペルフルオロビフェニル）（２’，３’，４’−トリフルオロビフェニル）（ペルフルオロフルオレニル）ボラート］−／（４−アルキル−１−フェニル）（４−ｔ−ブチル−１−フェニル）メチル（シクロペンタジエニル）（フルオレニル）ジメチルハフニウム
［Ｎ，Ｎ，Ｎ−（エチル）（メチル）（ｔ−ブチル）ホスホニウム］＋［３−（（３−エチルノニル）（ペルフルオロビフェニル）アミノ）ペルフルオロフェニル）（ペルフルオロアントラセニル）（ペルフルオロビフェニル）（ペルフルオロピレニル）ボラート］−／ジメチルシリルビス（フェニルメチルインデニル）ジメチルハフニウム
［Ｎ，Ｎ，Ｎ−（ジメチル）（ｔ−ブチル）ホスホニウム］＋［６−（（トリエチルシリルエチル）（ペルフルオロフルオレニル）アミノ）ペルフルオロインデン−２−イル）（ペルフルオロピレニル）（ペルフルオロフルオレニル）（２’，３’，５’−トリフルオロビフェニル）ボラート］−／テトラベンジルハフニウム
［トリ−Ｎ−プロピルホスホニウム］＋［５−（（トリ−ｎ−プロピルシリルヘキシル）（ペルフルオロビフェニル）アミノ）ペルフルオロインデン−２−イル）（ペルフルオロフェニル）（２’，３’，４’−トリフルオロビフェニル）（ペルフルオロピレニル）ボラート］−／ジメチルシリル（テトラメチルシクロペンタジエニル）（ドデシルアミド）ジヒドリドハフニウム
［Ｎ，Ｎ，Ｎ−（エチル）（メチル）（オクチル）ホスホニウム］＋［８−（（トリ−イソプロピルシリル）（ペルフルオロピレニル）ホスフィノ）フルオロナフト−３−イル）（２’，３’，５’−トリフルオロビフェニル）（ペルフルオロフェニル）（４，５，６−トリフルオロナフチル）ボラート］−／テトラベンジルハフニウム
［トリ−Ｎ−（ジメチルフェニル）ホスホニウム］＋［５−（（トリ−ｎ−プロピルシリルヘキシル）（ペルフルオロフェニル）アミノ）ペルフルオロナフト−１−イル）（ペルフルオロフェニル）（ペンタフルオロピレニル）（ペンタフルオロアントラセニル）ボラート］−／ジメチルシリル（テトラメチルシクロペンタジエニル）（ドデシルアミド）ジメチルハフニウム
［Ｎ，Ｎ，Ｎ−（エチル）（メチル）（ｎ−ブチル）ホスホニウム］＋［７−（（２，２−ジメチルオクチル）（ペルフルオロビフェニル）アルシノ）ペルフルオロフルオレン−２−イル）（ペルフルオロフェニル）（２’，３’，４’−トリフルオロビフェニル）（ペンタフルオロアントラセニル）ボラート］−／テトラベンジルハフニウム
［トリ−Ｎ−（ジメチルフェニル）ホスホニウム］＋［５−（（トリエチルシリルプロピル）（４，５，７−トリフルオロナフチル）アミノ）ペルフルオロナフト−１−イル）ビス（ペンタフルオロアントラセニル）（ペンタフルオロピレニル）ボラート］−／ジメチルシリルビス（フェニルメチルインデニル）ジメチルハフニウム
［トリ−Ｎ−エチルホスホニウム］＋［６−（（トリメチルシリル）（４，５，７−トリフルオロナフチル）アミノ）ペルフルオロフルオレイン−１−イル）（５，６，７，８−テトラフルオロナフチル）（２，３，４−トリフルオロフェニル）（ペルフルオロフルオレニル）ボラート］−／ジメチルシリルビスインデニルジメチルハフニウム
［トリ−Ｎ−（メチルフェニル）ホスホニウム］＋［６−（（トリメチルシリル）（ペルフルオロピレニル）アミノ）ペルフルオロフルオレン−１−イル）（２，３，６−トリフルオロフェニル）（４，５，６−トリフルオロナフチル）（ペルフルオロフルオレニル）ボラート］−／ジフェニルメチル（シクロペンタジエニル）（フルオレニル）ジメチルハフニウム
［トリ−Ｎ−（ｔ−ブチル）ホスホニウム］＋［３−（（ブチル）（２，３，４−トリフルオロフェニル）アミノ）ペルフルオロフェニル）（４，５，６，７−テトラフルオロナフチル）（４，５，６−トリフルオロナフチル）（ペルフルオロフルオレニル）ボラート］−／ジメチルシリルビス（フェニルメチルインデニル）ジメチルハフニウム
［トリ−Ｎ−メチルホスホニウム］＋［７−（（ジエチルノニルシリル）（ペルフルオロアントラセニル））アミノ）ペルフルオロナフト−２−イル］（ペルフルオロナフチル）（２’，３’，５’−トリフルオロビフェニル）（２，３，５−トリフルオロフェニル）ボラート］−／ジメチルシリルビス（メチルインデニル）ジメチルハフニウム
［トリ−Ｎ−（メチルフェニル）ホスホニウム］＋［６−（（ノニル）（ペルフルオロフェニル）アミノ）ペルフルオロアントラセン−１−イル）（ペンタフルオロアントラセニル）（４，５，６−トリフルオロナフチル）（ペルフルオロビフェニル）ボラート］−／ジメチルシリルビス（ナフチルメチルインデニル）ジメチルハフニウム
［トリ−Ｎ−オクチルホスホニウム］＋［８−（（３−エチルノニル）（ペルフルオロピレニル）ホスフィノ）ペルフルオロナフト−３−イル）（２’，３’，５’−トリフルオロビフェニル）（４，５，６，７−テトラフルオロナフチル）（４，５，６−トリフルオロナフチル）ボラート］−／テトラベンジルハフニウム
［トリ−Ｎ−（ジメチルフェニル）ホスホニウム］＋［５−（（２，２−ジメチルオクチル）（テトラフルオロフルオレニル）アミノ）ペルフルオロインデン−２−イル）ビス（ペンタフルオロピレニル）（５，６，７，８−テトラフルオロナフチル）ボラート］−／ジフェニルメチル（シクロペンタジエニル）（２，７−ジ−ｔ−ブチル−フルオレニル）ジメチルハフニウム
［Ｎ，Ｎ，Ｎ−（エチル）（メチル）（オクチル）ホスホニウム］＋［５−（（ベンジル）（５，６，７，８−テトラフルオロナフチル）アミノ）ペルフルオロナフト−１−イル）（テトラフルオロフルオレニル）（ペルフルオロビフェニル）（ペルフルオロアントラセニル）ボラート］−／ジフェニルメチル（シクロペンタジエニル）（フルオレニル）ジメチルハフニウム
［Ｎ，Ｎ，Ｎ−（エチル）（メチル）（イソプロピル）ホスホニウム］＋［６−（（ヘキシル）（ペルフルオロフェニル）アミノ）ペルフルオロアントラセン−２−イル）（ペルフルオロフェニル）（ペルフルオロビフェニル）（２，３，５−トリフルオロフェニル）ボラート］−／ジフェニルメチル（フルオレニル）（シクロペンタジエニル）ジメチルハフニウム
［トリ−Ｎ−メチルホスホニウム］＋［５−（（トリメチルシリル）（ペルフルオロアントラセニル）アミノ）ペルフルオロナフト−１−イル）（テトラフルオロフルオレニル）（ペルフルオロフルオレニル）（ペルフルオロフェニル）ボラート］−／ジメチルシリルビスインデニルジメチルハフニウム
［トリ−Ｎ−（メチルフェニル）ホスホニウム］＋［４−（（イソプロピル）（２，３，６−トリフルオロフェニル）アルシノ）ペルフルオロフェニル）（ペンタフルオロピレニル）（５，６，７，８−テトラフルオロナフチル）（２，３，６−トリフルオロフェニル）ボラート］−／ジフェニルメチル（シクロペンタジエニル）（２，７−ジメチルフルオレニル）ジメチルハフニウム
［トリ−Ｎ−オクチルホスホニウム］＋［８−（（トリエチルシリルエチル）（ペルフルオロフルオレニル）ホスフィノ）ペルフルオロナフト−３−イル）（ペルフルオロビフェニル）（ペルフルオロアントラセニル）（２’，３’，５’−トリフルオロビフェニル）ボラート］−／ジフェニルメチル（シクロペンタジエニル）（２，７−ジ−ｔ−ブチル−フルオレニル）ジメチルハフニウム
［トリ−Ｎ−（ジメチルフェニル）ホスホニウム］＋［７−（（オクチル）（２，３，５−トリフルオロフェニル）アミノ）ペルフルオロフルオレン−２−イル）（ペルフルオロフルオレニル）（２，３，５−トリフルオロフェニル）（２，３，４−トリフルオロフェニル）ボラート］−／ジフェニルメチル（シクロペンタジエニル）（２，７−ジメチルフルオレニル）ジメチルハフニウム
［トリ−Ｎ−エチルホスホニウム］＋［６−（（トリ−ｎ−プロピルシリルヘキシル）（ペルフルオロフルオレニル）アミノ）ペルフルオロインデン−２−イル）（ペルフルオロフェニル）（ペンタフルオロアントラセニル）（ペルフルオロナフチル）ボラート］−／ジメチルシリルビスインデニルジメチルハフニウム
［Ｎ，Ｎ，Ｎ−（エチル）（ジオクチル）ホスホニウム］＋［５−（（トリ−ｎ−プロピルシリルヘキシル）（ペルフルオロビフェニル）アルシノ）ペルフルオロナフト−２−イル）（４，５，６−トリフルオロナフチル）（ペルフルオロフェニル）（テトラフルオロフルオレニル）ボラート］−／ジメチルシリルビス（ナフチルメチルインデニル）ジメチルハフニウム
［トリ−Ｎ−（ｎ−ブチル）ホスホニウム］＋［５−（（ヘキシル）（５，６，７，８−テトラフルオロナフチル）アミノ）ペルフルオロインデン−２−イル）（ペルフルオロナフチル）（４，５，６−トリフルオロナフチル）（ペンタフルオロピレニル）ボラート］−／ジメチルシリルビス（フェニルメチルインデニル）ジメチルハフニウム
［トリ−Ｎ−（メチルフェニル）ホスホニウム］＋［７−（（トリ−イソプロピルシリルオクチル）（ペルフルオロアントラセニル）アミノ）ペルフルオロフェニル）ビス（４，５，７−トリフルオロナフチル）（２，３，４−トリフルオロフェニル）ボラート］−／ジメチルシリルビスインデニルジメチルハフニウム
［Ｎ，Ｎ，Ｎ−（エチル）（メチル）（イソプロピル）ホスホニウム］＋［３’−（（イソプロピル）（ペルフルオロナフチル）アルシノ）フルオロビフェン−４−イル）（テトラフルオロフルオレニル）（２，３，４−トリフルオロフェニル）（ペンタフルオロピレニル）ボラート］−／ジフェニルメチル（シクロペンタジエニル）（２，７−ジメチルフルオレニル）ジメチルハフニウム
［トリ−Ｎ−（メチルフェニル）ホスホニウム］＋［７−（（ヘキシル）（２’，３’，４’−トリフルオロビフェニル）アミノ）ペルフルオロピレン−２−イル）（ペンタフルオロピレニル）（ペルフルオロフェニル）（ペンタフルオロアントラセニル）ボラート］−／ジメチルシリル（テトラメチルシクロペンタジエニル）（ドデシルアミド）ジヒドリドハフニウム
［トリ−Ｎ−（ｎ−ブチル）ホスホニウム］＋［４’−（（トリエチルシリルエチル）（ペルフルオロビフェニル）アミノ）ペルフルオロビフェン−３−イル）（テトラフルオロフルオレニル）（ペルフルオロフェニル）（２，３，４−トリフルオロフェニル）ボラート］−／トリス（トリメチルシリルメチル）ジクロリドニオブ
［Ｎ，Ｎ，Ｎ−（エチル）（メチル）（ｎ−ブチル）ホスホニウム］＋［７−（（トリエチルシリルプロピル）（ペルフルオロピレニル）アミノ）ペルフルオロアントラセン−１−イル）（ペルフルオロビフェニル）（２，３，５−トリフルオロフェニル）（２’，３’，４’−トリフルオロビフェニル）ボラート］−／トリス（トリメチルシリルメチル）ジクロリドニオブ
［トリ−Ｎ−（ｔ−ブチル）ホスホニウム］＋［６−（（トリエチルシリルエチル）（２’，３’，５’−トリフルオロビフェニル）ホスフィノ）フルオロアントラセン−２−イル）（５，６，７，８−テトラフルオロナフチル）（２，３，６−トリフルオロフェニル）（４，５，７−トリフルオロナフチル）ボラート］−／トリス（トリメチルシリルメチル）ジクロリドニオブ
［トリ−Ｎ−（ｔ−ブチル）ホスホニウム］＋［６−（（トリエチルシリルプロピル）（ペルフルオロビフェニル）アミノ）ペルフルオロナフト−２−イル）ビス（ペルフルオロアントラセニル）（２，３，４−トリフルオロフェニル）ボラート］−／トリス（トリメチルシリルメチル）ジクロリドニオブ
［トリ−Ｎ−プロピルホスホニウム］＋［５−（（メチルジエチルシリルオクチル）（ペルフルオロフルオレニル）ホスフィノ）ペルフルオロインデン−１−イル）（ペルフルオロフェニル）（２，３，５−トリフルオロフェニル）（２’，３’，４’−トリフルオロビフェニル）ボラート］−／トリス（トリメチルシリルメチル）ジクロリドニオブ
［Ｎ，Ｎ，Ｎ−（ジメチル）（ｔ−ブチル）ホスホニウム］＋［３−（（ブチル）（２，３，４−トリフルオロフェニル）アミノ）ペルフルオロフェニル）（ペルフルオロナフチル）（４，５，７−トリフルオロナフチル）（４，５，６−トリフルオロナフチル）ボラート］−／トリス（トリメチルシリルメチル）ジクロリドタンタル
［トリ−Ｎ−（ｎ−ブチル）ホスホニウム］＋［６−（（ヘキシル）（ペルフルオロビフェニル）アルシノ）フルオロフルオレン−２−イル）（２，３，５−トリフルオロフェニル）（ペルフルオロビフェニル）（ペルフルオロフェニル）ボラート］−／トリス（トリメチルシリルメチル）ジクロリドタンタル
［トリ−Ｎ−（ｔ−ブチル）ホスホニウム］＋［６−（（トリメチルシリル）（ペルフルオロビフェニル）アミノ）ペルフルオロアントラセン−１−イル）（ペンタフルオロピレニル）（４，５，７−トリフルオロナフチル）（５，６，７，８−テトラフルオロナフチル）ボラート］−／トリス（トリメチルシリルメチル）ジクロリドタンタル
［Ｎ，Ｎ，Ｎ−（エチル）（ジオクチル）ホスホニウム］＋［６−（（ヘキシル）（ペルフルオロビフェニル）アミノ）ペルフルオロインデン−２−イル）（ペルフルオロビフェニル）（２，３，６−トリフルオロフェニル）（ペルフルオロフルオレニル）ボラート］−／テトラベンジルチタン
［Ｎ，Ｎ，Ｎ−（エチル）（メチル）（ｎ−ブチル）ホスホニウム］＋［５−（（メチル）（ペルフルオロピレニル）アミノ）フルオロナフト−３−イル）ビス（ペンタフルオロピレニル）（ペルフルオロナフチル）ボラート］−／ペンタメチルシクロペンタジエニルイソプロポキシドチタン
［Ｎ，Ｎ，Ｎ−（エチル）（メチル）（イソプロピル）ホスホニウム］＋［６−（（ベンジル）（ペルフルオロフェニル）アミノ）ペルフルオロナフト−３−イル）（ペンタフルオロアントラセニル）（ペルフルオロフルオレニル）（ペルフルオロピレニル）ボラート］−／ジメチルシリル（テトラメチルシクロペンタジエニル）（ｔｅｒｔ−ブチルアミド）ジクロリドチタン
［Ｎ，Ｎ，Ｎ−（エチル）（メチル）（ｔ−ブチル）ホスホニウム］＋［６−（（メチルジエチルシリルオクチル）（ペルフルオロフェニル）アミノ）ペルフルオロナフト−２−イル）ビス（２，３，６−トリフルオロフェニル）（ペルフルオロフェニル）ボラート］−／ペンタメチルシクロペンタジエニルトリベンジルチタン
［トリ−Ｎ−メチルホスホニウム］＋［３’−（（ベンジル）（ペルフルオロフェニル）アミノ）ペルフルオロビフェン−４−イル）ビス（ペルフルオロビフェニル）（ペルフルオロナフチル）ボラート］−／ペンタメチルシクロペンタジエニルトリベンジルチタン
［トリ−Ｎ−エチルホスホニウム］＋［８−（（トリ−ｎ−プロピルシリル）（ペルフルオロフェニル）アミノ）ペルフルオロナフト−３−イル）（ペルフルオロナフチル）（ペルフルオロフルオレニル）（２’，３’，５’−トリフルオロビフェニル）ボラート］−／ペンタメチルシクロペンタジエニルトリベンジルチタン
［トリ−Ｎ−エチルホスホニウム］＋［６−（（トリ−ｎ−プロピルシリルヘキシル）（４，５，６，７−テトラフルオロナフチル）アミノ）ペルフルオロナフト−２−イル）（２，３，６−トリフルオロフェニル）（ペルフルオロナフチル）（ペルフルオロフェニル）ボラート］−／テトラベンジルチタン
［Ｎ，Ｎ，Ｎ−（エチル）（メチル）（ｎ−ブチル）ホスホニウム］＋［７−（（ベンジル）（ペルフルオロビフェニル）ホスフィノ）ペルフルオロインデン−２−イル）（ペルフルオロピレニル）（ペルフルオロビフェニル）（ペルフルオロナフチル）ボラート］−／テトラベンジルチタン
［トリ−Ｎ−エチルホスホニウム］＋［７−（（シクロヘキシル）（ペルフルオロビフェニル）アミノ）ペルフルオロナフト−２−イル）（ペンタフルオロピレニル）（ペルフルオロフェニル）（ペンタフルオロアントラセニル）ボラート］−／ジメチルシリル（テトラメチルシクロペンタジエニル）（ｔｅｒｔ−ブチルアミド）ジクロリドチタン
［Ｎ，Ｎ，Ｎ−（ジメチル）（ｔ−ブチル）ホスホニウム］＋［４’−（（メチルエチルヘキシルシリル）（４，５，７−トリフルオロナフチル）アミノ）フルオロビフェン−３−イル）（ペンタフルオロピレニル）（ペルフルオロアントラセニル）（ペルフルオロフルオレニル）ボラート］−／ビス（ヘキサメチルジシリド）ジメチルチタン
［Ｎ，Ｎ，Ｎ−（エチル）（ジオクチル）ホスホニウム］＋［６−（（シクロヘキシル）（ペルフルオロフェニル）アミノ）ペルフルオロフルオレン−２−イル）ビス（４，５，７−トリフルオロナフチル）（テトラフルオロフルオレニル）ボラート］−／ジメチルシリル（テトラメチルシクロペンタジエニル）（ｔｅｒｔ−ブチルアミド）ジクロリドチタン
［トリ−Ｎ−（ｔ−ブチル）ホスホニウム］＋［７−（（メチルジエチルシリルオクチル）（ペルフルオロビフェニル）アミノ）ペルフルオロアントラセン−１−イル）（ペルフルオロフェニル）（ペンタフルオロアントラセニル）（ペルフルオロビフェニル）ボラート］−／ペンタメチルシクロペンタジエニルイソプロポキシドチタン
［Ｎ，Ｎ，Ｎ−（ジメチル）（ｔ−ブチル）ホスホニウム］＋［７−（（トリ−ｎ−プロピルシリルヘキシル）（ペルフルオロフルオレニル）アミノ）ペルフルオロフルオレン−１−イル）（ペルフルオロフェニル）（４，５，６−トリフルオロナフチル）（ペルフルオロアントラセニル）ボラート］−／ジメチルシリル（テトラメチルシクロペンタジエニル）（ｔｅｒｔ−ブチルアミド）ジクロリドチタン
［トリ−Ｎ−（メチルフェニル）ホスホニウム］＋［７−（（トリ−ｎ−プロピルシリル）（２’，３’，４’−トリフルオロビフェニル）アミノ）フルオロインデン−２−イル）（ペルフルオロナフチル（２’，３’，４’−トリフルオロビフェニル）（ペルフルオロフルオレニル）ボラート）−／ペンタメチルシクロペンタジエニルトリベンジルチタン
［トリ−Ｎ−メチルホスホニウム］＋［５−（（トリメチルシリル）（ペルフルオロフェニル）アルシノ）ペルフルオロナフト−２−イル）（ペルフルオロアントラセニル）（ペンタフルオロアントラセニル）（４，５，７−トリフルオロナフチル）ボラート］−／ペンタメチルシクロペンタジエニルトリベンジルチタン
［トリ−Ｎ−プロピルホスホニウム］＋［５−（（トリ−ｎ−プロピルシリルヘキシル）（５，６，７，８−テトラフルオロナフチル）アミノ）ペルフルオロナフト−１−イル）（ペンタフルオロピレニル）（ペルフルオロビフェニル）（テトラフルオロフルオレニル）ボラート］−／ペンタメチルシクロペンタジエニルトリメチルチタン
［トリ−Ｎ−メチルホスホニウム］＋［６−（（トリメチルシリル）（ペルフルオロフルオレニル）アミノ）ペルフルオロフルオレン−２−イル］（ペルフルオロフェニル）（２，３，４−トリフルオロフェニル）（５，６，７，８−テトラフルオロナフチル）ボラート］−／ペンタメチルシクロペンタジエニルトリメチルチタン
［Ｎ，Ｎ，Ｎ−（エチル）（ジオクチル）ホスホニウム］＋［５−（（２，２−ジメチルオクチル）（ペルフルオロフェニル）アミノ）ペルフルオロナフト−３−イル）（４，５，６，７−テトラフルオロナフチル）（ペンタフルオロピレニル）（５，６，７，８−テトラフルオロナフチル）ボラート］−／テトラベンジルチタン
［Ｎ，Ｎ，Ｎ−（ジメチルフェニル）ホスホニウム］＋［７−（（トリエチルシリルエチル）（４，５，７−トリフルオロナフチル）アルシノ）ペルフルオロピレン−１−イル）（ペンタフルオロピレニル）（ペルフルオロビフェニル）（５，６，７，８−テトラフルオロナフチル）ボラート］−／ジメチルシリル（テトラメチルシクロペンタジエニル）（アダマンチル−１−アミノ）ジメチルチタン
［Ｎ，Ｎ，Ｎ−（エチル）（メチル）（イソプロピル）ホスホニウム］＋［４’−（（メチルジエチルシリルオクチル）（ペルフルオロフルオレニル）ホスフィノ）ペルフルオロビフェン−３−イル）ビス（ペルフルオロアントラセニル）（５，６，７，８−テトラフルオロナフチル）ボラート］−／ペンタメチルシクロペンタジエニルトリベンジルチタン
［Ｎ，Ｎ，Ｎ−（ジメチル）（ｔ−ブチル）ホスホニウム］＋［６−（（トリ−イソプロピルシリル）（ペルフルオロピレニル）アミノ）ペルフルオロナフト−２−イル）（ペンタフルオロピレニル）（４，５，７−トリフルオロナフチル）（ペルフルオロフェニル）ボラート］−／ペンタメチルシクロペンタジエニルトリベンジルチタン
［Ｎ，Ｎ，Ｎ−（ジメチル）（ｔ−ブチル）ホスホニウム］＋［７−（（エチル）（２’，３’，４’−トリフルオロビフェニル）ホスフィノ）ペルフルオロピレン−１−イル）（４，５，６−トリフルオロナフチル）（２，３，４−トリフルオロフェニル）（ペルフルオロフルオレニル）ボラート］−／テトラベンジルチタン
［トリ−Ｎ−エチルホスホニウム］＋［５−（（ジエチルノニルシリル）（テトラフルオロフルオレニル）アミノ）ペルフルオロインデン−１−イル）（ペルフルオロフェニル）（ペルフルオロナフチル）（ペルフルオロビフェニル）ボラート］−／ビス（ヘキサメチルジシリド）ジメチルチタン
［トリ−Ｎ−プロピルホスホニウム］＋［７−（（トリ−イソプロピルシリル）（ペルフルオロビフェニル）アミノ）ペルフルオロナフト−２−イル）（ペルフルオロナフチル）（２’，３’，４’−トリフルオロビフェニル）（２，３，５−トリフルオロフェニル）ボラート］−／ジメチルシリル（テトラメチルシクロペンタジエニル）（ｔｅｒｔ−ブチルアミド）ジクロリドチタン
［Ｎ，Ｎ，Ｎ−（メチルフェニル）ホスホニウム］＋［７−（（トリエチルシリルエチル）（ペルフルオロフェニル）アミノ）ペルフルオロインデン−２−イル）（ペルフルオロフェニル）（ペンタフルオロピレニル）（ペンタフルオロアントラセニル）ボラート］−／ジメチルシリルビス（テトラハイドロインデニル）ジクロリドジルコニウム
［Ｎ，Ｎ，Ｎ−（メチルフェニル）ホスホニウム］＋［５−（（トリ−ｎ−プロピルシリルヘキシル）（ペルフルオロビフェニル）アミノ）ペルフルオロインデン−１−イル）（ペルフルオロアントラセニル）（２’，３’，４’−トリフルオロビフェニル）（４，５，６，７−テトラフルオロナフチル）ボラート］−／シラシクロブチル（テトラメチルシクロペンタジエニル）（ｎ−プロピルシクロペンタジエニル）ジメチルジルコニウム
［トリ−Ｎ−（ｎ−ブチル）ホスホニウム］＋［７−（（トリメチルシリル）（ペルフルオロピレニル）アルシノ）フルオロフルオレン−１−イル）（ペルフルオロピレニル）（ペルフルオロフルオレニル）（テトラフルオロフルオレニル）ボラート］−／（テトラメチルシクロペンタジエニル）（ｎ−プロピルシクロペンタジエニル）ジメチルジルコニウム
［Ｎ，Ｎ，Ｎ−（エチル）（メチル）（ｎ−ブチル）ホスホニウム］＋［６−（（ヘキシル）（５，６，７，８−テトラフルオロナフチル）ホスフィノ）ペルフルオロアントラセン−１−イル）（ペンタフルオロピレニル）（ペルフルオロビフェニル）（テトラフルオロフルオレニル）ボラート］−／テトラ（ビス（トリメチルシリルメチル））ジルコニウム
［トリ−Ｎ−メチルホスホニウム］＋［４’−（（トリ−ｎ−プロピルシリル）（ペルフルオロビフェニル）アミノ）ペルフルオロビフェン−３−イル）（４，５，７−トリフルオロナフチル）（ペルフルオロピレニル）（ペルフルオロフェニル）ボラート］−／テトラ（ビス（トリメチルシリルメチル））ジルコニウム
［Ｎ，Ｎ，Ｎ−（エチル）（メチル）（ｔ−ブチル）ホスホニウム］＋［５−（（メチルジエチルシリルオクチル）（ペルフルオロフルオレニル）ホスフィノ）ペルフルオロインデン−２−イル）（４，５，７−トリフルオロナフチル）（ペルフルオロフェニル）（２，３，４−トリフルオロフェニル）ボラート］−／シラシクロブチル（テトラメチルシクロペンタジエニル）（ｎ−プロピルシクロペンタジエニル）ジメチルジルコニウム
［Ｎ，Ｎ，Ｎ−（ジメチル）（ｔ−ブチル）ホスホニウム］＋［３’−（（トリエチルシリルエチル）（ペルフルオロアントラセニル）アミノ）フルオロビフェン−４−イル）（ペルフルオロフェニル）（４，５，７−トリフルオロナフチル）（ペルフルオロピレニル）ボラート］−／ジメチルシリル（テトラメチルシクロペンタジエニル）（ｔｅｒｔ−ブチルアミド）ジメチルジルコニウム
［トリ−Ｎ−（ｎ−ブチル）ホスホニウム］＋［６−（（オクチル）（５，６，７，８−テトラフルオロナフチル）アミノ）ペルフルオロアントラセン−２−イル）（ペルフルオロビフェニル）（４，５，７−トリフルオロナフチル）（ペルフルオロアントラセニル）ボラート］−／ビス（１，３−ジブチル−メチル−シクロペンタジエニル）ジメチルジルコニウム
［トリ−Ｎ−（ジメチルフェニル）ホスホニウム］＋［７−（（２，２−ジメチルオクチル）（ペルフルオロフェニル）アルシノ）ペルフルオロナフト−１−イル）（ペルフルオロフルオレニル）（５，６，７，８−テトラフルオロナフチル）（ペルフルオロアントラセニル）ボラート］−／ジメチルシリルビス（２−メチルベンズインデニル）ジメチルジルコニウム
［トリ−Ｎ−（ｔ−ブチル）ホスホニウム］＋［６−（（トリ−イソプロピルシリルオクチル）（ペルフルオロナフチル）アミノ）ペルフルオロフルオレン−２−イル）（ペルフルオロアントラセニル）（ペンタフルオロピレニル）（２，３，４−トリフルオロフェニル）ボラート］−／ジメチルシリルビス（テトラハイドロインデニル）ジクロリドジルコニウム
［Ｎ，Ｎ，Ｎ−（エチル）（メチル）（イソプロピル）ホスホニウム］＋［６−（（トリ−ｎ−プロピルシリル）（２，３，６−トリフルオロフェニル）アミノ）ペルフルオロナフト−１−イル）（テトラフルオロフルオレニル）（２’，３’，４’−トリフルオロビフェニル）（ペンタフルオロピレニル）ボラート］−／テトラベンジルジルコニウム
［トリ−Ｎ−（ｎ−ブチル）ホスホニウム］＋［６−（（ブチル）（２’，３’，４’−トリフルオロビフェニル）ホスフィノ）ペルフルオロインデン−２−イル）（４，５，７−トリフルオロナフチル）（ペルフルオロビフェニル）（２’，３’，５’−トリフルオロビフェニル）ボラート］−／（ペンタメチルシクロペンタジエニル）（シクロペンタジエニル）ジメチルジルコニウム
［Ｎ，Ｎ，Ｎ−（ジメチル）（ｔ−ブチル）ホスホニウム］＋［４−（（トリ−ｎ−プロピルシリル）（ペルフルオロピレニル）ホスフィノ）ペルフルオロフェニル）（２，３，４−トリフルオロフェニル）（ペルフルオロビフェニル）（２，３，６−トリフルオロフェニル）ボラート］−／ジメチルシリルビス（テトラハイドロインデニル）ジクロリドジルコニウム
［トリ−Ｎ−オクチルホスホニウム］＋［３−（（トリエチルシリル）（２’，３’，４’−トリフルオロビフェニル）アルシノ）ペルフルオロフェニル）（ペルフルオロフェニル）（ペルフルオロビフェニル）（２’，３’，５’−トリフルオロビフェニル）ボラート］−／ジメチルシリ（ビスインデニル）ジクロリドジルコニウム
［トリ−Ｎ−（ｔ−ブチル）ホスホニウム］＋［５−（（シクロヘキシル）（２’，３’，５’−トリフルオロビフェニル）アミノ）フルオロナフト−３−イル）（４，５，７−トリフルオロナフチル）（ペルフルオロフェニル）（４，５，６−トリフルオロナフチル）ボラート］−／ジフェニルメチル（フルオレニル）（シクロペンタジエニル）ジメチルジルコニウム
［Ｎ，Ｎ，Ｎ−（エチル）（メチル）（ｎ−ブチル）ホスホニウム］＋［７−（（トリメチルシリル）（ペルフルオロフェニル）ホスフィノ）ペルフルオロピレン−２−イル）（５，６，７，８−テトラフルオロナフチル）（ペルフルオロビフェニル）（４，５，６−トリフルオロナフチル）ボラート］−／（ペンタメチルシクロペンタジエニル）（シクロペンタジエニル）ジメチルジルコニウム
［トリ−Ｎ−プロピルホスホニウム］＋［５−（（プロピル）（ペルフルオロフルオレニル）アミノ）ペルフルオロナフト−１−イル）（ペルフルオロナフチル）（ペルフルオロフルオレニル）（ペルフルオロアントラセニル）ボラート］−／ジメチルシリル（テトラメチルシクロペンタジエニル）（ｔｅｒｔ−ブチルアミド）ジメチルチタン
［Ｎ，Ｎ，Ｎ−（エチル）（メチル）（オクチル）ホスホニウム］＋［３’−（（トリエチルシリルエチル）（ペルフルオロビフェニル）アミノ）ペルフルオロビフェン−４−イル）（ペルフルオロナフチル）（５，６，７，８−テトラフルオロナフチル）（ペルフルオロビフェニル）ボラート］−／（テトラメチルシクロペンタジエニル）（ｎ−プロピルシクロペンタジエニル）ジメチルジルコニウム
［トリ−Ｎ−メチルホスホニウム］＋［７−（（トリエチルシリルプロピル）（ペルフルオロビフェニル）アミノ）フルオロピレン−１−イル）（ペルフルオロフェニル）（ペルフルオロピレニル）（ペルフルオロビフェニル）ボラート］−／ジメチルシリルビス（テトラハイドロインデニル）ジクロリドジルコニウム
［トリ−Ｎ−オクチルホスホニウム］＋［６−（（トリエチルシリル）（ペルフルオロビフェニル）アルシノ）ペルフルオロフルオレン−１−イル）（ペルフルオロビフェニル）（ペンタフルオロピレニル）（５，６，７，８−テトラフルオロナフチル）ボラート］−／テトラベンジルジルコニウム
［トリ−Ｎ−（ｔ−ブチル）ホスホニウム］＋［５−（（メチルジエチルシリルオクチル）（４，５，６，７−テトラフルオロナフチル）アミノ）フルオロインデン−２−イル）（ペルフルオロアントラセニル）（ペルフルオロフルオレニル）（５，６，７，８−テトラフルオロナフチル）ボラート］−／テトラ（ビス（トリメチルシリルメチル））ジルコニウム
［トリ−Ｎ−（ｎ−ブチル）ホスホニウム］＋［５−（（ｎ−ブチル）（ペルフルオロアントラセニル）アミノ）ペルフルオロナフト−３−イル）（ペルフルオロフルオレニル）（５，６，７，８−テトラフルオロナフチル）（ペルフルオロアントラセニル）ボラート］−／ジフェニルメチル（フルオレニル）（シクロペンタジエニル）ジメチルジルコニウム
［トリ−Ｎ−（ｔ−ブチル）ホスホニウム］＋［６−（（トリ−ｎ−プロピルシリルヘキシル）（ペルフルオロナフチル）アミノ）ペルフルオロフルオレン−２−イル）（ペルフルオロフェニル）（ペルフルオロナフチル）（ペルフルオロフルオレニル）ボラート］−／シラシクロブチル（テトラメチルシクロペンタジエニル）（ｎ−プロピルシクロペンタジエニル）ジメチルジルコニウム
［トリ−Ｎ−（ｎ−ブチル）ホスホニウム］＋［６−（（エチル）（４，５，６−トリフルオロナフチル）アミノ）ペルフルオロフルオレン−２−イル）（テトラフルオロフルオレニル）（２，３，５−トリフルオロフェニル）（ペルフルオロピレニル）ボラート］−／（ペンタメチルシクロペンタジエニル）（シクロペンタジエニル）ジメチルジルコニウム
［Ｎ，Ｎ，Ｎ−（エチル）（メチル）（ｎ−ブチル）ホスホニウム］＋［７−（（トリエチルシリル）（ペルフルオロビフェニル）アミノ）フルオロフルオレン−２−イル）（ペルフルオロビフェニル）（ペルフルオロフルオレニル）（ペルフルオロフェニル）ボラート］−／ジフェニルメチル（フルオレニル）（シクロペンタジエニル）ジメチルジルコニウム
［Ｎ，Ｎ，Ｎ−（エチル）（メチル）（オクチル）ホスホニウム］＋［７−（（オクチル）（４，５，６，７−テトラフルオロナフチル）アミノ）ペルフルオロフルオレン−２−イル）（ペンタフルオロピレニル）（４，５，６，７−テトラフルオロナフチル）（ペルフルオロピレニル）ボラート］−／ビス（１，３−ジブチル−メチル−シクロペンタジエニル）ジメチルジルコニウム
［トリ−Ｎ−（メチルフェニル）ホスホニウム］＋［８−（（メチル）（ペルフルオロフェニル）アルシノ）ペルフルオロピレン−２−イル）（２’，３’，４’−トリフルオロビフェニル）（ペルフルオロフェニル）（２，３，４−トリフルオロフェニル）ボラート］−／ジメチルシリル（テトラメチルシクロペンタジエニル）（ｔｅｒｔ−ブチルアミド）ジメチルジルコニウム
［Ｎ，Ｎ，Ｎ−（エチル）（メチル）（ｔ−ブチル）ホスホニウム］＋［４−（（トリエチルシリル）（ペルフルオロフェニル）アミノ）フルオロフェン−１−イル）（ペルフルオロフェニル）（ペルフルオロアントラセニル）（ペルフルオロピレニル）ボラート］−／ジメチルシリルビス（２−メチルベンズインデニル）ジメチルジルコニウム
［Ｎ，Ｎ，Ｎ−（エチル）（メチル）（ｔ−ブチル）ホスホニウム］＋［６−（（エチル）（２，３，４−トリフルオロフェニル）アミノ）ペルフルオロナフト−１−イル）（テトラフルオロフルオレニル）（２’，３’，４’−トリフルオロビフェニル）（ペルフルオロフルオレニル）ボラート］−／ジメチルシリルビス（テトラハイドロインデニル）ジクロリドジルコニウム
［Ｎ，Ｎ，Ｎ−（エチル）（メチル）（ｔ−ブチル）ホスホニウム］＋［６−（（トリエチルシリルプロピル）（テトラフルオロフルオレニル）アルシノ）ペルフルオロアントラセン−２−イル）（ペルフルオロナフチル）（ペルフルオロフェニル）（ペルフルオロビフェニル）ボラート］−／シラシクロブチル（テトラメチルシクロペンタジエニル）（ｎ−プロピルシクロペンタジエニル）ジメチルジルコニウム
［トリ−Ｎ−（ジメチルフェニル）ホスホニウム］＋［７−（（ノニル）（ペンタフルオロピレニル）アミノ）ペルフルオロフルオレン−２−イル）（２，３，６−トリフルオロフェニル）（ペルフルオロフェニル）（テトラフルオロフルオレニル）ボラート］−／ジフェニルメチル（フルオレニル）（シクロペンタジエニル）ジメチルジルコニウム
［トリ−Ｎ−（メチルフェニル）ホスホニウム］＋［３−（（オクチル）（４，５，７−トリフルオロナフチル）ホスフィノ）ペルフルオロフェニル）（ペルフルオロビフェニル）（２’，３’，５’−トリフルオロビフェニル）（ペルフルオロフルオレニル）ボラート］−／テトラ（ビス（トリメチルシリルメチル））ジルコニウム
［トリ−Ｎ−プロピルホスホニウム］＋［６−（（プロピル）（ペルフルオロピレニル）アミノ）ペルフルオロアントラセン−２−イル）（ペルフルオロアントラセニル）（２，３，４−トリフルオロフェニル）（ペルフルオロフェニル）ボラート］−／ジメチルシリル（テトラメチルシクロペンタジエニル）（ｔｅｒｔ−ブチルアミド）ジメチルジルコニウム
［トリ−Ｎ−（メチルフェニル）ホスホニウム］＋［５−（（ノニル）（ペンタフルオロピレニル）アミノ）ペルフルオロナフト−３−イル）（ペルフルオロフェニル）（２，３，６−トリフルオロフェニル）（ペルフルオロピレニル）ボラート］−／テトラベンジルジルコニウム
［トリ−Ｎ−（ジメチルフェニル）ホスホニウム］＋［８−（（トリエチルシリルエチル）（ペルフルオロフェニル）アミノ）ペルフルオロピレン−２−イル）（ペルフルオロビフェニル）（２，３，４−トリフルオロフェニル）（ペルフルオロピレニル）ボラート］−／テトラベンジルジルコニウム
［トリ−Ｎ−オクチルホスホニウム］＋［４’−（（エチル）（テトラフルオロフルオレニル）アミノ）ペルフルオロビフェン−３−イル）（テトラフルオロフルオレニル）（ペンタフルオロアントラセニル）（２’，３’，４’−トリフルオロビフェニル）ボラート］−／ジフェニルメチル（フルオレニル）（シクロペンタジエニル）ジメチルジルコニウム
［トリ−Ｎ−プロピルホスホニウム］＋［７−（（トリメチルシリル）（４，５，６，７−テトラフルオロナフチル）ホスフィノ）ペルフルオロインデン−２−イル）（ペルフルオロフェニル）（ペルフルオロビフェニル）（ペルフルオロアントラセニル）ボラート］−／ジメチルシリ（ビスインデニル）ジクロリドジルコニウム
［トリチル］＋［５−（（シクロヘキシル）（ペンタフルオロピレニル）アミノ）ペルフルオロインデン−２−イル）（ペルフルオロフェニル）（２，３，４−トリフルオロフェニル）（ペルフルオロピレニル）ボラート］−／ジメチルシリル（テトラメチルシクロペンタジエニル）（ドデシルアミド）ジヒドリドハフニウム
［トリチル］＋［７−（（メチルジエチルシリルオクチル）（ペルフルオロフェニル）ホスフィノ）ペルフルオロピレン−１−イル）（ペルフルオロフェニル）（２，３，６−トリフルオロフェニル）（２’，３’，５’−トリフルオロビフェニル）ボラート］−／テトラベンジルチタン
［トリチル］＋［５−（（トリ−ｎ−プロピルシリルヘキシル）（２，３，５−トリフルオロフェニル）アミノ）ペルフルオロインデン−２−イル）（ペルフルオロビフェニル）（５，６，７，８−テトラフルオロナフチル）（ペンタフルオロアントラセニル）ボラート］−／テトラベンジルチタン
［トリチル］＋［７−（（３−エチルノニル）（ペルフルオロビフェニル）ホスフィノ）ペルフルオロアントラセン−１−イル）（４，５，７−トリフルオロナフチル）（ペルフルオロフルオレニル）（ペンタフルオロアントラセニル）ボラート］−／ジメチルシリル（テトラメチルシクロペンタジエニル）（ｔｅｒｔ−ブチルアミド）ジメチルジルコニウム
［トリチル］＋［６−（（エチル）（２，３，４−トリフルオロフェニル）アミノ）ペルフルオロナフト−１−イル）（ペルフルオロフェニル）（ペルフルオロアントラセニル）（５，６，７，８−テトラフルオロナフチル）ボラート］−／（テトラメチルシクロペンタジエニル）（ｎ−プロピルシクロペンタジエニル）ジメチルジルコニウム
［トリチル］＋［５−（（メチル）（ペルフルオロピレニル）アミノ）ペルフルオロナフト−１−イル）（２’，３’，５’−トリフルオロビフェニル）（ペルフルオロフェニル）（テトラフルオロフルオレニル）ボラート］−／ジフェニルメチル（フルオレニル）（シクロペンタジエニル）ジメチルジルコニウム
［トリチル］＋［５−（（ブチル）（ペルフルオロフェニル）ホスフィノ）ペルフルオロフェニル］（ペルフルオロピレニル）（ペルフルオロアントラセニル）（４，５，６−トリフルオロナフチル）ボラート］−／ビス（１，３−ジブチル−メチル−シクロペンタジエニル）ジメチルジルコニウム
【００４５】
実施例
以下の実施例は前述の内容を例証するために示す。特に示さない限り、以下において部、比率およびパーセンテージは重量による。すべての実施例は、乾燥した無酸素の環境および溶媒中で行った。以下の実施例は本発明における特定の実施態様に着目しているかもしれないが、本発明を限定するものと解してはならない。これらの実施例では説明を容易にするためいくつか略語を用いている。それらの略語には、元素についての標準的な化学略語および一般的に認められている以下のような略語を含む： Ｍｅ＝メチル、Ｅｔ＝エチル、ｎ−Ｐｒ＝１級プロピル、ｔ−Ｂｕ＝３級ブチル、Ｐｈ＝フェニル、ｐｆｐ＝ペンタフルオロフェニル、Ｃｐ＝シクロペンタジエニル、Ｉｎｄ＝インデニル、Ｆｌｕ＝フルオレニル、ＴＭＳ＝トリメチルシリル、ＴＥＳ＝トリエチルシリル、ＴＨＦ（もしくは、ｔｈｆ）＝テトラヒドロフラン、等である。
【００４６】
分子量は、特に記さない限り、すべて重量平均分子量である。分子量（重量平均分子量（Ｍｗ）および数平均分子量（Ｍｎ））は、特に記さない限り、示差屈折率（ＤＲＩ）および小角散乱（ＬＳ）に対する検出器を備えたウォーターズ１５０ゲル透過クロマトグラフを用いてゲル透過クロマトグラフィーにより測定し、ポリスチレン標準物質により校正した。サンプルは、１，２，４−トリクロロベンゼン（１３５℃）を溶剤として、Ｂカラムを直列に結合させたポリマーラボラトリーＰＣ ＧＥＬを用いて溶離させた。この一般的手法は、Ｊ．Ｃａｚｅｓ編集による“Ｌｉｑｕｉｄ　Ｃｈｒｏｍａｔｏｇｒａｐｈｙ　ｏｆＰｏｌｙｍｅｒｓ　ａｎｄ　Ｒｅｌａｔｅｄ　Ｍａｔｅｒｉａｌｓ　ＩＩＩ”、Ｍａｒｃｅｌ　Ｄｅｃｋｅｒ、１９８１、２０７ページに記載されており、これは米国特許の実務に従い引用により本明細書に組み入れられる。カラムの拡散に対する補正は行っていない；しかしながら、一般に認められている標準データ（例えば、米国標準局のポリエチレン１４７５）によって、溶出時間から算出したＭｗ／Ｍｎが０．２単位の精度であることが証明された。
【００４７】
触媒の製法
実施例１：４−（Ｃ６Ｆ５ＮＨ）−Ｃ６Ｆ４Ｂｒの合成
ジメチルスルフォキシド（３００ ｍｌ、ＤＭＳＯ）の水酸化ナトリウム（１１ｇ）懸濁液に、Ｃ６Ｆ５ＮＨ２（１００ｍｌＤＭＳＯ溶液中５０ｇ）を添加した。混合物はアミンの添加により、すぐに黒色を帯びた。この溶液にＣ６Ｆ４Ｂｒ（１００ｍｌＤＭＳＯ溶液中６７ｇ）を添加し、混合物を１６時間攪拌した。反応混合物を希塩酸（ＨＣｌ）３００ｍｌに加えた。冷却した混合物にジエチルエーテル（Ｅｔ２Ｏ）３００ｍｌを添加した。２層を分離し、水相を３００ｍｌのジエチルエーテルで２回抽出した。得られた紫色のエーテル層を足し合わせ、硫化マグネシウム（ＭｇＳＯ４）で乾燥した。適切な乾燥期間の後、ＭｇＳＯ４を濾過し取り除いた。溶媒を除去し、生成物を昇華させた（油浴温度は８０−９０℃、圧力はおおよそ１０−４ミリトール）。指形冷却器に集めた白色の固体をヘキサンから結晶化し白色結晶が得られた。１９Ｆ ＮＭＲにより生成物の同定を行った。４−（Ｃ６Ｆ５ＮＨ）−Ｃ６Ｆ４Ｂｒの収量は、２４．５６ ｇであった。１９Ｆ ＮＭＲ（ＣＤＣｌ３、２５℃、基準物質ＣＦＣｌ３ （０．０））：δ−１３４．５（ｍ， ２Ｆ），−１５２．６（ｄ， ２Ｆ），−１５４．４（ｄ， ２Ｆ），−１６１．７（ｔ， １Ｆ），−１６２．９（ｑ， ２Ｆ）。
【００４８】
実施例２：４−（Ｃ６Ｆ５Ｎ｛ＴＭＳ｝）−Ｃ６Ｆ４Ｂｒの合成
テトラヒドロフラン（５０ｍｌ、ＴＨＦ）の水素化カリウム（０．６１０ｇ）懸濁液に、４−（Ｃ６Ｆ５ＮＨ）−Ｃ６Ｆ４Ｂｒ溶液（６．２４５ｇを含む５０ｍｌＴＨＦ溶液）を添加した。気体の発生が止んだ後、ＴＭＳ−Ｃｌ（１．６５ｇ）を添加し、溶液を１６時間攪拌させておいた。得られた固体の沈殿物を濾別し、溶媒をＴＨＦからヘキサンに替えた。カラムクロマトグラフィー（２００メッシュシリカゲル、ヘキサン）により、黄色混合物から無色の液状生成物を単離した。この手順による生成物の収量は４．０ｇであった。１９Ｆ ＮＭＲにより生成物の同定を行った。１９Ｆ ＮＭＲ（ＣＤＣｌ３、２５℃、基準物質ＣＦＣｌ３ （０．０））：δ−１３４．２（ｍ， ２Ｆ），−１４３．８（ｍ， ２Ｆ），−１４４．４（ｍ， ２Ｆ），−１５７．８（ｔ， １Ｆ），−１６３．０（ｍ， ２Ｆ）。
【００４９】
実施例３：［４−（Ｃ６Ｆ５Ｎ｛ＴＭＳ｝）−Ｃ６Ｆ４］４ＢＬｉ（Ｅｔ２Ｏ）２．５の合成
４−（Ｃ６Ｆ５Ｎ｛ＴＭＳ｝）−Ｃ６Ｆ４Ｂｒ（１．４９３ｇ）の冷Ｅｔ２Ｏ溶液に、ｎブチルリチウム（２．０ｍｌ、２．１Ｍヘキサン溶液、アルドリッチ）を添加した。リチウム化には、塩化硼素（０．７７ｍｌ、１．０Ｍヘキサン溶液、アルドリッチ）を反応混合物に添加してから、２時間の攪拌を要した。冷浴を取り除き、さらに３時間攪拌させておいた。得られた白色沈殿物を濾別した。濾液の体積を約３０％減少させ、さらに沈殿を誘発させるためにペンタンを添加した。２層になった混合物を−３５℃に冷却した。白色固体の生成物（１．１３５ｇ）を得た。生成物の同定は、１Ｈ ＮＭＲおよび１９Ｆ ＮＭＲにより行った。１Ｈ ＮＭＲ（トルエン−ｄ８、２５℃）：δ３．２５（ｑ， １０Ｈ），１．０９（ｔ， １５Ｈ），０．１１（ｓ， ３６Ｈ）。１９Ｆ ＮＭＲ（トルエン−ｄ８、２５℃）：δ−１３３．２（ｍ，２Ｆ），−１４５．５（ｍ，２Ｆ），−１５０．３（ｍ，２Ｆ），−１６０．０（ｔ，１Ｆ），１６４．７（ｍ，２Ｆ）。
【００５０】
実施例４：［Ｃ６Ｈ５ＮＭｅ２（Ｈ）］［４−（Ｃ６Ｆ５Ｎ｛ＴＭＳ｝）−Ｃ６Ｆ４］４Ｂの合成
［４−（Ｃ６Ｆ５Ｎ｛ＴＭＳ｝）−Ｃ６Ｆ４］４ＢＬｉ（Ｅｔ２Ｏ）２．５（２．１２１ｇ）の塩化メチレン溶液に、Ｃ６Ｈ５ＮＭｅ２ＨＣｌ（０．１８５ｇ）の塩化メチレン溶液を添加した。混合物を１時間攪拌し、得られた白色沈殿を濾別した。濾液の体積を約３０％減少させ、さらに沈殿を誘発させるためにペンタンを添加した。混合物を−３５℃で１６時間冷却した後、濾過した生成物を冷却したペンタンで洗浄し、１．５１２ｇの生成物を得た。生成物の同定は、１９Ｆ ＮＭＲおよび１Ｈ ＮＭＲにより行った。１９Ｆ ＮＭＲ（トルエン−ｄ８、２５℃）：δ−１３３．７（ｍ，２Ｆ），−１４５．６（ｍ，２Ｆ），−１４９．３（ｍ，２Ｆ），−１５９．３（ｔ，１Ｆ），１６４．２（ｍ，２Ｆ）。１Ｈ ＮＭＲ：δ６．８２（ｂｍ， ３Ｈ），６．４５（ｂｍ， ２Ｈ），２．１３（ｓ， ６Ｈ） ，０．０７（ｓ，３６Ｈ）。
【００５１】
実施例５：４−（Ｃ６Ｆ５Ｎ｛ＴＥＳ｝）−Ｃ６Ｆ４Ｂｒの合成
テトラヒドロフラン（５０ｍｌ、ＴＨＦ）の水素化カリウム（０．４８９ｇ）懸濁液に、４−（Ｃ６Ｆ５ＮＨ）−Ｃ６Ｆ４Ｂｒ溶液（６．２４５ｇを含む５０ｍｌＴＨＦ溶液）を添加した。気体の発生が止んだ後、クロロトリエチルシラン（ＴＥＳ−Ｃｌ、１．６５ｇ）を添加し、溶液を１６時間攪拌させておいた。溶媒をヘキサンに替え、得られた固体の沈殿物を濾別した。カラムクロマトグラフィー（２００メッシュシリカゲル、ヘキサン）により、黄色混合物から無色の液状生成物を単離した。この手順による生成物の収量は５．０３ｇであった。１９Ｆ ＮＭＲにより生成物の同定を行った。１９Ｆ ＮＭＲ（ＣＤＣｌ３、２５℃、基準物質ＣＦＣｌ３ （０．０））：δ−１３４．２（ｍ， ２Ｆ），−１４３．１（ｍ， ２Ｆ），−１４３．８（ｍ， ２Ｆ），−１５７．８（ｔ， １Ｆ），−１６３．１（ｍ， ２Ｆ）。
【００５２】
実施例６：［４−（Ｃ６Ｆ５Ｎ｛ＴＥＳ｝）−Ｃ６Ｆ４］４ＢＬｉ（Ｅｔ２Ｏ）２．５の合成
４−（Ｃ６Ｆ５Ｎ｛ＴＥＳ｝）−Ｃ６Ｆ４Ｂｒ（４．６０４ｇ）の冷Ｅｔ２Ｏ溶液に、ｎブチルリチウム（４．２ｍｌ、２．１Ｍヘキサン溶液、アルドリッチ）を添加した。リチウム化には、塩化硼素（２．２ｍｌ、１．０Ｍヘキサン溶液、アルドリッチ）を反応混合物に添加してから、２時間の攪拌を要した。冷浴を取り除き、さらに３時間攪拌させておいた。得られた白色沈殿物を濾別した。濾液の体積を約３０％減少させ、さらに沈殿を誘発させるためにペンタンを添加した。２層になった混合物を−３５℃に冷却した。白色固体の生成物（３．９５６ｇ）を得た。生成物の同定は、１Ｈ ＮＭＲおよび１９Ｆ ＮＭＲにより行った。１Ｈ ＮＭＲ（トルエン−ｄ８、２５℃）：δ３．２７（ｑ， １０Ｈ），１．１３（ｔ， １５Ｈ），０．８３（ｔ， ３６Ｈ），０．６９（ｑ， ２４Ｈ）。１９Ｆ ＮＭＲ（トルエン−ｄ８、２５℃）：δ−１３５．１（ｍ，２Ｆ），−１４４．６（ｍ，２Ｆ），−１５０．６（ｍ，２Ｆ），−１６０．７（ｔ，１Ｆ），１６４．９（ｍ，２Ｆ）。
【００５３】
実施例７：［Ｃ６Ｈ５ＮＢｕ２（Ｈ）］［４−（Ｃ６Ｆ５Ｎ｛ＴＥＳ｝）−Ｃ６Ｆ４］４Ｂの合成
［４−（Ｃ６Ｆ５Ｎ｛ＴＥＳ｝）−Ｃ６Ｆ４］４ＢＬｉ（Ｅｔ２Ｏ）２．５（１．６１８ｇ）の塩化メチレン溶液に、Ｃ６Ｈ５ＮＢｕ２ＨＣｌ（０．２００ｇ）の塩化メチレン溶液を添加した。混合物を１時間攪拌し、得られた白色沈殿を濾別した。濾液の体積を約３０％減少させ、さらに沈殿を誘発させるためにペンタンを添加した。混合物は−３５℃で１６時間冷却した。溶媒を除去し、１．２１８ｇの生成物を得た。生成物の同定は、１９Ｆ ＮＭＲおよび１Ｈ ＮＭＲにより行った。１９Ｆ ＮＭＲ（トルエン−ｄ８、２５℃）：δ−１３３．２（ｍ，２Ｆ），−１４４．６（ｍ，２Ｆ），−１４９．０（ｍ，２Ｆ），−１５９．３（ｔ，１Ｆ），１６４．３（ｍ，２Ｆ）。１Ｈ ＮＭＲ：δ６．８８（ｂｍ， ３Ｈ），６．４８（ｂｍ， ２Ｈ），２．９５（ｂｓ， ２Ｈ） ，２．７２（ｂｓ， ２Ｈ） ，１．２５（ｍ， ４Ｈ） ，１．５０（ｍ， ４Ｈ） ，０．８０−０．０７（ｍ， ６６Ｈ）。
【００５４】
実施例８：ＢｒＣ６Ｆ４−Ｎ（ｎ−Ｐｒ）２の合成
Ｃ６Ｆ６のＤＭＳＯ溶液にＨＮ（ｎ−Ｐｒ）２を加えた。反応には１６時間の攪拌を要した。得られたオレンジ色の溶液を、ＮａＨＳＯ４水溶液（２００ｍｌ）と共に冷却した。生成物（３００ｍｌ）を抽出するためクロロホルムを添加した。有機層を分離し、ＭｇＳＯ４により乾燥した。乾燥剤は濾過により取り除き、溶媒を留去した。減圧蒸留では純粋なアミンを得ることができなかった。最終的な精製は、カラムクロマトグラフィー（シリカゲル、ヘキサン）で行った。生成物として無色透明の油状物質（５．２１ｇ）を得た。１９Ｆ ＮＭＲ（ＣＤＣｌ３、２５℃）：δ−１３６．４（ｍ， ２Ｆ），−１４７．９（ｍ， ２Ｆ）。１Ｈ ＮＭＲ（ＣＤＣｌ３、２５℃）：δ３．１０（ｔ， ４Ｈ），１．４８（ｍ， ４Ｈ），０．８１（ｔ， ６Ｈ）。
【００５５】
実施例９：Ｌｉ（Ｅｔ２Ｏ）１／２Ｂ（Ｃ６Ｆ４Ｎ（ｎ−Ｐｒ）２）４の合成　ＢｒＣ６Ｆ４−Ｎ（ｎ−Ｐｒ）２（２．１ｇ）の冷ジエチルエーテル溶液（５０ｍｌ）に、ブチルリチウム（４．０ｍｌ）を添加した。反応には、−７８℃で１時間の攪拌を要した。４分の１当量の三塩化硼素を加え、混合物を３０分間攪拌した。その後、室温でさらに１４時間攪拌した。得られた黄色溶液を濾過し、副生成物であるＬｉＣｌを取り除いた。トリチュレーション（１４時間）のために溶媒をペンタンに替えた。混合物を−３５℃に冷却し、生成物（１．０６ｇ）を濾別した。１９Ｆ ＮＭＲ（トルエン／ＴＨＦ−ｄ８、２５℃）：δ−１３３．８（ｂｓ，８Ｆ），−１５３．５（ｂｓ，８Ｆ）。１Ｈ ＮＭＲ（トルエン／ＴＨＦ−ｄ８、２５℃）：δ３．２６（ｑ， ２Ｈ），２．９１（ｔ， １６Ｈ），１．３７（ｑ， １６Ｈ） ，１．１０（ｔ， ３Ｈ） ，０．７７（ｔ， ２４Ｈ）。
【００５６】
実施例１０．比較化合物Ｂ（Ｃ６Ｆ４Ｎ（ｎ−Ｐｒ）２）４の合成
Ｌｉ（Ｅｔ２Ｏ）１／２Ｂ（Ｃ６Ｆ４Ｎ（ｎ−Ｐｒ）２）４（０．６０４ｇ）の塩化メチレン溶液（５ｍｌ）に、Ｃ６Ｈ５ＮＭｅ２ＨＣｌ（０．０９１ｇ）の塩化メチレン溶液（５ｍｌ）を添加した。溶液を１時間攪拌し、副生成物である固体ＬｉＣｌを濾過により取り除いた。生成物をペンタンで滴定し、０．４３５ｇの（ｎ−Ｐｒ）２Ｎ（Ｈ）Ｃ６Ｆ４Ｂ（Ｃ６Ｆ４Ｎ（ｎ−Ｐｒ）２）３を得た。Ｎ，Ｎ−ジメチルアニリン（“ＤＭＡ”）をすべて取り除くことはできなかった。
【００５７】
実施例１１．溶解度試験
手順：０．０２３ｇの本発明の化合物［Ｃ６Ｈ５ＮＢｕ２（Ｈ）］［４−（Ｃ６Ｈ５Ｎ｛Ｅｔ３Ｓｉ｝）−Ｃ６Ｆ４］４Ｂに、０．７３５ｇのペンタンを加えた。混合物を３０分間攪拌した。得られた混合物を濾過し、不溶物を取り除いた。得られた濾液の一部（０．４２３ｇ）を留去した。溶媒が取り除かれた後、容器の内容物、すなわちホウ酸塩の重量は０．０１１ｇ（２．６重量％）であった。もう１つの本発明の化合物である［Ｃ６Ｈ５ＮＭｅ２（Ｈ）］［４−（Ｃ６Ｈ５Ｎ｛Ｍｅ３Ｓｉ｝）−Ｃ６Ｆ４］４Ｂについての同様の実験条件下では、留去後の濾液には確認できるほどの活性化剤は残っていなかった。従って、−ＳｉＭｅ３トリアルキルシリル置換基を有する２番目の化合物の溶解度は０．０１重量％以下であることが明らかとなり、これは−ＳｉＥｔ３トリアルキルシリルを含む１番目の化合物に比べ遥かに小さい溶解度である。
【００５８】
バッチプロピレン重合
実施例１２：プロピレン重合反応は、よく攪拌された１リットルの、配位重合が実施できるよう装備されたバッチ式反応器を用いて、不活性炭化水素溶媒（ヘキサン）存在下、圧力５００ｐｓｉｇ以上、温度１５０℃以上の条件で行った。気液重合系において、重合は液相でおこり、そこでは、プロピレンは触媒溶液の添加の前に反応器に供給される。すべての実験において、反応器の表面に加えられる水蒸気の量を電子的に制御することにより、反応器の温度を常に６０℃に保った。典型的な実験では、ヘキサン（１２５ｍｌ）を乾燥した反応器に供給した。ＴＩＢＡＬのトルエン溶液（２０μｌ，２５重量％）を反応器に添加した。プロピレン（１２５ｍｌ）を反応器に添加した。反応器を密封し、６０℃に加熱した。触媒溶液（触媒と活性化剤をトルエン４０ｍｌに溶解させた溶液）は、触媒供給ポンプを経由して反応器に添加した。重合は触媒の添加によってすぐに開始し、指示時間の間制御温度で続けられた。指示時間が経過すると、反応器を室温に戻し、ガス抜きによって常圧にした。沈殿を誘起するため、重合溶液をメタノール中に注いだ。得られたポリマーを大気条件下で１６時間以上乾燥し、さらに６０℃で減圧乾燥した。重合反応の結果を表１および２に示す。
【００５９】
【表１】
2004501228.tif 000008
１　触媒：ジメチルシリル（ビス−インデニル）ハフニウムジメチル；
２　助触媒：Ｎ，Ｎ−ジメチルアニリニウムテトラキス（４−（Ｎ−ペンタフルオロ−Ｎ−トリメチルシリル）−テトラフルオロフェニル）ボラート
３　ｇ／ｍｍｏｌ＊ｍｉｎ：１分間における活性化された触媒１ミリモル当りのポリマー重量
【００６０】
【表２】
2004501228.tif 000009
１，３　表１と同様
４　助触媒：Ｎ，Ｎ−ジメチルアニリニウムテトラキス（４−（ジ−ｎ−プロピル−Ｎ）−テトラフルオロフェニル）ボラート
【００６１】
表１および２に示したように、相対的な活性と分子量の値はかなり、驚くほど大きく異なる。断定はできないが、Ｎ，Ｎ−ジメチルアニリニウムカチオンは、ボラートアニオンのフルオロアリル配位子上のジアルキルアミノ基の窒素原子の非共有電子対にプロトン付加していると思われる。両性イオン型の活性剤は、おそらく反応生成物であり、その両性イオン型の生成物との間でなんらかの平衡が存在すると考えられる［Ｃｔ］＋［Ａ］−のイオン性塩と競合するであろう。それに対し、ジアルキルアミノにおける１つのアルキルの代わりにフルオロアリル基を用いることによって、期待した以上の活性の改善が得られた。これはおそらく、フルオロアリル基の電子吸引性によって窒素原子の非共有電子対の塩基性（およびプロトン付加反応性）が減少するためであると考えられる。
【００６２】
高温バッチエチレン／オクテン共重合
実施例１３：エチレン／１−オクテン共重合は、よく攪拌された１リットルの、配位重合が実施できるよう装備されたバッチ式反応器を用いて、不活性炭化水素溶媒（ヘキサン）存在下、圧力６００ｐｓｉｇ以上、温度１５０℃以上の条件で行った。気液（ＶＬ）重合系においては、エチレンを継続して反応器に供給することによって重合の間気相上の圧力を常に２６５ｐｓｉｇに保っているにも拘らず、重合は液相でおこった。反応器の温度は、反応器の表面に加える水蒸気の量を弁によって調整し、およびポンプで反応器に供給される触媒の量を調節することによって、常に１４０℃に保った。典型的には、乾燥させたヘキサン２５０ｍｌ、乾燥させた１−オクタン１８ｍｌ、および毒掃去剤である１０重量％のトリイソブチルアルミニウム溶液（トルエンまたはヘキサン溶液）を反応器に供給し、それから１４０℃にした。反応器の内容物を、その後２６５ｐｓｉのエチレンを供給すろことにより加圧し、重合が終了するまでエチレンの圧力は一定に保った。重合は、予め活性化された触媒溶液（トルエンまたはヘキサン溶液）の供給によって開始され、それは重合の間継続された。触媒の流速を止め、反応器を室温まで放冷し常圧に戻した。沈殿した生成物は、室温で一晩、ドラフト内で乾燥した。重合反応の結果を表３に示す。
【００６３】
【表３】
2004501228.tif 000010
５　触媒：ビス（３，５−トリエチルシリル）フェニルメチレンシクロペンタジエニルフルオレニルハフニウムジメチル；
６　助触媒：Ｎ，Ｎ−ジブチルアニリニウムテトラキス（４−（Ｎ−ペンタフルオロ−Ｎ−トリエチルシリル）−テトラフルオロフェニル）ボラート
３　表１と同様
７　コモノマー取り込み：１−オクテンの１８−２３重量％の範囲
【００６４】
本発明の説明のために特定の代表的な実施態様および詳細について述べてきたが、請求の範囲で定義される本発明の範囲から離れることなく本明細書に記載された方法や生成物を変更できる場合があることは、当業者には明らかであろう。これらは本発明の範囲内であるとみなす。
【００６５】
すべての特許、試験方法、および本明細書で引用したその他の刊行物は、本明細書とこの資料が一致する程度まで、およびそのような組み込みが許されるすべての法律範囲内において、引用によって本明細書中に完全に組み込まれる。
【国際公開パンフレット】
2004501228.tif 000011
2004501228.tif 000012
2004501228.tif 000013
2004501228.tif 000014
2004501228.tif 000015
2004501228.tif 000016
2004501228.tif 000017
2004501228.tif 000018
2004501228.tif 000019
2004501228.tif 000020
2004501228.tif 000021
2004501228.tif 000022
2004501228.tif 000023
2004501228.tif 000024
2004501228.tif 000025
2004501228.tif 000026
2004501228.tif 000027
2004501228.tif 000028
2004501228.tif 000029
2004501228.tif 000030
2004501228.tif 000031
2004501228.tif 000032
2004501228.tif 000033
2004501228.tif 000034
2004501228.tif 000035
2004501228.tif 000036
2004501228.tif 000037
2004501228.tif 000038
2004501228.tif 000039
2004501228.tif 000040
2004501228.tif 000041
2004501228.tif 000042
2004501228.tif 000043
2004501228.tif 000044
2004501228.tif 000045
2004501228.tif 000046
2004501228.tif 000047
2004501228.tif 000048
2004501228.tif 000049
2004501228.tif 000050
2004501228.tif 000051
2004501228.tif 000052
2004501228.tif 000053
2004501228.tif 000054
2004501228.tif 000055
2004501228.tif 000056
2004501228.tif 000057
2004501228.tif 000058
2004501228.tif 000059
2004501228.tif 000060
2004501228.tif 000061
2004501228.tif 000062
2004501228.tif 000063
2004501228.tif 000064
2004501228.tif 000065
2004501228.tif 000066
2004501228.tif 000067
2004501228.tif 000068
2004501228.tif 000069
2004501228.tif 000070
2004501228.tif 000071
2004501228.tif 000072
2004501228.tif 000073
2004501228.tif 000074
2004501228.tif 000075
2004501228.tif 000076
2004501228.tif 000077
2004501228.tif 000078
2004501228.tif 000079
2004501228.tif 000080
2004501228.tif 000081
2004501228.tif 000082
2004501228.tif 000083
2004501228.tif 000084
2004501228.tif 000085
2004501228.tif 000086
2004501228.tif 000087
2004501228.tif 000088
2004501228.tif 000089
2004501228.tif 000090
2004501228.tif 000091
2004501228.tif 000092
2004501228.tif 000093
2004501228.tif 000094
2004501228.tif 000095
2004501228.tif 000096
2004501228.tif 000097
2004501228.tif 000098
2004501228.tif 000099
2004501228.tif 000100
2004501228.tif 000101
2004501228.tif 000102
2004501228.tif 000103
2004501228.tif 000104
2004501228.tif 000105
2004501228.tif 000106
2004501228.tif 000107
2004501228.tif 000108
2004501228.tif 000109
2004501228.tif 000110
2004501228.tif 000111
2004501228.tif 000112
2004501228.tif 000113
2004501228.tif 000114
2004501228.tif 000115
2004501228.tif 000116
2004501228.tif 000117
2004501228.tif 000118
2004501228.tif 000119
2004501228.tif 000120
2004501228.tif 000121
2004501228.tif 000122
2004501228.tif 000123
2004501228.tif 000124
2004501228.tif 000125
2004501228.tif 000126
2004501228.tif 000127
2004501228.tif 000128
2004501228.tif 000129
2004501228.tif 000130
2004501228.tif 000131
2004501228.tif 000132
2004501228.tif 000133
【国際公開パンフレット（コレクトバージョン）】
2004501228.tif 000134
【国際調査報告】
2004501228.tif 000135
2004501228.tif 000136